(57)【要約】      （修正有）【課題】複数の部材で構成される空間に液体が入り込んで見栄えが悪くなることを防ぎつつ、製造コストの抑制を図る遊技機を提供する。【解決手段】ガラスパネルと、中パネル９４００と、ガラスパネルの背面側に配置されるカバー部材９６００と、を備え、中パネル９４００には、第２開口部が形成され、カバー部材９６００は、第２開口部を覆い、少なくとも一部が透光性であり、ガラスパネルよりも外形が小さく形成され、中パネル９４００は、突出部９４２１を備え、カバー部材９６００は、突出部９４２１に対応する位置に凹み部又は孔部の少なくともいずれかを備える。【選択図】図２３５
2020108639.tif 000002
【特許請求の範囲】
【請求項１】
少なくとも一部が透光性である外側部材と、
前記外側部材の背面側に配置される内側部材と、
前記外側部材の背面側に配置されるカバー部材と、を備え、
前記内側部材には、開口部が形成され、
前記カバー部材は、前記開口部を覆い、少なくとも一部が透光性であり、前記外側部材よりも外形が小さく形成され、
前記内側部材は、突出部を備え、
前記カバー部材は、前記突出部に対応する位置に凹み部又は孔部の少なくともいずれかを備えることを特徴とする遊技機。
【請求項２】
前記突出部は、複数設けられ、
複数の前記突出部は、前記内側部材の中心に対して、非対称に設けられていることを特徴とする請求項１に記載の遊技機。
【発明の詳細な説明】
【技術分野】
【０００１】
本発明は、遊技機に関する。
【背景技術】
【０００２】
従来、複数の図柄がそれぞれの表面に配された複数のリールと、遊技メダルやコイン等（「メダル等」）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチおよびストップスイッチにより出力された信号に基づいて、ステッピングモータの動作を制御し、各リールの回転およびその停止を行うリール制御部とを備え、スタートレバーが操作されたことを検出すると、乱数値に基づいて抽籤を行い、この抽籤の結果（「内部当籤役」）とストップボタンが操作されたことを検出したタイミングとに基づいてリールの回転の停止を行う、いわゆるパチスロと称される遊技機が知られている。
【０００３】
このような従来の遊技機としては、装飾部材（表示パネル、印刷フィルム等）を保持する構造として、装飾部材を外側及び内側から挟み込む外側透明部材及び内側透明部材を備えるものが知られている。
【０００４】
一方、上記のように複数の部材で前後から挟み込む構造であると、塵埃が中に入り込んだ場合に分解掃除が必要となるため、分解せずに掃除できるよう印刷フィルムの開口に連通するように内側透明部材に開口を設けた遊技機が提案されている（例えば、特許文献１参照）。
このような遊技機によれば、遊技機のフロントドアを開けた状態でドアの内側から外側部材の内面を掃除できる構造であれば、印刷フィルムの開口に連通する内側透明部材の開口から、塵埃の拭き掃除等で容易に取り除くことができる。
【先行技術文献】
【特許文献】
【０００５】
【特許文献１】特開２０１４−３６７１５号公報
【発明の概要】
【発明が解決しようとする課題】
【０００６】
しかしながら、上記従来の遊技機では、濡れぞうきん等で水拭きを行うと、開口の周縁における各部材のわずかな隙間から印刷フィルムが収容された空間に垂れた水滴や毛細管現象による吸い込みにより水が入り込み、見栄えが悪くなるとともに、入り込んだ水を容易に除去できないという問題があった。
【０００７】
また、先行技術文献１の図２のように大きな２つの部材で装飾部材を挟み込むと、水の侵入を目立たなくすることができるものの部材の製造コストがかさむ、設計の自由度が低下するなどの問題があった。
【０００８】
本発明は、上記の点に鑑みてなされたものであり、複数の部材で構成される空間に液体が入り込んで見栄えが悪くなることを防ぎつつ、製造コストの抑制を図ることを目的とする。
【課題を解決するための手段】
【０００９】
上記の目的を達成するために、本発明は、以下のような遊技機を提供する。
【００１０】
（１）  少なくとも一部が透光性である外側部材（例えば、ガラスパネル９３００）と、
前記外側部材の背面側に配置される内側部材（例えば、中パネル９４００）と、
前記外側部材の背面側に配置されるカバー部材（例えば、カバー部材９６００）と、を備え、
前記内側部材には、開口部（例えば、第２開口部９４１０）が形成され、
前記カバー部材は、前記開口部を覆い、少なくとも一部が透光性であり、前記外側部材よりも外形が小さく形成され、
前記内側部材は、突出部（例えば、突出部９４２１）を備え、
前記カバー部材は、前記突出部に対応する位置に凹み部又は孔部の少なくともいずれかを備えることを特徴とする遊技機。
【００１１】
（１）の発明によれば、外側部材と、内側部材と、カバー部材と、を備える。外側部材は、少なくとも一部が透光性である。内側部材は、外側部材の背面側に配置される。カバー部材は、外側部材の背面側に配置される。
また、内側部材には、開口部が形成されている。
そして、カバー部材は、開口部を覆い、少なくとも一部が透光性であり、外側部材よりも外形が小さく形成されている。
【００１２】
このような構成によれば、内側部材の開口部を、カバー部材で覆うことができるので、濡れぞうきん等で水拭きを行っても、複数の部材の間に水滴等が侵入することを防止することが可能となる。
また、内側部材の開口部を覆うカバー部材だけで、複数の部材の間に水滴等が侵入することを防止可能とするので、内部部材や外部部材を必要以上に大きくする必要がなく、製造コストの増加や、設計の自由度を低下させることもない。
したがって、複数の部材で構成される空間に液体が入り込んで見栄えが悪くなることを防ぎつつ、製造コストの抑制を図ることが可能となる。
【００１３】
また、内側部材は、突出部を備えている。カバー部材は、突出部に対応する位置に凹み部又は孔部の少なくともいずれかを備えている。これにより、内側部材にカバー部材を取り付ける工程において、内側部材の突出部の位置に、カバー部材の凹み部又は孔部の少なくともいずれかを合わせることで、内側部材に対するカバー部材の位置が決まる。このため、例えば、内側部材にカバー部材を合わせた後に位置を微調整する必要がなくなるので、作業の効率が向上し、製造コストの抑制を図ることが可能となる。
【００１４】
（２）  前記突出部は、複数設けられ、
複数の前記突出部は、前記内側部材の中心に対して、非対称に設けられていることを特徴とする（１）に記載の遊技機。
【００１５】
（２）の発明によれば、突出部は、複数設けられ、複数の突出部は、内側部材の中心に対して、非対称に設けられている。
【００１６】
このような構成によれば、非対称に設けられた突出部に対応する位置に、凹み部又は孔部の少なくともいずれか（以下、「凹み部等」ともいう。）を備えるカバー部材は、前面から見た場合と背面から見た場合とにおいて、中心に対する凹み部等の位置が異なる。これにより、カバー部材を内側部材に取り付ける面が明らかなので、内側部材にカバー部材を取り付ける工程において、誤った面からカバー部材を内側部材に取り付けてしまうことを防止できる。よって、遊技機の組み立て作業の効率がより向上し、製造コストの抑制を図ることが可能となる。
【発明の効果】
【００１７】
本発明によれば、複数の部材で構成される空間に液体が入り込んで見栄えが悪くなることを防ぎつつ、製造コストの抑制を図ることが可能となる。
【図面の簡単な説明】
【００１８】
【図１】遊技機の正面斜視図である。
【図２】遊技機の裏面斜視図である。
【図３】遊技機の正面図である。
【図４】上ドア機構及び下ドア機構を開いた状態のときの、遊技機の正面図である。
【図５】遊技機の分解斜視図である。
【図６】遊技機の分解斜視図である。
【図７】ミラー機構の分解斜視図である。
【図８】プロジェクタ装置とミラー機構との位置関係を示す説明図である。
【図９】ミラー機構の取付け状態を示す説明図である。
【図１０】表示ユニットの縦断面図である。
【図１１】プロジェクタ装置の回路構成を示すブロック図である。
【図１２】プロジェクタ装置の分解斜視図である。
【図１３】プロジェクタ装置を固定するための上側台座及び下側台座を示す平面図である。
【図１４】図１３のＸＸＶＩ−ＸＸＶＩ線に沿う上側台座及び下側台座の断面図である。
【図１５】上側台座及び下側台座の分解斜視図である。
【図１６】上側台座の位置決め方法を説明するための図である。
【図１７】下側台座の姿勢調整方法を説明するための図である。
【図１８】上側台座及び下側台座の分解斜視図である。
【図１９】上側台座及び下側台座を組み付けた状態を示す平面図である。
【図２０】図１９に示す上側台座及び下側台座を斜め前方から見た図である。
【図２１】図１９に示す上側台座及び下側台座を斜め後方から見た図である。
【図２２】プロジェクタ機構の内部構成要素を収容するケースの斜視図である。
【図２３】下側台座にケースを取り付けた状態を示す斜視図である。
【図２４】プロジェクタカバーの上壁部を取り外した状態を示す斜視図である。
【図２５】上壁部を取り外した状態のプロジェクタカバーの平面図である。
【図２６】図２５に示すプロジェクタカバーの矢視Ｌ−Ｌに沿う断面図と、プロジェクタカバーに取り付けられる中継板の斜視図とを分解して示す図である。
【図２７】上壁部を取り外した状態のプロジェクタカバーを斜め上方から見た図である。
【図２８】上壁部を取り外した状態のプロジェクタカバーの正面図である。
【図２９】図２８に示すプロジェクタカバーの矢視Ｍ−Ｍに沿う断面図である。
【図３０】ブラインドの斜視図である。
【図３１】プロジェクタカバーの上壁部を取り外した状態の照射ユニットの平面図である。
【図３２】図３１に示す照射ユニットの矢視Ｎ−Ｎに沿う断面において開口近傍用ファン及びダクトカバーを取り外した状態を示す図である。
【図３３】図３０に示すブラインドに開口近傍用ファン及びダクトカバーを取り付けるとともに、ケースを配置した状態を示す斜視図である。
【図３４】図３１に示す照射ユニットから右パンチングを取り外した状態を示す斜視図である。
【図３５】図３２に示す照射ユニットに開口近傍用ファン及びダクトカバーを取り付けた状態を示す断面図である。
【図３６】図３５に示す照射ユニットの断面において開口近傍用ファンを取り外した状態を示す右側面図である。
【図３７】ダクトカバー及び開口近傍用ファンの分解斜視図である。
【図３８】プロジェクタカバー及び開口近傍用ファンを後方且つ下方から見た分解斜視図である。
【図３９】プロジェクタカバー及び開口近傍用ファンを前方且つ下方から見た部分拡大斜視図である。
【図４０】ブラインド及びダクトカバーを取り付けた状態を左方から見た斜視図である。
【図４１】プロジェクタカバー、ブラインド、及び、ダクトカバーを後方から見た斜視図である。
【図４２】図４１に示すプロジェクタカバー、ブラインド、及び、ダクトカバーの分解斜視図である。
【図４３】ブラインド及びダクトカバーの分解斜視図である。
【図４４】上ドア機構をキャビネットに取り付ける方法について説明するための図である。
【図４５】吸気用ファン及び排気用ファンの配置位置について説明するための図である。
【図４６】プロジェクタカバーの内部において形成され得る空気流路を示す図である。
【図４７】パチンコ遊技機の外観を示す斜視図である。
【図４８】パチンコ遊技機の分解斜視図である。
【図４９】パチンコ遊技機の装飾ユニット及びフレーム部材を前方から示す分解斜視図である。
【図５０】パチンコ遊技機の外観を示す斜視図である。
【図５１】パチンコ遊技機の分解斜視図である。
【図５２】表示ユニットの外観を示す斜視図である。
【図５３】表示ユニットの内部構造を示す斜視図である。
【図５４】図５３に示す表示ユニットからプロジェクタ及びミラーを分解した状態を示す斜視図である。
【図５５】図５２に示す表示ユニットからプロジェクタ及びミラーを分解した状態においてプロジェクタから光が投射されている様子を示す斜視図である。
【図５６】プロジェクタから投射された光の照射範囲とキャビネット側スクリーンとの関係を示す図である。
【図５７】上ドア機構を後方から見た斜視図である。
【図５８】上ドア機構の分解斜視図である。
【図５９】上ドア機構を前方から見た斜視図である。
【図６０】遊技機の正面図である。
【図６１】（ａ）は、プロジェクタから投射された光の照射範囲とキャビネット側スクリーンとの関係を示す図である。（ｂ）は、キャビネット側スクリーンに入射しなかった光がドア側右スクリーンに入射する様子を示す図である。（ｃ）は、キャビネット側スクリーンに入射しなかった光がドア側左スクリーンに入射する様子を示す図である。
【図６２】キャビネット側スクリーン、ドア側右スクリーン、及び、ドア側左スクリーンに表示される画像について説明するための図である。
【図６３】キャビネット側スクリーン、ドア側右スクリーン、及び、ドア側左スクリーンに表示される画像について説明するための図である。
【図６４】上ドア機構及びキャビネットの縦断面図である。
【図６５】上ドア機構を前方から見た斜視図である。
【図６６】上ドア機構を後方から見た斜視図である。
【図６７】上ドア機構の分解斜視図である。
【図６８】上ドア機構の分解斜視図である。
【図６９】透光板、スクリーンシート、下押さえ部材、上押さえ部材、及び、下フレームを後方から見た斜視図である。
【図７０】透光板及びスクリーンシートを後方から見る一方、下押さえ部材及び上押さえ部材を前方から見た斜視図である。
【図７１】上押さえ部材及び上フレームを下方から見た斜視図である。
【図７２】透光板、スクリーンシート、及び、下フレームを後方から見た斜視図である。
【図７３】上フレーム、第１構造体、第２構造体、第３構造体、第４構造体、及び、スクリーンシートを後方から見た斜視図である。
【図７４】透光板、スクリーンシート、下フレーム、ＬＥＤ基板、及び、導光部材を後方から見た斜視図である。
【図７５】透光板、スクリーンシート、下フレーム、及び、導光部材を前方から見た斜視図である。
【図７６】透光板、スクリーンシート、下フレーム、ＬＥＤ基板、及び、導光部材の断面を前方から見た斜視図である。
【図７７】上ドア機構、引っ掛け部、及び、前面側突出部材を後方から見た斜視図である。
【図７８】上ドア機構、引っ掛け部、及び、前面側突出部材を側方から見た斜視図である。
【図７９】キャビネット、引っ掛け部、及び、前面側突出部材を側方から見た斜視図である。
【図８０】上ドア機構、キャビネット、引っ掛け部、及び、前面側突出部材の断面の右側面図である。
【図８１】上ドア機構を下方から見た斜視図である。
【図８２】上ドア機構及び下ドア機構を前方から見た斜視図である。
【図８３】上ドア機構及び下ドア機構を後方から見た斜視図である。
【図８４】上ドア機構及び下ドア機構を取り外した状態の遊技機を前方から見た斜視図である。
【図８５】プロジェクタ装置から光が投射されている様子を側方から見た斜視図である。
【図８６】照射ユニットを側方から見た斜視図である。
【図８７】照射ユニットを後方から見た斜視図である。
【図８８】キャビネットの縦断面図である。
【図８９】照射ユニット、閉塞用蓋、及び、キャビネットの背面壁の分解斜視図である。
【図９０】閉塞用蓋を背面壁から取り外した状態における遊技機の背面図である。
【図９１】図９０に示す遊技機における操作用窓周辺の部分拡大図である。
【図９２】閉塞用蓋及びキャビネットの背面壁の分解斜視図である。
【図９３】閉塞用蓋及びキャビネットの背面壁の分解斜視図である。
【図９４】閉塞用蓋を背面壁に取り付けた状態の遊技機における操作用窓周辺の部分拡大図である。
【図９５】キャビネット内部の概略構成を説明するための正面図である。
【図９６】図９５に示すキャビネット内部からリールユニットを取り外した状態を示す分解斜視図である。
【図９７】キャビネットの背面壁に照射ユニットが取り付けられた状態を示す斜視図である。
【図９８】照射ユニットを側方から見た斜視図である。
【図９９】照射ユニットを後方から見た斜視図である。
【図１００】キャビネットの縦断面図である。
【図１０１】照射ユニット、閉塞用蓋、及び、キャビネットの背面壁の分解斜視図である。
【図１０２】閉塞用蓋を背面壁から取り外した状態における遊技機の背面図である。
【図１０３】図１０２に示す遊技機における操作用窓周辺の部分拡大図である。
【図１０４】閉塞用蓋及びキャビネットの背面壁の分解斜視図である。
【図１０５】閉塞用蓋及びキャビネットの背面壁の分解斜視図である。
【図１０６】閉塞用蓋を後方から見た斜視図である。
【図１０７】閉塞用蓋を前方から見た斜視図である。
【図１０８】背面壁を前方から見た部分拡大斜視図である。
【図１０９】閉塞用蓋が背面壁に取り付けられた状態を示す部分拡大斜視図である。
【図１１０】図１０９に示す状態における閉塞用蓋及び背面壁を示す断面図である。
【図１１１】照射ユニット引っ掛け用ネジの斜視図である。
【図１１２】照射ユニット引っ掛け用ネジが背面壁に仮止めされた状態を示す部分拡大斜視図である。
【図１１３】プロジェクタカバープレートの正面図である。
【図１１４】プロジェクタカバープレートをやや上方から見た部分拡大斜視図である。
【図１１５】プロジェクタカバー及びプロジェクタカバープレートを後方から見た分解斜視図である。
【図１１６】第１空洞周辺の部分拡大斜視図である。
【図１１７】第１係合用突出部周辺の部分拡大斜視図である。
【図１１８】第１係合用突出部が第１空洞に収納されている状態を示す断面図である。
【図１１９】第１係合用突出部が第１空洞に収納されている状態を示す断面図である。
【図１２０】閉塞用蓋及び照射ユニットが背面壁に取り付けられた状態における照射ユニット引っ掛け用ネジ及び蓋取付用ネジ周辺の断面図である。
【図１２１】閉塞用蓋、背面壁、及び、プロジェクタカバープレートを示す断面図である。
【図１２２】背面壁の開口周辺及びプロジェクタカバープレートを分解して示す正面図である。
【図１２３】図９７に示す状態におけるキャビネット内部の部分拡大正面図である。
【図１２４】カバー部の斜視図である。
【図１２５】プロジェクタカバー及びダクトカバーを左側から見た分解斜視図である。
【図１２６】プロジェクタカバー及びダクトカバーを右側から見た分解斜視図である。
【図１２７】ダクトカバーを後方から見た状態における断面図である。
【図１２８】カバー部の断面図である。
【図１２９】カバー部の断面図である。
【図１３０】カバー部を右側から見た斜視図である。
【図１３１】カバー部とケースとがダクトアダプタを介して連結されている状態を示す斜視図である。
【図１３２】ダクトアダプタを左前方から見た斜視図である。
【図１３３】ダクトアダプタを右後方から見た斜視図である。
【図１３４】ダクトアダプタの左側部における断面の左側面図である。
【図１３５】ダクトアダプタの右側部における断面の右側面図である。
【図１３６】ダクトアダプタの正面図である。
【図１３７】ダクトアダプタを連結部の中央付近で切断した状態の左側面図である。
【図１３８】ケースの斜視図である。
【図１３９】ダクトアダプタにおける右側部周辺の部分拡大斜視図である。
【図１４０】ダクトアダプタにおける第１右側突出部及び第２右側突出部周辺の部分拡大斜視図である。
【図１４１】図１４０に示す右側突出部の部分拡大正面図である。
【図１４２】ダクトカバーを後方から見た斜視図である。
【図１４３】ダクトアダプタがダクトカバーに連結された状態をダクトカバーの前方下側壁面に対して垂直な方向から見た部分拡大斜視図である。
【図１４４】図１４３に示す状態のダクトカバー及びダクトアダプタの断面図である。
【図１４５】プロジェクタカバーにおけるアダプタ係合用溝周辺の部分拡大斜視図である。
【図１４６】プロジェクタカバーにおける第１突起周辺の部分拡大斜視図である。
【図１４７】プロジェクタカバーにおける第２〜第５突起周辺の部分拡大斜視図である。
【図１４８】ダクトアダプタがプロジェクタカバーに連結された状態を示す部分拡大斜視図である。
【図１４９】図１４８に示す状態のプロジェクタカバー及びダクトアダプタの断面図である。
【図１５０】ダクトカバーにパンチングが取り付けられた状態における断面図である。
【図１５１】ダクトカバー及びパンチングを前方から見た分解斜視図である。
【図１５２】ダクトカバー及びパンチングを後方から見た分解斜視図である。
【図１５３】ダクトカバー及びパンチングを下方から見た分解斜視図である。
【図１５４】キャビネット内部の概略構成を説明するための正面図である。
【図１５５】図１５４に示すキャビネット内部からリールユニット及びリールアダプタを取り外した状態を示す分解斜視図である。
【図１５６】（ａ）は、第６実施形態に係る遊技機において前面ドアが閉じられた状態を正面から見た模式図である。（ｂ）は、第７実施形態に係る遊技機において前面ドアが閉じられた状態を正面から見た模式図である。（ｃ）は、第６実施形態に係る遊技機のキャビネット内部を正面から見た模式図である。（ｄ）は、第７実施形態に係る遊技機のキャビネット内部を正面から見た模式図である。
【図１５７】リールアダプタを右前方から見た斜視図である。
【図１５８】リールアダプタを右後方から見た斜視図である。
【図１５９】リールアダプタの右後部の部分拡大斜視図である。
【図１６０】図１５９に示す右後部の背面図である。
【図１６１】図１５９に示す右後部の下側突出部における断面図である。
【図１６２】リールアダプタを下方から見た斜視図である。
【図１６３】リールアダプタを下方から見た部分拡大斜視図である。
【図１６４】リールアダプタを左右方向の鉛直面で切断した状態の正面図である。
【図１６５】リールアダプタを上方から見た斜視図である。
【図１６６】リールアダプタを前後方向の鉛直面で切断した状態における段差凹部周辺の部分拡大斜視図である。
【図１６７】リールユニットの斜視図である。
【図１６８】図１６７に示すリールユニットから右ユニットを取り外した状態を示す斜視図である。
【図１６９】リールフレームを前方から見た斜視図である。
【図１７０】リールフレームを下方から見た斜視図である。
【図１７１】リールフレームを後方から見た斜視図である。
【図１７２】モータフレームの斜視図である。
【図１７３】ミドルボードの斜視図である。
【図１７４】リールアダプタがミドルボードに載置されている状態を示す斜視図である。
【図１７５】図１７４に示す状態から、リールアダプタをミドルボードに対して僅かにずらした様子を示す斜視図である。
【図１７６】図１７４に示すリールアダプタ及びミドルボードを前後方向の鉛直面で切断した状態における段差凹部周辺の部分拡大斜視図である。
【図１７７】図１７４に示すリールアダプタ及びミドルボードを側方から見た斜視図である。
【図１７８】図１７７に示すリールアダプタ及びミドルボードを前後方向の鉛直面で切断した状態の部分拡大斜視図である。
【図１７９】リールユニットがリールアダプタに載置されている状態を示す斜視図である。
【図１８０】図１７９に示す状態から、リールアダプタをリールユニットに対して下方にずらした様子を示す斜視図である。
【図１８１】図１７９に示す状態におけるリールアダプタ及びリールフレームを左右方向の鉛直面で切断した状態の部分拡大斜視図である。
【図１８２】リールユニットがリールアダプタに締結されている状態における断面図である。
【図１８３】図１７９に示す状態におけるリールアダプタ及びリールフレームを後方から見た斜視図である。
【図１８４】図１８３に示すリールアダプタ及びリールフレームを前後方向の鉛直面で切断した状態の部分拡大斜視図である。
【図１８５】リールユニットがミドルボードに載置されている状態を示す斜視図である。
【図１８６】図１８５に示すリールユニット及びミドルボードを前後方向の鉛直面で切断した状態の部分拡大斜視図である。
【図１８７】腰部パネルの正面図である。
【図１８８】腰部パネルを前方から見た斜視図である。
【図１８９】腰部パネルを後方から見た斜視図である。
【図１９０】腰部パネルを前方から見た分解斜視図である。
【図１９１】腰部パネルを後方から見た分解斜視図である。
【図１９２】下パネルフィルムをやや上方から見た斜視図である。
【図１９３】下パネルフィルムの断面図である。
【図１９４】図１９３に示す下パネルフィルムの切断面の模式図である。
【図１９５】図１９２に示す下パネルフィルムの前面側に下パネルフレームを配置した状態を示す斜視図である。
【図１９６】下パネルベースを前方且つやや上方から見た斜視図である。
【図１９７】下パネルベースを斜め下方から見た斜視図である。
【図１９８】下パネルベースを後方且つやや上方から見た斜視図である。
【図１９９】下パネルベースを後方且つやや下方から見た部分拡大斜視図である。
【図２００】下パネル裏をやや上方から見た斜視図である。
【図２０１】下パネルフィルムを後方から見た斜視図である。
【図２０２】下パネル裏を後方且つやや下方から見た部分拡大斜視図である。
【図２０３】下パネルフレームを前方から見た斜視図である。
【図２０４】下パネルフレームの背面図である。
【図２０５】下パネル下を前方から見た斜視図である。
【図２０６】下パネル下を後方から見た斜視図である。
【図２０７】下パネル右及び下パネル左を左側後方から見た斜視図である。
【図２０８】下パネル右及び下パネル左を右側後方から見た斜視図である。
【図２０９】下パネルフレームが下パネルベースに取り付けられた状態を前方から見た斜視図である。
【図２１０】下パネルフレームが下パネルベースに取り付けられた状態を後方から見た斜視図である。
【図２１１】図２１０に示す状態の下パネルベース及び下パネルフレームに下パネル裏が係止された状態を後方から見た斜視図である。
【図２１２】図２１１に示す状態の下パネルベース及び下パネル裏の断面図である。
【図２１３】図２１１に示す状態の下パネルベース、下パネルフレーム、及び、下パネル裏に下パネル下が取り付けられた状態を後方から見た斜視図である。
【図２１４】図２１３に示す状態の下パネルベース、下パネル裏、及び、下パネル下の断面図である。
【図２１５】第９実施形態に係る遊技機の正面斜視図である。
【図２１６】第９実施形態に係る遊技機の正面図である。
【図２１７】第９実施形態の変形例に係る遊技機の正面図である。
【図２１８】第９実施形態に係る遊技機の裏面斜視図である。
【図２１９】第９実施形態に係る上ドア機構及び下ドア機構の正面斜視図である。
【図２２０】第９実施形態に係る上ドア機構及び下ドア機構の裏面斜視図である。
【図２２１】第９実施形態に係る上ドア機構の正面斜視図である。
【図２２２】マスク部材に関する従来技術を説明する概念図である。
【図２２３】マスク部材に関する従来技術を説明する概念図である。
【図２２４】マスク部材に関する従来技術を説明する概念図である。
【図２２５】マスク部材に関する従来技術を説明する概念図である。
【図２２６】マスク部材に関する従来技術を説明する概念図である。
【図２２７】第９実施形態に係るマスク部材を説明する概念図である。
【図２２８】第９実施形態に係るマスク部材の応用例を説明する概念図である。
【図２２９】第９実施形態に係るマスク部材を前方から見た分解斜視図である。
【図２３０】第９実施形態に係る中パネルの正面斜視図である。
【図２３１】第９実施形態に係る中パネルにＬＥＤ基板が取り付けられた状態の正面斜視図である。
【図２３２】ドットマトリックス演出装置を説明する図である。
【図２３３】カバー部材を下方から視た正面斜視図である。
【図２３４】中パネルにカバー部材を取り付ける手順を説明する図であり、後方から視た斜視図である。
【図２３５】中パネルにカバー部材を取り付ける手順を説明する図であり、前方から視た斜視図である。
【図２３６】装飾フィルムの正面斜視図である。
【図２３７】装飾フィルムのデザイン領域を説明する図であり、正面図である。
【図２３８】中パネルの下端側の拡大断面図である。
【発明を実施するための形態】
【００１９】
［第１実施形態］
以下、図面を参照して、本発明の第１実施形態について説明する。
図１〜図５に示すように、遊技機１は、いわゆるパチスロ機である。遊技機１は、コイン、メダル、遊技球又はトークン等の他、遊技者に付与された又は付与される、遊技価値の情報を記憶したカード等の遊技媒体を用いて遊技可能なものであるが、以下ではメダルを用いるものとして説明する。
【００２０】
なお、以後の説明において、遊技機１から遊技者に向かう側（方向）を遊技機１の前側（前方向）と称し、前側とは逆側を後側（後方向、奥行方向）と称し、遊技者から見て右側及び左側を遊技機１の右側（右方向）及び左側（左方向）とそれぞれ称する。また、前側及び後側を含む方向は、前後方向又は厚み方向と称し、右側及び左側を含む方向は、左右方向又は幅方向と称する。前後方向（厚み方向）及び左右方向（幅方向）に直交する方向を上下方向又は高さ方向と称する。
【００２１】
図１及び図２に示すように、遊技機１の外観は、矩形箱状の筐体２により構成されている。筐体２は、遊技機本体として前面側に矩形状の開口を有する金属製のキャビネットＧと、キャビネットＧの前面上部に配置された上ドア機構ＵＤと、キャビネットＧの前面下部に配置された下ドア機構ＤＤとを有している。
【００２２】
また、キャビネットＧの上面壁Ｇ４には、左右方向に関して所定間隔隔てて、上下方向に貫通する２つの開口Ｇ４１が形成されている。そして、この２つの開口Ｇ４１それぞれを塞ぐように木製の板部材Ｇ４２が上面壁Ｇ４に取り付けられている。
【００２３】
図３に示すように、上ドア機構ＵＤ及び下ドア機構ＤＤは、キャビネットＧの開口の形状及び大きさに対応するように形成されている。上ドア機構ＵＤ及び下ドア機構ＤＤは、キャビネットＧにおける開口の上部及び下部を閉塞可能に設けられている。上ドア機構ＵＤは、上側表示窓ＵＤ１を中央部に有している。上側表示窓ＵＤ１には、光を透過する透明パネルＵＤ１１が設けられている。
【００２４】
下ドア機構ＤＤには、上部の略中央部に、矩形状の開口部として形成されたメイン表示窓ＤＤ４が設けられている。メイン表示窓ＤＤ４の裏面側には、キャビネットＧの内部側から取り付けられたリールユニットＲＵが装着されている。さらに、リールユニットＲＵの背面には、主制御基板ＭＳが取り付けられている。
【００２５】
リールユニットＲＵは、複数種類の図柄が各々の外周面に描かれた３個のリールＲＬ（左リール），ＲＣ（中リール），ＲＲ（右リール）を主体に構成されている。これらのリールＲＬ，ＲＣ，ＲＲは、それぞれが縦方向に一定の速度で回転できるように並列状態（横一列）に配設される。リールＲＬ，ＲＣ，ＲＲは、メイン表示窓ＤＤ４を通じて、各リールＲＬ，ＲＣ，ＲＲの動作や各リールＲＬ，ＲＣ，ＲＲ上に描かれている図柄が視認可能となる。
【００２６】
メイン表示窓ＤＤ４には、その表面部に、矩形状のアクリル板等からなる透明パネルＤＤ４１が取り付け固定されており、遊技者等がリールユニットＲＵに触れることができないようになっている。メイン表示窓ＤＤ４の下方には、略水平面の第１，第２，第３台座部ＤＤ２ａ，ＤＤ２ｂ，ＤＤ２ｃが形成されている。メイン表示窓ＤＤ４の右側に位置する第１台座部ＤＤ２ａには、メダルを投入するためのメダル投入口ＤＤ５が設けられている。メダル投入口ＤＤ５は、遊技者によりメダルが投入される開口である。メダル投入口ＤＤ５から投入されたメダルは、クレジットされるか又はゲームに賭けられる。
【００２７】
メイン表示窓ＤＤ４の左側に位置する第２台座部ＤＤ２ｂには、クレジットされているメダルを賭けるための、有効ライン設定手段としての最大ＢＥＴボタンＤＤ８（ＭＡＸＢＥＴボタンともいう）が設けられている。最大ＢＥＴボタンＤＤ８が押されると、メダルの投入枚数として「３」が選択される。
【００２８】
メイン表示窓ＤＤ４の前面側に位置する第３台座部ＤＤ２ｃには、液晶表示装置ＤＤ２０が設けられている。液晶表示装置ＤＤ２０は、液晶表示パネル（液晶パネル）のパネル面にタッチ式の位置入力装置としてのタッチセンサパネルが配されてなる、いわゆるタッチパネルとなっている。なお、タッチセンサパネルとしては、例えば、人体の一部（指先等）や静電ペン等の接触を検知して、その検知信号を出力する静電容量方式のものであってもよく、又は、ペン先等の堅い物質の接触を検知して、その検知信号を出力する方式のもの、あるいは、その他の方式のものや構造のもの（インセル構造等）であってもよい。
【００２９】
液晶表示装置ＤＤ２０は、ＳＵＩ（スマート・ユーザ・インターフェイス）として機能するもので、その表示画面上に、例えば、遊技の進行に伴って遊技回数等の遊技情報が表示されるとともに、遊技者による選択又は入力を求めるためのメッセージや入力キー等が表示される。
【００３０】
なお、液晶表示装置ＤＤ２０においては、その表示画面上に、例えば、遊技の進行に伴って、遊技に関する演出に応じた内容（演出情報）を表示することも可能である。また、液晶表示装置ＤＤ２０としては、例えば、演出役物としての機能を有するアタッチメントや、専用のアタッチメントとして、ジョグダイヤル又はプッシュボタン等を装着できるようにしてもよい。また、液晶表示装置ＤＤ２０は、その機能を、後述する表示ユニットＡ等に振り分けることにより、省略することもできる。
【００３１】
最大ＢＥＴボタンＤＤ８の前面側には、遊技者の操作によりリールＲＬ，ＲＣ，ＲＲを回転駆動させるとともに、メイン表示窓ＤＤ４内で図柄の変動表示を開始させるスタートレバーＤＤ６が設けられている。スタートレバーＤＤ６は、所定の角度範囲で傾動自在に取り付けられる。
【００３２】
スタートレバーＤＤ６の右側で、液晶表示装置ＤＤ２０の前面側には、遊技者の押下操作（停止操作）により３個のリールＲＬ，ＲＣ，ＲＲの回転をそれぞれ停止させるための３個のストップボタンＤＤ７Ｌ，ＤＤ７Ｃ，ＤＤ７Ｒが設けられている。
【００３３】
最大ＢＥＴボタンＤＤ８の左側には、Ｃ／ＰボタンＤＤ１３が設けられている。Ｃ／ＰボタンＤＤ１３は、遊技者がゲームで獲得したメダルのクレジット／払出しを押しボタン操作で切り換えるものである。このＣ／ＰボタンＤＤ１３の切り換えにより払出しが選択されている状態（非クレジット状態）においては、下ドア機構ＤＤの下部側のコインガードプレート部に設けたメダル払出口ＤＤ１４（キャンセルシュート）からメダルが払出され、払出されたメダルは、メダル受け部ＤＤ１５に溜められる。
【００３４】
スタートレバーＤＤ６、及び、ストップボタンＤＤ７Ｌ，ＤＤ７Ｃ，ＤＤ７Ｒの下部側には、腰部パネルＤＤ１８（腰部導光板）が配置されている。腰部パネルＤＤ１８は、アクリル板等を使用した化粧用パネルとして構成される。腰部パネルＤＤ１８には、遊技機１の機種を表す名称や種々の模様等が印刷により描かれている。
【００３５】
また、メダル払出口ＤＤ１４の左側にはスピーカＤＤ２５Ｌが、右側にはスピーカＤＤ２５Ｒが、それぞれ設けられている。スピーカＤＤ２５Ｌ，ＤＤ２５Ｒは、遊技者に遊技に関する種々の情報を声や音楽等の音により報知する。また、メイン表示窓ＤＤ４の左側及び右側には、第１サブ表示装置ＤＤ１９Ｌ及び第２サブ表示装置ＤＤ１９Ｒがそれぞれ配置されている。これらのサブ表示装置ＤＤ１９Ｌ，ＤＤ１９Ｒは、例えば入賞成立時のメダルの払出枚数やクレジットされている残メダル枚数を表示する。通常は、遊技機１にクレジットされるメダルの最大枚数は５０枚であるため、５０以下のクレジット枚数が表示される。なお、最大枚数の５０枚のメダルがクレジットされている状態では、投入されたメダルはそのままメダル払出口ＤＤ１４より払出される。また、サブ表示装置ＤＤ１９Ｌ，ＤＤ１９Ｒは、タッチパネルを前面に備えていてもよい。
【００３６】
図４に示すように、キャビネットＧ内は、中間支持板Ｇ１により上部空間と下部空間とに仕切られている。すなわち、中間支持板Ｇ１は、キャビネットＧ内を上部空間と下部空間とに仕切る仕切板として機能している。上部空間は、キャビネットＧ内の上ドア機構ＵＤの後側となる空間であり、表示ユニットＡ等が収容される。また、下部空間は、キャビネットＧ内の下ドア機構ＤＤの後側となる空間であり、リールユニットＲＵや、遊技機１全体の動作を司る主制御基板ＭＳ、サブ制御装置ＳＳ（図１１参照）等が収容される。主制御基板ＭＳは、内部当籤役の決定、リールＲＬ，ＲＣ，ＲＲの回転及び停止、入賞の有無の判定といった、遊技機１における遊技の主な流れを制御する回路（主制御回路）を構成する。サブ制御装置ＳＳは、映像の表示等による演出の実行を制御する回路（副制御回路）を構成する。
【００３７】
（表示ユニットＡ）
図５に示すように、表示ユニットＡは、キャビネットＧ内の中間支持板Ｇ１上に交換可能に載置される。表示ユニットＡは、映像表示用の照射光を出射する照射ユニットＢと、照射ユニットＢからの照射光が照射されることにより映像を出現させるスクリーン装置Ｃとを有したいわゆるプロジェクションマッピング装置である。
【００３８】
ここで、プロジェクションマッピング装置は、構造物や自然物等の立体物の表面に映像を投影するためのものであって、例えば、後述のスクリーンである役物に対して、その位置（投影距離や角度等）や形状に基づいて生成される、演出情報に応じた映像を投影することにより、高度で、かつ迫力のある演出を可能とする。
【００３９】
表示ユニットＡは、前方に開口が形成された筐体Ａ１を有する。この筐体Ａ１は、照射ユニットＢの上部を形成するプロジェクタカバーＢ１、及び、スクリーン装置Ｃのスクリーン筐体Ｃ１０とで構成されている。スクリーン筐体Ｃ１０は、底板Ｃ１、右側板Ｃ２、左側板Ｃ３、及び背板Ｃ４を有した箱方形状をなしている。プロジェクタカバーＢ１は、スクリーン筐体Ｃ１０の上面に交換可能に取り付けられる。
【００４０】
（表示ユニットＡ：照射ユニットＢ）
図６に示すように、照射ユニットＢは、照射光を前方に出射するプロジェクタ装置Ｂ２と、プロジェクタ装置Ｂ２の前方に配置され、プロジェクタ装置Ｂ２からの照射光を斜め下後方に配置されたスクリーン装置Ｃの方向に反射するミラー機構Ｂ３と、プロジェクタ装置Ｂ２及びミラー機構Ｂ３を収容したプロジェクタカバーＢ１とを有している。
【００４１】
（表示ユニットＡ：照射ユニットＢ：プロジェクタ装置Ｂ２）
プロジェクタ装置Ｂ２は、ケースＢ２２によって外装されつつプロジェクタカバーＢ１に取り付けられ、キャビネットＧ内の後部に配置されている。プロジェクタ装置Ｂ２は、水平配置された平板状の上側台座Ｂ２２０及び下側台座Ｂ２２１を介してプロジェクタカバーＢ１に取り付けられている。ケースＢ２２は、その上面全体が開口されている。これにより、下側台座Ｂ２２１の下面には、ケースＢ２２に収容されたレンズユニットＢ２１や光学機構Ｂ２４（図１２参照）が位置する。レンズユニットＢ２１は、光学機構Ｂ２４の複数のＬＥＤ光源から出射してＤＭＤ（Ｄｉｇｉｔａｌ  Ｍｉｃｒｏｍｉｒｒｏｒ  Ｄｅｖｉｃｅ）で反射した照射光を、レンズ等を介して前方のミラー機構Ｂ３に向けて出射するように配置されている。このプロジェクタ装置Ｂ２の詳細については、図１１〜図１７を用いて後述する。
【００４２】
（表示ユニットＡ：照射ユニットＢ：ミラー機構Ｂ３）
図６に示すように、プロジェクタ装置Ｂ２の前方（照射光の出射方向）には、ミラー機構Ｂ３が配置されている。図７に示すように、ミラー機構Ｂ３は、ミラーホルダＢ３１と、ミラーホルダＢ３１に収容された光学ミラーＢ３２と、光学ミラーＢ３２の両端部をミラーホルダＢ３１に固定するミラーストッパＢ３３・Ｂ３４とを有している。図８にも示すように、ミラーホルダＢ３１は、前面が長方形状の板状に形成されている。ミラーホルダＢ３１の各コーナー部には、角度調整穴Ｂ３１１が形成されていると共に、角度調整穴Ｂ３１１を中心にして凹部Ｂ３１２が前面に形成されている。また、上下方向の角度調整穴Ｂ３１１・Ｂ３１１間には、取付け穴Ｂ３１４・Ｂ３１４が上下対称に形成されている。
【００４３】
一方、また、ミラーホルダＢ３１の後面には、ミラー保持部Ｂ３１３が形成されている。ミラー保持部Ｂ３１３は、中央部に形成されており、角度調整穴Ｂ３１１及び取付け穴Ｂ３１４に重複しないサイズで形成されている。ミラー保持部Ｂ３１３の左側及び右側には、ミラーストッパＢ３３・Ｂ３４がそれぞれ設けられている。ミラーストッパＢ３３・Ｂ３４は、角度調整穴Ｂ３３１・Ｂ３４１と、取付け穴Ｂ３３４・Ｂ３４４とをそれぞれ有している。ミラーストッパＢ３３・Ｂ３４における角度調整穴Ｂ３３１・Ｂ３４１及び取付け穴Ｂ３３４・Ｂ３４４は、ミラーホルダＢ３１における角度調整穴Ｂ３１１・Ｂ３１１及び取付け穴Ｂ３１４・Ｂ３１４に対応するように配置されている。
【００４４】
ミラーストッパＢ３３・Ｂ３４は、一部がミラー保持部Ｂ３１３と重複するように形成されている。これにより、ミラーストッパＢ３３・Ｂ３４は、ミラー保持部Ｂ３１３に嵌合された光学ミラーＢ３２の左右方向の両辺部に当接し、取付け穴Ｂ３１４・Ｂ３３４・Ｂ３４４によりミラーホルダＢ３１にネジ締結されることによって、光学ミラーＢ３２をミラーホルダＢ３１に保持させている。
【００４５】
図９に示すように、上記のように構成されたミラー機構Ｂ３は、プロジェクタカバーＢ１におけるリフレクタ保持部Ｂ１１の内側面に設けられている。リフレクタ保持部Ｂ１１は、プロジェクタカバーＢ１の前面中央部に形成されており、上ドア機構ＵＤを開いたときに前側に露出するように配置されている。リフレクタ保持部Ｂ１１は、角度調整穴Ｂ１１１を有している。角度調整穴Ｂ１１１は、ミラー機構Ｂ３の角度調整穴Ｂ３１１に対応した位置に形成されている。
【００４６】
リフレクタ保持部Ｂ１１の角度調整穴Ｂ１１１には、図示しないネジが前面側から挿通されており、このネジは、ミラーホルダＢ３１の角度調整穴Ｂ３１１を貫通する。そして、ミラーストッパＢ３３・Ｂ３４の角度調整穴Ｂ３３１・Ｂ３４１は、ネジが螺合可能なネジ穴として形成されており、ミラーホルダＢ３１の角度調整穴Ｂ３１１を貫通したネジは、ミラーストッパＢ３３・Ｂ３４の角度調整穴Ｂ３３１・Ｂ３４１に螺合される。
【００４７】
そして、上記ネジが角度調整穴Ｂ３３１・Ｂ３４１との螺合が緩む方向に回転されると、リフレクタ保持部Ｂ１１とミラーストッパＢ３３・Ｂ３４との距離が広がることとなる。一方、上記ネジが角度調整穴Ｂ３３１・Ｂ３４１との螺合が締まる方向に回転されると、リフレクタ保持部Ｂ１１とミラーストッパＢ３３・Ｂ３４との距離が縮まることとなる。
【００４８】
上記のように、取付け穴Ｂ３１４・Ｂ３３４・Ｂ３４４を介してミラーホルダＢ３１とミラーストッパＢ３３・Ｂ３４とがネジ締結されており、これにより、ミラーホルダＢ３１とミラーストッパＢ３３・Ｂ３４との間に光学ミラーＢ３２が挟持されている。このように、ミラーホルダＢ３１と光学ミラーＢ３２とミラーストッパＢ３３・Ｂ３４とは、ミラー機構Ｂ３として一体化されており、ネジの回転によりリフレクタ保持部Ｂ１１とミラーストッパＢ３３・Ｂ３４との距離を変化させることにより、リフレクタ保持部Ｂ１１とミラー機構Ｂ３との距離を増減することができる。そして、角度調整穴Ｂ３１１・３３１・Ｂ３４１がミラー機構Ｂ３のコーナー部に対応して４方向に配置されているため、各角度調整穴Ｂ３１１・３３１・Ｂ３４１の配置位置におけるリフレクタ保持部Ｂ１１とミラー機構Ｂ３との距離を増減させることによって、プロジェクタ装置Ｂ２から出射された照射光の進行方向に対する光学ミラーＢ３２の反射角度を微調整することを可能にしている。
【００４９】
また、リフレクタ保持部Ｂ１１とミラーホルダＢ３１との間には、図示しないバネが設けられている。バネは、後端面がミラーホルダＢ３１の凹部Ｂ３１２に当接されており、前端面がリフレクタ保持部Ｂ１１の内壁面（後壁面）に当接されることによって、リフレクタ保持部Ｂ１１とミラーホルダＢ３１とで挟持されている。そして、リフレクタ保持部Ｂ１１の角度調整穴Ｂ１１１から挿通されたネジが当該バネを貫通している。これにより、ネジの回転に伴ってリフレクタ保持部Ｂ１１とミラー機構Ｂ３との距離が広がっても、バネの付勢力により、ネジ頭部がリフレクタ保持部Ｂ１１の角度調整穴Ｂ１１１に当接することとなり、ネジ頭部が角度調整穴Ｂ１１１から飛び出してリフレクタ保持部Ｂ１１とネジとの位置関係が崩れてしまうことを防止することができる。
【００５０】
（表示ユニットＡ：照射ユニットＢ：プロジェクタカバーＢ１）
図１０に示すように、プロジェクタ装置Ｂ２及びミラー機構Ｂ３は、プロジェクタカバーＢ１に収容されている。なお、プロジェクタ装置Ｂ２の下面Ｂ２ａは、その前部に、後方から前方に向けて上方に傾斜する傾斜面Ｂ２ａ１を有している。図８に示すように、プロジェクタカバーＢ１は、水平配置された上壁部Ｂ１２と、上壁部Ｂ１２の前側に配置されたリフレクタ保持部Ｂ１１と、上壁部Ｂ１２の左右方向において左右対称に配置された側壁部Ｂ１３，Ｂ１３とを有している。上壁部Ｂ１２は、前部がキャビネットＧよりも前方に突出している（図５参照）。上壁部Ｂ１２の前部の中央部には、リフレクタ保持部Ｂ１１が前方に突出した形態に形成されており、突出により形成された空間部に上述のミラー機構Ｂ３が角度調整可能に保持されている。
【００５１】
（表示ユニットＡ：スクリーン装置Ｃ）
上記のように構成された照射ユニットＢは、スクリーン装置Ｃの上面にネジ締結により連結されている。例えば、プロジェクタカバーＢ１に形成されたネジ穴を介して、スクリーン装置Ｃの右側板Ｃ２及び左側板Ｃ３それぞれの上面にネジがねじ込まれている（図５参照）。これにより、表示ユニットＡは、照射ユニットＢとスクリーン装置Ｃとをユニット化して一体的に取り扱うことが可能になっている。
【００５２】
スクリーン筐体Ｃ１０の内部には、照射ユニットＢからの照射光の照射により映像を出現させる複数のスクリーン機構が照射対象を切替え可能に設けられている。具体的には、図１０に示すように、複数のスクリーン機構として、固定スクリーン機構Ｄ、フロントスクリーン機構Ｅ１、及びリールスクリーン機構Ｆ１が設けられている。固定スクリーン機構Ｄ、フロントスクリーン機構Ｅ１、及びリールスクリーン機構Ｆ１は、それぞれ、基材にスクリーン塗料が塗布されることにより構成され、映像を出現させることが可能な投影面を有している。
【００５３】
固定スクリーン機構Ｄ、フロントスクリーン機構Ｅ１、及びリールスクリーン機構Ｆ１それぞれの投影面は、映像表現を多様化するために、互いに異なる形状をなしている。具体的に、固定スクリーン機構Ｄ及びフロントスクリーン機構Ｅ１の投影面が平坦であるのに対し、リールスクリーン機構Ｆ１の投影面は、側面視円弧形状となっている。また、フロントスクリーン機構Ｅ１及びリールスクリーン機構Ｆ１は、プロジェクタ装置Ｂ２やミラー機構Ｂ３に対して相対的に位置が変位する可動式のスクリーンであり、それぞれ、フロントスクリーン駆動機構Ｅ２及びリールスクリーン駆動機構Ｆ２（図示せず）により駆動される。
【００５４】
（表示ユニットＡ：照射ユニットＢ：プロジェクタ装置Ｂ２の電気的及び光学的構成）
図１１に示すように、プロジェクタ装置Ｂ２は、電気的な構成要素として、プロジェクタ制御基板Ｂ２３、光学機構Ｂ２４、及び中継基板ＣＫを備えている。プロジェクタ装置Ｂ２には、中継基板ＣＫを介して上述したサブ制御装置ＳＳが接続される。サブ制御装置ＳＳは、スクリーンや役物の演出動作に応じて、プロジェクタ制御基板Ｂ２３を制御し、光学機構Ｂ２４を介して、スクリーンや役物に照射光を投影することにより、視覚的な演出として映像を表示する。また、表示ユニットＡの組み立て工程等においては、プロジェクタ装置Ｂ２の中継基板ＣＫに調整用ＰＣ（パーソナルコンピュータ）１０００が接続される。この調整用ＰＣ（パーソナルコンピュータ）１０００は、プロジェクタ装置Ｂ２により投影される照射光の位置調整やピント初期設定を行うために用いられる。なお、本実施形態においては、プロジェクタ装置Ｂ２の調整機器として調整用ＰＣ１０００を採用しているが、プロジェクタ装置Ｂ２の調整機器としては、調整用プログラム（アプリケーションソフト）がインストールされたタブレットＰＣやいわゆるスマートフォン、あるいは専用の端末装置であってもよい。
【００５５】
プロジェクタ制御基板Ｂ２３は、制御ＬＳＩ２３０、ＥＥＰＲＯＭ（登録商標）２３１、ＤＬＰ（登録商標）制御回路２３２、及びＬＥＤドライバ２３３を備える。光学機構Ｂ２４は、レンズユニットＢ２１の周辺に配置される構成要素として、Ｒ（赤）、Ｇ（緑）、Ｂ（青）の各色光を発するＬＥＤ光源、ＤＭＤ、レンズユニットＢ２１の投射レンズ２１０についてフォーカス調整を行うためのフォーカス機構等を備える（図示せず）。
【００５６】
制御ＬＳＩ２３０は、サブ制御装置ＳＳの指令に基づいて、照射光を投影するようにＤＬＰ制御回路２３２を制御する。制御ＬＳＩ２３０は、サブ制御装置ＳＳの指令に基づいて、フォーカス機構を制御して投射レンズ２１０を光軸方向に移動させることにより、照射光の投影に際してフォーカス調整を行う。ＥＥＰＲＯＭ２３１には、制御ＬＳＩ２３０による制御プログラムやプロジェクタ装置Ｂ２の設定・調整に関わるデータが記憶されている。
【００５７】
プロジェクタ装置Ｂ２のＤＬＰシステムは、主として、ＤＬＰ制御回路２３２、ＬＥＤドライバ２３３、並びに光学機構Ｂ２４のＬＥＤ光源及びＤＭＤにより構成される。
【００５８】
ＤＬＰ制御回路２３２の制御により、ＤＭＤで所定方向に反射した光は、レンズユニットＢ２１へと進み、投射レンズ２１０を透過することでミラー機構Ｂ３に入射し、最終的にミラー機構Ｂ３で反射することによって投影対象へと導かれる。これにより、投影対象となるスクリーンや役物に対して照射光が投影され、演出に応じた映像が形成される。
【００５９】
本実施形態において、プロジェクタ装置Ｂ２は、いわゆるＤＬＰプロジェクタとして構成される。また、プロジェクタ装置Ｂ２は、ミラー機構Ｂ３によって照射光を折り返すことにより投影対象までの投影距離を稼ぐとともに、例えばコントラスト比を１０００：１とすることによって、照射光の投影距離をできるだけ短くするようにしている。これにより、プロジェクタ装置Ｂ２を備えた表示ユニットＡは、より安価かつ小型に構成されるとともに、遊技機１のキャビネットＧにおける限られたスペースに対して容易に搭載される。
【００６０】
（表示ユニットＡ：照射ユニットＢ：プロジェクタ装置Ｂ２の機械的構成）
図１２に示すように、プロジェクタ装置Ｂ２は、外装となる構成要素として、ケースＢ２２、レンズユニットカバーＢ２２２、アンダーカバーＢ２２３、上側台座Ｂ２２０、及び下側台座Ｂ２２１を有する。ケースＢ２２の前部開口Ｂ２２ｋには、レンズユニットカバーＢ２２２が取り付けられる。ケースＢ２２の下面には、アンダーカバーＢ２２３が覆うように配置される。アンダーカバーＢ２２３は、ステーＢ２２３ａを介して下側台座Ｂ２２１に支持されるとともに、ケースＢ２２の下面適部にも固定される。プロジェクタ装置Ｂ２は、上側台座Ｂ２２０及び下側台座Ｂ２２１を介してプロジェクタカバーＢ１の上壁部Ｂ１２（図８参照）の下面に取り付けられる。本実施形態では、上壁部Ｂ１２の下面に上側台座Ｂ２２０が固定されるとともに、ケースＢ２２の上面開口を覆うようにその上端部に対して下側台座Ｂ２２１が取り付けられ、上側台座Ｂ２２０の下面に下側台座Ｂ２２１が連結される。このようなプロジェクタ装置Ｂ２の取り付け調整手順については後述する。
【００６１】
また、プロジェクタ装置Ｂ２は、内部の構成要素として、レンズユニットＢ２１、ＬＥＤ光源を搭載したＬＥＤ基板（図示せず）、ＤＭＤを搭載したＤＭＤ基板（図示せず）、複数のヒートシンク２４３Ｒ，２４３Ｇ，２４３Ｂ，２４３Ｄ、吸気用ファン２４４Ａ，２４４Ｂ、排気用ファン２４５、及びプロジェクタ制御基板Ｂ２３を有する。ケースＢ２２には、レンズユニットカバーＢ２２２でレンズユニットＢ２１の投射レンズ２１０が覆われつつレンズユニットＢ２１が収容されるとともに、ＬＥＤ基板、ＤＭＤ基板、複数のヒートシンク２４３Ｒ，２４３Ｇ，２４３Ｂ，２４３Ｄ、吸気用ファン２４４Ａ，２４４Ｂ、排気用ファン２４５が収容される。プロジェクタ制御基板Ｂ２３は、ケースＢ２２の下面に固定される。
【００６２】
このようなプロジェクタ装置Ｂ２は、サブ制御装置ＳＳから演出等の映像に係る映像データが送信され、スクリーンや役物に映像を投影するようにサブ制御装置ＳＳによって制御される。一方、サブ制御装置ＳＳは、スクリーン駆動機構Ｅ２，Ｆ２を制御することにより、スクリーン機構Ｅ１，Ｆ１を演出内容に応じて移動させる。
【００６３】
ここで、サブ制御装置ＳＳは、演出によるスクリーン機構Ｅ１，Ｆ１の移動に応じてプロジェクタ装置Ｂ２を制御し、移動したスクリーン機構Ｅ１，Ｆ１の投影面や固定スクリーン機構Ｄの投影面に、映像が鮮明に投影されるようにフォーカス調整を行う。
【００６４】
ヒートシンク２４３Ｒ，２４３Ｇ，２４３Ｂは、ＬＥＤ基板の背面に部分的に接触している。ヒートシンク２４３Ｄは、ＤＭＤ基板の背面に部分的に接触している。本実施形態において、ヒートシンク２４３Ｒ，２４３Ｇ，２４３Ｂ，２４３Ｄのフィン外形サイズとしては、ヒートシンク２４３Ｒ及びヒートシンク２４３Ｇが相対的に大きい一方、ヒートシンク２４３Ｂ及びヒートシンク２４３Ｄが相対的に小さくなっている。これらのヒートシンク２４３Ｒ，２４３Ｇ，２４３Ｂ，２４３Ｄは、ＬＥＤ基板及びＤＭＤ基板それぞれにおいて発生した熱を空気中に放散することにより、光学特性を大きく変化させるまで光学素子や基板の温度を上昇させないように効率よく放熱する。放熱部材であるヒートシンク２４３Ｒ，２４３Ｇ，２４３Ｂ，２４３Ｄは、放熱効果を高めるために導熱性の高いアルミニウム素材が用いられ、空気との接触面積を大きくするために複数の放熱フィンを有している。
【００６５】
吸気用ファン２４４Ａは、ケースＢ２２の右側前部の背面に近接するように配置され、ヒートシンク２４３Ｒに近接している。吸気用ファン２４４Ｂは、ケースＢ２２の左側部の背面に近接するように配置され、ヒートシンク２４３Ｄに近接している。排気用ファン２４５は、ケースＢ２２の後部の背面に近接するように配置され、ヒートシンク２４３Ｇに近接している。
【００６６】
吸気用ファン２４４Ａが近接するケースＢ２２の右側前部には、吸気口Ｂ２２Ａが設けられており、吸気口Ｂ２２Ａに対向してヒートシンク２４３Ｒが近接するケースＢ２２の右側後部には、排気口Ｂ２２Ｅが設けられている。吸気用ファン２４４Ｂが近接するケースＢ２２の左側部の一部には、吸気口Ｂ２２Ｂが設けられており、この吸気口Ｂ２２Ｂと並ぶようにケースＢ２２の左側部の他の部分には、ケースＢ２２内の空きスペースを通じて３つのヒートシンク２４３Ｇ，２４３Ｂ，２４３Ｄまで空気が達するように吸気口Ｂ２２Ｃが設けられている。排気用ファン２４５が近接するケースＢ２２の後部には、排気口Ｂ２２Ｄが設けられている。
【００６７】
すなわち、プロジェクタ装置Ｂ２のケースＢ２２内においては、吸気口Ｂ２２Ａから吸気用ファン２４４Ａによって強制的に吸気された後、ヒートシンク２４３Ｒから熱を奪いつつ排気口Ｂ２２Ｅから排気される空気の流れが形成される。また、ケースＢ２２内においては、吸気口Ｂ２２Ｂから吸気用ファン２４４Ｂによって強制的に吸気された後、ヒートシンク２４３Ｄ、ヒートシンク２４３Ｂ、及びヒートシンク２４３Ｇから熱を奪いつつ排気口Ｂ２２Ｄから排気用ファン２４５によって強制的に排気される空気の流れが形成される。さらに、ケースＢ２２内においては、吸気口Ｂ２２Ｃから吸気された後、主としてヒートシンク２４３Ｇやヒートシンク２４３Ｂから熱を奪いつつ排気口Ｂ２２Ｄから排気用ファン２４５によって強制的に排気される空気の流れが形成される。
【００６８】
プロジェクタ制御基板Ｂ２３は、アンダーカバーＢ２２３で覆われつつケースＢ２２の下面に取り付けられる。プロジェクタ制御基板Ｂ２３には、制御ＬＳＩ２３０、ＥＥＰＲＯＭ２３１、ＤＬＰ制御回路２３２、及びＬＥＤドライバ２３３等が搭載されている。プロジェクタ制御基板Ｂ２３は、ケースＢ２２内に配置されたＬＥＤ基板及びＤＭＤ基板、さらにフォーカス機構と電気的に接続される。
【００６９】
（表示ユニットＡ：照射ユニットＢ：プロジェクタ装置Ｂ２の位置・姿勢調整）
図１３〜図１５に示すように、上側台座Ｂ２２０は、プロジェクタカバーＢ１の上壁部Ｂ１２（図８参照）に固定される板金部材であり、矩形状の本体部２２００、本体部２２００の左右両側を下方及び外方に折り曲げることで形成され、本体部２２００と段差を有して左右両側に延出する左端部２２０１ａ及び右端部２２０１ｂ、並びに本体部２２００の後側から後方へと部分的に延出する後端部２２０２を有する。本体部２２００及び後端部２２０２には、下側台座Ｂ２２１を連結するための３つの連結孔２２００Ａが設けられている。これら３つの連結孔２２００Ａは、本体部２２００に沿う平面内（水平面内）において同一直線上に位置しないように配置されている。左端部２２０１ａ及び右端部２２０１ｂのそれぞれには、上壁部Ｂ１２の下面にネジ締結によって固定するための複数の角孔２２０１ｃが設けられている。本実施形態において、角孔２２０１ｃは、左端部２２０１ａ及び右端部２２０１ｂのそれぞれに３つずつ配置され、前後方向に等間隔に設けられている。角孔２２０１ｃの縦横内径寸法は、これに挿入して締結される取付ネジＴ（図１６参照）のネジ軸径よりも大きくなっている。
【００７０】
下側台座Ｂ２２１は、上側台座Ｂ２２０の本体部２２００及び後端部２２０２に概ね対応する板金部材である。下側台座Ｂ２２１には、３つの連結孔２２００Ａに対応して上向きに突出するように３つの連結ネジ部２２１０が一体形成されている。これら３つの連結ネジ部２２１０も、下側台座Ｂ２２１に沿う平面内（水平面内）において同一直線上に位置しないように配置されている。下側台座Ｂ２２１は、連結ネジ部２２１０のそれぞれにコイルバネ２２１１を外嵌しつつ連結ネジ部２２１０の先端を連結孔２２００Ａに挿通し、本体部２２００や後端部２２０２との間にコイルバネ２２１１を挟んだ状態としつつ、上側台座Ｂ２２０の上面側から連結ネジ部２２１０の先端にワッシャー２２１２を介してナット２２１３を締結することにより、上側台座Ｂ２２０の下面に懸架された状態で連結される。また、図１２に示すように、下側台座Ｂ２２１には、ケースＢ２２をネジ止めするための複数のネジ孔２２１４、及びステーＢ２２３ａをネジ止めするための複数のネジ孔２２１５が設けられている。下側台座Ｂ２２１は、ケースＢ２２やステーＢ２２３ａを介してアンダーカバーＢ２２３を支持した状態で上側台座Ｂ２２０の下面に連結される。
【００７１】
すなわち、図１２〜図１５に示すように、上側台座Ｂ２２０と下側台座Ｂ２２１とは、３箇所の連結部Ｒ１，Ｒ２，Ｒ３のそれぞれにおいて互いの間隔を調整可能に連結される。連結部Ｒ１，Ｒ２，Ｒ３のそれぞれは、上側台座Ｂ２２０の連結孔２２００Ａ、並びに下側台座Ｂ２２１の連結ネジ部２２１０、コイルバネ２２１１、ワッシャー２２１２、及びナット２２１３により構成される。
【００７２】
このような上側台座Ｂ２２０及び下側台座Ｂ２２１を用いることにより、プロジェクタ装置Ｂ２は、プロジェクタカバーＢ１の上壁部Ｂ１２に対して位置決め調整かつ光軸調整可能に取り付けられる。
【００７３】
図１６は、プロジェクタカバーＢ１の上壁部Ｂ１２に対する上側台座Ｂ２２０の取付形態を示したものである。図１６（ａ）の下図は、上側台座Ｂ２２０の角孔２２０１ｃに対して取付ネジＴが挿入・締結された状態を示す図であり、図１６（ａ）の上図は、図１６（ａ）の下図に示すＢ−Ｂ’線に沿う断面図である。なお、図１６は、上側台座Ｂ２２０の左端部２２０１ａに形成された角孔２２０１ｃの周辺を示すが、左端部２２０１ａ及び右端部２２０１ｂにおけるその余の角孔２２０１ｃの周辺も同様である。
【００７４】
図１６（ａ）に示すように、角孔２２０１ｃには、下方から取付ネジＴが挿入されるとともに、角孔２２０１ｃのほぼ中央に取付ネジＴが配置される。取付ネジＴは、上壁部Ｂ１２の上面及び左端部２２０１ａの下面に添うように配置されたワッシャーＷを介して、上壁部Ｂ１２の上面側に位置するナットＮと螺結される。これにより、上側台座Ｂ２２０の左端部２２０１ａは、プロジェクタカバーＢ１の上壁部Ｂ１２に対してネジ止めにより取り付けられる。上側台座Ｂ２２０の右端部２２０１ｂも、プロジェクタカバーＢ１の上壁部Ｂ１２に対して同様のネジ止めにより取り付けられる。
【００７５】
ここで、図１６（ａ）において符号Ａで示す斜線部分は、取付ネジＴのネジ軸と角孔２２０１ｃとの間に形成される隙間である。図１６（ａ）では、取付ネジＴのネジ軸が、角孔２２０１ｃのほぼ中央に配置され固定されている。このとき、取付ネジＴのネジ軸は、符号Ａの斜線部分の範囲（調整範囲）のなかで移動可能となる。すなわち、取付ネジＴの角孔２２０１ｃに対する相対位置を、角孔２２０１ｃの開口範囲内において微調整することにより、上側台座Ｂ２２０の左端部２２０１ａをプロジェクタカバーＢ１の上壁部Ｂ１２に対して位置決め調整することができる。同様に、上側台座Ｂ２２０の右端部２２０１ｂも、プロジェクタカバーＢ１の上壁部Ｂ１２に対して位置決め調整することができる。
【００７６】
図１６（ｂ）は、図１６（ａ）に対して上側台座Ｂ２２０の左端部２２０１ａを矢印Ｅの方向にずらした状態を示している。図１６（ｂ）の上図は、図１６（ｂ）の下図に示すＤ−Ｄ’線に沿う断面図である。この図１６（ｂ）に示す状態では、取付ネジＴのネジ軸が角孔２２０１ｃの開口範囲内において相対的に左寄りに偏位さられ、符号Ｃに示す斜線部分の範囲（調整範囲）のなかで移動可能になっている。
【００７７】
このように、上側台座Ｂ２２０は、角孔２２０１ｃの開口範囲となる所定の調整範囲のなかで位置決め調整されつつ、プロジェクタカバーＢ１の上壁部Ｂ１２に対して取り付けられる。すなわち、プロジェクタ装置Ｂ２は、上側台座Ｂ２２０の左端部２２０１ａ及び右端部２２０１ｂに設けられた複数の角孔２２０１ｃにより、上壁部Ｂ１２に対する取り付け位置が左右方向及び前後方向に調整される。これにより、プロジェクタ装置Ｂ２から照射される光の方向は、基準方向として、左右方向に垂直で前後方向に一致するように容易に調整される。
【００７８】
図１７は、上側台座Ｂ２２０に対する下側台座Ｂ２２１の連結構造を示したものである。図１７は、連結部Ｒ２において、連結孔２２００Ａ、連結ネジ部２２１０、コイルバネ２２１１、ワッシャー２２１２、及びナット２２１３により、下側台座Ｂ２２１が上側台座Ｂ２２０に連結されている状態を示す断面図である。なお、図１７は、１箇所の連結部Ｒ２を示すが、その余の連結部Ｒ１，Ｒ３も同様である。
【００７９】
下側台座Ｂ２２１の連結ネジ部２２１０は、上側台座Ｂ２２０の本体部２２００の下面側から連結孔２２００Ａに挿入され、本体部２２００の上面側に配置されたワッシャー２２１２を介してナット２２１３に螺結される。連結ネジ部２２１０には、コイルバネ２２１１が外嵌されており、このコイルバネ２２１１は、連結孔２２００Ａの周縁部において本体部２２００の下面と下側台座Ｂ２２１の上面との間に狭持される。このようなコイルバネ２２１１により、上側台座Ｂ２２０と下側台座Ｂ２２１との連結部Ｒ２付近の部分は、互いに離反する方向（上下方向）に付勢されるので、連結ネジ部２２１０とナット２２１３との螺合部分における緩み防止が図られる。
【００８０】
このような連結部Ｒ２においては、ナット２２１３を締め付ける方向あるいは緩める方向に適宜回すことにより、コイルバネ２２１１で付勢されつつも上側台座Ｂ２２０と下側台座Ｂ２２１との間隔が変化させられる。具体的には、ナット２２１３を締め付ける方向に回すと、連結部Ｒ２における上側台座Ｂ２２０と下側台座Ｂ２２１との間隔が狭められることとなる。このとき、上側台座Ｂ２２０は、図１７において図示しない上壁部Ｂ１２に固定されている。そのため、下側台座Ｂ２２１の連結部Ｒ２付近の部分は、ナット２２１３を適宜締め付けることで上側台座Ｂ２２０に対して近づく方向に変位し、より上位へと高さ位置が調整されることとなる。一方、ナット２２１３を緩める方向に回すと、連結部Ｒ２における上側台座Ｂ２２０と下側台座Ｂ２２１との間隔が拡大されることとなる。すなわち、下側台座Ｂ２２１の連結部Ｒ２付近の部分は、ナット２２１３を適宜緩めることで上側台座Ｂ２２０に対して遠ざかる方向に変位し、より下位へと高さ位置が調整されることとなる。
【００８１】
他の連結部Ｒ１，Ｒ３においても、上記と同様にナット２２１３の締め付け量を適宜調整することにより、下側台座Ｂ２２１の連結部Ｒ１，Ｒ３付近の高さ位置を容易に調整することができる。このような連結部Ｒ１，Ｒ２，Ｒ３は、上側台座Ｂ２２０や下側台座Ｂ２２１に沿う平面内（水平面内）において同一直線上に位置しないように、具体的には互いに結んだ線が三角形をなすように配置されている。すなわち、下側台座Ｂ２２１は、３箇所の連結部Ｒ１，Ｒ２，Ｒ３のそれぞれにおいてナット２２１３の締め付け量により高さ位置を微調整することができるので、下側台座Ｂ２２１の姿勢を、前後方向、左右方向、及び上下方向のいずれ方向に対しても３次元空間内における傾き具合を調整することができる。
【００８２】
このような下側台座Ｂ２２１の姿勢調整は、下側台座Ｂ２２１に支持されたプロジェクタ装置Ｂ２からスクリーン等に対して光を照射しながら行われる。その際、スクリーン等には、照射光により映像が投影され、その映像を確認しながら下側台座Ｂ２２１の姿勢が調整される。これにより、プロジェクタ装置Ｂ２から照射される光の光軸方向は、スクリーン等の表面に適切な表示態様で映像が映し出されるように調整される。すなわち、光軸方向については、下側台座Ｂ２２１の姿勢調整により、映像の表示態様としていわゆる台形ひずみ等が生じないように前もって調整することができる。
【００８３】
光軸方向の調整等は、プロジェクタ装置Ｂ２に接続された調整用ＰＣ１０００（図１１参照）を用いて行われる。上側台座Ｂ２２０及び下側台座Ｂ２２１を介して上壁部Ｂ１２に取り付けられたプロジェクタ装置Ｂ２は、工場での検査時等において、光軸方向の調整のほか、スクリーン等に対する表示映像のチェックが行われ、映像を投影表示するために必要な各種の調整が実施される。調整用ＰＣ１０００は、調整作業に際して一時的にプロジェクタ装置Ｂ２の中継基板ＣＫに接続される（図１１参照）。調整用ＰＣ１０００を操作すると、調整用ＰＣ１０００から送信される所定のコマンドにより、プロジェクタ装置Ｂ２における照射光の投影位置やフォーカス調整等に関する光学パラメータが変更される。このようにして適切に調整された投影位置や光学パラメータは、水平方向及び垂直方向の調整値データとして、プロジェクタ装置Ｂ２のＥＥＰＲＯＭ２３１に記憶される（図１１参照）。ＥＥＰＲＯＭ２３１に記憶された水平方向及び垂直方向の調整値データは、工場出荷後の搬送等のためにプロジェクタ装置Ｂ２への電源供給が行われず、遊技機１が遊技場に設置された場合でも、そのまま使用することができる。
【００８４】
上述したことから明らかなように、プロジェクタ装置Ｂ２は、主に上側台座Ｂ２２０の上壁部Ｂ１２に対する取り付け位置に応じて左右方向及び前後方向に位置決めされるとともに、下側台座Ｂ２２１の３次元空間内における姿勢に応じて光軸方向が調整される。
【００８５】
なお、本実施形態においては、上側台座Ｂ２２０と下側台座Ｂ２２１とを互いに連結するための連結部を３箇所に設けたが、少なくとも３箇所が同一直線上にないという条件を満たせば、４箇所以上に連結部を設けるようにしてもよい。また、本実施形態では、上側台座Ｂ２２０に連結孔２２００Ａを設けるとともに、下側台座Ｂ２２１に連結ネジ部２２１０を設けているが、これらの連結孔や連結ネジ部を上下反対に設けてもよい。連結ネジ部は、本実施形態のように台座と一体に形成されたものに限らず、一方の台座に対して固定可能なものであればよい。例えば、連結ネジ部としては、下側台座を貫通して固定されるボルトでもよい。
【００８６】
以上、本発明の一実施形態として、第１実施形態に係る遊技機１について説明した。第１実施形態に係る遊技機１は、以下の特徴を備えている。
【００８７】
（１−１）  映像を表示するための表示ユニット（表示ユニットＡ）と、
前記表示ユニット（表示ユニットＡ）を収容し、前面に開口を有する本体部（キャビネットＧ）と、
前記本体部（キャビネットＧ）に対して開閉可能に取り付けられた開閉扉（上ドア機構ＵＤ）と、を備え、
前記表示ユニット（表示ユニットＡ）は、
映像を投影することが可能なプロジェクタ（プロジェクタ装置Ｂ２）と、
前記プロジェクタ（プロジェクタ装置Ｂ２）から照射された光を反射させる反射ミラー（ミラー機構Ｂ３）と、
前記反射ミラー（ミラー機構Ｂ３）により反射された光に基づいて、前記プロジェクタ（プロジェクタ装置Ｂ２）により投影された映像を表示可能なスクリーン（固定スクリーン機構Ｄ、フロントスクリーン機構Ｅ１、リールスクリーン機構Ｆ１）と、を備え、
前記プロジェクタ（プロジェクタ装置Ｂ２）、前記反射ミラー（ミラー機構Ｂ３）、及び、前記スクリーン（固定スクリーン機構Ｄ、フロントスクリーン機構Ｅ１、リールスクリーン機構Ｆ１）がユニット化されることにより構成されており、
前記反射ミラー（ミラー機構Ｂ３）は、前記開閉扉（上ドア機構ＵＤ）を開けた状態で前記表示ユニット（表示ユニットＡ）の外部から位置を調整することが可能である、
ことを特徴とする遊技機。
【００８８】
第１実施形態に係る遊技機１によれば、表示ユニットＡは、プロジェクタ装置Ｂ２、ミラー機構Ｂ３、並びに、固定スクリーン機構Ｄ、フロントスクリーン機構Ｅ１、及び、リールスクリーン機構Ｆ１がユニット化されることにより構成されているが、ミラー機構Ｂ３は、上ドア機構ＵＤを開けた状態で表示ユニットＡの外部から位置を調整することが可能である。従って、表示ユニットＡが遊技機１のキャビネットＧに設置された後であっても、ミラー機構Ｂ３の位置を調整することが可能であるため、プロジェクタ装置Ｂ２により投影される映像の位置が適切でない場合であっても、投影位置を調整することができる。
【００８９】
（１−２）  前記（１−１）の遊技機であって、
前記プロジェクタ（プロジェクタ装置Ｂ２）及び前記スクリーン（固定スクリーン機構Ｄ、フロントスクリーン機構Ｅ１、リールスクリーン機構Ｆ１）は、前記表示ユニット（表示ユニットＡ）における所定の位置で固定されており、
前記プロジェクタ（プロジェクタ装置Ｂ２）は、前記スクリーン（固定スクリーン機構Ｄ、フロントスクリーン機構Ｅ１、リールスクリーン機構Ｆ１）の上方に配置される一方で、前方に光を照射することが可能であり、
前記反射ミラー（ミラー機構Ｂ３）は、前記プロジェクタ（プロジェクタ装置Ｂ２）から照射された光を斜め下後方に反射させることが可能なように前記プロジェクタ（プロジェクタ装置Ｂ２）の前方に配置され、前記本体部（キャビネットＧ）の開口側に向けて露出した螺子における螺合の程度を変更することにより該光の反射方向を調整することが可能である。
【００９０】
第１実施形態に係る遊技機１によれば、プロジェクタ装置Ｂ２、並びに、固定スクリーン機構Ｄ、フロントスクリーン機構Ｅ１、及び、リールスクリーン機構Ｆ１は、表示ユニットＡにおける所定の位置で固定されている。一方で、ミラー機構Ｂ３には、光の反射方向を調整するための螺子が設けられており、当該螺子は、キャビネットＧの開口側に向けて露出している。従って、表示ユニットＡが遊技機１のキャビネットＧに設置された後であっても、上ドア機構ＵＤを開けた状態で、螺子を緩めたり締めたりすることにより、光の反射方向（角度）を調整することができる。これにより、プロジェクタ装置Ｂ２により投影される映像の位置が適切でない場合であっても、投影位置を調整することができる。
【００９１】
（２−１）  照射光により映像を投影する投影装置（プロジェクタ装置Ｂ２）と、
前記投影装置により投影された映像を表示可能な複数の投影面と、
前記複数の投影面のうち少なくとも一の投影面を可動投影面として変位させる駆動機構（フロントスクリーン駆動機構Ｅ２、リールスクリーン駆動機構Ｆ２）と、
前記投影装置の上方に位置する上壁（上壁部Ｂ１２）と、を備え、
前記複数の投影面は、表面加工が施され、
前記駆動機構は、前記投影装置に対して前記可動投影面を相対的に変位させるように構成されており、
前記投影装置と前記上壁との間には、上側台座（上側台座Ｂ２２０）及び下側台座（下側台座Ｂ２２１）が設けられ、
前記上側台座は、前記上壁に対して面内位置を調整可能に取り付けられるとともに、前記下側台座は、前記投影装置を支持しつつ、前記上側台座に対して３箇所以上で間隔を調整可能に取り付けられることを特徴とする遊技機。
【００９２】
第１実施形態に係る遊技機１によれば、プロジェクタ装置Ｂ２は、上壁部Ｂ１２に対する上側台座Ｂ２２０の面内位置を適宜調整することにより、この上側台座Ｂ２２０を介して上壁部Ｂ１２の適正な位置に取り付けられるとともに、そうして上壁部Ｂ１２に位置決めされた上側台座Ｂ２２０に対して下側台座Ｂ２２１の上下間隔を３箇所以上の連結部Ｒ１，Ｒ２，Ｒ３で適宜調整することにより、この下側台座Ｂ２２１を介して支持される姿勢が適正となるように取り付けられる。したがって、プロジェクタ装置Ｂ２の面内配置位置及び空間内姿勢を上側台座Ｂ２２０及び下側台座Ｂ２２１を用いて簡単に調整することができ、ひいては映像視覚効果の高い高品位な映像を複数の投影面に映し出すことができる。
【００９３】
（２−２）  前記（２−１）の遊技機であって、
前記上側台座及び前記下側台座は、同一直線上にない３箇所以上の複数の連結部（連結部Ｒ１，Ｒ２，Ｒ３）で互いに連結され、
前記複数の連結部のそれぞれには、
前記上側台座及び前記下側台座のうちの一方から突出するとともに他方を貫通してネジ締結される連結ネジ部（連結ネジ部２２１０）と、
前記連結ネジ部に外嵌されるとともに前記上側台座と前記下側台座との間に配置されるコイルバネ（コイルバネ２２１１）と、が設けられることを特徴とする。
【００９４】
第１実施形態に係る遊技機１によれば、上側台座Ｂ２２０と下側台座Ｂ２２１とは、同一直線上にない３以上の連結部Ｒ１，Ｒ２，Ｒ３における互いの間隔が、連結ネジ部２２１０のネジ締結量を加減するだけで個別に調整可能とされるとともに、コイルバネ２２１１の弾性付勢力により調整後の間隔が一定に保たれるので、空間内の互いに直交する前後方向、左右方向、上下方向の３軸方向に対してプロジェクタ装置Ｂ２の各姿勢を微調整することができ、例えば上下方向、左右方向、前後方向のいずれの方向にもプロジェクタ装置Ｂ２を適正な姿勢で保持することができる。
【００９５】
［第２実施形態］
以上、第１実施形態について説明した。以下、第２実施形態について説明する。第２実施形態に係る遊技機１の基本的な構成は、第１実施形態に係る遊技機１と同じである。以下においては、第１実施形態に係る遊技機１の構成要素と同一の構成要素には、同一の符号を付して説明することとする。また、第１実施形態における説明が第２実施形態においても当てはまる部分については、説明を省略することとする。
【００９６】
＜上側台座Ｂ２２０及び下側台座Ｂ２２１＞
本実施形態に係る上側台座Ｂ２２０及び下側台座Ｂ２２１は、第１実施形態に係る上側台座Ｂ２２０及び下側台座Ｂ２２１とは異なる構成を有している。
【００９７】
図１８は、上側台座及び下側台座の分解斜視図である。図１９は、上側台座及び下側台座を組み付けた状態を示す平面図である。図２０は、図１９に示す上側台座及び下側台座を斜め前方から見た図である。図２１は、図１９に示す上側台座及び下側台座を斜め後方から見た図である。図２２は、プロジェクタ機構の内部構成要素を収容するケースの斜視図である。図２３は、下側台座にケースを取り付けた状態を示す斜視図である。
【００９８】
図１８及び図１９に示すように、上側台座Ｂ２２０は、平面視矩形状の板金部材に矩形状の開口を設けた形状を有している。図１９に示すように、開口は、辺Ａ、辺Ｂ、辺Ｃ、及び、辺Ｄに囲まれた略長方形の形状に形成されている。
【００９９】
上側台座Ｂ２２０の右側部分及び左側部分には、それぞれ、角孔２２０１ｃが設けられている。角孔２２０１ｃは、上側台座Ｂ２２０を中継板Ｂ３００（図２６参照）にネジ締結によって固定するための孔である。
【０１００】
第１実施形態では、プロジェクタ装置Ｂ２のプロジェクタカバーＢ１への取り付けにおいて、上側台座Ｂ２２０をプロジェクタカバーＢ１の上壁部Ｂ１２にネジ締結することにより、プロジェクタ装置Ｂ２をプロジェクタカバーＢ１に直接固定することとして説明した。これに対し、本実施形態では、上側台座Ｂ２２０とプロジェクタカバーＢ１との間に、中継板Ｂ３００を介在させることとしている。
【０１０１】
角孔２２０１ｃの縦横内径寸法は、これに挿入して締結される取付ネジＴのネジ軸径よりも大きくなっている。なお、図１９には、上側台座Ｂ２２０を中継板Ｂ３００に固定する際に使用される固定プレートＢ３２１も示されている。本実施形態において、中継板Ｂ３００と上側台座Ｂ２２０とは、固定プレートＢ３２１及びキャップボルトを用いて締結される。第１実施形態では、固定プレートＢ３２１を示していなかったが、中継板Ｂ３００と上側台座Ｂ２２０との締結に際しては、従来周知の部材を適宜選択して用いることができる。
【０１０２】
また、上側台座Ｂ２２０には、下側台座Ｂ２２１を連結するための３つの連結孔２２００Ａが設けられている。３つの連結孔２２００Ａは、上側台座Ｂ２２０に沿う平面内（水平面内）において同一直線上に位置しないように配置されている。
【０１０３】
下側台座Ｂ２２１は、中央に矩形状の開口が形成された矩形状の本体部Ｂ２２１ａ、本体部Ｂ２２１ａと段差を有して前方に延出する右側部Ｂ２２１ｂ及び左側部Ｂ２２１ｃ、並びに、本体部Ｂ２２１ａと段差を有して後方に延出する後端部Ｂ２２１ｄを備える板金部材である。
【０１０４】
図２０に示すように、右側部Ｂ２２１ｂは、本体部Ｂ２２１ａの前端右側を下方及び外方に折り曲げることで形成されている。左側部Ｂ２２１ｃは、本体部Ｂ２２１ａの前端左側を下方及び外方に折り曲げることで形成されている。図２１に示すように、後端部Ｂ２２１ｄは、本体部Ｂ２２１ａの後端を下方に折り曲げるとともに、下方に折り曲げられた部分の一部を外方に折り曲げることで形成されている。右側部Ｂ２２１ｂと左側部Ｂ２２１ｃと後端部Ｂ２２１ｄとは、同一平面上に位置付けられるように形成されている。
【０１０５】
右側部Ｂ２２１ｂ、左側部Ｂ２２１ｃ、及び、後端部Ｂ２２１ｄには、それぞれ、上側台座Ｂ２２０の３つの連結孔２２００Ａに対応して上向きに突出するように連結ネジ部２２１０が一体形成されている。３つの連結ネジ部２２１０は、右側部Ｂ２２１ｂ、左側部Ｂ２２１ｃ、及び、後端部Ｂ２２１ｄに沿う平面内（水平面内）において同一直線上に位置しないように配置されている。
【０１０６】
第１実施形態と同様に、上側台座Ｂ２２０と下側台座Ｂ２２１とは、３つの連結孔２２００Ａ及び３つの連結ネジ部２２１０に対応する３箇所の連結部のそれぞれにおいて互いの間隔を調整可能に連結される。３箇所の連結部は、それぞれ、連結孔２２００Ａ、連結ネジ部２２１０、コイルバネ２２１１、ワッシャー２２１２、及び、ナット２２１３により構成される（図１２参照）。
【０１０７】
また、図１８に示すように、下側台座Ｂ２２１には、ケースＢ２２をネジ止めするための複数のネジ孔２２１４が設けられている。ケースＢ２２としては、第１実施形態と同様の構成のものを採用することが可能であるが、本実施形態では、図２２に示すように、直方体の箱形形状を有するケースＢ２２を採用している。
【０１０８】
第１実施形態と同様に、ケースＢ２２には、プロジェクタ装置Ｂ２の内部構成要素であるレンズユニットＢ２１（図１２参照）、ＬＥＤ基板、ＤＭＤ基板、ヒートシンク、吸気用ファン等が収容されている。ケースＢ２２の下面には、プロジェクタ制御基板Ｂ２３（図１２参照）が固定されている。
【０１０９】
ケースＢ２２の前面に設けられた前部開口Ｂ２２ｋには、レンズユニットカバーＢ２２２（図１２参照）が取り付けられる。レンズユニットＢ２１は、レンズユニットカバーＢ２２２で投射レンズ２１０（図１２参照）が覆われた状態で、ケースＢ２２に収容されている。
【０１１０】
また、図示しないが、ケースＢ２２には、左右方向における中央よりも左寄りの箇所（下側台座Ｂ２２１に取り付けた状態（図２３参照）における左側部Ｂ２２１ｃの右端付近）に、２つの吸気用ファン２４４Ａ・２４４Ｂが前後に並ぶように配設されている。２つの吸気用ファン２４４Ａ・２４４Ｂの左側には、ヒートシンクが設けられている。
【０１１１】
また、ケースＢ２２の右側面には、吸気口Ｂ２２Ａが設けられており（図２２参照）、ケースＢ２２の左側面には、排気口Ｂ２２Ｅが設けられている（図２３参照）。これにより、ケースＢ２２内においては、吸気口Ｂ２２Ａから吸気用ファン２４４Ａ・２４４Ｂによって強制的に吸気された後、ヒートシンクから熱を奪いつつ排気口Ｂ２２Ｅから排気される空気の流れが形成される。
【０１１２】
図２３に示すように、ケースＢ２２は、下側台座Ｂ２２１に対してネジ締結により取り付けられて、その上端面（図２２に示す上壁部Ｂ２２Ｆ）が下側台座Ｂ２２１の本体部Ｂ２２１ａの内側面に当接している。また、上側台座Ｂ２２０と下側台座Ｂ２２１とが連結された状態において、下側台座Ｂ２２１の本体部Ｂ２２１ａは、上側台座Ｂ２２０よりも上方に位置している。これにより、ケースＢ２２の上壁部Ｂ２２Ｆも、上側台座Ｂ２２０よりも上方に位置付けられることになる。
【０１１３】
この点、第１実施形態では、ケースＢ２２の上端が下側台座Ｂ２２１に取り付けられており、上側台座Ｂ２２０は、それよりも上方に配置されていた。そのため、上側台座Ｂ２２０と下側台座Ｂ２２１との間に形成された空間内にケースＢ２２を配置することができなかった。これに対し、本実施形態では、上側台座Ｂ２２０に開口を形成し、ケースＢ２２の上端（上壁部Ｂ２２Ｆ）が当該開口を上方に挿通するようにケースＢ２２を配置することにより、ケースＢ２２の上端（上壁部Ｂ２２Ｆ）を上側台座Ｂ２２０よりも上方に位置付けることができるようになっている。これにより、ケースＢ２２を配置するためのスペースを有効活用することが可能となっている。
【０１１４】
なお、このように、第１実施形態と比較して、上側台座Ｂ２２０に対するケースＢ２２（プロジェクタ装置Ｂ２）の相対的な位置を上方に移動させたことにより、ケースＢ２２の前面に設けられた前部開口Ｂ２２ｋ（図２２参照）の前方に、上側台座Ｂ２２０の一部が配置されることになる（図２３参照）。すなわち、当該上側台座Ｂ２２０の一部が、前部開口Ｂ２２ｋに対応するように設置された投射レンズ２１０（図１２参照）の前方に配置された状態となる。これにより、投射レンズ２１０から出射された光が上側台座Ｂ２２０によって遮られるようにも思われる。
【０１１５】
しかしながら、このようにして照射光が遮られることはない。すなわち、本実施形態において、照射光は、投射レンズ２１０の光軸よりも下側の部分から出射される。換言すれば、照射光の出射に際しては、投射レンズ２１０の下半分（投射レンズ２１０の上下方向における中央部を通る水平面よりも下側の部分）だけが使用される。このような投射レンズ２１０における光の出射位置は、従来公知のプロジェクタ（例えば、特開２００８−０５８８７５号公報参照）とは異なっている。
【０１１６】
このように、本実施形態では、照射光の出射に際して、投射レンズ２１０の上半分が使用されず、照射光は、投射レンズ２１０の光軸よりも下側の部分から出射されるところ、図２３のように投射レンズ２１０の前方に配置された上側台座Ｂ２２０は、投射レンズ２１０の光軸よりも上方に存在する。従って、投射レンズ２１０から出射された光の進路は、上側台座Ｂ２２０よりも下方となり、上側台座Ｂ２２０によって照射光が遮られることはない。
【０１１７】
また、下側台座Ｂ２２１を下方に折り曲げて、右側部Ｂ２２１ｂ、左側部Ｂ２２１ｃ、及び、後端部Ｂ２２１ｄを形成することで、右側部Ｂ２２１ｂ、左側部Ｂ２２１ｃ、及び、後端部Ｂ２２１ｄそれぞれの上方に上側台座Ｂ２２０が配置されるように、上側台座Ｂ２２０と下側台座Ｂ２２１とを連結することができる。これにより、上側台座Ｂ２２０及び下側台座Ｂ２２１の構成を第１実施形態から変更しつつも、３箇所の連結部の構成については、第１実施形態と同様の構成を採用することができる。
【０１１８】
従って、プロジェクタ装置Ｂ２から照射される光の光軸方向等の調整についても、第１実施形態と同様の方法により行うことができる。このような光軸方向等の調整には、高度なコンピュータプログラムが必要であるところ、当該プログラムの開発には、多額のコストが発生する。本実施形態では、第１実施形態と同じプログラムを用いて光軸方向等の調整を行うことができるため、新たなコストの発生を抑えることが可能である。
【０１１９】
また、本実施形態では、ケースＢ２２が上壁部Ｂ２２Ｆを有することとして説明しているが、第１実施形態のように、上側が開放されたケースＢ２２（図１２参照）を使用することとしてもよい。また、ケースＢ２２の下側台座Ｂ２２１への取付方法としては、特に限定されず、第１実施形態のように、ステーＢ２２３ａ（図１２参照）を用いることにより、ケースＢ２２を下側台座Ｂ２２１に取り付けることとしてもよい。
【０１２０】
以上で説明したように、本実施形態では、ケースＢ２２の一部を上側台座Ｂ２２０よりも上方に配置することにより、第１実施形態と比較してケースＢ２２を上方に移動させることが可能であり、ケースＢ２２の下方領域に新たな空間を作り出すことができる。このような効果は、上側台座Ｂ２２０の構成を第１実施形態から変更したことにより得られるものであり、プロジェクタカバーＢ１については、第１実施形態と同様の構成を採用することができる。
【０１２１】
もっとも、本実施形態では、他の効果も勘案して、第１実施形態とは異なる構成を有するプロジェクタカバーＢ１を採用している。以下、本実施形態に係るプロジェクタカバーＢ１について説明する。
【０１２２】
＜プロジェクタカバーＢ１＞
図２４は、プロジェクタカバーの上壁部を取り外した状態を示す斜視図である。図２５は、上壁部を取り外した状態のプロジェクタカバーの平面図である。図２６は、図２５に示すプロジェクタカバーの矢視Ｌ−Ｌに沿う断面図と、プロジェクタカバーに取り付けられる中継板の斜視図とを分解して示す図である。図２７は、上壁部を取り外した状態のプロジェクタカバーを斜め上方から見た図である。図２８は、上壁部を取り外した状態のプロジェクタカバーの正面図である。図２９は、図２８に示すプロジェクタカバーの矢視Ｍ−Ｍに沿う断面図である。
【０１２３】
図２４に示すように、プロジェクタカバーＢ１は、概ね左右対称となる構造を備えており、その内部において、中継板取付部Ｂ３０１を有している。中継板取付部Ｂ３０１は、左右の側壁部Ｂ１３・Ｂ１３それぞれの内側面から内側に突出するように形成されている。中継板取付部Ｂ３０１は、段差を有するように形成されており、前方及び後方に形成された中継板取付面Ｂ３０１ａと、中継板取付面Ｂ３０１ａよりも上方に形成された位置調整面Ｂ３０１ｄと、前方及び後方それぞれの中継板取付面Ｂ３０１ａと位置調整面Ｂ３０１ｄとを接続する接続部Ｂ３０１ｅとを有している。
【０１２４】
中継板取付面Ｂ３０１ａには、取付用孔Ｂ３０１ｂが形成されている。また、位置調整面Ｂ３０１ｄには、位置調整用孔Ｂ３０１ｃが形成されている。取付用孔Ｂ３０１ｂは、中継板Ｂ３００を中継板取付部Ｂ３０１にネジ締結により取り付けるためのネジ孔である。位置調整用孔Ｂ３０１ｃは、中継板Ｂ３００を中継板取付部Ｂ３０１に取り付けた際に上側台座Ｂ２２０の角孔２２０１ｃ（図１８参照）と対向するような位置に形成されている。
【０１２５】
図２６に示すように、中継板Ｂ３００は、本体部Ｂ３００Ａ、本体部Ｂ３００Ａと段差を有して前方に延出する前側部Ｂ３００Ｂ、及び、本体部Ｂ３００Ａと段差を有して後方に延出する後側部Ｂ３００Ｃを備える。前側部Ｂ３００Ｂは、本体部Ｂ３００Ａの前端を下方及び前方に折り曲げることで形成されている。後側部Ｂ３００Ｃは、本体部Ｂ３００Ａの後端を下方及び後方に折り曲げることで形成されている。このように、中継板Ｂ３００の形状は、プロジェクタカバーＢ１の中継板取付部Ｂ３０１に設けられた段差に対応した形状となっている。
【０１２６】
本体部Ｂ３００Ａには、第１貫通孔Ｂ３００ａが形成されている。前側部Ｂ３００Ｂ及び後側部Ｂ３００Ｃには、それぞれ、第２貫通孔Ｂ３００ｂが形成されている。第１貫通孔Ｂ３００ａは、中継板Ｂ３００を上側台座Ｂ２２０に取り付ける際にキャップボルトが挿通する孔である。一方、第２貫通孔Ｂ３００ｂは、中継板Ｂ３００を中継板取付部Ｂ３０１にネジ締結により取り付ける際にネジが挿通する孔である。
【０１２７】
また、図２４に示すように、プロジェクタカバーＢ１の前方における左右両側には、上側が開放した開口Ｂ４００（右開口Ｂ４００ａ及び左開口Ｂ４００ｂ）が設けられている。右開口Ｂ４００ａは、上面視における形状が辺Ｅ〜Ｊ（図２５参照）により構成される六角形に近似する形状となっている。
【０１２８】
図２７に示すように、辺Ｅ〜Ｊを上端として、各辺からそれぞれ下方に向けて連続する壁面（壁面Ｂ４０１ｅ、壁面Ｂ４０１ｆ、壁面Ｂ４０１ｇ、壁面Ｂ４０１ｈ、壁面Ｂ４０１ｉ、及び、壁面Ｂ４０１ｊ）が形成されている。辺Ｊから連続して形成される壁面Ｂ４０１ｊ（図２４参照）は、その他の壁面Ｂ４０１ｅ〜Ｂ４０１ｉと比較して、上下方向の長さが短くなっている。なお、辺Ｅから連続して形成される壁面Ｂ４０１ｅは、プロジェクタカバーＢ１の内側において後方まで連続しており、プロジェクタカバーＢ１の内側面４０３（図２９参照）の一部となっている。
【０１２９】
また、図２６に示すように、中継板取付部Ｂ３０１の位置調整面Ｂ３０１ｄの下方には空洞Ｂ４０２が形成されている。
【０１３０】
図２９は、接続部Ｂ３０１ｅを通る水平面（中継板取付面Ｂ３０１ａよりも上方であって、位置調整面Ｂ３０１ｄよりも下方を通る面）で切断したときの断面図である。
【０１３１】
図２９に示すように、プロジェクタカバーＢ１の上側に向けて開放した開口Ｂ４００（右開口Ｂ４００ａ及び左開口Ｂ４００ｂ）と、中継板取付部Ｂ３０１の位置調整面Ｂ３０１ｄの下方に形成された空洞４０２とが、プロジェクタカバーＢ１の内部において連通している。
【０１３２】
＜プロジェクタカバーＢ１及びブラインドＢ５００による空間の形成＞
本実施形態では、プロジェクタカバーＢ１の下側に設けられる部材として、第１実施形態における多孔板Ｂ１５（図１０参照）に代わって、ブラインドＢ５００が採用されている。
【０１３３】
図３０は、ブラインドの斜視図である。図３１は、プロジェクタカバーの上壁部を取り外した状態の照射ユニットの平面図である。図３２は、図３１に示す照射ユニットの矢視Ｎ−Ｎに沿う断面において開口近傍用ファン及びダクトカバーを取り外した状態を示す図である。
【０１３４】
図３０に示すように、ブラインドＢ５００は、概ね左右対称となる構造を備えており、略水平に形成された第１水平部Ｂ５０１と、第１水平部Ｂ５０１と連続して傾斜を有するように形成された第１傾斜部Ｂ５０２ａと、第１傾斜部Ｂ５０２ａと連続して略水平に形成された第２水平部Ｂ５０２ｂと、第２水平部Ｂ５０２ｂと連続して傾斜を有するように形成された第２傾斜部Ｂ５０２ｃと、第２傾斜部Ｂ５０２ｃと連続して略水平に形成された第３水平部Ｂ５０２ｄと、第３水平部Ｂ５０２ｄと左右方向の幅が同じになるように第３水平部Ｂ５０２ｄの後端から上方に向かって立設された後壁部Ｂ５０３と、ブラインドＢ５００の外壁を構成する外壁部Ｂ５０４と、外壁部Ｂ５０４と対向している内壁部Ｂ５０５と、を有している。
【０１３５】
外壁部Ｂ５０４は、第１傾斜部Ｂ５０２ａ、第２水平部Ｂ５０２ｂ、第２傾斜部Ｂ５０２ｃ、第３水平部Ｂ５０２ｄ、及び、後壁部Ｂ５０３と連続している。内壁部Ｂ５０５は、第１傾斜部Ｂ５０２ａ及び第２水平部Ｂ５０２ｂと連続している。なお、第１傾斜部Ｂ５０２ａ、第２水平部Ｂ５０２ｂ、第２傾斜部Ｂ５０２ｃ、及び、第３水平部Ｂ５０２ｄは、外壁部Ｂ５０４近傍の一定範囲が隆起しており、当該範囲の内側部分よりも高くなるような構造を有している。
【０１３６】
また、ブラインドＢ５００は、平面視矩形状の小部屋Ｂ５０７を有している。小部屋Ｂ５０７は、上下方向に形成された前側壁部Ｂ５０７ａ、外側壁部Ｂ５０７ｂ、及び、後側壁部Ｂ５０７ｄ、並びに、内壁部Ｂ５０５によって囲まれた空間である。前側壁部Ｂ５０７ａは、第２水平部Ｂ５０２ｂから立設されて、左右方向に延在している。外側壁部Ｂ５０７ｂは、第２水平部Ｂ５０２ｂ、第２傾斜部Ｂ５０２ｃ、及び、第３水平部Ｂ５０２ｄから立設されて、前後方向に延在し、後壁部Ｂ５０３と連続している。後側壁部Ｂ５０７ｄは、後壁部Ｂ５０３と略同一平面を形成するように立設されている。
【０１３７】
このように、小部屋Ｂ５０７は、第２水平部Ｂ５０２ｂ、第２傾斜部Ｂ５０２ｃ、及び、第３水平部Ｂ５０２ｄに跨るように形成されているため、第２傾斜部Ｂ５０２ｃ及び第３水平部Ｂ５０２ｄにおける左右方向の幅は、第１傾斜部Ｂ５０２ａにおける左右方向の幅と比較して、前側壁部Ｂ５０７ａにおける左右方向の幅の長さ分だけ、狭くなっている。なお、外側壁部Ｂ５０７ｂには、上方が開放されたＵ字状の切り欠き５０７ｃが形成されている。また、前側壁部Ｂ５０７ａ、外側壁部Ｂ５０７ｂ、及び、後側壁部Ｂ５０７ｄの上端は、内壁部Ｂ５０５の上端縁Ｂ５０５ａよりも低くなっている。
【０１３８】
第１水平部Ｂ５０１には、その前端において上方に向かって僅かに立設された第１壁部Ｂ５０１ａと、第１壁部Ｂ５０１ａにおける内側部分から後方に向かって連続する第２壁部Ｂ５０１ｂと、第２壁部Ｂ５０１ｂから斜め後方に向かって連続する第３壁部Ｂ５０１ｃと、第３壁部Ｂ５０１ｃから後方に向かって連続する第４壁部Ｂ５０１ｄと、第４壁部Ｂ５０１ｄから内側に向かって連続する第５壁部Ｂ５０１ｅと、が形成されている。第５壁部Ｂ５０１ｅは、内壁部Ｂ５０５と連続している。
【０１３９】
第３壁部Ｂ５０１ｃと第４壁部Ｂ５０１ｄと第５壁部Ｂ５０１ｅとによって囲まれた領域には、ブラインドＢ５００をプロジェクタカバーＢ１にネジ締結により取り付けるためのネジ孔Ｂ５０６が形成されている。
【０１４０】
図３２に示すように、ブラインドＢ５００がプロジェクタカバーＢ１の下側に取り付けられた状態において、ブラインドＢ５００の第１壁部Ｂ５０１ａの面は、プロジェクタカバーＢ１の壁面Ｂ４０１ｆと連続し、ブラインドＢ５００の第２壁部Ｂ５０１ｂの面は、プロジェクタカバーＢ１の壁面Ｂ４０１ｇと連続し、ブラインドＢ５００の第３壁部Ｂ５０１ｃの面は、プロジェクタカバーＢ１の壁面Ｂ４０１ｈと連続し、ブラインドＢ５００の第４壁部Ｂ５０１ｄの面は、プロジェクタカバーＢ１の壁面Ｂ４０１ｉと連続している。
【０１４１】
また、図３２には現れていないが、ブラインドＢ５００の第５壁部Ｂ５０１ｅの面は、プロジェクタカバーＢ１の空洞Ｂ４０２（図２６参照）の前方に存在する面Ｂ４０２ａ（図２９参照）と略同一平面上に配置されている。第５壁部Ｂ５０１ｅの上端と面Ｂ４０２ａの下端との間には、一定の間隙が存在している。後述するように、当該間隙は、ダクトカバーＢ６００（ダクトカバーＢ６５０）によって埋められる（図３６参照）。さらに、ブラインドＢ５００の外壁部Ｂ５０４の内側面は、プロジェクタカバーＢ１の内側面４０３（図２９参照）と連続している。
【０１４２】
以上より、プロジェクタカバーＢ１とブラインドＢ５００とによって、空間Ｐ（図３２参照）が形成される。空間Ｐは、上方がプロジェクタカバーＢ１によって覆われるとともに、下方がブラインドＢ５００によって覆われている。また、空間Ｐの側方は、ブラインドＢ５００の第１壁部Ｂ５０１ａ〜第５壁部Ｂ５０１ｅ、内壁部Ｂ５０５、後壁部Ｂ５０３、及び、外壁部Ｂ５０４、並びに、プロジェクタカバーＢ１の壁面Ｂ４０１ｆ〜Ｂ４０１ｉ、空洞Ｂ４０２の前後方に存在する面Ｂ４０２ａ・Ｂ４０２ｂ、及び、内側面４０３等によって囲まれている。
【０１４３】
そして、空間Ｐは、その上方の一部が開口Ｂ４００（図２４参照）を介してプロジェクタカバーＢ１の外部空間と繋がっており、また、空洞Ｂ４０２を介してプロジェクタカバーＢ１の内部空間Ｑ（図２９参照）と繋がっている。プロジェクタカバーＢ１とブラインドＢ５００とが組み付けられた状態において、空洞Ｂ４０２は、空間Ｐの一部となっている。
【０１４４】
なお、図３１及び図３２に示すように、開口Ｂ４００（右開口Ｂ４００ａ及び左開口Ｂ４００ｂ）には、メッシュ構造を有するパンチングＢ４５０（右パンチングＢ４５０ａ及び左パンチングＢ４５０ｂ）が設けられている。これにより、開口Ｂ４００を介して空間Ｐに異物が侵入してしまうことを一定程度防止することができる。
【０１４５】
＜空気流路及び液体貯留空間の形成＞
図３３は、図３０に示すブラインドに開口近傍用ファン及びダクトカバーを取り付けるとともに、ケースを配置した状態を示す斜視図である。図３４は、図３１に示す照射ユニットから右パンチングを取り外した状態を示す斜視図である。図３５は、図３２に示す照射ユニットに開口近傍用ファン及びダクトカバーを取り付けた状態を示す断面図である。図３６は、図３５に示す照射ユニットの断面において開口近傍用ファンを取り外した状態を示す右側面図である。
【０１４６】
図３３に示すように、ブラインドＢ５００の右側上部には、ダクトカバーＢ６００が略水平に配設されている。ダクトカバーＢ６００は、平板状の部材であり、上面視における外形形状が、ブラインドＢ５００の後壁部Ｂ５０３、外壁部Ｂ５０４、内壁部Ｂ５０５、並びに、小部屋Ｂ５０７の前側壁部Ｂ５０７ａ及び外側壁部Ｂ５０７ｂ（図３０参照）それぞれの上端縁を含んで構成される図形に近似する形状となっている。これにより、ダクトカバーＢ６００は、ブラインドＢ５００を上方から覆っている。
【０１４７】
また、ブラインドＢ５００の左側上部には、ダクトカバーＢ６５０が略水平に配設されている。ダクトカバーＢ６５０は、平板状の部材であり、上面視における外形形状は、ダクトカバーＢ６００と異なっているが（図４０参照）、ダクトカバーＢ６００と同様に、ブラインドＢ５００を上方から覆っている。
【０１４８】
図３５に示すように、プロジェクタカバーＢ１とブラインドＢ５００とによって形成される空間Ｐ（図３２参照）は、ダクトカバーＢ６００（ダクトカバーＢ６５０）よりも上方の空間Ｐ１とダクトカバーＢ６００よりも下方の空間Ｐ２とに分けられる。分かりやすくするため、図３５では、ダクトカバーＢ６００を斜線で示している。
【０１４９】
また、図３３に示すように、ダクトカバーＢ６００の上側前方には、開口近傍用ファンＢ７００が載置されている。開口近傍用ファンＢ７００は、吸気用のファンであり、開口近傍用ファンＢ７００の前方に存在する空気を、空気通過部Ｂ７１０（図３７参照）を通過させて、後方へと移動させることができるようになっている。
【０１５０】
図３４及び図３５に示すように、ブラインドＢ５００にプロジェクタカバーＢ１が取り付けられた状態において、開口近傍用ファンＢ７００は、プロジェクタカバーＢ１の右開口Ｂ４００ａの近傍に位置付けられる。分かりやすくするため、図３４及び図３５では、開口近傍用ファンＢ７００を網掛けで示している。
【０１５１】
ここで、図示しないが、本実施形態では、表示ユニットＡをキャビネットＧに装着した際、照射ユニットＢの前方部分がキャビネットＧの前方へと突出し、照射ユニットＢのうちキャビネットＧから突出した部分は、上ドア機構ＵＤ（図１参照）に収容される。そして、上ドア機構ＵＤの上面壁に形成された２つの開口（図示せず）が、それぞれ、プロジェクタカバーＢ１の２つの開口Ｂ４００（右開口Ｂ４００ａ及び左開口Ｂ４００ｂ）の真上に位置付けられる。
【０１５２】
また、図３５に示すように、空洞Ｂ４０２（２つある空洞Ｂ４０２のうちの右側の空洞Ｂ４０２）に近接するように、ケースＢ２２の吸気口Ｂ２２Ａ（図２２参照）が配置されている。図示しないが、ケースＢ２２の排気口Ｂ２２Ｅ（図２３参照）についても、同様に、空洞Ｂ４０２（２つある空洞Ｂ４０２のうちの左側の空洞Ｂ４０２）に近接するように配置されている。
【０１５３】
これにより、本実施形態では、上ドア機構ＵＤの上面壁に形成された開口（２つある開口のうちの右側の開口）を介して、遊技機１の外部から上ドア機構ＵＤの内部に空気が取り入れられる。この空気は、上ドア機構ＵＤの内部を下向きに移動し、プロジェクタカバーＢ１の開口Ｂ４００（右開口Ｂ４００ａ）を介して、プロジェクタカバーＢ１の内部に取り入れられる。
【０１５４】
プロジェクタカバーＢ１の内部に入った空気は、プロジェクタカバーＢ１とブラインドＢ５００とによって形成された空間Ｐ（２つある空間Ｐのうちの右側の空間Ｐ、図３２参照）のうちダクトカバーＢ６００よりも上方の空間Ｐ１（図３５参照）を後方に移動した後、プロジェクタカバーＢ１の内側へと向きを変え、空洞Ｂ４０２（２つある空洞Ｂ４０２のうちの右側の空洞Ｂ４０２）を通過して、吸気口Ｂ２２Ａを介してケースＢ２２の内部に入る。
【０１５５】
ケースＢ２２の内部に入った空気は、ケースＢ２２内で発生した熱を奪いながら左方向に進み、排気口Ｂ２２Ｅを介してケースＢ２２を出る。
【０１５６】
ケースＢ２２を出た空気は、空洞Ｂ４０２（２つある空洞Ｂ４０２のうちの左側の空洞Ｂ４０２）を通過した後、進路を前向きに変えて、空間Ｐ（２つある空間Ｐのうちの左側の空間Ｐ）のうちダクトカバーＢ６５０よりも上方の空間Ｐ１を前方に移動する。そして、当該空気は、プロジェクタカバーＢ１の開口Ｂ４００（左開口Ｂ４００ｂ）を介して、プロジェクタカバーＢ１の外部に出る。
【０１５７】
プロジェクタカバーＢ１の外部に出た空気は、上ドア機構ＵＤの内部を上向きに移動した後、上ドア機構ＵＤの上面壁に形成された開口（２つある開口のうちの左側の開口）を介して、遊技機１の外部に放出される。
【０１５８】
以上で説明した空気の流れのうち、プロジェクタカバーＢ１の内部における空気流路を、図２９中に太い矢印で示している。また、空間Ｐ１における空気の流れを、図３５中に矢印Ａで示している。本実施形態では、このような空気流路を形成することにより、プロジェクタ装置Ｂ２において発生した熱を遊技機１の外部に排出することができる。
【０１５９】
ここで、上述したように、上ドア機構ＵＤの上面壁に形成された開口は、プロジェクタカバーＢ１の開口Ｂ４００（右開口Ｂ４００ａ及び左開口Ｂ４００ｂ）の真上に存在している。すなわち、上ドア機構ＵＤの開口とプロジェクタカバーＢ１の開口Ｂ４００とを上面視したとき、少なくとも一部が重なり合っている。
【０１６０】
そのため、上ドア機構ＵＤの開口から液体等の異物が遊技機１の中に入った場合、当該異物は、プロジェクタカバーＢ１の内部に侵入することになる。しかしながら、本実施形態によれば、そのような場合であっても、当該異物がケースＢ２２の内部に侵入してしまうことを防止することが可能である。以下、上ドア機構ＵＤの開口から液体Ｌが投入された場合を例として説明する。
【０１６１】
上ドア機構ＵＤの開口から投入された液体Ｌは、プロジェクタカバーＢ１の開口Ｂ４００（右開口Ｂ４００ａ）を通過して、ブラインドＢ５００の第１水平部Ｂ５０１（図３０参照）に落下する。
【０１６２】
ここで、図３２を用いて説明したように、ブラインドＢ５００の第５壁部Ｂ５０１ｅの上端とプロジェクタカバーＢ１の空洞Ｂ４０２（図２６参照）の前方に存在する面Ｂ４０２ａ（図２９参照）の下端との間には、一定の間隙が存在し、ダクトカバーＢ６００の厚みは、当該間隙の長さと略一致する。ダクトカバーＢ６００は、第５壁部Ｂ５０１ｅの上端及び面Ｂ４０２ａの下端の双方に当接して、当該間隙を埋めるように配置される。これにより、ブラインドＢ５００の第１水平部Ｂ５０１とダクトカバーＢ６００との間には、ブラインドＢ５００の第５壁部Ｂ５０１ｅの高さ相当の隙間が形成されている。液体Ｌは、当該隙間を通過して、第１水平部Ｂ５０１から第１傾斜部Ｂ５０２ａの方へと流れていく。
【０１６３】
ブラインドＢ５００の第１傾斜部Ｂ５０２ａ及び第２傾斜部Ｂ５０２ｃは、後方に向かうにつれて下降するような傾斜を有しているため、液体Ｌは、第１傾斜部Ｂ５０２ａ、第２水平部Ｂ５０２ｂ、第２傾斜部Ｂ５０２ｃ、及び、第３水平部Ｂ５０２ｄを後方へと流れていく。このように、液体Ｌは、第１水平部Ｂ５０１、第１傾斜部Ｂ５０２ａ、第２水平部Ｂ５０２ｂ、第２傾斜部Ｂ５０２ｃ、及び、第３水平部Ｂ５０２ｄの面上を流れる。このような液体Ｌの流れを、図３５中に矢印Ｌで示している。
【０１６４】
後方へと流れてきた液体Ｌは、後壁部Ｂ５０３に衝突し、後壁部Ｂ５０３と外壁部Ｂ５０４と外側壁部Ｂ５０７ｂ（及び内壁部Ｂ５０５）とで囲まれた領域に貯留される（図３６参照）。当該領域は、プロジェクタカバーＢ１とブラインドＢ５００とによって形成された空間Ｐ（図３２参照）のうちダクトカバーＢ６００よりも下方の空間Ｐ２（図３５参照）に含まれる。分かりやすくするため、図３６では、貯留された液体Ｌを網掛けで示している。
【０１６５】
ここで、図３５に示す空間Ｐ１とプロジェクタカバーＢ１の内部空間Ｑ（図２９参照）とは、図３６に示す開口Ｂ５１０を介して繋がっている。図３６に示すように、開口Ｂ５１０は、側面視における形状が辺Ｋ〜Ｎにより構成される長方形に近似する形状となっている。
【０１６６】
開口Ｂ５１０の下端を構成する辺Ｋは、ブラインドＢ５００の内壁部Ｂ５０５の上端縁Ｂ５０５ａ（図３０参照）に対応している。そして、内壁部Ｂ５０５の上端縁Ｂ５０５ａ（開口５１０の下端）は、図３０に示すように、第１水平部Ｂ５０１、第１傾斜部Ｂ５０２ａ、第２水平部Ｂ５０２ｂ、第２傾斜部Ｂ５０２ｃ、及び、第３水平部Ｂ５０２ｄ（液体Ｌの通り道）よりも上方に位置している。
【０１６７】
また、図には明示されていないが、ダクトカバーＢ６００は、その右端がブラインドＢ５００の外壁部Ｂ５０４の上端縁上に載置され、且つ、その左端がブラインドＢ５００の内壁部Ｂ５０５の外側面に当接するように配置され、これにより、その主面Ｂ６１０（図３７参照）がブラインドＢ５００の内壁部Ｂ５０５の上端縁Ｂ５０５ａと略同一平面を形成している（図３３参照）。これにより、プロジェクタカバーＢ１の内部空間Ｑと液体Ｌの貯留空間（空間Ｐ２）とが、ダクトカバーＢ６００によって隔てられ、液体Ｌが開口Ｂ５１０を介してプロジェクタカバーＢ１の内部空間Ｑ（ケースＢ２２の内部）に侵入するということが起こり難くなっている。
【０１６８】
＜開口近傍用ファンの取付構造及び取付位置＞
図３７は、ダクトカバー及び開口近傍用ファンの分解斜視図である。図３８は、プロジェクタカバー及び開口近傍用ファンを後方且つ下方から見た分解斜視図である。図３９は、プロジェクタカバー及び開口近傍用ファンを前方且つ下方から見た部分拡大斜視図である。
【０１６９】
図３７に示すように、ダクトカバーＢ６００は、主面Ｂ６１０と、ファン設置構造Ｂ６２０と、後側部Ｂ６３０と、配線用開口Ｂ６４０（Ｂ６４０ａ及びＢ６４０ｂ）と、ネジ孔Ｂ６５０（Ｂ６５０ａ及びＢ６５０ｂ）と、を備えている。
【０１７０】
主面Ｂ６１０は、上面視矩形形状における左後方コーナー部を切り欠いた形状を有している。ファン設置構造Ｂ６２０は、開口近傍用ファンＢ７００を設置するための構造であり、主面Ｂ６１０の前方右寄りに形成されている。後側部Ｂ６３０は、主面Ｂ６１０の右側後部から後方に延在するように形成されている。配線用開口Ｂ６４０は、プロジェクタカバーＢ１の外部に配置された各種機能部品（サブ制御装置ＳＳ等）とプロジェクタ装置Ｂ２等とを接続する配線を挿通させるための孔である。ネジ孔Ｂ６５０は、ダクトカバーＢ６００をプロジェクタカバーＢ１にネジ締結により取り付けるための孔である。
【０１７１】
ファン設置構造Ｂ６２０は、主面Ｂ６１０の前端において立設された前側係合部Ｂ６２１と、前側係合部Ｂ６２１よりも後方において主面Ｂ６１０から立設された左後側係合部Ｂ６２２及び右後側係合部Ｂ６２３と、主面Ｂ６１０から僅かに立設されて前後方向に延在する下側係合部Ｂ６２４（下側左係合部Ｂ６２４ａ、下側中係合部Ｂ６２４ｂ、及び、下側右係合部Ｂ６２４ｃ）と、を有している。
【０１７２】
下側左係合部Ｂ６２４ａ及び下側中係合部Ｂ６２４ｂは、前側係合部Ｂ６２１の背面と左後側係合部Ｂ６２２の前面とを接続している。下側右係合部Ｂ６２４ｃは、前側係合部Ｂ６２１の背面と右後側係合部Ｂ６２３の前面とを接続している。
【０１７３】
前側係合部Ｂ６２１の上端縁Ｂ６２１ａ、左後側係合部Ｂ６２２の上端縁Ｂ６２２ａ、及び、右後側係合部Ｂ６２３の上端縁Ｂ６２３ａは、それぞれカーブ状に形成されている。開口近傍用ファンＢ７００は、円状の空気通過部Ｂ７１０を有している。上端縁Ｂ６２１ａ、上端縁Ｂ６２２ａ、及び、上端縁Ｂ６２３ａは、空気通過部Ｂ７１０の形状に対応する形状（円弧状）に形成されている。なお、分かりやすくするため、図３７では、上端縁Ｂ６２１ａ及び上端縁Ｂ６２２ａを斜線で示し、空気通過部Ｂ７１０を網掛けで示している。
【０１７４】
図３８に示すように、プロジェクタカバーＢ１内側の天井部から下方に突出するように、開口近傍用ファンＢ７００を設置するための構造（ファン設置構造）が形成されている。具体的に、プロジェクタカバーＢ１は、開口Ｂ４００の後端に沿って形成された前側係合部Ｂ４２１と、前側係合部Ｂ４２１よりも後方に形成された後側係合部Ｂ４２２と、前後方向に延在する上側係合部Ｂ４２３（上側左係合部Ｂ４２３ａ、上側中係合部Ｂ４２３ｂ、及び、上側右係合部Ｂ４２３ｃ）と、を有している。
【０１７５】
上側係合部Ｂ４２３は、前側係合部Ｂ４２１の背面と後側係合部Ｂ４２２の前面とを接続している。プロジェクタカバーＢ１内側の天井部からの下方への突出長は、上側係合部Ｂ４２３よりも前側係合部Ｂ４２１及び後側係合部Ｂ４２２の方が長くなっている。
【０１７６】
前側係合部Ｂ４２１の下端縁Ｂ４２１ａ及び後側係合部Ｂ４２２の下端縁Ｂ４２２ａは、それぞれカーブ状に形成されている。下端縁Ｂ４２１ａ及び下端縁Ｂ４２２ａは、開口近傍用ファンＢ７００の空気通過部Ｂ７１０の形状に対応する形状（円弧状）に形成されている。なお、分かりやすくするため、図３８では、下端縁Ｂ４２１ａ及び下端縁Ｂ４２２ａを斜線で示している。
【０１７７】
開口近傍用ファンＢ７００は、以上で説明したダクトカバーＢ６００のファン設置構造Ｂ６２０及びプロジェクタカバーＢ１のファン設置構造によって挟持される。
【０１７８】
具体的に、ダクトカバーＢ６００の前側係合部Ｂ６２１と左後側係合部Ｂ６２２との間隔、前側係合部Ｂ６２１と右後側係合部Ｂ６２３との間隔、及び、プロジェクタカバーＢ１の前側係合部Ｂ４２１と後側係合部Ｂ４２２との間隔は、それぞれ、開口近傍用ファンＢ７００における前後方向の長さと略等しくなっている。
【０１７９】
これにより、開口近傍用ファンＢ７００の左側前面は、ダクトカバーＢ６００の前側係合部Ｂ６２１の背面と当接し、開口近傍用ファンＢ７００の左側背面は、ダクトカバーＢ６００の左後側係合部Ｂ６２２の前面と当接し、開口近傍用ファンＢ７００は、ダクトカバーＢ６００の前側係合部Ｂ６２１と左後側係合部Ｂ６２２とによって挟持される。また、開口近傍用ファンＢ７００の右側前面は、ダクトカバーＢ６００の前側係合部Ｂ６２１の背面と当接し、開口近傍用ファンＢ７００の右側背面は、ダクトカバーＢ６００の右後側係合部Ｂ６２３の前面と当接し、開口近傍用ファンＢ７００は、ダクトカバーＢ６００の前側係合部Ｂ６２１と右後側係合部Ｂ６２３とによって挟持される。
【０１８０】
また、開口近傍用ファンＢ７００の前面は、プロジェクタカバーＢ１の前側係合部Ｂ４２１の背面と当接し、開口近傍用ファンＢ７００の背面は、プロジェクタカバーＢ１の後側係合部Ｂ４２２の前面と当接し、開口近傍用ファンＢ７００は、プロジェクタカバーＢ１の前側係合部Ｂ４２１と後側係合部Ｂ４２２とによって挟持される。
【０１８１】
また、ダクトカバーＢ６００の３つの下側係合部Ｂ６２４（下側左係合部Ｂ６２４ａ、下側中係合部Ｂ６２４ｂ、及び、下側右係合部Ｂ６２４ｃ）は、主面Ｂ６１０からの上方への突出長が互いに略等しくなっている。また、プロジェクタカバーＢ１の３つの上側係合部Ｂ４２３（上側左係合部Ｂ４２３ａ、上側中係合部Ｂ４２３ｂ、及び、上側右係合部Ｂ４２３ｃ）は、プロジェクタカバーＢ１内側の天井部からの下方への突出長が互いに略等しくなっている。そして、ダクトカバーＢ６００の下側係合部Ｂ６２４とプロジェクタカバーＢ１の上側係合部Ｂ４２３との間隔は、開口近傍用ファンＢ７００における上下方向の長さと略等しくなっている。
【０１８２】
これにより、開口近傍用ファンＢ７００の下面は、ダクトカバーＢ６００の３つの下側係合部Ｂ６２４（下側左係合部Ｂ６２４ａ、下側中係合部Ｂ６２４ｂ、及び、下側右係合部Ｂ６２４ｃ）の上面と当接し、開口近傍用ファンＢ７００の上面は、プロジェクタカバーＢ１の３つの上側係合部Ｂ４２３（上側左係合部Ｂ４２３ａ、上側中係合部Ｂ４２３ｂ、及び、上側右係合部Ｂ４２３ｃ）の下面と当接し、開口近傍用ファンＢ７００は、ダクトカバーＢ６００の下側係合部Ｂ６２４とプロジェクタカバーＢ１の上側係合部Ｂ４２３とによって挟持される。
【０１８３】
以上のようにして、開口近傍用ファンＢ７００は、前後方向及び上下方向から、ダクトカバーＢ６００及びプロジェクタカバーＢ１によって挟持されることで、固定される。
【０１８４】
開口近傍用ファンＢ７００が固定された状態において、空気通過部Ｂ７１０の前面側周縁は、ダクトカバーＢ６００における前側係合部Ｂ６２１の上端縁Ｂ６２１ａ及びプロジェクタカバーＢ１における前側係合部Ｂ４２１の下端縁Ｂ４２１ａに沿うように位置付けられる（図３４及び図３９参照）。また、図示しないが、空気通過部Ｂ７１０の背面側外縁は、ダクトカバーＢ６００における左後側係合部Ｂ６２２の上端縁Ｂ６２２ａ及び右後側係合部Ｂ６２３の上端縁Ｂ６２３ａ、並びに、プロジェクタカバーＢ１における後側係合部Ｂ４２２の下端縁Ｂ４２２ａに沿うように位置付けられる。
【０１８５】
すなわち、空気通過部Ｂ７１０は、正面視において、ダクトカバーＢ６００の前側係合部Ｂ６２１、左後側係合部Ｂ６２２、及び、右後側係合部Ｂ６２３、並びに、プロジェクタカバーＢ１の前側係合部Ｂ４２１及び後側係合部Ｂ４２２と重畳していない。換言すれば、空気通過部Ｂ７１０は、ダクトカバーＢ６００の前側係合部Ｂ６２１、左後側係合部Ｂ６２２、及び、右後側係合部Ｂ６２３、並びに、プロジェクタカバーＢ１の前側係合部Ｂ４２１及び後側係合部Ｂ４２２によって覆われていない。これにより、空気の通過部分の面積を最大限確保することができる。
【０１８６】
一方で、空気通過部Ｂ７１０の周縁と、ダクトカバーＢ６００における係合部の上端縁（上端縁Ｂ６２１ａ、上端縁Ｂ６２２ａ、及び、上端縁Ｂ６２３ａ）並びにプロジェクタカバーＢ１における係合部の下端縁（下端縁Ｂ４２１ａ及び下端縁Ｂ４２２ａ）とを合致させることにより、開口近傍用ファンＢ７００とダクトカバーＢ６００とが当接する部分の面積、及び、開口近傍用ファンＢ７００とプロジェクタカバーＢ１とが当接する部分の面積を大きくすることが可能であり、これにより、開口近傍用ファンＢ７００を安定的に固定することができる。
【０１８７】
また、図３９に示すように、プロジェクタカバーＢ１における前側係合部Ｂ４２１の前面は、右開口Ｂ４００ａの後端縁（図２５に示す辺ｊ）から下方に向けて形成された壁面Ｂ４０１ｊ（図２４参照）と一致している。これにより、開口近傍用ファンＢ７００は、前側係合部Ｂ４２１の前後方向における厚み分だけ、右開口Ｂ４００ａの後端縁（図２５に示す辺ｊ）よりも後方に配置されることになる。従って、開口近傍用ファンＢ７００は、右開口Ｂ４００ａよりも奥まった位置に存在するため、プロジェクタカバーＢ１の右開口Ｂ４００ａから液体が入ってきたとしても、当該液体が開口近傍用ファンＢ７００に直接かかり難いようになっている。一方で、開口近傍用ファンＢ７００が右開口Ｂ４００ａに近接して配置されているため、右開口Ｂ４００ａを介して、プロジェクタカバーＢ１の外部から空気を取り込みやすくなっている。これにより、プロジェクタ装置Ｂ２において発生した熱を効率よく排出することができる。
【０１８８】
なお、ダクトカバーＢ６００の左後側係合部Ｂ６２２と右後側係合部Ｂ６２３とが別個に構成されているのに対し、前側係合部Ｂ６２１は、左右の部位が分断されることなく繋がった形状となっている。これにより、プロジェクタカバーＢ１の右開口Ｂ４００ａから液体が入ってきたとしても、当該液体が後方へと侵入し難いようになっている。
【０１８９】
また、プロジェクタカバーＢ１における右開口Ｂ４００ａの後端縁（図２５に示す辺ｊ）の長さと、ダクトカバーＢ６００における前側係合部Ｂ６２１の左右方向の長さと、ダクトカバーＢ６００における左後側係合部Ｂ６２２の左端から右後側係合部Ｂ６２３の右端までの長さと、プロジェクタカバーＢ１における前側係合部Ｂ４２１の左右方向の長さと、プロジェクタカバーＢ１における後側係合部Ｂ４２２の左右方向の長さと、開口近傍用ファンＢ７００における左右方向の長さは、全て略等しくなっている。これにより、プロジェクタカバーＢ１の右開口Ｂ４００ａから空間Ｐ１（図３５参照）に至るまでの途中スペース（空間Ｐ１を左右方向の鉛直面で切断したときの断面）が開口近傍用ファンＢ７００によって略隙間なく埋められた状態となっている。この点においても、空気の通過部分の面積が最大限確保されており、プロジェクタ装置Ｂ２の冷却効率を高めることができる。
【０１９０】
＜液体の貯留及び排出＞
図４０は、ブラインド及びダクトカバーを取り付けた状態を左方から見た斜視図である。図４１は、プロジェクタカバー、ブラインド、及び、ダクトカバーを後方から見た斜視図である。図４２は、図４１に示すプロジェクタカバー、ブラインド、及び、ダクトカバーの分解斜視図である。図４３は、ブラインド及びダクトカバーの分解斜視図である。
【０１９１】
なお、図４３では、ブラインドＢ５００を前方且つ上方から見る一方、ダクトカバーＢ６００を後方且つ下方から見た様子を示している。
【０１９２】
上述したように、プロジェクタカバーＢ１とブラインドＢ５００とによって形成された空間Ｐ（図３２参照）のうちダクトカバーＢ６００よりも下方の空間Ｐ２（図３５参照）は、プロジェクタカバーＢ１の内部に入ってきた液体を貯留することが可能である（図３６参照）。
【０１９３】
図３０を用いて説明したように、ブラインドＢ５００には、第１水平部Ｂ５０１、第１傾斜部Ｂ５０２ａ、第２水平部Ｂ５０２ｂ、第２傾斜部Ｂ５０２ｃ、第３水平部Ｂ５０２ｄ、及び、小部屋Ｂ５０７が形成されている。これにより、貯留可能な液体の容量を増やしつつ、ブラインドＢ５００の下方においてスクリーン装置Ｃ（図５参照）を配置するためのスペースを確保するとともに、ブラインドＢ５００の強度を維持することが可能となっている。
【０１９４】
特に、本実施形態では、小部屋Ｂ５０７の存在によりブラインドＢ５００の強度を高めるとともに、小部屋Ｂ５０７にも液体を貯留することができるようになっている。すなわち、上述したように、小部屋Ｂ５０７には、切り欠き５０７ｃが形成されており、液体の貯留量が一定量を超えると、切り欠き５０７ｃから小部屋Ｂ５０７に液体が流入する。このようにして、リブとして設けられた小部屋Ｂ５０７に液体を貯留することにより、ブラインドＢ５００内の空間を有効に活用している。
【０１９５】
図４０に示すように、ダクトカバーＢ６５０は、上面視矩形形状における左前方コーナー部を切り欠いた形状を有している。分かりやすくするため、図４０では、ダクトカバーＢ６５０を斜線で示している。図３３を用いて説明したように、ダクトカバーＢ６００は、上面視において小部屋Ｂ５０７の前側壁部Ｂ５０７ａ及び外側壁部Ｂ５０７ｂ（図３０参照）に沿うように配置される。これに対し、ダクトカバーＢ６５０は、ダクトカバーＢ６００よりも前後方向の長さが短く、ダクトカバーＢ６５０の後端は、小部屋Ｂ５０７よりも前方に位置付けられる。
【０１９６】
もっとも、図示しないが、ダクトカバーＢ６５０の後端は、プロジェクタカバーＢ１の空洞Ｂ４０２（図２６参照）の後方に存在する面Ｂ４０２ｂ（図２９参照）、すなわち、図３６に示す開口Ｂ５１０の辺Ｎよりも後方に配置される。これにより、ダクトカバーＢ６５０は、ダクトカバーＢ６００と同様に、プロジェクタカバーＢ１の内部空間Ｑと液体Ｌの貯留空間（空間Ｐ２）とを隔てており、液体Ｌが開口Ｂ５１０を介してプロジェクタカバーＢ１の内部空間Ｑ（ケースＢ２２の内部）に侵入するということが起こり難くなっている。
【０１９７】
ここで、ブラインドＢ５００に貯留された液体は、ブラインドＢ５００から遊技機１の外部まで連通するチューブを備える排出機構を用いて排出される。当該チューブは、液体排出用孔Ｓを挿通させることにより、ブラインドＢ５００内に挿入される。以下、液体排出用孔Ｓについて説明する。
【０１９８】
図４１に示すように、液体排出用孔Ｓは、照射ユニットＢの背面側に設けられている。具体的に、図４２及び図４３に示すように、液体排出用孔Ｓは、プロジェクタカバーＢ１の配線用開口Ｂ４１１と、ブラインドＢ５００の配線用開口Ｂ５１０ａ及び配線用開口Ｂ５１１ａと、ダクトカバーＢ６００の後側部Ｂ６３０（図３７参照）と、によって構成される。
【０１９９】
配線用開口Ｂ４１１は、プロジェクタカバーＢ１の背面を構成する背面側壁部Ｂ４１０において、下方が開放した切り欠きとして形成されている。
【０２００】
配線用開口Ｂ５１０ａは、ブラインドＢ５００の背面を構成する第１背面側壁部Ｂ５１０において、上方が開放した切り欠きとして形成されている。配線用開口Ｂ５１１ａは、ブラインドＢ５００の第１背面側壁部Ｂ５１０の前方に形成された第２背面側壁部Ｂ５１１において、上方が開放した切り欠きとして形成されている。第２背面側壁部Ｂ５１１は、後壁部Ｂ５０３の上端から後方に向けて連続して形成された水平面Ｂ５０８の後端から立設するように形成されている。第１背面側壁部Ｂ５１０は、第２背面側壁部Ｂ５１１の下端から後方に向けて連続して形成された水平面Ｂ５０９の後端から立設するように形成されている。
【０２０１】
ダクトカバーＢ６００の後側部Ｂ６３０は、裏側の面Ｂ６３１と、面Ｂ６３１の左右両端縁から下方に突出した下方突出部Ｂ６３２ａ及び下方突出部Ｂ６３２ｂと、を有している。下方突出部Ｂ６３２ａと下方突出部Ｂ６３２ｂとは、一定の距離を隔てて略平行となるように対向しており、下方突出部Ｂ６３２ａと下方突出部Ｂ６３２ｂとの間には、スペースが形成されている。
【０２０２】
プロジェクタカバーＢ１、ブラインドＢ５００、及び、ダクトカバーＢ６００が組み付けられた状態において、プロジェクタカバーＢ１の配線用開口Ｂ４１１、ブラインドＢ５００の配線用開口Ｂ５１０ａ及び配線用開口Ｂ５１１ａ、並びに、ダクトカバーＢ６００の下方突出部Ｂ６３２ａと下方突出部Ｂ６３２ｂとの間に形成されたスペースは、背面視において重畳し、これにより、液体排出用孔Ｓ（図４１において２つ示される液体排出用孔Ｓのうち左側の液体排出用孔Ｓ）が形成される。なお、ダクトカバーＢ６５０には、後側部Ｂ６３０が形成されていないため（図４０参照）、図４１において２つ示される液体排出用孔Ｓのうち右側の液体排出用孔Ｓは、プロジェクタカバーＢ１の配線用開口Ｂ４１１、並びに、ブラインドＢ５００の配線用開口Ｂ５１０ａ及び配線用開口Ｂ５１１ａによって形成される。
【０２０３】
液体排出用孔Ｓには、ブラインドＢ５００に貯留された液体を排出するためのチューブが挿通されるとともに、照射ユニットＢ以外の各種機能部品（サブ制御装置ＳＳ等）とプロジェクタ装置Ｂ２等とを接続するための配線も挿通される。当該配線は、配線用開口Ｂ６４０ａ、Ｂ６４０ｂ（図３７参照）を挿通させることにより、プロジェクタ装置Ｂ２や開口近傍用ファンＢ７００に接続される。
【０２０４】
ここで、配線用開口Ｂ６４０ａ、Ｂ６４０ｂは、ダクトカバーＢ６００の外側（右端近傍）に形成されており、配線用開口Ｂ６４０ａ、Ｂ６４０ｂの形成箇所は、プロジェクタカバーＢ１の内部空間Ｑ（図２９参照）に向けて開放された開口Ｂ５１０（図３６参照）から離間した位置となっている。これにより、ブラインドＢ５００に貯留された液体が配線用開口Ｂ６４０ａ、Ｂ６４０ｂを介してプロジェクタカバーＢ１の内部空間Ｑ（ケースＢ２２の内部）に侵入するということが起こり難くなっている。
【０２０５】
以上、本発明の一実施形態として、第２実施形態に係る遊技機１について説明した。
【０２０６】
従来、プロジェクタ等の投影装置により投影された映像をスクリーンに表示することにより演出を行うことが可能な遊技機が知られている（特開２０１２−１４７８２８号公報参照）。このような遊技機によれば、液晶表示装置と同程度の映像表現が可能であるとともに、液晶表示装置等と比較して、表示面が大型化した際のコストを低減させることができる。また、スクリーンの形状を適宜変更することにより、液晶表示装置では行うことのできない映像表現も可能となる。
【０２０７】
しかしながら、投影装置は、液晶表示装置等と比較して、発熱しやすく、高温になりやすいため、発生した熱を放出しないと正常に機能しなくなってしまうという問題があった。
【０２０８】
本発明は、上記のような問題点に鑑みてなされたものであり、映像を投影することが可能な投影装置で発生した熱を効率よく放出することが可能な遊技機を提供することを目的とする。
【０２０９】
この点、第２実施形態に係る遊技機１は、以下の特徴を備えている。
【０２１０】
（３−１）  スクリーン（固定スクリーン機構Ｄ、フロントスクリーン機構Ｅ１、リールスクリーン機構Ｆ１）と、
前記スクリーンに画像を表示するための光を投射するプロジェクタ（プロジェクタ装置Ｂ２）と、
前記プロジェクタを囲うように配置されたカバー部材（プロジェクタカバーＢ１及びブラインドＢ５００）と、
前面に開口を有する本体部（キャビネットＧ）と、
前記本体部に対して開閉可能に取り付けられ、前記スクリーンに表示された画像を視認可能にするための表示領域（上側表示窓ＵＤ１）が設けられた開閉扉（上ドア機構ＵＤ）と、
前記カバー部材の内部に配置されたファン（開口近傍用ファンＢ７００）と、
前記カバー部材の内部空間を仕切る仕切部材（ダクトカバーＢ６００）と、を備え、
前記カバー部材には、前記カバー部材の外部空間に向けて開放した第１の開口（右開口Ｂ４００ａ）、及び、前記カバー部材の内部に形成された第１の空間（空間Ｑ）に向けて開放した第２の開口（開口Ｂ５１０）が形成されており、
前記仕切部材は、前記カバー部材の内部において前記第１の開口から連通する空間を第２の空間（空間Ｐ１）及び第３の空間（空間Ｐ２）に仕切っており、
前記第１の空間と前記第２の空間とは、前記第２の開口を介して連通しており、
前記ファンは、前記第２の空間に配置されており、
前記プロジェクタは、前記第１の空間に配置されている、
ことを特徴とする遊技機。
【０２１１】
第２実施形態に係る遊技機１によれば、プロジェクタ（プロジェクタ装置Ｂ２）を囲うように配置されたカバー部材（プロジェクタカバーＢ１及びブラインドＢ５００）には、カバー部材（プロジェクタカバーＢ１及びブラインドＢ５００）の外部空間に向けて開放した第１の開口（右開口Ｂ４００ａ）、及び、カバー部材（プロジェクタカバーＢ１及びブラインドＢ５００）の内部空間（第１の空間（空間Ｑ））に向けて開放した第２の開口（開口Ｂ５１０）が形成されている。カバー部材（プロジェクタカバーＢ１及びブラインドＢ５００）の内部において第１の開口（右開口Ｂ４００ａ）から連通する空間は、仕切部材（ダクトカバーＢ６００）によって第２の空間（空間Ｐ１）及び第３の空間（空間Ｐ２）に仕切られている。第１の空間（空間Ｑ）と第２の空間（空間Ｐ１）とは、第２の開口（開口Ｂ５１０）を介して連通している。プロジェクタ（プロジェクタ装置Ｂ２）は、第１の空間（空間Ｑ）に配置されており、第２の空間（空間Ｐ１）には、ファン（開口近傍用ファンＢ７００）が配置されている。これにより、第２の空間（空間Ｐ１）を介して、カバー部材（プロジェクタカバーＢ１及びブラインドＢ５００）の外部空間と内部空間との間で、空気を移動させることが可能であり、このような空気の流れを通じて、プロジェクタ（プロジェクタ装置Ｂ２）で発生した熱を効率よく放出することができる。
【０２１２】
一方で、第２の空間（空間Ｐ１）にはファン（開口近傍用ファンＢ７００）が配置されているため、仮に、第１の開口（右開口Ｂ４００ａ）を介して、カバー部材（プロジェクタカバーＢ１及びブラインドＢ５００）の内部に異物が混入した場合であっても、ファン（開口近傍用ファンＢ７００）の存在によって、当該異物がプロジェクタ（プロジェクタ装置Ｂ２）の配置されている方（第１の空間（空間Ｑ）側）へと侵入するということを起こり難くすることができる。さらに、第３の空間（空間Ｐ２）は、第２の空間（空間Ｐ１）（プロジェクタ（プロジェクタ装置Ｂ２）の存在する第１の空間（空間Ｑ）と連通する空間）から仕切部材（ダクトカバーＢ６００）によって隔離されているため、仮に、異物が第３の空間（空間Ｐ２）に入ってきた場合、当該異物が第３の空間（空間Ｐ２）から第２の空間（空間Ｐ１）に侵入してしまうことを防止することができる。これにより、遊技機の外部から侵入してきた液体等の異物からプロジェクタ（プロジェクタ装置Ｂ２）を保護して、プロジェクタ（プロジェクタ装置Ｂ２）が故障してしまう原因を除去することができるとともに、第１の開口（右開口Ｂ４００ａ）を介した不正なアクセスを抑制して、セキュリティを向上させることができる。
【０２１３】
（４−１）  スクリーン（固定スクリーン機構Ｄ、フロントスクリーン機構Ｅ１、リールスクリーン機構Ｆ１）と、
前記スクリーンに画像を表示するための光を投射するプロジェクタ（プロジェクタ装置Ｂ２）と、
前記プロジェクタを囲うように配置されたカバー部材（プロジェクタカバーＢ１及びブラインドＢ５００）と、
前面に開口を有する本体部（キャビネットＧ）と、
前記本体部に対して開閉可能に取り付けられ、前記スクリーンに表示された画像を視認可能にするための表示領域（上側表示窓ＵＤ１）が設けられた開閉扉（上ドア機構ＵＤ）と、
前記カバー部材の内部に配置されたファン（開口近傍用ファンＢ７００）と、を備え、
前記カバー部材には、前記カバー部材の外部空間に向けて開放した第１の開口（右開口Ｂ４００ａ）、及び、前記カバー部材の内部に形成された第１の空間（空間Ｑ）に向けて開放した第２の開口（開口Ｂ５１０）が形成されており、
前記第１の空間と、前記カバー部材の内部において前記第１の開口から連通する第２の空間（空間Ｐ）とは、前記第２の開口を介して連通しており、
前記プロジェクタは、前記第１の空間に配置されており、
前記第２の空間には、前記ファンを設置するためのファン設置用部材（ダクトカバーＢ６００）が設けられており、
前記ファンは、前記第２の空間において、前記カバー部材の内側部と前記ファン設置用部材とによって挟持されている、
ことを特徴とする遊技機。
【０２１４】
第２実施形態に係る遊技機１によれば、プロジェクタ（プロジェクタ装置Ｂ２）を囲うように配置されたカバー部材（プロジェクタカバーＢ１及びブラインドＢ５００）には、カバー部材（プロジェクタカバーＢ１及びブラインドＢ５００）の外部空間に向けて開放した第１の開口（右開口Ｂ４００ａ）、及び、カバー部材（プロジェクタカバーＢ１及びブラインドＢ５００）の内部空間（第１の空間（空間Ｑ））に向けて開放した第２の開口（開口Ｂ５１０）が形成されている。第１の空間（空間Ｑ）と第２の空間（空間Ｐ）（カバー部材（プロジェクタカバーＢ１及びブラインドＢ５００）の内部において第１の開口（右開口Ｂ４００ａ）から連通する空間）とは、第２の開口（開口Ｂ５１０）を介して連通している。プロジェクタ（プロジェクタ装置Ｂ２）は、第１の空間（空間Ｑ）に配置されており、第２の空間（空間Ｐ）には、ファン（開口近傍用ファンＢ７００）が配置されている。これにより、第２の空間（空間Ｐ）を介して、カバー部材（プロジェクタカバーＢ１及びブラインドＢ５００）の外部空間と内部空間との間で、空気を移動させることが可能であり、このような空気の流れを通じて、プロジェクタ（プロジェクタ装置Ｂ２）で発生した熱を効率よく放出することができる。とりわけ、第２の空間（空間Ｐ）には、ファン（開口近傍用ファンＢ７００）を設置するためのファン設置用部材（ダクトカバーＢ６００）が設けられており、ファン（開口近傍用ファンＢ７００）は、第２の空間（空間Ｐ）において、カバー部材（プロジェクタカバーＢ１及びブラインドＢ５００）の内側部とファン設置用部材（ダクトカバーＢ６００）とによって挟持されている。この点、ファン（開口近傍用ファンＢ７００）を設置するに当たり、ビスや爪等の構造を別途設けることとすれば、当該構造のために（左右方向に）新たにスペースが必要になる。これに対し、第２実施形態に係る遊技機１によれば、省スペースでファン（開口近傍用ファンＢ７００）を設置することが可能であり、第２の空間（空間Ｐ）内における空気の通過可能部分のスペースを最大限確保することができる。その結果、カバー部材（プロジェクタカバーＢ１及びブラインドＢ５００）の外部空間と内部空間との間での空気の移動効率を高めることが可能であり、ファン（開口近傍用ファンＢ７００）の機能を最大限活かしつつ、プロジェクタ（プロジェクタ装置Ｂ２）の冷却効果を向上させることができる。
【０２１５】
（４−２）  前記（４−１）の遊技機であって、
前記ファン設置用部材には、前記ファンにおける空気の通過可能部分（空気通過部Ｂ７１０）の形状に対応する形状を有するファン設置部（ファン設置構造Ｂ６２０）が形成されている、
ことを特徴とする。
【０２１６】
第２実施形態に係る遊技機１によれば、ファン設置部（ファン設置構造Ｂ６２０）は、ファン（開口近傍用ファンＢ７００）における空気の通過可能部分（空気通過部Ｂ７１０）の形状に対応する形状を有しているため、ファン設置部（ファン設置構造Ｂ６２０）によって空気の通過が妨げられてしまうことを防止することができる。これにより、ファン（開口近傍用ファンＢ７００）の吸引力を最大限活かしつつ、プロジェクタ（プロジェクタ装置Ｂ２）の冷却効果をさらに向上させることができる。
【０２１７】
（５−１）  スクリーン（固定スクリーン機構Ｄ、フロントスクリーン機構Ｅ１、リールスクリーン機構Ｆ１）と、
前記スクリーンに画像を表示するための光を投射するプロジェクタ（プロジェクタ装置Ｂ２）と、
前記プロジェクタを囲うように配置されたカバー部材（プロジェクタカバーＢ１及びブラインドＢ５００）と、
前面に開口を有する本体部（キャビネットＧ）と、
前記本体部に対して開閉可能に取り付けられ、前記スクリーンに表示された画像を視認可能にするための表示領域（上側表示窓ＵＤ１）が設けられた開閉扉（上ドア機構ＵＤ）と、を備え、
前記カバー部材には、前記カバー部材の外部空間に向けて開放した第１の開口（右開口Ｂ４００ａ）、及び、前記カバー部材の内部に形成された第１の空間（空間Ｑ）に向けて開放した第２の開口（開口Ｂ５１０）が形成されており、
前記第１の空間と、前記カバー部材の内部において前記第１の開口から連通する第２の空間（空間Ｐ）とは、前記第２の開口を介して連通しており、
前記プロジェクタは、前記第１の空間に配置されており、
前記第２の空間は、下方が閉塞することにより液体を貯留することが可能であり、
前記カバー部材には、さらに、前記カバー部材の外部に配置された機器と前記プロジェクタとを接続する配線を挿通させるための配線用開口（プロジェクタカバーＢ１の配線用開口Ｂ４１１、並びに、ブラインドＢ５００の配線用開口Ｂ５１０ａ及び配線用開口Ｂ５１１ａ）が形成されており、
前記第２の空間と前記カバー部材の外部空間とは、前記配線用開口を介して連通しており、
前記配線用開口は、前記第２の空間に貯留された液体を前記カバー部材の外部に排出するための機構（排出機構が備えるチューブ）を挿通させることが可能である、
ことを特徴とする遊技機。
【０２１８】
第２実施形態に係る遊技機１によれば、プロジェクタ（プロジェクタ装置Ｂ２）を囲うように配置されたカバー部材（プロジェクタカバーＢ１及びブラインドＢ５００）には、カバー部材（プロジェクタカバーＢ１及びブラインドＢ５００）の外部空間に向けて開放した第１の開口（右開口Ｂ４００ａ）、及び、カバー部材（プロジェクタカバーＢ１及びブラインドＢ５００）の内部空間（第１の空間（空間Ｑ））に向けて開放した第２の開口（開口Ｂ５１０）が形成されている。第１の空間（空間Ｑ）と第２の空間（空間Ｐ）（カバー部材（プロジェクタカバーＢ１及びブラインドＢ５００）の内部において第１の開口（右開口Ｂ４００ａ）から連通する空間）とは、第２の開口（開口Ｂ５１０）を介して連通している。プロジェクタ（プロジェクタ装置Ｂ２）は、第１の空間（空間Ｑ）に配置されている。これにより、第２の空間（空間Ｐ）を介して、カバー部材（プロジェクタカバーＢ１及びブラインドＢ５００）の外部空間と内部空間との間で、空気を移動させることが可能であり、このような空気の流れを通じて、プロジェクタ（プロジェクタ装置Ｂ２）で発生した熱を効率よく放出することができる。
【０２１９】
また、第２実施形態に係る遊技機１によれば、カバー部材（プロジェクタカバーＢ１及びブラインドＢ５００）には、カバー部材（プロジェクタカバーＢ１及びブラインドＢ５００）の外部に配置された機器とプロジェクタ（プロジェクタ装置Ｂ２）とを接続する配線を挿通させるための配線用開口（プロジェクタカバーＢ１の配線用開口Ｂ４１１、並びに、ブラインドＢ５００の配線用開口Ｂ５１０ａ及び配線用開口Ｂ５１１ａ）が形成されており、第２の空間（空間Ｐ）とカバー部材（プロジェクタカバーＢ１及びブラインドＢ５００）の外部空間とは、配線用開口（プロジェクタカバーＢ１の配線用開口Ｂ４１１、並びに、ブラインドＢ５００の配線用開口Ｂ５１０ａ及び配線用開口Ｂ５１１ａ）を介して連通している。そして、第２の空間（空間Ｐ）は、下方が閉塞することにより液体を貯留することが可能である一方、第２の空間（空間Ｐ）に貯留された液体は、配線用開口（プロジェクタカバーＢ１の配線用開口Ｂ４１１、並びに、ブラインドＢ５００の配線用開口Ｂ５１０ａ及び配線用開口Ｂ５１１ａ）を介して、カバー部材（プロジェクタカバーＢ１及びブラインドＢ５００）の外部に排出することが可能である。これにより、仮に、第１の開口（右開口Ｂ４００ａ）を介して、遊技機の外部からカバー部材（プロジェクタカバーＢ１及びブラインドＢ５００）の内部へと液体（遊技者が注ぎ込んだ飲み物等）が入ってきた場合であっても、当該液体を第２の空間（空間Ｐ）内に滞留させることが可能であり、当該液体が第２の空間（空間Ｐ）外の機器に侵入してしまうことを防止することができる。また、貯留された液体を配線用開口（プロジェクタカバーＢ１の配線用開口Ｂ４１１、並びに、ブラインドＢ５００の配線用開口Ｂ５１０ａ及び配線用開口Ｂ５１１ａ）から適宜排出することにより、液体の貯留量を一定限度以下に保つことが可能である。その結果、第２の空間（空間Ｐ）に液体が過剰に貯留されることに起因して、当該液体がプロジェクタ（プロジェクタ装置Ｂ２）の配置空間（第１の空間）に侵入してしまう、という事態を回避することができる。このようにして、第２実施形態に係る遊技機１によれば、プロジェクタ（プロジェクタ装置Ｂ２）や他の機器が液体によって故障してしまうことを抑制することができる。なお、遊技機１の内部温度は、比較的高い（約６０℃）ため、貯留された液体は、上記のような機構を用いて排出しなくても、放置しておけば自然に蒸発する。従って、当該排出機構を設けることは必須でなく、カバー部材（プロジェクタカバーＢ１及びブラインドＢ５００）には、配線用開口（プロジェクタカバーＢ１の配線用開口Ｂ４１１、並びに、ブラインドＢ５００の配線用開口Ｂ５１０ａ及び配線用開口Ｂ５１１ａ）が形成されていなくてもよい。
【０２２０】
（６−１）  スクリーン（固定スクリーン機構Ｄ、フロントスクリーン機構Ｅ１、リールスクリーン機構Ｆ１）と、
前記スクリーンに画像を表示するための光を投射するプロジェクタ（プロジェクタ装置Ｂ２）と、
前記プロジェクタを囲うように配置されたカバー部材（プロジェクタカバーＢ１及びブラインドＢ５００）と、
前面に開口を有する本体部（キャビネットＧ）と、
前記本体部に対して開閉可能に取り付けられ、前記スクリーンに表示された画像を視認可能にするための表示領域（上側表示窓ＵＤ１）が設けられた開閉扉（上ドア機構ＵＤ）と、
前記カバー部材の内部に配置されたファン（開口近傍用ファンＢ７００）と、を備え、
前記カバー部材には、前記カバー部材の外部空間に向けて開放した第１の開口（右開口Ｂ４００ａ）、及び、前記カバー部材の内部に形成された第１の空間（空間Ｑ）に向けて開放した第２の開口（開口Ｂ５１０）が形成されるとともに、前記第１の開口の周縁の一部（図２５に示す辺ｊ）から前記カバー部材の内側に向けて連続する開口縁部（プロジェクタカバーＢ１の前側係合部Ｂ４２１）が形成されており、
前記第１の空間と、前記カバー部材の内部において前記第１の開口から連通する第２の空間（空間Ｐ）とは、前記第２の開口を介して連通しており、
前記プロジェクタは、前記第１の空間に配置されており、
前記ファンは、前記第２の空間において前記開口縁部に当接するように配置されている、
ことを特徴とする遊技機。
【０２２１】
第２実施形態に係る遊技機１によれば、プロジェクタ（プロジェクタ装置Ｂ２）を囲うように配置されたカバー部材（プロジェクタカバーＢ１及びブラインドＢ５００）には、カバー部材（プロジェクタカバーＢ１及びブラインドＢ５００）の外部空間に向けて開放した第１の開口（右開口Ｂ４００ａ）、及び、カバー部材（プロジェクタカバーＢ１及びブラインドＢ５００）の内部空間（第１の空間（空間Ｑ））に向けて開放した第２の開口（開口Ｂ５１０）が形成されている。第１の空間（空間Ｑ）と第２の空間（空間Ｐ）（カバー部材（プロジェクタカバーＢ１及びブラインドＢ５００）の内部において第１の開口（右開口Ｂ４００ａ）から連通する空間）とは、第２の開口（開口Ｂ５１０）を介して連通している。プロジェクタ（プロジェクタ装置Ｂ２）は、第１の空間（空間Ｑ）に配置されており、第２の空間（空間Ｐ）には、ファン（開口近傍用ファンＢ７００）が配置されている。これにより、第２の空間（空間Ｐ）を介して、カバー部材（プロジェクタカバーＢ１及びブラインドＢ５００）の外部空間と内部空間との間で、空気を移動させることが可能であり、このような空気の流れを通じて、プロジェクタ（プロジェクタ装置Ｂ２）で発生した熱を効率よく放出することができる。とりわけ、カバー部材（プロジェクタカバーＢ１及びブラインドＢ５００）には、第１の開口（右開口Ｂ４００ａ）の周縁の一部（図２５に示す辺ｊ）からカバー部材（プロジェクタカバーＢ１及びブラインドＢ５００）の内側に向けて連続する開口縁部（プロジェクタカバーＢ１の前側係合部Ｂ４２１）が形成されており、ファン（開口近傍用ファンＢ７００）は、第２の空間（空間Ｐ）において開口縁部（プロジェクタカバーＢ１の前側係合部Ｂ４２１）に当接するように配置されている。これにより、仮に、第１の開口（右開口Ｂ４００ａ）を介して、カバー部材（プロジェクタカバーＢ１及びブラインドＢ５００）の内部に液体等の異物（例えば、遊技者が注ぎ込んだ飲み物等）が混入した場合であっても、当該異物がファン（開口近傍用ファンＢ７００）に直接接触してしまうことを防止することができる。一方で、ファン（開口近傍用ファンＢ７００）の設置位置を可能な限り第１の開口（右開口Ｂ４００ａ）に接近させることにより、カバー部材（プロジェクタカバーＢ１及びブラインドＢ５００）の外部空間と内部空間との間での空気移動をスムーズに行わせることができ、プロジェクタ（プロジェクタ装置Ｂ２）の冷却効果を向上させることができる。
【０２２２】
第２実施形態では、表示ユニットＡをキャビネットＧに装着した際、照射ユニットＢの前方部分がキャビネットＧの前方へと突出し、照射ユニットＢのうちキャビネットＧから突出した部分は上ドア機構ＵＤ（図１参照）に収容されることとして説明した。このように、照射ユニットＢの前方部分がキャビネットＧの前方へと突出する場合、図４４に示すようにして上ドア機構ＵＤがキャビネットＧに取り付けられる構成を採用することが望ましい。
【０２２３】
図４４は、上ドア機構をキャビネットに取り付ける方法について説明するための図である。この構成によれば、引っ掛け部ＵＤ１２０は、上ドア機構ＵＤから後方へと突出する部材であり、ネジ締結により上ドア機構ＵＤに取り付けられる。一方、キャビネットＧの側面壁Ｇ２の内側面には、内側に向けて突出する内面側突出部材Ｇ２ａ（例えば、側面壁Ｇ２の内側面にねじ込まれたネジ等）が設けられている。
【０２２４】
上ドア機構ＵＤをキャビネットＧに取り付ける（上ドア機構ＵＤをキャビネットＧに対して閉じる）に当たっては、まず、上ドア機構ＵＤの上壁の下側面を前面側突出部材Ｇ１２０の上面に載せつつ、引っ掛け部ＵＤ１２０の欠き込みを内面側突出部材Ｇ２ａに引っ掛ける。この状態で下ドア機構ＤＤをキャビネットＧに対して閉じることで、下ドア機構ＤＤによって上ドア機構ＵＤが後方へと押し込まれる。これにより、上ドア機構ＵＤも、キャビネットＧに対して閉じられることになる。このような構成を採用することにより、上ドア機構ＵＤ及びキャビネットＧの内部スペースを有効に活用することができる。
【０２２５】
なお、第２実施形態では、上ドア機構ＵＤの上面壁に形成された開口を介して、遊技機１の内部空間と外部空間との間で空気が流動することとして説明したが、本発明においては、キャビネットＧの上面壁Ｇ４に形成された開口Ｇ４１（図１参照）を介して空気を流動させることとしてもよい。この場合には、例えば、表示ユニットＡをキャビネットＧに装着した際、キャビネットＧの上面壁Ｇ４に形成された開口Ｇ４１がプロジェクタカバーＢ１の開口Ｂ４００の真上に位置付けられるようにすればよい。
【０２２６】
また、プロジェクタカバーＢ１の開口Ｂ４００の上方に形成された開口（上ドア機構ＵＤ又はキャビネットＧに形成された開口）から遊技機１の内部に侵入する異物の量をなるべく少なくするために、当該開口は、プロジェクタカバーＢ１の開口Ｂ４００よりも小さい方がよく、当該開口には、異物の侵入を防止するための何らかの措置（例えば、パンチングＢ４５０と同様のメッシュ構造の設置）が施されていることが望ましい。
【０２２７】
また、第２実施形態では、プロジェクタ装置Ｂ２（ケースＢ２２の内部）に吸気用ファン２４４Ａ・２４４Ｂが配設されるとともに、プロジェクタ装置Ｂ２の外部（プロジェクタカバーＢ１の内部空間）に開口近傍用ファンＢ７００が配設されることとして説明した。本発明において、ファンの配置位置は、特に限定されず、プロジェクタ装置Ｂ２（ケースＢ２２の内部）にのみファンを配設して、プロジェクタ装置Ｂ２の外部（プロジェクタカバーＢ１の内部空間）にはファンを配設しないこととしてもよい。逆に、プロジェクタ装置Ｂ２の外部（プロジェクタカバーＢ１の内部空間）にのみファンを配設して、プロジェクタ装置Ｂ２（ケースＢ２２の内部）にはファンを配設しないこととしてもよい。
【０２２８】
図４５は、吸気用ファン及び排気用ファンの配置位置について説明するための図である。なお、この変形例では、プロジェクタカバーＢ１及びブラインドＢ５００の構成が第２実施形態におけるこれらの構成と若干異なっている。基本的な構成は同様であるため、詳細な説明は省略するが、本変形例におけるブラインドＢ５００には、第１傾斜部Ｂ５０２ａ、第２水平部Ｂ５０２ｂ、第２傾斜部Ｂ５０２ｃ、第３水平部Ｂ５０２ｄの代わりに傾斜部Ｂ５０２が形成され、小部屋Ｂ５０７は形成されていない。また、ブラインドＢ５００の後壁部Ｂ５０３は、第２実施形態よりも前方に位置付けられ、後壁部Ｂ５０３の前側の面は、プロジェクタカバーＢ１の空洞Ｂ４０２の後方に存在する面Ｂ４０２ｂと連続している。
【０２２９】
吸気用ファンは、プロジェクタカバーＢ１とブラインドＢ５００とによって形成された空間Ｐ（２つある空間Ｐのうちの右側の空間Ｐ）中の所望の位置に配設することができる。
【０２３０】
図４５では、吸気用ファンの配置位置として、Ｆ（Ｒ１）で示す点線で囲まれた領域、Ｆ（Ｒ２）で示す点線で囲まれた領域、Ｆ（Ｒ３）で示す点線で囲まれた領域、及び、Ｆ（Ｒ４）で示す点線で囲まれた領域を例示している。
【０２３１】
Ｆ（Ｒ１）で示す点線で囲まれた領域は、右側の開口Ｂ５１０（図３６参照）近傍に位置しており、該領域に吸気用ファンが配設された場合、吸気用ファンは、ケースＢ２２の右側面に設けられた吸気口Ｂ２２Ａ（図２２参照）に近接する。これにより、プロジェクタカバーＢ１の外部から取り入れられた空気を、ケースＢ２２の内部（プロジェクタ装置Ｂ２）へと効率的に送り込むことができる。
【０２３２】
Ｆ（Ｒ２）で示す点線で囲まれた領域は、Ｆ（Ｒ１）で示す点線で囲まれた領域の右側領域であり、プロジェクタカバーＢ１の壁面Ｂ４０１ｉを後方へ延長した箇所である。Ｆ（Ｒ２）で示す点線で囲まれた領域に吸気用ファンが配設された場合、空間Ｐを後方に移動した空気の進行方向を、スムーズに内向きへと変えることができる。
【０２３３】
Ｆ（Ｒ３）で示す点線で囲まれた領域は、Ｆ（Ｒ２）で示す点線で囲まれた領域の前方領域であり、プロジェクタカバーＢ１の壁面Ｂ４０１ｊ（図２４参照）の下側領域である。Ｆ（Ｒ３）で示す点線で囲まれた領域に吸気用ファンが配設された場合、開口Ｂ４００を介してプロジェクタカバーＢ１の内部に取り入れられた空気を、スムーズに後方へと流すことができる。
【０２３４】
Ｆ（Ｒ４）で示す点線で囲まれた領域は、Ｆ（Ｒ３）で示す点線で囲まれた領域の前方領域であり、開口Ｂ４００の下方領域である。Ｆ（Ｒ４）で示す点線で囲まれた領域に吸気用ファンが配設された場合、プロジェクタカバーＢ１の内部への空気の取り入れをスムーズに行うことができる。
【０２３５】
また、排気用ファンは、プロジェクタカバーＢ１とブラインドＢ５００とによって形成された空間Ｐ（２つある空間Ｐのうちの左側の空間Ｐ）中の所望の位置に配設することができる。
【０２３６】
図４５では、排気用ファンの配置位置として、Ｆ（Ｌ１）で示す点線で囲まれた領域、及び、Ｆ（Ｌ２）で示す点線で囲まれた領域を例示している。
【０２３７】
Ｆ（Ｌ１）で示す点線で囲まれた領域は、左側の開口Ｂ５１０近傍に位置しており、該領域に排気用ファンが配設された場合、排気用ファンは、ケースＢ２２の左側面に設けられた排気口Ｂ２２Ｅ（図２３参照）に近接する。これにより、プロジェクタ装置Ｂ２で発生した熱によって温められた空気を、プロジェクタ装置Ｂ２の外部へと効率的に送り出すことができる。
【０２３８】
Ｆ（Ｌ２）で示す点線で囲まれた領域は、プロジェクタカバーＢ１の壁面Ｂ４０１ｊの下側領域である。Ｆ（Ｌ２）で示す点線で囲まれた領域に排気用ファンが配設された場合、ケースＢ２２から出た空気の進行方向を、スムーズに前向きへと変えることができる。
【０２３９】
以上、図４５を用いて説明した吸気用ファン及び排気用ファンは、吸気用ファンと排気用ファンとの双方を配設することとしてもよいし、吸気用ファンのみを配設することとしてもよいし、排気用ファンのみを配設することとしてもよい。
【０２４０】
また、吸気用ファンは、Ｆ（Ｒ１）で示す点線で囲まれた領域、Ｆ（Ｒ２）で示す点線で囲まれた領域、Ｆ（Ｒ３）で示す点線で囲まれた領域、及び、Ｆ（Ｒ４）で示す点線で囲まれた領域のうちの何れか１つの領域のみに配設することとしてもよいし、これらの領域のうちの２つ以上の領域に配設することとしてもよい。排気用ファンは、Ｆ（Ｌ１）で示す点線で囲まれた領域とＦ（Ｌ２）で示す点線で囲まれた領域とのうち、一方の領域のみに配設することとしてもよいし、双方の領域に配設することとしてもよい。
【０２４１】
なお、第２実施形態では、プロジェクタカバーＢ１の内部において、図２９中に太い矢印で示したような空気流路が形成されることとして説明した。しかし、プロジェクタカバーＢ１内の空気は、必ずしも、当該経路に完全に沿って流れる必要はない。
【０２４２】
図２９に示す空気流路以外に形成され得る空気流路について、図４６を用いて説明する。図４６は、プロジェクタカバーの内部において形成され得る空気流路を示す図である。
【０２４３】
図４６の矢印Ｘ１に示すように、例えば、プロジェクタ装置Ｂ２で発生した熱によって温められた空気が、吸気口Ｂ２２Ａを介してケースＢ２２の外部に出るような流れがあってもよい。このようにして吸気口Ｂ２２Ａから流れ出た空気は、矢印Ｘ２に示すように、プロジェクタカバーＢ１の後方に移動してもよい。また、矢印Ｘ３に示すように、排気口Ｂ２２Ｅを介してケースＢ２２から出た空気が、後方へと向かうような空気の流れがあってもよい。
【０２４４】
プロジェクタカバーＢ１の後方は開放しているため、矢印Ｘ２又は矢印Ｘ３に示すように後方に移動した空気は、プロジェクタカバーＢ１の外部へと排出される。プロジェクタカバーＢ１の後方からの空気の排出がスムーズに行われるようにするため、プロジェクタカバーＢ１の後方領域に排気用ファンを配設することとしてもよい。
【０２４５】
また、第２実施形態では、空気流路と液体貯留空間とを仕切るために仕切部材（ダクトカバーＢ６００及びダクトカバーＢ６５０）を配設することとして説明したが、本発明において、仕切部材（ダクトカバーＢ６００及びダクトカバーＢ６５０）を設けることは必須ではない。
【０２４６】
上記変形例に係る遊技機１によれば、傾斜部Ｂ５０２は、後方に向かうにつれて下降するような傾斜を有しているため、傾斜部Ｂ５０２の後方部分は、内壁部Ｂ５０５の上端縁Ｂ５０５ａ（開口５１０の下端）との上下方向の距離が、前方部分よりも長くなっており、液体Ｌは、そのような傾斜部Ｂ５０２の後方部分（開口５１０の下端から離れた領域）に貯留される。従って、ダクトカバーＢ６００及びダクトカバーＢ６５０を設けなかったとしても、液体Ｒが開口Ｂ５１０を介してプロジェクタカバーＢ１の内部空間Ｑ（ケースＢ２２の内部）に侵入するという事態が発生してしまうことを防止することができる。
【０２４７】
さらに、上記変形例に係る遊技機１は、以下の特徴を備えている。
【０２４８】
（７−１）  映像を投影することが可能なプロジェクタ（プロジェクタ装置Ｂ２）と、
前記プロジェクタを囲うように配置されたカバー部材（プロジェクタカバーＢ１及びブラインドＢ５００）と、
前記プロジェクタにより投影された映像を表示可能なスクリーン（固定スクリーン機構Ｄ、フロントスクリーン機構Ｅ１、リールスクリーン機構Ｆ１）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記カバー部材（プロジェクタカバーＢ１）には、上方に向けて開放した第１の開口（２つある開口Ｂ４００のうちの右側の開口Ｂ４００）及び第２の開口（２つある開口Ｂ４００のうちの左側の開口Ｂ４００）が形成されており、
前記カバー部材の内部において、前記第１の開口から連通して第１の空間（２つある空間Ｐのうちの右側の空間Ｐ）が形成される一方、前記第２の開口から連通して第２の空間（２つある空間Ｐのうちの左側の空間Ｐ）が形成されており、
前記第１の空間は、前記カバー部材の内部に形成された第３の開口（２つある開口Ｂ５１０のうちの右側の開口Ｂ５１０）により、上方とは異なる方向（左方向）に開放している一方、前記第２の空間は、前記カバー部材の内部に形成された第４の開口（２つある開口Ｂ５１０のうちの左側の開口Ｂ５１０）により、上方とは異なる方向（右方向）に開放しており、
前記第１の開口（右側の開口Ｂ４００）と前記第３の開口（右側の開口Ｂ５１０）とが連通する一方、前記第２の開口（左側の開口Ｂ４００）と前記第４の開口（左側の開口Ｂ５１０）とが連通しており、
前記プロジェクタは、前記第３の開口（右側の開口Ｂ５１０）と前記第４の開口（左側の開口Ｂ５１０）との間に配置されており、
前記カバー部材（ブラインドＢ５００）は、前記第１の空間（右側の空間Ｐ）の下端を規定する下端部（水平部Ｂ５０１及び傾斜部Ｂ５０２）を備えるとともに、前記下端部は、前記第１の開口の直下部分から離れるにつれて下降するような傾斜を有する傾斜部（傾斜部Ｂ５０２）を備えており、
前記傾斜部の少なくとも一部は、前記第３の開口の下端（内壁部Ｂ５０５の上端縁Ｂ５０５ａ）よりも下方に位置している、
ことを特徴とする遊技機。
【０２４９】
上記変形例に係る遊技機１によれば、プロジェクタ（プロジェクタ装置Ｂ２）を囲うように配置されたカバー部材（プロジェクタカバーＢ１）には、上方に向けて開放した第１の開口（右側の開口Ｂ４００）及び第２の開口（左側の開口Ｂ４００）が形成されている。また、カバー部材（プロジェクタカバーＢ１）の内部には、上方とは異なる方向（左右方向）に開放した第３の開口（右側の開口Ｂ５１０）及び第４の開口（左側の開口Ｂ５１０）が形成されている。第１の開口（右側の開口Ｂ４００）と第３の開口（右側の開口Ｂ５１０）とは連通しており、これにより第１の空間（右側の空間Ｐ）が形成される一方、第２の開口（左側の開口Ｂ４００）と第４の開口（左側の開口Ｂ５１０）とは連通しており、これにより第２の空間（左側の空間Ｐ）が形成されている。そして、このような第３の開口（右側の開口Ｂ５１０）と第４の開口（左側の開口Ｂ５１０）との間にプロジェクタ（プロジェクタ装置Ｂ２）が配置されている。これにより、カバー部材（プロジェクタカバーＢ１）の外部から第１の開口（右側の開口Ｂ４００）を介して流入した空気は、第１の空間（右側の空間Ｐ）及び第３の開口（右側の開口Ｂ５１０）を経由して、プロジェクタ（プロジェクタ装置Ｂ２）を通過した後、第４の開口（左側の開口Ｂ５１０）及び第２の空間（左側の空間Ｐ）を経由して、第２の開口（左側の開口Ｂ４００）を介してカバー部材（プロジェクタカバーＢ１）の外部に放出される。当該空気は、プロジェクタ（プロジェクタ装置Ｂ２）を通過する際、プロジェクタ（プロジェクタ装置Ｂ２）で発生した熱を吸収することにより温められるところ、温度の高い空気は上方に向かう性質を有する。そのため、プロジェクタ（プロジェクタ装置Ｂ２）を通過した空気は、第２の空間（左側の空間Ｐ）内を上昇し、第２の空間（左側の空間Ｐ）の上方に形成された第２の開口（左側の開口Ｂ４００）からスムーズに排出されることとなる。その結果、このような空気の流れを通じて、プロジェクタ（プロジェクタ装置Ｂ２）で発生した熱を効率よく放出することが可能となり、プロジェクタ（プロジェクタ装置Ｂ２）の冷却効率を高めることができる。
【０２５０】
また、上記変形例に係る遊技機１によれば、カバー部材（ブラインドＢ５００）は、第１の空間（右側の空間Ｐ）の下端を規定する下端部（水平部Ｂ５０１及び傾斜部Ｂ５０２）を備えるとともに、下端部（水平部Ｂ５０１及び傾斜部Ｂ５０２）は、第１の開口（右側の開口Ｂ４００）の直下部分から離れるにつれて下降するような傾斜を有する傾斜部（傾斜部Ｂ５０２）を備えている。従って、第１の開口（右側の開口Ｂ４００）を介して、遊技機の外部からカバー部材（プロジェクタカバーＢ１及びブラインドＢ５００）の内部へと液体（遊技者が注ぎ込んだ飲み物等）が入ってきた場合、当該液体は、第１の開口（右側の開口Ｂ４００）の直下部分から離れるにつれて下降するように、傾斜部（傾斜部Ｂ５０２）を流れることになる。ここで、傾斜部（傾斜部Ｂ５０２）の少なくとも一部は第３の開口（右側の開口Ｂ５１０）の下端（内壁部Ｂ５０５の上端縁Ｂ５０５ａ）よりも下方に位置しているため、当該液体が傾斜部（傾斜部Ｂ５０２）を下降しながら流れて第３の開口（右側の開口Ｂ５１０）の下端（内壁部Ｂ５０５の上端縁Ｂ５０５ａ）よりも下方に到達すると、当該液体よりも第３の開口（右側の開口Ｂ５１０）の下端（内壁部Ｂ５０５の上端縁Ｂ５０５ａ）の方が上方に存在することになるため、当該液体は、第３の開口（右側の開口Ｂ５１０）を通過しにくく、当該液体がプロジェクタ（プロジェクタ装置Ｂ２）の配置されている方へと侵入するということが起こりにくい状態となる。このようにして、上記変形例に係る遊技機１によれば、遊技機の外部から侵入してきた液体等の異物からプロジェクタ（プロジェクタ装置Ｂ２）を保護することができる。
【０２５１】
（７−２）  前記（７−１）の遊技機であって、
前記本体部の上面（キャビネットＧの上面壁Ｇ４）には、前記第１の開口及び前記第２の開口のそれぞれの上方に、第５の開口（２つある開口Ｇ４１のうちの右側の開口Ｇ４１）及び第６の開口（２つある開口Ｇ４１のうちの左側の開口Ｇ４１）が形成されている、
ことを特徴とする。
【０２５２】
上記変形例に係る遊技機１によれば、本体部（キャビネットＧ）の上面（上面壁Ｇ４）には、カバー部材（プロジェクタカバーＢ１）の第１の開口（右側の開口Ｂ４００）及び第２の開口（左側の開口Ｂ４００）のそれぞれの上方に、第５の開口（右側の開口Ｇ４１）及び第６の開口（左側の開口Ｇ４１）が形成されている。これにより、本体部（キャビネットＧ）の第５の開口（右側の開口Ｇ４１）を介して遊技機の外部上方から遊技機の内部に空気を取り入れ、カバー部材（プロジェクタカバーＢ１）の第１の開口（右側の開口Ｂ４００）を介してこの空気をカバー部材（プロジェクタカバーＢ１）の内部に流入させた後、プロジェクタ（プロジェクタ装置Ｂ２）を通過した空気を、カバー部材（プロジェクタカバーＢ１）の第２の開口（左側の開口Ｂ４００）及び本体部（キャビネットＧ）の第６の開口（左側の開口Ｇ４１）を介して遊技機の外部上方に放出することができる。このように、上記変形例に係る遊技機１では、プロジェクタ（プロジェクタ装置Ｂ２）を通過して温められた空気の排出先が遊技機の外部上方となっているが、仮に、当該空気を遊技機の背面から排出することとすれば、遊技店に設置される島設備に熱がこもってしまい、遊技機の制御に悪影響を招来してしまうことが懸念される。また、遊技機の側面から空気を排出することとすれば、温められた空気が隣の遊技機に取り込まれることになり、隣接する遊技機間で温かい空気の悪循環が生じてしまう結果として、プロジェクタ（プロジェクタ装置Ｂ２）の冷却効率を高めることができないと考えられる。さらに、遊技機の前方に空気を排出することとすれば、遊技者の顔に熱風が吹き付けられてしまう恐れがある。この点、上記変形例に係る遊技機１によれば、このような問題を生じさせることなく、プロジェクタ（プロジェクタ装置Ｂ２）で発生した熱を放出するための空気の流れを作り出すことができる。
【０２５３】
一方で、上記変形例に係る遊技機１によれば、本体部の上面（キャビネットＧの上面壁Ｇ４）に形成された第５の開口（右側の開口Ｇ４１）及び第６の開口（左側の開口Ｇ４１）が、カバー部材（プロジェクタカバーＢ１）に形成された第１の開口（右側の開口Ｂ４００）及び第２の開口（左側の開口Ｂ４００）の上方に存在しているため、第５の開口（右側の開口Ｇ４１）又は第６の開口（左側の開口Ｇ４１）を介して遊技機の外部から内部に異物が入った場合、当該異物は、第１の開口（右側の開口Ｂ４００）又は第２の開口（左側の開口Ｂ４００）を介してカバー部材（プロジェクタカバーＢ１及びブラインドＢ５００）の内部に侵入しやすくなっている。そのため、カバー部材（プロジェクタカバーＢ１及びブラインドＢ５００）の内部に入った異物がプロジェクタ（プロジェクタ装置Ｂ２）にまで到達し、プロジェクタ（プロジェクタ装置Ｂ２）に悪影響を及ぼしてしまうことが懸念される。例えば、第５の開口（右側の開口Ｇ４１）から遊技者が飲み物を注入したような場合、当該飲み物が第１の空間（右側の空間Ｐ）及び第３の開口（右側の開口Ｂ５１０）を通過してプロジェクタ（プロジェクタ装置Ｂ２）の内部にまで侵入すると、プロジェクタ（プロジェクタ装置Ｂ２）が故障してしまう恐れがある。この点、上記変形例に係る遊技機１によれば、第５の開口（右側の開口Ｇ４１）及び第１の開口（右側の開口Ｂ４００）を介して遊技機の外部からカバー部材（プロジェクタカバーＢ１及びブラインドＢ５００）の内部へと液体が入ってきた場合であっても、当該液体は、上述したように傾斜部（傾斜部Ｂ５０２）に沿って流れるため、このような事態が発生してしまうことを防止することができる。
【０２５４】
（７−３）  前記（７−１）又は（７−２）の遊技機であって、
前記傾斜部（傾斜部Ｂ５０２）及び前記傾斜部と連続する壁部（後壁部Ｂ５０３、外壁部Ｂ５０４、及び、内壁部Ｂ５０５）によって下方が閉塞した空間が形成されている、
ことを特徴とする。
【０２５５】
上記変形例に係る遊技機１によれば、傾斜部（傾斜部Ｂ５０２）及び傾斜部（傾斜部Ｂ５０２）と連続する壁部（後壁部Ｂ５０３、外壁部Ｂ５０４、及び、内壁部Ｂ５０５）によって下方が閉塞した空間が形成されているため、傾斜部（傾斜部Ｂ５０２）を下降しながら流れてきた液体を当該空間に貯留することができる。これにより、貯留された液体の液面が第３の開口（右側の開口Ｂ５１０）の下端（内壁部Ｂ５０５の上端縁Ｂ５０５ａ）よりも下方に存在する限り、第３の開口（右側の開口Ｂ５１０）を介してプロジェクタ（プロジェクタ装置Ｂ２）の配置空間へと液体が侵入してしまうことを阻止することができる。
【０２５６】
（８−１）  映像を投影することが可能なプロジェクタ（プロジェクタ装置Ｂ２）と、
前記プロジェクタを囲うように配置されたカバー部材（プロジェクタカバーＢ１及びブラインドＢ５００）と、
前記プロジェクタにより投影された映像を表示可能なスクリーン（固定スクリーン機構Ｄ、フロントスクリーン機構Ｅ１、リールスクリーン機構Ｆ１）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記カバー部材（プロジェクタカバーＢ１）には、上方に向けて開放した第１の開口（２つある開口Ｂ４００のうちの右側の開口Ｂ４００）及び第２の開口（２つある開口Ｂ４００のうちの左側の開口Ｂ４００）が形成されており、
前記カバー部材の内部において、前記第１の開口から連通して第１の空間（２つある空間Ｐのうちの右側の空間Ｐ）が形成される一方、前記第２の開口から連通して第２の空間（２つある空間Ｐのうちの左側の空間Ｐ）が形成されており、
前記第１の空間は、前記カバー部材の内部に形成された第３の開口（２つある開口Ｂ５１０のうちの右側の開口Ｂ５１０）により、上方とは異なる方向（左方向）に開放している一方、前記第２の空間は、前記カバー部材の内部に形成された第４の開口（２つある開口Ｂ５１０のうちの左側の開口Ｂ５１０）により、上方とは異なる方向（右方向）に開放しており、
前記第１の開口（右側の開口Ｂ４００）と前記第３の開口（右側の開口Ｂ５１０）とが連通する一方、前記第２の開口（左側の開口Ｂ４００）と前記第４の開口（左側の開口Ｂ５１０）とが連通しており、
前記プロジェクタは、前記第３の開口（右側の開口Ｂ５１０）と前記第４の開口（左側の開口Ｂ５１０）との間に配置されている、
ことを特徴とする遊技機。
【０２５７】
上記変形例に係る遊技機１によれば、プロジェクタ（プロジェクタ装置Ｂ２）を囲うように配置されたカバー部材（プロジェクタカバーＢ１）には、上方に向けて開放した第１の開口（右側の開口Ｂ４００）及び第２の開口（左側の開口Ｂ４００）が形成されている。また、カバー部材（プロジェクタカバーＢ１）の内部には、上方とは異なる方向（左右方向）に開放した第３の開口（右側の開口Ｂ５１０）及び第４の開口（左側の開口Ｂ５１０）が形成されている。第１の開口（右側の開口Ｂ４００）と第３の開口（右側の開口Ｂ５１０）とは連通しており、これにより第１の空間（右側の空間Ｐ）が形成される一方、第２の開口（左側の開口Ｂ４００）と第４の開口（左側の開口Ｂ５１０）とは連通しており、これにより第２の空間（左側の空間Ｐ）が形成されている。そして、このような第３の開口（右側の開口Ｂ５１０）と第４の開口（左側の開口Ｂ５１０）との間にプロジェクタ（プロジェクタ装置Ｂ２）が配置されている。これにより、カバー部材（プロジェクタカバーＢ１）の外部から第１の開口（右側の開口Ｂ４００）を介して流入した空気は、第１の空間（右側の空間Ｐ）及び第３の開口（右側の開口Ｂ５１０）を経由して、プロジェクタ（プロジェクタ装置Ｂ２）を通過した後、第４の開口（左側の開口Ｂ５１０）及び第２の空間（左側の空間Ｐ）を経由して、第２の開口（左側の開口Ｂ４００）を介してカバー部材（プロジェクタカバーＢ１）の外部に放出される。当該空気は、プロジェクタ（プロジェクタ装置Ｂ２）を通過する際、プロジェクタ（プロジェクタ装置Ｂ２）で発生した熱を吸収することにより温められるところ、温度の高い空気は上方に向かう性質を有する。そのため、プロジェクタ（プロジェクタ装置Ｂ２）を通過した空気は、第２の空間（左側の空間Ｐ）内を上昇し、第２の空間（左側の空間Ｐ）の上方に形成された第２の開口（左側の開口Ｂ４００）からスムーズに排出されることとなる。その結果、このような空気の流れを通じて、プロジェクタ（プロジェクタ装置Ｂ２）で発生した熱を効率よく放出することが可能となり、プロジェクタ（プロジェクタ装置Ｂ２）の冷却効率を高めることができる。
【０２５８】
（８−２）  前記（８−１）の遊技機であって、
前記プロジェクタは、第１の通気口（吸気口Ｂ２２Ａ）及び第２の通気口（排気口Ｂ２２Ｅ）と、前記第１の通気口と前記第２の通気口との間に配置されたファン（吸気用ファン２４４Ａ・２４４Ｂ）とを備え、
前記第１の通気口（吸気口Ｂ２２Ａ）と前記第３の開口（右側の開口Ｂ５１０）とが対向する一方、前記第２の通気口（排気口Ｂ２２Ｅ）と前記第４の開口（左側の開口Ｂ５１０）とが対向するように、前記プロジェクタが配置されている、
ことを特徴とする。
【０２５９】
上記変形例に係る遊技機１によれば、プロジェクタ（プロジェクタ装置Ｂ２）には、第１の通気口（吸気口Ｂ２２Ａ）と第２の通気口（排気口Ｂ２２Ｅ）とが設けられるとともに、第１の通気口（吸気口Ｂ２２Ａ）と第２の通気口（排気口Ｂ２２Ｅ）との間にファン（吸気用ファン２４４Ａ・２４４Ｂ）が備えられており、第１の通気口（吸気口Ｂ２２Ａ）が第３の開口（右側の開口Ｂ５１０）と対向し第２の通気口（排気口Ｂ２２Ｅ）が第４の開口（左側の開口Ｂ５１０）と対向するようにプロジェクタ（プロジェクタ装置Ｂ２）が配置されるため、ファン（吸気用ファン２４４Ａ・２４４Ｂ）によって強制的に吸気することにより、上記のような空気の流れをスムーズに作り出すことができる。
【０２６０】
（８−３）  前記（８−１）又は（８−２）の遊技機であって、
前記本体部の上面（キャビネットＧの上面壁Ｇ４）には、前記第１の開口及び前記第２の開口のそれぞれの上方に、第５の開口（２つある開口Ｇ４１のうちの右側の開口Ｇ４１）及び第６の開口（２つある開口Ｇ４１のうちの左側の開口Ｇ４１）が形成されており、
前記プロジェクタは、前記スクリーンの上方に配置されるように、前記本体部に収容されている、
ことを特徴とする。
【０２６１】
上記変形例に係る遊技機１によれば、本体部（キャビネットＧ）の上面（上面壁Ｇ４）には、カバー部材（プロジェクタカバーＢ１）の第１の開口（右側の開口Ｂ４００）及び第２の開口（左側の開口Ｂ４００）のそれぞれの上方に、第５の開口（右側の開口Ｇ４１）及び第６の開口（左側の開口Ｇ４１）が形成されている。これにより、本体部（キャビネットＧ）の第５の開口（右側の開口Ｇ４１）を介して遊技機の外部上方から遊技機の内部に空気を取り入れ、カバー部材（プロジェクタカバーＢ１）の第１の開口（右側の開口Ｂ４００）を介してこの空気をカバー部材（プロジェクタカバーＢ１）の内部に流入させた後、プロジェクタ（プロジェクタ装置Ｂ２）を通過した空気を、カバー部材（プロジェクタカバーＢ１）の第２の開口（左側の開口Ｂ４００）及び本体部（キャビネットＧ）の第６の開口（左側の開口Ｇ４１）を介して遊技機の外部上方に放出することができる。このように、上記変形例に係る遊技機１では、プロジェクタ（プロジェクタ装置Ｂ２）を通過して温められた空気の排出先が遊技機の外部上方となっているが、仮に、当該空気を遊技機の背面から排出することとすれば、遊技店に設置される島設備に熱がこもってしまい、遊技機の制御に悪影響を招来してしまうことが懸念される。また、遊技機の側面から空気を排出することとすれば、温められた空気が隣の遊技機に取り込まれることになり、隣接する遊技機間で温かい空気の悪循環が生じてしまう結果として、プロジェクタ（プロジェクタ装置Ｂ２）の冷却効率を高めることができないと考えられる。さらに、遊技機の前方に空気を排出することとすれば、遊技者の顔に熱風が吹き付けられてしまう恐れがある。この点、上記変形例に係る遊技機１によれば、このような問題を生じさせることなく、プロジェクタ（プロジェクタ装置Ｂ２）で発生した熱を放出するための空気の流れを作り出すことができる。
【０２６２】
また、上記変形例に係る遊技機１によれば、プロジェクタ（プロジェクタ装置Ｂ２）は、スクリーン（固定スクリーン機構Ｄ、フロントスクリーン機構Ｅ１、リールスクリーン機構Ｆ１）の上方に配置されるように本体部（キャビネットＧ）に収容され、プロジェクタ（プロジェクタ装置Ｂ２）の配置位置が本体部の上面（キャビネットＧの上面壁Ｇ４）に近くなっている。従って、本体部の上面（キャビネットＧの上面壁Ｇ４）に形成された第５の開口（右側の開口Ｇ４１）及び第６の開口（左側の開口Ｇ４１）とプロジェクタ（プロジェクタ装置Ｂ２）との距離も短く、それに伴い、第５の開口（右側の開口Ｇ４１）及び第６の開口（左側の開口Ｇ４１）とプロジェクタ（プロジェクタ装置Ｂ２）との間に存在する部材や装置の数は比較的少なくなっている。そのため、第５の開口（右側の開口Ｇ４１）から取り入れた空気をプロジェクタ（プロジェクタ装置Ｂ２）を経由して第６の開口（左側の開口Ｇ４１）から排出するような流路を設計するに当たって、途中に存在する部材や装置を避けるために複雑な迂回経路を作る必要がなく、比較的容易に空気流路の設計を行うことができる。
【０２６３】
以上、上述した実施形態では、本発明をパチスロ遊技機に適用した場合について説明した。以下、図４７〜図５１を用いて、本発明をパチンコ遊技機に適用した変形例について説明する。
【０２６４】
図４７は、パチンコ遊技機の外観を示す斜視図である。図４８は、パチンコ遊技機の分解斜視図である。図４９は、パチンコ遊技機の装飾ユニット及びフレーム部材を前方から示す分解斜視図である。
【０２６５】
図４７及び図４８に示すように、パチンコ遊技機６１００は、ガラスドア６１１１、木枠６１１２、ベースドア６１１３、遊技盤６１１４、皿ユニット６１１５、遊技球を発射する発射装置６１２２、各種の制御基板を含む基板ユニット６１２３、遊技価値としての遊技球を付与する球払出ユニットなどから構成されている。
【０２６６】
上述したガラスドア６１１１は、ベースドア６１１３に対して開閉自在に軸着されている。また、このガラスドア６１１１の中央には、開口６１１６が形成されており、その開口６１１６には、透過性を有する保護ガラス６１２４が配設されている。また、上述した木枠６１１２は、その前方にベースドア６１１３が軸着される。
【０２６７】
上述した皿ユニット６１１５は、ガラスドア６１１１の下方に位置するように、ベースドア６１１３に配設されている。皿ユニット６１１５には、その上方に上皿６１２５が、その下方に下皿６１２６が設けられている。上皿６１２５及び下皿６１２６には、遊技球の貸し出し、遊技球の払出し（賞球）を行うための払出口６１３１Ａ、６１３１Ｂが形成されており、所定の払出条件が成立した場合には、遊技球が排出され、特に、上皿６１２５には、遊技領域６１４１に発射させるための遊技球が貯留されることとなる。
【０２６８】
上述した発射装置６１２２は、皿ユニット６１１５の側方に位置するように、ベースドア６１１３に配設されている。この発射装置６１２２には、遊技者によって操作可能な発射ハンドル６１３２が配設されており、遊技者によって発射ハンドル６１３２が操作されることによりパチンコ遊技を進めることができる。この発射ハンドル６１３２が遊技者によって握持され、かつ、時計回り方向へ回動操作されたときには、その回動角度に応じて発射モータに電力が供給され、上皿６１２５に貯留された遊技球が遊技盤に順次発射される。
【０２６９】
上述した遊技盤６１１４は、保護ガラス６１２４の後方に位置するように、ベースドア６１１３の前方に配設されている。遊技盤６１１４は、その前面に、発射された遊技球が転動可能な遊技領域６１４１を有している。この遊技領域６１４１は、ガイドレールなどに囲まれ、遊技球が転動可能な領域である。このように、発射装置６１２２によって発射された遊技球は、遊技盤上に設けられたガイドレールに案内されて遊技盤６１１４の上部に移動し、その後、遊技領域６１４１に設けられた複数の障害釘との衝突によりその進行方向を変えながら遊技盤の上方から下方に向かって流下することとなる。
【０２７０】
図４７に示すように、ガラスドア６１１１の前面における上部領域には、装飾ユニット６２５８が設けられている。装飾ユニット６２５８は、パチンコ遊技機６１００の前方に突出するように配置されている。
【０２７１】
装飾ユニット６２５８の内部には空洞が形成されており、該空洞には、上述した実施形態で説明した照射ユニットＢが配設されている。図４７では、装飾ユニット６２５８の上方から装飾ユニット６２５８の内部を透視した状態を示している。
【０２７２】
図４８に示すように、遊技盤６１１４の背面側には、スクリーン装置Ｃ（図５参照）が配置されている。これにより、上述した実施形態と同様に、照射ユニットＢのプロジェクタ装置Ｂ２から出射された光をスクリーン装置Ｃのスクリーン（固定スクリーン機構Ｄ、フロントスクリーン機構Ｅ１、及び、リールスクリーン機構Ｆ１）に照射させることができるようになっている。
【０２７３】
装飾ユニット６２５８は、フレーム部材６２１１（図４９参照）の上部に取り付けられる。図示しないが、フレーム部材６２１１は、ガラスドア６１１１の背面側に固定されている。
【０２７４】
図４９に示すように、照射ユニットＢは、フレーム部材６２１１の上部に取り付けられる。照射ユニットＢがフレーム部材６２１１に取り付けられた状態でフレーム部材６２１１に対して装飾ユニット６２５８を取り付けることにより、装飾ユニット６２５８の内部空間に照射ユニットＢが収納される。
【０２７５】
また、フレーム部材６２１１の上部には、照射ユニットＢの左右双方において、スピーカ６１５２とスピーカホルダ６１５２Ａとが一体となって取り付けられている。一方、装飾ユニット６２５８には、右側及び左側にそれぞれ、スピーカ用孔６１５１Ａ，６１５１Ｂが設けられている。スピーカ用孔６１５１Ａ，６１５１Ｂは、メッシュ状の開口として形成されている。
【０２７６】
フレーム部材６２１１に装飾ユニット６２５８が取り付けられた状態において、スピーカ用孔６１５１Ａ，６１５１Ｂは、それぞれ、スピーカ６１５２の前方を覆っており、スピーカ用孔６１５１Ａ，６１５１Ｂを介して、スピーカ６１５２から発生した音をパチンコ遊技機６１００の外部に放出することができるようになっている。
【０２７７】
ここで、スピーカ用孔６１５１Ａは、パチンコ遊技機６１００の外部から空気を取り込むための通気口としても機能する。図４９に示すように、照射ユニットＢの前部右側には、吸気用ファン６２４４が配設されている。これにより、スピーカ用孔６１５１Ａを介して、パチンコ遊技機６１００の外部前方から、パチンコ遊技機６１００の内部に空気が取り入れられる。
【０２７８】
この空気は、第２実施形態と同様に、プロジェクタカバーＢ１の開口Ｂ４００Ｒ（２つある開口Ｂ４００のうちの右側の開口Ｂ４００）を介して、プロジェクタカバーＢ１の内部に取り入れられ、プロジェクタ装置Ｂ２で発生した熱を奪いながらプロジェクタカバーＢ１内を進行し、開口Ｂ４００Ｌ（２つある開口Ｂ４００のうちの左側の開口Ｂ４００）を介して、プロジェクタカバーＢ１の外部に出る。
【０２７９】
プロジェクタカバーＢ１の外部に出た空気は、フレーム部材６２１１に形成された貫通孔６２４５を通過して後方へと移動し、パチンコ遊技機６１００の背面側から外部に放出される。
【０２８０】
以上で説明した空気の流れを図４７及び図４９中に矢印で示している。第２実施形態では、遊技機１の外部上方から空気を取り入れ、遊技機１の外部上方へと空気を排出する場合について説明した。これに対し、本変形例では、パチンコ遊技機６１００の外部前方から空気を取り入れ、パチンコ遊技機６１００の外部後方へと空気を排出することとしている。このように、本発明において、プロジェクタを冷却するための空気を取り入れる方向及び排出する方向は、特に限定されず、プロジェクタの配置位置やプロジェクタ周辺の構造等に応じて適宜設計することができる。
【０２８１】
なお、パチンコ遊技機は、パチスロ遊技機と比較して、遊技機の前後方向における奥行きが短いため、同じ島設備において一のパチンコ遊技機の背面側に他のパチンコ遊技機が設置されている場合、これらのパチンコ遊技機の間には比較的大きなスペースが存在する。従って、プロジェクタにより温められた空気をパチンコ遊技機の背面から排出したとしても、パチンコ遊技機の島設備においては、パチスロ遊技機の島設備ほど熱がこもってしまうことはないと考えられる。
【０２８２】
以下、他の変形例として、パチンコ遊技機６１００の外部右側から空気を取り入れ、パチンコ遊技機６１００の外部左側へと空気を排出する場合について、図５０を用いて説明する。図５０は、パチンコ遊技機の外観を示す斜視図である。
【０２８３】
図５０に示すように、装飾ユニット６２５８の右側面には、開口６３００Ｒが形成されている。これにより、開口６３００Ｒを介して、パチンコ遊技機６１００の外部右側から、パチンコ遊技機６１００の内部に空気が取り入れられる。
【０２８４】
この空気は、上述した変形例と同様に、プロジェクタカバーＢ１の開口Ｂ４００Ｒ（２つある開口Ｂ４００のうちの右側の開口Ｂ４００）を介して、プロジェクタカバーＢ１の内部に取り入れられ、プロジェクタ装置Ｂ２で発生した熱を奪いながらプロジェクタカバーＢ１内を進行し、開口Ｂ４００Ｌ（２つある開口Ｂ４００のうちの左側の開口Ｂ４００）を介して、プロジェクタカバーＢ１の外部に出る。
【０２８５】
図には表れていないが、装飾ユニット６２５８の左側面にも、右側面と同様に、開口（開口６３００Ｌ）が形成されている。これにより、開口Ｂ４００ＬからプロジェクタカバーＢ１の外部に出た空気は、開口６３００Ｌからパチンコ遊技機６１００の外部に放出される。
【０２８６】
このような空気の流れを図５０中に矢印で示している。本変形例では、空気の排出方向を遊技機の側方としていることに起因して、温められた空気が隣の遊技機に取り込まれてしまう可能性があると考えられる。このような事態が発生することを防止するため、空気の排出方向を遊技機の側方とする場合には、例えば、装飾ユニット６２５８の左右方向の幅をもっと短くする等して、一のパチンコ遊技機における排気口（開口６３００Ｌ）と、該パチンコ遊技機の隣に設置されたパチンコ遊技機における吸気口（開口６３００Ｒ）とが、ある程度離れるように構成されていることが望ましい。
【０２８７】
以下、図５１を用いて、他の変形例について説明する。図５１は、パチンコ遊技機の分解斜視図である。
【０２８８】
上述した変形例では、照射ユニットＢがフレーム部材６２１１に取り付けられることとして説明した。これに対し、図５１に示す例において、照射ユニットＢは、ベースドア６１１３に取り付けられている。また、スピーカ６１５２も、ベースドア６１１３に取り付けられている。このような変形例においても、上述した例と同様の空気流路を形成することができる。
【０２８９】
図５１では、照射ユニットＢがベースドア６１１３の前側に取り付けられる様子を示しているが、照射ユニットＢは、ベースドア６１１３の後側に取り付けることとしてもよい。本発明において、照射ユニットＢは、遊技盤よりも前方に設置されてもよいし、遊技盤よりも後方に設置されてもよい。照射ユニットＢを遊技盤よりも後方に設置する場合には、遊技盤の背面側にスペースを形成しつつ、当該スペースを利用することにより、照射ユニットＢを配設することができる。
【０２９０】
例えば、遊技盤の中央に開口部分を備え、その開口部分に照射ユニットの前部が貫通するように、ベースドア又は遊技盤、その他パチンコ遊技機の後方部材に照射ユニットを配設するようにしてもよい。その場合、従来から存在する一般的なパチンコ遊技機（遊技盤の中央に開口を備え、その開口を通じて遊技盤の後方にある液晶表示装置等を視認可能とする構成のパチンコ遊技機）の遊技盤をそのまま転用することも可能となる。例えば、液晶表示装置を取り払い、スクリーン機構を配設し、さらに遊技盤等の後方部材に照射ユニットを配設することにより、遊技盤の形状を従来のままにしつつ、照射ユニット及びスクリーン機構を搭載した新たな遊技機とすることが可能となる。そのような構成を採用する場合、照射ユニットの前方の一部は遊技盤よりも前方に突出しているため、パチンコ遊技機の後方のスペースをより大きく確保することができる。そうすることで、島設備の狭い遊技場において、島設備全体に照射ユニット付きのパチンコ遊技機を設置した際に、島設備内の温度上昇を低減させることが可能となる。さらに、遊技者から視認可能となる照射ユニットの前方（例えば、リフレクタ保持部Ｂ１１辺り）に、機種に応じたロゴ等の装飾部材を配置したり、補助的な装飾を行う小型サイズの液晶表示装置、電飾基板等を配置したりすることにより、照射ユニットが遊技者から見えないように目隠しすることができ、さらに演出効果を高めることが可能となる。
【０２９１】
なお、スクリーン装置Ｃは、照射ユニットＢに取り付けられた状態で設置されてもよいし、照射ユニットＢとは分離した状態で設置されてもよい。
【０２９２】
以上で説明した変形例では、空気の排出方向を遊技機の後方又は側方としているが、第２実施形態と同様に、遊技機の上方から空気を排出することとしてもよい。空気の排出方向を上方とする場合には、例えば、装飾ユニット６２５８（ガラスドア６１１１）の上面に排気用の開口を形成すればよい。この場合において、照射ユニットＢを遊技盤よりも後方に設置する場合には、空気の通路を確保するために、遊技盤にも適宜開口を形成すればよい。
【０２９３】
本発明においては、空気を取り入れる方向及び排出する方向、並びに、空気を流す経路に応じて、空気流路上に存在する部材に対して、適宜開口を形成することが可能である。空気流路に応じて、管状のダクトを設けることとしてもよい。
【０２９４】
また、空気の流れをスムーズにするために、吸気用ファン及び／又は排気用ファンを適宜配設することが可能である。例えば、空気を取り入れるための開口（例えば、図５０の開口６３００Ｒ）とプロジェクタカバーＢ１の開口Ｂ４００Ｒとの間に吸気用ファン（例えば、図４９の吸気用ファン６２４４）を配設したり、空気を排出するための開口（例えば、図５０の開口６３００Ｌ）とプロジェクタカバーＢ１の開口Ｂ４００Ｌとの間に排気用ファンを配設したりすることが可能である。もっとも、照射ユニットＢの内部に設けられたファンにより吸気や排気が充分に行われるのであれば、照射ユニットＢの外部にはファンを配設しなくてもよい。
【０２９５】
なお、上述した変形例では、図４５で説明したプロジェクタカバーＢ１が採用されるものとして図示しているが、プロジェクタカバーの構成は特に限定されず、プロジェクタの冷却用の空気を取り入れるための開口、及び、当該空気を排出するための開口が形成されたプロジェクタカバーを適宜採用することができる。これらの開口は、プロジェクタカバーの前方や後方、上方や下方、側方等、任意の場所に形成することが可能であり、プロジェクタの冷却効率等を勘案して、開口の形成位置を適宜決定することができる。さらに、プロジェクタは、プロジェクタカバーによって覆われずに、露出した状態で遊技機の内部に配設されていてもよく、遊技機の外部から取り入れた冷却用の空気をプロジェクタに直接（プロジェクタカバーを経由することなく）当てるように構成することも可能である。
【０２９６】
［第３実施形態］
以上、第１実施形態及び第２実施形態について説明した。以下、第３実施形態について説明する。第３実施形態に係る遊技機１の基本的な構成は、第１実施形態及び第２実施形態に係る遊技機１と同じである。以下においては、第１実施形態及び第２実施形態に係る遊技機１の構成要素と同一の構成要素には、同一の符号を付して説明することとする。また、第１実施形態及び第２実施形態における説明が第３実施形態においても当てはまる部分については、説明を省略することとする。
【０２９７】
＜表示ユニット９０００＞
図５２は、表示ユニットの外観を示す斜視図である。図５３は、表示ユニットの内部構造を示す斜視図である。図５４は、図５３に示す表示ユニットからプロジェクタ及びミラーを分解した状態を示す斜視図である。図５５は、図５２に示す表示ユニットからプロジェクタ及びミラーを分解した状態においてプロジェクタから光が投射されている様子を示す斜視図である。
【０２９８】
図５２に示す表示ユニット９０００は、第１実施形態で説明した表示ユニットＡと同様に、キャビネットＧ内の中間支持板Ｇ１（図５参照）上に交換可能に載置される。
【０２９９】
図５２〜図５４に示すように、表示ユニット９０００は、ユニット用筐体９０１０と、プロジェクタ９０２０と、ミラー９０３０と、キャビネット側スクリーン９０４０と、を備えている。
【０３００】
ユニット用筐体９０１０は、水平配置された底板９０１１と、底板９０１１の右端部に立設された右側板９０１２と、底板９０１１の左端部に立設された左側板９０１３と、底板９０１１の後端部に立設された背板９０１４と、を有している。底板９０１１に対して右側板９０１２と左側板９０１３と背板９０１４とがネジ締結により連結されることによって、前面側と上面側とが開放された箱形形状の筐体が形成されている。
【０３０１】
背板９０１４には、プロジェクタ９０２０を設置するためのプロジェクタ設置用部材９０１５が取り付けられている。プロジェクタ９０２０は、プロジェクタ設置用部材９０１５の前方部に係合されることにより、ユニット用筐体９０１０内に設置される。
【０３０２】
プロジェクタ９０２０は、第１実施形態で説明したプロジェクタ装置Ｂ２（図１２参照）と同様の構成（例えば、投射レンズ２１０と同様の構成を有するレンズ等）を有しており、画像を含む光を投射することが可能である。プロジェクタ９０２０は、レンズが下側となるように設置され、これにより、プロジェクタ９０２０から投射された光は、下向きに進行する。
【０３０３】
プロジェクタ設置用部材９０１５の下方には、ミラー９０３０を設置するためのミラー設置部９０１６が形成されている。ミラー設置部９０１６は、背板９０１４から底板９０１１にかけて傾斜する傾斜辺９０１６ａ及び９０１６ｂを有している。
【０３０４】
ミラー９０３０は、第１実施形態で説明した光学ミラーＢ３２（図７参照）と同様の構成を有しており、プロジェクタ９０２０から投射された光を反射することが可能である。ミラー９０３０は、ミラー設置部９０１６の傾斜辺９０１６ａ及び９０１６ｂに沿うように設置される。これにより、ミラー９０３０は、後方よりも前方の方が低くなるような傾斜を有する姿勢となる。
【０３０５】
その結果、プロジェクタ９０２０から投射されて下向きに進行した光は、ミラー９０３０によって前方に向けて反射される（図５５参照）。図５５では、光の照射範囲を斜線で示している。なお、図５５に示すプロジェクタ９０２０とミラー９０３０との相対的な位置関係は、図５３に示す状態（プロジェクタ９０２０及びミラー９０３０がユニット用筐体９０１０内に設置された状態）におけるこれらの相対的な位置関係と同じとなっている。すなわち、図５５は、図５３に示す状態におけるプロジェクタ９０２０とミラー９０３０との相対的な位置関係を保ちつつ、これらを分解して示した図である。
【０３０６】
底板９０１１の前方部には、キャビネット側スクリーン９０４０が嵌合されることにより、立設されている。これにより、プロジェクタ９０２０から投射された後ミラー９０３０によって前方に向けて反射された光は、キャビネット側スクリーン９０４０に対して後方（背面側）から入射する。
【０３０７】
キャビネット側スクリーン９０４０は、正面視長方形の形状を有しており、全面にわたって均等な厚みを有するように形成されている。キャビネット側スクリーン９０４０は、後方から投影像が投影されることで表示される透過式のものであり、プロジェクタ９０２０から投射された光が入射する一様に平坦な背面側の入射面９０４０ａと、入射面９０４０ａに入射した光が透過することで投影像が投影される前面側の表示面９０４０ｂと、を有する。キャビネット側スクリーン９０４０は、例えば、透光性を有するガラス板、アクリル板、樹脂製フィルムを主たる素材として形成され、非投影時に乳白色、半透明、あるいはグレー色を呈する。
【０３０８】
このようなキャビネット側スクリーン９０４０の入射面９０４０ａに対して、プロジェクタ９０２０から投射された光が入射することによって、キャビネット側スクリーン９０４０の表示面９０４０ｂに、遊技に関する画像（静止画像や動画像）が表示される。なお、動画像とは、多数の静止画像から構成され、多数の静止画像が経時的に連続して変化することにより得られるものである。本明細書において、動画像と映像とは同義である。
【０３０９】
＜光の照射範囲とキャビネット側スクリーン９０４０との関係＞
図５６は、プロジェクタから投射された光の照射範囲とキャビネット側スクリーンとの関係を示す図である。
【０３１０】
図５６では、キャビネット側スクリーン９０４０（表示面９０４０ｂ）を網掛けで示している。プロジェクタ９０２０から投射された光の照射範囲は、キャビネット側スクリーン９０４０よりも広くなっている。具体的に、プロジェクタ９０２０から投射された光は、キャビネット側スクリーン９０４０（入射面９０４０ａ）の全面（図５６において網掛けで示す領域）に入射するとともに、キャビネット側スクリーン９０４０の周縁領域を通過する。図５６では、プロジェクタ９０２０から投射された光の照射範囲のうち、キャビネット側スクリーン９０４０の周縁領域を斜線で示している。
【０３１１】
プロジェクタ９０２０から投射された光のうち、キャビネット側スクリーン９０４０に入射せず、図５６において斜線で示す領域を通過した光は、キャビネット側スクリーン９０４０の前方へと進行する。キャビネット側スクリーン９０４０の前方へと進行した光のうちの一部は、以下で説明するように、上ドア機構ＵＤのドア側右スクリーン９０５０及びドア側左スクリーン９０６０に入射することとなる（図６１（ｂ）及び（ｃ）参照）。
【０３１２】
＜上ドア機構ＵＤ＞
図５７は、上ドア機構を後方から見た斜視図である。図５８は、上ドア機構の分解斜視図である。図５９は、上ドア機構を前方から見た斜視図である。図６０は、遊技機の正面図である。
【０３１３】
第１実施形態で説明したように、キャビネットＧの内部は、中間支持板Ｇ１により上部空間と下部空間とに仕切られている（図５参照）。図５７に示す上ドア機構ＵＤは、第１実施形態に係る上ドア機構ＵＤ（図４参照）と同様に、キャビネットＧにおける上部空間の前方に配置され、キャビネットＧにおける開口の上部を閉塞することが可能なように設けられている。
【０３１４】
図５８に示すように、上ドア機構ＵＤは、上ドア機構ＵＤの骨格を成すパネルベースＨＨを有している。パネルベースＨＨの前面側には、パネル機構ＨＡ・ＨＢ・ＨＣ・ＨＤ・ＨＥ・ＨＦ・ＨＧが設けられている。また、上ドア機構ＵＤは、上側表示窓ＵＤ１（図３参照）を中央部（正面視においてキャビネット側スクリーン９０４０と重畳する位置）に有しており、上側表示窓ＵＤ１には、透明パネルＵＤ１１が設けられている。これにより、キャビネット側スクリーン９０４０に画像が表示された場合、当該画像が遊技者から視認可能となる。
【０３１５】
図５９及び図６０に示すように、透明パネルＵＤ１１（上側表示窓ＵＤ１）の右側の若干奥まった位置には、ドア側右スクリーン９０５０が設けられている。透明パネルＵＤ１１（上側表示窓ＵＤ１）の左側の若干奥まった位置には、ドア側左スクリーン９０６０が設けられている。ドア側右スクリーン９０５０とドア側左スクリーン９０６０とは、略同一の形状を有している。
【０３１６】
ドア側右スクリーン９０５０及びドア側左スクリーン９０６０は、平坦なスクリーンを湾曲させた形状（例えば、円筒を半分に割った半円筒形状）を有しており、第１実施形態で説明したリールスクリーン機構Ｆ１（図１０参照）の側面視における形状と同様、上面視（底面視）における形状が円弧形状となっている。ドア側右スクリーン９０５０及びドア側左スクリーン９０６０は、全面にわたって均等な厚みを有するように形成されている。
【０３１７】
ドア側右スクリーン９０５０及びドア側左スクリーン９０６０は、キャビネット側スクリーン９０４０と同様に、後方から投影像が投影されることで表示される透過式のものである。ドア側右スクリーン９０５０及びドア側左スクリーン９０６０は、例えば、透光性を有するガラス板、アクリル板、樹脂製フィルムを主たる素材として形成され、非投影時に乳白色、半透明、あるいはグレー色を呈する。
【０３１８】
ドア側右スクリーン９０５０は、プロジェクタ９０２０から投射された光が入射する背面側の入射面９０５０ａと、入射面９０５０ａに入射した光が透過することで投影像が投影される前面側の表示面９０５０ｂと、を有する。ドア側左スクリーン９０６０は、プロジェクタ９０２０から投射された光が入射する背面側の入射面９０６０ａと、入射面９０６０ａに入射した光が透過することで投影像が投影される前面側の表示面９０６０ｂと、を有する。
【０３１９】
ドア側右スクリーン９０５０及びドア側左スクリーン９０６０は、それぞれ、曲率中心が背面側となるように配置されている。すなわち、ドア側右スクリーン９０５０の入射面９０５０ａ及び表示面９０５０ｂ、並びに、ドア側左スクリーン９０６０の入射面９０６０ａ及び表示面９０６０ｂは、プロジェクタ９０２０から投射された光の進行方向下流側に凸となっている。
【０３２０】
図５７では、上ドア機構ＵＤが閉じられた状態におけるドア側右スクリーン９０５０及びドア側左スクリーン９０６０と、キャビネットＧ内に配置されたキャビネット側スクリーン９０４０との位置関係を示している。図中、キャビネット側スクリーン９０４０は、仮想線で示している。
【０３２１】
図５７に示すように、ドア側右スクリーン９０５０の左端を構成する辺（図６０に示す辺９０５０ｃ）と、キャビネット側スクリーン９０４０の右端を構成する辺（図５２に示す辺９０４０ｃ）とは、近接（あるいは略当接）しており、ドア側右スクリーン９０５０の辺９０５０ｃがキャビネット側スクリーン９０４０の辺９０４０ｃよりも僅かに右側に位置している。また、ドア側左スクリーン９０６０の右端を構成する辺（図６０に示す辺９０６０ｃ）と、キャビネット側スクリーン９０４０の左端を構成する辺（図５２に示す辺９０４０ｄ）とは、近接（あるいは略当接）しており、ドア側左スクリーン９０６０の辺９０６０ｃがキャビネット側スクリーン９０４０の辺９０４０ｄよりも僅かに左側に位置している。
【０３２２】
ドア側右スクリーン９０５０の辺９０５０ｃ、ドア側左スクリーン９０６０の辺９０６０ｃ、並びに、キャビネット側スクリーン９０４０の辺９０４０ｃ及び辺９０４０ｄは、前後方向における位置が略同一となっている。すなわち、ドア側右スクリーン９０５０の後端（辺９０５０ｃ）及びドア側左スクリーン９０６０の後端（辺９０６０ｃ）は、それぞれ、キャビネット側スクリーン９０４０の表示面９０４０ｂと略同一平面上に位置している。ドア側右スクリーン９０５０及びドア側左スクリーン９０６０は、前方に凸となるように湾曲しているため、ドア側右スクリーン９０５０及びドア側左スクリーン９０６０は、全体的に、キャビネット側スクリーン９０４０の前方に位置していることになる。
【０３２３】
また、ドア側右スクリーン９０５０の下端を構成する辺（図６０に示す辺９０５０ｄ）、ドア側左スクリーン９０６０の下端を構成する辺（図６０に示す辺９０６０ｄ）、及び、キャビネット側スクリーン９０４０の下端を構成する辺（図５２に示す辺９０４０ｅ）は、上下方向における位置（高さ）が略同一となっている（これらの３つの辺は、略同一平面上に位置している）。また、ドア側右スクリーン９０５０及びドア側左スクリーン９０６０の上下方向の長さ（辺９０５０ｃ及び辺９０６０ｃ）は、キャビネット側スクリーン９０４０の上下方向の長さ（辺９０４０ｃ及び辺９０４０ｄ）よりも長くなっている。これにより、ドア側右スクリーン９０５０、ドア側左スクリーン９０６０、及び、キャビネット側スクリーン９０４０は、下端が略同一高さに位置し、キャビネット側スクリーン９０４０よりもドア側右スクリーン９０５０及びドア側左スクリーン９０６０の方が背の高い構成となっている。
【０３２４】
＜キャビネット側スクリーン９０４０、ドア側右スクリーン９０５０、及び、ドア側左スクリーン９０６０への画像の表示＞
図６１（ａ）は、プロジェクタから投射された光の照射範囲とキャビネット側スクリーンとの関係を示す図である。図６１（ｂ）は、キャビネット側スクリーンに入射しなかった光がドア側右スクリーンに入射する様子を示す図である。図６１（ｃ）は、キャビネット側スクリーンに入射しなかった光がドア側左スクリーンに入射する様子を示す図である。図６２及び図６３は、キャビネット側スクリーン、ドア側右スクリーン、及び、ドア側左スクリーンに表示される画像について説明するための図である。
【０３２５】
図６１（ａ）では、図５６において斜線で示した領域（プロジェクタ９０２０から投射された光の照射範囲のうち、キャビネット側スクリーン９０４０の周縁領域）を、便宜上３つの領域（領域Ｉ、領域ＩＩ、及び、領域ＩＩＩ）に分けて示している。領域Ｉは、キャビネット側スクリーン９０４０の右側に位置する領域である。領域ＩＩは、キャビネット側スクリーン９０４０の左側に位置する領域である。領域ＩＩＩは、キャビネット側スクリーン９０４０の上側に位置する領域である。なお、図６１（ａ）では、図５６と同様、キャビネット側スクリーン９０４０（表示面９０４０ｂ）を網掛けで示している。
【０３２６】
上述したように、プロジェクタ９０２０から投射された光のうちの一部は、キャビネット側スクリーン９０４０の入射面９０４０ａに入射する。これにより、キャビネット側スクリーン９０４０の表示面９０４０ｂに画像が表示される。
【０３２７】
また、図６１（ｂ）に示すように、プロジェクタ９０２０から投射された光のうち、キャビネット側スクリーン９０４０に入射せず、図６１（ａ）における領域Ｉを通過した光は、ドア側右スクリーン９０５０の入射面９０５０ａに入射する。これにより、ドア側右スクリーン９０５０の表示面９０５０ｂに画像が表示される。
【０３２８】
同様に、図６１（ｃ）に示すように、プロジェクタ９０２０から投射された光のうち、キャビネット側スクリーン９０４０に入射せず、図６１（ａ）における領域ＩＩを通過した光は、ドア側左スクリーン９０６０の入射面９０６０ａに入射する。これにより、ドア側左スクリーン９０６０の表示面９０６０ｂに画像が表示される。
【０３２９】
以上のようにして、キャビネット側スクリーン９０４０、ドア側右スクリーン９０５０、及び、ドア側左スクリーン９０６０のそれぞれに、画像（遊技に関する静止画像や動画像）が表示される。本実施形態では、３つのスクリーン（キャビネット側スクリーン９０４０、ドア側右スクリーン９０５０、及び、ドア側左スクリーン９０６０）に表示される各画像と、１つの画像データとが対応しており、１つの画像データを用いることにより３つのスクリーンのそれぞれに画像を表示することができる。
【０３３０】
図６２及び図６３では、このような画像データについて示している。図６２（ａ）において網掛けで示す領域（領域Ａ）は、キャビネット側スクリーン９０４０に表示される画像を示す情報を含んでいる。図６２（ａ）において斜線で示す領域（領域Ｂ）は、ドア側右スクリーン９０５０に表示される画像を示す情報を含んでいる。図６２（ａ）において斜線で示す領域（領域Ｃ）は、ドア側左スクリーン９０６０に表示される画像を示す情報を含んでいる。図６２（ａ）における残りの領域（領域Ｄ）は、画素値が０の情報を含んでいる。画素値とは、プロジェクタ９０２０の備える液晶パネルに形成された画素の光透過率に対応している。画素値が０であることは、光透過率が最小であることを示しており、画素値が０である領域に対応するスクリーンの表示面は黒色となる。
【０３３１】
図６２（ｂ）では、画像データの一例を示している。図６２（ｂ）に示す画像データは、領域Ａにおいて演出画像９１００を示す情報を含み、領域Ｂにおいて花火画像９１０１を示す情報を含み、領域Ｃにおいて文字画像９１０２を示す情報を含んでいる。図中の斜線部分に対応する領域は、画素値が０の情報を含んでいる。このような画像データを用いることによって、キャビネット側スクリーン９０４０に演出画像９１００が表示され、ドア側右スクリーン９０５０に花火画像９１０１が表示され、ドア側左スクリーン９０６０に文字画像９１０２が表示される。
【０３３２】
なお、上述したように、本実施形態では、ドア側右スクリーン９０５０の後端（辺９０５０ｃ）及びドア側左スクリーン９０６０の後端（辺９０６０ｃ）と、キャビネット側スクリーン９０４０の表示面９０４０ｂとは、前後方向における位置が略同一となっている。これにより、キャビネット側スクリーン９０４０、ドア側右スクリーン９０５０、及び、ドア側左スクリーン９０６０は、それぞれ、プロジェクタ９０２０からの前後方向における距離が概ね等しくなっており、焦点が大きくずれてしまうことがないようになっている。
【０３３３】
図６３（ａ）では、別の画像データの一例を示している。図６３（ａ）に示す画像データは、領域Ａにおいて演出画像９１００を示す情報を含み、領域Ｂにおいて装飾用画像９１１０を示す情報を含み、領域Ｃにおいて装飾用画像９１１１を示す情報を含んでいる。図中の斜線部分に対応する領域は、画素値が０の情報を含んでいる。このような画像データを用いることによって、キャビネット側スクリーン９０４０に演出画像９１００が表示され、ドア側右スクリーン９０５０に装飾用画像９１１０が表示され、ドア側左スクリーン９０６０に装飾用画像９１１１が表示される。
【０３３４】
図６３（ｂ）では、さらに別の画像データの一例を示している。図６３（ｂ）に示す画像データは、領域Ｂにおいて装飾用画像９１１０を示す情報を含み、領域Ｃにおいて装飾用画像９１１１を示す情報を含んでいる。図中の斜線部分に対応する領域は、画素値が０の情報を含んでいる。このような画像データを用いることによって、ドア側右スクリーン９０５０に装飾用画像９１１０が表示され、ドア側左スクリーン９０６０に装飾用画像９１１１が表示される。
【０３３５】
以上、本発明の一実施形態として、第３実施形態に係る遊技機１について説明した。
【０３３６】
従来、プロジェクタを用いることにより演出を行うことが可能な遊技機が知られている（特開平６−０３５０６６号公報及び特開２００９−２４０４５９号公報参照）。このような遊技機によれば、遊技用の映像がプロジェクタからスクリーン等の投影面に投影されることにより、液晶表示装置の代わりに、スクリーン等に映像が表示されるようになっている。
【０３３７】
しかしながら、このようなプロジェクタからスクリーンに映像が投影される遊技機においては、スクリーンが平坦であることに起因して、演出表現が乏しくなってしまうという問題があった。
【０３３８】
本発明は、上記のような問題点に鑑みてなされたものであり、多彩な演出表現を行うことが可能な遊技機を提供することを目的とする。
【０３３９】
この点、第３実施形態に係る遊技機１は、以下の特徴を備えている。
【０３４０】
（９−１）  スクリーン（キャビネット側スクリーン９０４０、ドア側右スクリーン９０５０、及び、ドア側左スクリーン９０６０）と、
前記スクリーンに画像を表示するための光を投射するプロジェクタ（プロジェクタ９０２０）と、を備え、
前記スクリーンは、前記プロジェクタにより投射された光が背面側から入射するように配置され、背面側から入射した光により前面側に画像を表示することが可能であり、
前記スクリーンとして、第１スクリーン（キャビネット側スクリーン９０４０）、及び、正面視において前記第１スクリーンの側方又は上方若しくは下方に配置された第２スクリーン（ドア側右スクリーン９０５０及びドア側左スクリーン９０６０）が設けられ、
前記プロジェクタ、前記第１スクリーン、及び、前記第２スクリーンは、前記プロジェクタにより投射された光のうちの一部が前記第１スクリーンに入射する一方で、前記プロジェクタにより投射された光のうち前記第１スクリーンに入射しない光のうちの少なくとも一部が前記第２スクリーンに入射するように配置されている、
ことを特徴とする遊技機。
【０３４１】
第３実施形態に係る遊技機１によれば、第２スクリーン（ドア側右スクリーン９０５０及びドア側左スクリーン９０６０）は、正面視において第１スクリーン（キャビネット側スクリーン９０４０）の側方に配置されている。そして、プロジェクタ（プロジェクタ９０２０）により投射された光のうちの一部を第１スクリーン（キャビネット側スクリーン９０４０）に入射させる一方で、プロジェクタ（プロジェクタ９０２０）により投射された光のうち第１スクリーン（キャビネット側スクリーン９０４０）に入射しない光のうちの少なくとも一部を第２スクリーン（ドア側右スクリーン９０５０及びドア側左スクリーン９０６０）に入射させることが可能である。
【０３４２】
従って、第１スクリーン（キャビネット側スクリーン９０４０）及び第２スクリーン（ドア側右スクリーン９０５０及びドア側左スクリーン９０６０）にそれぞれ画像を表示することが可能であり、これらの画像は、遊技者から見た場合、左右に並ぶような位置関係で表示されることになる。これにより、このような２つのスクリーン（第１スクリーン（キャビネット側スクリーン９０４０）及び第２スクリーン（ドア側右スクリーン９０５０及びドア側左スクリーン９０６０））に表示された画像を通じて、遊技者を視覚的に楽しませることが可能であり、多彩な演出表現を行うことができる。
【０３４３】
（９−２）  前記（９−１）の遊技機であって、
前記第１スクリーン（キャビネット側スクリーン９０４０）を収容し、前面に開口を有する本体部（キャビネットＧ）と、
前記本体部に対して開閉可能に取り付けられ、前記第１スクリーンに表示された画像を視認可能にするための表示領域（上側表示窓ＵＤ１）が設けられた開閉扉（上ドア機構ＵＤ）と、を備え、
前記第２スクリーン（ドア側右スクリーン９０５０及びドア側左スクリーン９０６０）は、前記開閉扉に設けられている、
ことを特徴とする。
【０３４４】
一般的に、遊技機の開閉扉には、機種に応じた装飾（造形）が施されているところ、このような装飾を施すには、多額のコストが発生する。そして、新たな機種を開発するごとに（プロジェクトごとに）、開閉扉の造形をして装飾替えを行おうとすれば、相応のコストが嵩んでしまうことになる。
【０３４５】
この点、第３実施形態に係る遊技機１によれば、開閉扉（上ドア機構ＵＤ）に第２スクリーン（ドア側右スクリーン９０５０及びドア側左スクリーン９０６０）が設けられており、第２スクリーン（ドア側右スクリーン９０５０及びドア側左スクリーン９０６０）に画像（外観上装飾と類似するような画像）を表示することによって、当該機種特有の装飾を開閉扉（上ドア機構ＵＤ）に施さなくても、装飾を施した場合と同様の視覚的効果を得ることができる。従って、装飾を省略した簡易な開閉扉（上ドア機構ＵＤ）を採用することが可能であり、装飾にかかる費用を抑えることができる。そして、新たな機種を開発するに際しても、開閉扉（上ドア機構ＵＤ）の装飾替えを大々的に行う必要はなく、機種に応じた画像データ（当該機種特有の装飾と類似するような画像のデータ）を準備すればよい。これにより、第２スクリーン（ドア側右スクリーン９０５０及びドア側左スクリーン９０６０）に表示する画像を当該新たな機種に応じたものにすれば、装飾替えと同様の効果を得ることが可能であり、コストの削減を図ることができる。
【０３４６】
第３実施形態では、プロジェクタ９０２０から投射された光のうち、図６１（ａ）における領域Ｉ（キャビネット側スクリーン９０４０の右側に位置する領域）を通過した光が、ドア側右スクリーン９０５０に入射し、プロジェクタ９０２０から投射された光のうち、図６１（ａ）における領域ＩＩ（キャビネット側スクリーン９０４０の左側に位置する領域）を通過した光が、ドア側左スクリーン９０６０に入射するように、ドア側右スクリーン９０５０及びドア側左スクリーン９０６０がそれぞれ配置されていることとして説明した。すなわち、ドア側右スクリーン９０５０及びドア側左スクリーン９０６０（第２スクリーン）が、正面視においてキャビネット側スクリーン９０４０（第１スクリーン）の側方に配置されていることとして説明した。
【０３４７】
本発明において、第１スクリーン（キャビネット側スクリーン）と第２スクリーンとの位置関係は、この例に限定されず、第２スクリーンは、正面視において第１スクリーン（キャビネット側スクリーン）の上方又は下方に配置されることとしてもよい。例えば、透明パネルＵＤ１１（上側表示窓ＵＤ１）の上側にドア側上スクリーンを設けつつ、プロジェクタ９０２０から投射された光のうち、図６１（ａ）における領域ＩＩＩ（キャビネット側スクリーン９０４０の上側に位置する領域）を通過した光が、ドア側上スクリーンに入射するように、構成してもよい。また、透明パネルＵＤ１１（上側表示窓ＵＤ１）の下側にドア側下スクリーンを設けつつ、プロジェクタ９０２０から投射された光のうち、キャビネット側スクリーンの下側に位置する領域（例えば、図６１（ａ）における領域ＩＩＩとキャビネット側スクリーン９０４０を挟んで対向する領域）を通過した光が、ドア側下スクリーンに入射するように、構成してもよい。本発明における第２スクリーンとしては、ドア側右スクリーン、ドア側左スクリーン、ドア側上スクリーン、及び、ドア側下スクリーンという４つのスクリーンを全て設けることとしてもよいし、４つのスクリーンのうちの任意の１つ、２つ、又は３つのスクリーンを設けることとしてもよい。なお、このようなキャビネット側スクリーンの側方に配置されたスクリーン（ドア側右スクリーン又はドア側左スクリーン）と、キャビネット側スクリーンの上方又は下方に配置されたスクリーン（ドア側上スクリーン又はドア側下スクリーン）とは、１つのスクリーンとして構成されていてもよい。例えば、ドア側右スクリーンとドア側左スクリーンとドア側上スクリーンとが、一体となるように構成されていてもよい。
【０３４８】
本発明において、開閉扉（上ドア機構ＵＤ）における第２スクリーン（ドア側右スクリーン、ドア側左スクリーン、ドア側上スクリーン、及び、ドア側下スクリーン）の配置位置は、特に限定されない。すなわち、第２スクリーン（ドア側右スクリーン、ドア側左スクリーン、ドア側上スクリーン、及び、ドア側下スクリーン）は、正面視において、第１スクリーン（キャビネット側スクリーン）と近接する領域に設けられていてもよいし、第１スクリーン（キャビネット側スクリーン）からある程度離間した領域に設けられていてもよい。例えば、トップパネル機構ＨＡ、左上パネル機構ＨＢ、右上パネル機構ＨＣ、左横パネル機構ＨＤ、右横パネル機構ＨＥ（図６０参照）等の配置位置の構造を変更して、当該位置に、ドア側上スクリーン、ドア側左スクリーン、ドア側右スクリーン等を設けることとしてもよい。これにより、これらのスクリーンの背面側にプロジェクタから投射された光を入射させて前面側に画像を表示させるようにすれば、これらのパネル機構の配置位置に相当する領域に、機種固有のデザインや機種情報を現すことができるとともに、画像データを適宜使用することにより、そのようなデザインや情報を容易に変更することができる。
【０３４９】
なお、トップパネル機構ＨＡは、上ドア機構ＵＤの上端部に配置され、左横パネル機構ＨＤは、上ドア機構ＵＤの左端部に配置され、右横パネル機構ＨＥは、上ドア機構ＵＤの右端部に配置されているところ、これらの配置位置（上ドア機構ＵＤの外周に沿った領域）に第２スクリーン（ドア側上スクリーン、ドア側左スクリーン、ドア側右スクリーン等）を設ける場合には、プロジェクタから投射された光の照射範囲（図５６参照）を広くする必要がある。例えば、照射範囲を最大限広げ、（キャビネット側スクリーンが設けられていないと仮定した場合に）上ドア機構ＵＤ全体が照射されるような構成を採用することが可能である。照射範囲を広げるためには、例えば、ミラー９０３０の配置位置や傾斜を調整すればよい。プロジェクタ９０２０とミラー９０３０との相対的な位置関係を調整することにより、照射範囲を適宜変更することができ、キャビネット側スクリーンに入射せず前方へと進行した光が、トップパネル機構ＨＡ、左横パネル機構ＨＤ、右横パネル機構ＨＥ等の配置位置（上ドア機構ＵＤの外周に沿った領域）にまで到達するように（上ドア機構ＵＤの広い範囲に亘って光が照射されるように）設計することが可能である。このように、本発明においては、開閉扉（上ドア機構ＵＤ）のうち、正面視において第１スクリーン（キャビネット側スクリーン）と近接する部分のみが、プロジェクタから投射された光によって照射されることとしてもよいし、開閉扉（上ドア機構ＵＤ）の外周部分にかけてより広い範囲で照射されることとしてもよい。
【０３５０】
第３実施形態では、画像データの例として、図６２（ａ）に示す領域Ａと領域Ｂと領域Ｃとが、それぞれ別個の画像（図６２（ｂ）の例では、演出画像９１００、花火画像９１０１、及び、文字画像９１０２）を示す情報を含むような画像データについて説明した。本発明において使用する画像データは、この例に限定されず、例えば、領域Ａと領域Ｂと領域Ｃとに跨るようにして１つの画像（例えば、演出画像９１００）を示す情報を含んでいるような画像データを用いることとしてもよい。このような画像データを用いることによって、キャビネット側スクリーン９０４０、ドア側右スクリーン９０５０、及び、ドア側左スクリーン９０６０にそれぞれ、１つの画像（例えば、演出画像９１００）の一部が表示され、各スクリーンに表示された一部の画像が一体となることにより当該１つの画像（例えば、演出画像９１００）が構成されることになる。このように、本発明においては、キャビネット側スクリーン、及び、その周縁領域（ドア側右スクリーン、ドア側左スクリーン、ドア側上スクリーン、ドア側下スクリーン等）に配置されたスクリーンに、それぞれ異なる画像を個別に表示してもよいし、各スクリーンに表示された画像が合わさることにより全体として１つの映像表現が行われることとしてもよい。
【０３５１】
また、第３実施形態では、ドア側右スクリーン９０５０及びドア側左スクリーン９０６０（第２スクリーン）が遊技機１の前面側に露出した状態で設けられている（ドア側右スクリーン９０５０及びドア側左スクリーン９０６０の前面側には、他の部材が設けられていない）こととして説明した。これにより、ドア側右スクリーン９０５０及びドア側左スクリーン９０６０に画像が表示された場合、当該画像は、遊技者から視認可能となる。もっとも、本発明においては、第２スクリーン（ドア側右スクリーン及びドア側左スクリーン）の前面側に透明パネルを設けることとしてもよい。透明パネルであれば、第２スクリーンに表示された画像を遊技者の視界から遮ることはなく、当該画像を遊技者が視認する上での支障はないと考えられる。一方で、第２スクリーンを透明パネルで覆うことにより、遊技機の剛性を担保し、第２スクリーンが破損してしまうことを防止することができる。透明パネルを設ける場合、透明パネルの形状は特に限定されないが、例えば、凹凸を有する透明パネルを採用することができる。これにより、第２スクリーン（ドア側右スクリーン及びドア側左スクリーン）に表示された画像に立体感を付与することが可能となり、開閉扉自体に立体的な装飾を施した場合に類似した外観を創出することができる。
【０３５２】
また、第３実施形態では、ドア側右スクリーン９０５０及びドア側左スクリーン９０６０の形状が、平坦なスクリーンを湾曲させた形状（上面視における形状が円弧形状）であることとして説明した。しかし、本発明における第２スクリーン（ドア側右スクリーン、ドア側左スクリーン、及び、ドア側上スクリーン）の形状は、特に限定されず、任意の形状を有するスクリーンを適宜採用することができる。例えば、第２スクリーンは、キャビネット側スクリーン９０４０のような平坦な形状のスクリーンであってもよいし、凹凸を有するスクリーンであってもよいし、丸みを帯びた形状のスクリーンであってもよいし、角張った形状のスクリーンであってもよい。
【０３５３】
［第４実施形態］
以上、第１実施形態〜第３実施形態について説明した。以下、第４実施形態について説明する。第４実施形態に係る遊技機１の基本的な構成は、第１実施形態〜第３実施形態に係る遊技機１と同じである。以下においては、第１実施形態〜第３実施形態に係る遊技機１の構成要素と同一の構成要素には、同一の符号を付して説明することとする。また、第１実施形態〜第３実施形態における説明が第４実施形態においても当てはまる部分については、説明を省略することとする。
【０３５４】
＜光の照射範囲とスクリーンの配置位置＞
図６４は、上ドア機構及びキャビネットの縦断面図である。
【０３５５】
図６４では、プロジェクタ９０２０から投射された光の照射範囲を、一点鎖線を用いて示している。第３実施形態と同様に、プロジェクタ９０２０から投射された光は、下向きに進行した後、ミラー９０３０によって前方に向けて反射される（図５５参照）。
【０３５６】
第３実施形態では、このようにして前方に進行した光のうちの一部が、キャビネット側スクリーン９０４０（図５３参照）に対して後方（背面側）から入射することとして説明した。これに対し、第４実施形態では、キャビネット側スクリーン９０４０が設けられておらず、プロジェクタ９０２０から投射された光は、全て上ドア機構ＵＤに到達する。
【０３５７】
後述するように、上ドア機構ＵＤには、スクリーンシート１０４６、スクリーンシート１０５６、及び、スクリーンシート１０５７が設けられている（図６７及び図６８参照）。プロジェクタ９０２０から投射された光は、スクリーンシート１０４６、スクリーンシート１０５６、及び、スクリーンシート１０５７のそれぞれに対して後方（背面側）から入射し、これらのスクリーンシートの前面側（表示面）に画像が表示されることになる。以下、詳述する。
【０３５８】
＜上ドア機構ＵＤ＞
図６５は、上ドア機構を前方から見た斜視図である。図６６は、上ドア機構を後方から見た斜視図である。
【０３５９】
図６５及び図６６に示すように、上ドア機構ＵＤには、スクリーンユニット１０４０、装飾ユニット１０５０、及び、間接照明ユニット１０６０が設けられている。以下、各ユニットについて説明する。
【０３６０】
＜スクリーンユニット１０４０＞
図６７は、上ドア機構の分解斜視図である。図６８は、上ドア機構の分解斜視図である。図６９は、透光板、スクリーンシート、下押さえ部材、上押さえ部材、及び、下フレームを後方から見た斜視図である。図７０は、透光板及びスクリーンシートを後方から見る一方、下押さえ部材及び上押さえ部材を前方から見た斜視図である。図７１は、上押さえ部材及び上フレームを下方から見た斜視図である。図７２は、透光板、スクリーンシート、及び、下フレームを後方から見た斜視図である。
【０３６１】
なお、図６７では、上ドア機構ＵＤの各構成要素を斜め前方から見た様子を示している。図６８では、上ドア機構ＵＤの各構成要素を斜め後方から見た様子を示している。図６９では、透光板１０４５、スクリーンシート１０４６、下押さえ部材ＵＤ１０１、及び、上押さえ部材ＵＤ１０２については、これらが組み付けられた状態を示し、下フレームＵＤ１００については、単独で存在する様子を示している。図７０では、透光板１０４５及びスクリーンシート１０４６については、これらが組み付けられた状態を示し、下押さえ部材ＵＤ１０１及び上押さえ部材ＵＤ１０２については、これらがそれぞれ単独で存在する様子を示している。図７１では、上押さえ部材ＵＤ１０２及び上フレームＵＤ１１０について、これらがそれぞれ単独で存在する様子を示している。図７２では、透光板１０４５、スクリーンシート１０４６、及び、下フレームＵＤ１００について、これらが組み付けられた状態を示している。
【０３６２】
図６７及び図６８に示すように、スクリーンユニット１０４０は、透光板１０４５と、スクリーンシート１０４６と、を備えている。
【０３６３】
透光板１０４５は、透光性を有するアクリル板等の樹脂又はガラス板等を主たる素材とし、全面に亘って均等な厚みを有するように形成されている。透光板１０４５は、中央に位置する平面部１０４５ａと、平面部１０４５ａの左右双方の側縁から後方に向けて連続して形成された湾曲部１０４５ｂと、湾曲部１０４５ｂの後端から後方に向けて連続して形成された側面部１０４５ｃと、を備えている。平面部１０４５ａ及び側面部１０４５ｃは、平面形状に形成され、これらの表面は互いに略直交している。湾曲部１０４５ｂは、第３実施形態におけるドア側右スクリーン９０５０及びドア側左スクリーン９０６０（図５８参照）のように、平板を湾曲させた形状を有している。
【０３６４】
スクリーンシート１０４６は、後方から投影像が投影されることで表示される透過式のスクリーンであり、第３実施形態におけるスクリーン（キャビネット側スクリーン９０４０、ドア側右スクリーン９０５０、及び、ドア側左スクリーン９０６０）と同様に、プロジェクタ９０２０から投射された光が入射する背面側の入射面と、入射面に入射した光が透過することで投影像が投影される前面側の表示面と、を有する。スクリーンシート１０４６は、例えば、透光性を有するガラス板、アクリル板、樹脂製フィルムを主たる素材として、全面に亘って均等な厚みを有するように形成され、非投影時に乳白色、半透明、あるいはグレー色を呈する。
【０３６５】
スクリーンシート１０４６は、中央に位置する平面部１０４６ａと、平面部１０４６ａの左右双方の側縁から後方に向けて連続して形成された湾曲部１０４６ｂと、を備えている。平面部１０４６ａは、平面形状に形成され、湾曲部１０４６ｂは、平板を湾曲させた形状を有している。スクリーンシート１０４６の平面部１０４６ａ及び湾曲部１０４６ｂは、透光板１０４５の平面部１０４５ａ及び湾曲部１０４５ｂと、略同一の大きさ及び形状を有している。
【０３６６】
スクリーンシート１０４６は、透光板１０４５の背面側に配置されている。具体的には、透光板１０４５の平面部１０４５ａにおける背面側の表面と、スクリーンシート１０４６の平面部１０４６ａにおける前面側の表面とが密着し、透光板１０４５の湾曲部１０４５ｂにおける背面側の表面と、スクリーンシート１０４６の湾曲部１０４６ｂにおける前面側の表面とが密着した状態となっている。
【０３６７】
スクリーンシート１０４６の入射面（背面側の表面）に対して、プロジェクタ９０２０から投射された光が入射することによって、スクリーンシート１０４６の表示面（前面側の表面）に、遊技に関する画像（静止画像や動画像）が表示される。透光板１０４５は、透明に形成されており、透光板１０４５の前方には遊技者の視界を遮る構造が存在しないため、スクリーンシート１０４６に画像が表示された場合、当該画像は、遊技者から視認可能となる。
【０３６８】
また、スクリーンシート１０４６は、平面部１０４６ａと湾曲部１０４６ｂとを有しており、平面部１０４６ａと湾曲部１０４６ｂとでは奥行き方向の位置が異なるため、平面部１０４６ａと湾曲部１０４６ｂの双方に画像を表示することによって、スクリーンシート１０４６に表示された画像全体に立体感を付与することができる。また、透光板１０４５及びスクリーンシート１０４６は、それぞれ、湾曲部１０４５ｂ及び湾曲部１０４６ｂがフォーミング（開放空間内成形）により形成されており、これにより、例えば、真空加工等により湾曲部を形成した場合と比較して、画像の変形を抑えることができる。
【０３６９】
以上のように構成された透光板１０４５及びスクリーンシート１０４６は、下部が下押さえ部材ＵＤ１０１によって押さえ付けられ且つ上部が上押さえ部材ＵＤ１０２によって押さえ付けられた状態で、下フレームＵＤ１００及び上フレームＵＤ１１０によって支持されている。
【０３７０】
具体的に、図６９に示すように、下フレームＵＤ１００は、コの字状の部材として形成されており、水平配置された底板ＵＤ１００ａと、底板ＵＤ１００ａの前端において上方に向かって僅かに突設された壁部ＵＤ１００ｂと、底板ＵＤ１００ａの右端部において上下方向に延在する右側部ＵＤ１００ｃと、底板ＵＤ１００ａの左端部において上下方向に延在する左側部ＵＤ１００ｄと、を備えている。透光板１０４５及びスクリーンシート１０４６は、透光板１０４５が底板ＵＤ１００ａ、右側部ＵＤ１００ｃ、及び、左側部ＵＤ１００ｄに当接した状態で、底板ＵＤ１００ａ上に載置される。この状態において、透光板１０４５の前面下部は、壁部ＵＤ１００ｂに当接する。壁部ＵＤ１００ｂは、透光板１０４５の前面下部全体が当接可能なように、透光板１０４５の平面部１０４５ａ、湾曲部１０４５ｂ、及び、側面部１０４５ｃに対応する形状を有している。
【０３７１】
図７０に示すように、下押さえ部材ＵＤ１０１は、板状に形成されており、その前方側面（押さえ面ＵＤ１０１ａ）は、スクリーンシート１０４６に対応して、平面形状に形成された部分と湾曲形状に形成された部分とを有している。透光板１０４５及びスクリーンシート１０４６が下フレームＵＤ１００の底板ＵＤ１００ａ上に載置された状態で、下押さえ部材ＵＤ１０１が下フレームＵＤ１００に固定されることにより、スクリーンシート１０４６の下部は、下フレームＵＤ１００の壁部ＵＤ１００ｂ及び透光板１０４５と、下押さえ部材ＵＤ１０１の押さえ面ＵＤ１０１ａとの間に挟持され、押さえ面ＵＤ１０１ａによって押さえ付けられる。なお、下押さえ部材ＵＤ１０１は、ネジ挿通孔ＵＤ１０１ｂ（図６９参照）を通したネジを下フレームＵＤ１００のネジ穴ＵＤ１００ｅにねじ込むことにより、下フレームＵＤ１００に取り付けることができる。
【０３７２】
また、図７１に示すように、上フレームＵＤ１１０は、正面視略四角形状の外形を有する部材として形成されており、左右方向に延在する底面ＵＤ１１０ａと、底面ＵＤ１１０ａにおける前方部から下方に僅かに突出した壁部ＵＤ１１０ｂと、を備えている。下フレームＵＤ１００に対して上フレームＵＤ１１０が固定された状態で、透光板１０４５及びスクリーンシート１０４６は、透光板１０４５の上端縁が上フレームＵＤ１１０の底面ＵＤ１１０ａに当接し、透光板１０４５の前面上部が上フレームＵＤ１１０の壁部ＵＤ１１０ｂに当接するように位置付けられる。壁部ＵＤ１１０ｂは、透光板１０４５の前面上部が一定範囲に亘って当接可能なように、透光板１０４５に対応する形状を有している。
【０３７３】
上押さえ部材ＵＤ１０２の前方側面（押さえ面ＵＤ１０２ａ、図７０参照）は、スクリーンシート１０４６に対応して、平面形状に形成された部分と湾曲形状に形成された部分とを有している。上押さえ部材ＵＤ１０２は、その上面が上フレームＵＤ１１０の底面ＵＤ１１０ａに当接した状態で、ネジ挿通孔ＵＤ１０２ｂを（図７１参照）を通したネジを、上フレームＵＤ１１０の底面ＵＤ１１０ａに形成されたネジ穴ＵＤ１１０ｃにねじ込むことにより、上フレームＵＤ１１０に取り付けられる。これにより、スクリーンシート１０４６の上部は、上フレームＵＤ１１０の壁部ＵＤ１１０ｂ及び透光板１０４５と、上押さえ部材ＵＤ１０２の押さえ面ＵＤ１０２ａとの間に挟持され、押さえ面ＵＤ１０２ａによって押さえ付けられる。
【０３７４】
以上のようにして、スクリーンシート１０４６は、下部が下押さえ部材ＵＤ１０１によって押さえ付けられ且つ上部が上押さえ部材ＵＤ１０２によって押さえ付けられる。下押さえ部材ＵＤ１０１の押さえ面ＵＤ１０１ａ及び上押さえ部材ＵＤ１０２の押さえ面ＵＤ１０２ａは、それぞれ、スクリーンシート１０４６の形状に対応して、湾曲形状に形成された部分を有している。これにより、透光板１０４５とスクリーンシート１０４６との間に隙間ができたり、スクリーンシート１０４６にシワが発生したりすることを抑制しつつ、スクリーンシート１０４６を透光板１０４５に密着させることが可能となり、遊技者から視認される画像が乱れてしまうことを防止することができる。
【０３７５】
図７２に示すように、透光板１０４５とスクリーンシート１０４６とが密着した状態において、これらを後方から見た場合、透光板１０４５の平面部１０４５ａ及び湾曲部１０４５ｂは、スクリーンシート１０４６の平面部１０４６ａ及び湾曲部１０４６ｂによって覆われている一方、透光板１０４５の側面部１０４５ｃは、スクリーンシート１０４６によって覆われず露出した状態となっている。
【０３７６】
図示していないが、透光板１０４５及びスクリーンシート１０４６の背面側には、キャビネットＧが配置される。従って、スクリーンシート１０４６の後端とキャビネットＧ（側面壁Ｇ２）の前端との間には、少なくとも透光板１０４５の側面部１０４５ｃにおける前後方向の長さに相当する隙間が存在することになる。分かりやすくするため、図７２では、このような隙間を斜線で示している。
【０３７７】
そして、透光板１０４５のうちスクリーンシート１０４６によって覆われる部分（平面部１０４５ａ及び湾曲部１０４５ｂ）には、画像が表示される一方、透光板１０４５のうちスクリーンシート１０４６によって覆われず露出した部分（側面部１０４５ｃ、すなわち、図７２における斜線部分）には、画像が表示されない。これにより、遊技者に対して、キャビネットＧ（側面壁Ｇ２）の前端から前方向に離間した位置において、画像が浮き出ているような印象を与えることが可能であり、多彩な画像表現を実現することができる。
【０３７８】
＜装飾ユニット１０５０＞
図７３は、上フレーム、第１構造体、第２構造体、第３構造体、第４構造体、及び、スクリーンシートを後方から見た斜視図である。
【０３７９】
なお、図７３では、第１構造体１０５１、第２構造体１０５２、第３構造体１０５３、及び、第４構造体１０５４については、これらが組み付けられた状態を示し、上フレームＵＤ１１０、スクリーンシート１０５６、及び、スクリーンシート１０５７については、これらがそれぞれ単独で存在する様子を示している。
【０３８０】
図７３に示すように、装飾ユニット１０５０は、中央に配置された第１構造体１０５１と、第１構造体１０５１の周囲に配置された第２構造体１０５２と、第２構造体１０５２に隣接する第３構造体１０５３と、第３構造体１０５３に隣接する第４構造体１０５４と、これらの構造体の背面側に配置されたスクリーンシート１０５６及びスクリーンシート１０５７と、を備えている。
【０３８１】
第１構造体１０５１、第２構造体１０５２、第３構造体１０５３、及び、第４構造体１０５４は、ネジ締結により上フレームＵＤ１１０に取り付けられる。スクリーンシート１０５６は、押さえ部材ＵＤ１１１によって押さえ付けられた状態で、第１構造体１０５１及び第２構造体１０５２の背面側に配置される。スクリーンシート１０５７は、押さえ部材ＵＤ１１１によって押さえ付けられた状態で、第３構造体１０５３の背面側に配置される。スクリーンシート１０５６とスクリーンシート１０５７とは、隣接するように配置され、隣接部において嵌合可能な形状を有している。第４構造体１０５４は、上フレームＵＤ１１０のスピーカ収納部ＵＤ１１０ｄの背面側に配置され、スピーカ収納部ＵＤ１１０ｄの背面側には、第４構造体１０５４とともに、図示しないスピーカが配置される。
【０３８２】
第１構造体１０５１は、透光性の素材（例えば、アクリル樹脂等）により形成され、所定の立体的形状（例えば、文字形状）に形成されている。第２構造体１０５２は、透光性の素材（例えば、アクリル樹脂等）により形成され、所定の立体的形状（例えば、炎を模した形状）に形成されている。第３構造体１０５３は、透光性の素材（例えば、アクリル樹脂等）により形成され、所定の立体的形状（例えば、鎖を模した形状）に形成されている。第４構造体１０５４は、透光性の素材（例えば、アクリル樹脂等）により形成され、所定の立体的形状（例えば、鎖を模した形状）に形成されている。
【０３８３】
スクリーンシート１０５６及びスクリーンシート１０５７は、後方から投影像が投影されることで表示される透過式のスクリーンであり、スクリーンシート１０４６と同様に、プロジェクタ９０２０から投射された光が入射する背面側の入射面と、入射面に入射した光が透過することで投影像が投影される前面側の表示面と、を有する。スクリーンシート１０５６及びスクリーンシート１０５７は、例えば、透光性を有するガラス板、アクリル板、樹脂製フィルムを主たる素材として、全面に亘って均等な厚みを有するように形成され、非投影時に乳白色、半透明、あるいはグレー色を呈する。
【０３８４】
スクリーンシート１０５６及びスクリーンシート１０５７の入射面（背面側の表面）に対して、プロジェクタ９０２０から投射された光が入射することによって、スクリーンシート１０５６及びスクリーンシート１０５７の表示面（前面側の表面）に、遊技に関する画像（静止画像や動画像）が表示される。
【０３８５】
ここで、第３構造体１０５３は、その前面側にハーフミラー（マジックミラー）が形成された構成を有している。ハーフミラーは、従来公知の方法により、半透過膜シートを基板の表面に貼り付けたり、金属膜を金属蒸着させたりすることによって形成することが可能であり、入射する光のうちの一部を反射する一方、一部を透過する性質を有する。
【０３８６】
スクリーンシート１０５７の前面側にこのようなハーフミラーを配置することにより、プロジェクタ９０２０から光が投射されていない場合には、第３構造体１０５３の周囲に存在する物体が映り、例えば、黒いメッキ加工の施されたパーツのような外観を呈することになる。第３構造体１０５３の周囲に存在する物体としては、例えば、図６５に示すような鎖を模した形状の構造物を設けることができる。なお、鎖を模した形状の構造物は、第３構造体１０５３の近傍に設けてもよいし、第３構造体１０５３（ハーフミラー）自体を当該形状に形成してもよい。一方、プロジェクタ９０２０から光が投射されている場合には、スクリーンシート１０５７に表示された画像がハーフミラーに映ることになる。例えば、第３構造体１０５３の周囲に存在する物体や第３構造体１０５３の形状に類似する形状（鎖を模した形状）の物体が流れて動いているような画像をスクリーンシート１０５７に表示することによって、プロジェクタ９０２０から光が投射されていない場合に静止していた当該物体が動いているような演出を行うことが可能となる。このように、上記構成によれば、造形物及び当該造形物に関連する映像との双方によって、魅力的な演出を生み出すことができる。
【０３８７】
また、スクリーンシート１０５６は、光を拡散するための拡散層、入射面側に凸となる形状を有する単位プリズムが複数配列されたプリズム層を有している。これにより、プロジェクタ９０２０から投射された光が拡散され、スクリーンシート１０５６の前面側に配置された造形物と相俟って、魅力的な演出を行うことができる。例えば、図６５に示すように、第１構造体１０５１が「ＧＯＤ」という文字形状に形成されている場合、「ＧＯＤ」という文字に対応する画像をスクリーンシート１０５６に表示することによって、「ＧＯＤ」という文字がキラキラ輝いているような外観を創出することができる。また、プロジェクタ９０２０から投射される光の中心（投射レンズの光軸近傍から出射される照射光）は、スクリーンシート１０４６へと入射するところ、スクリーンシート１０５６は、画角中心から離れた位置に配置されているが、集光効果の高いプリズム層を設けることにより、スクリーンシート１０５６に表示される画像の輝度が低下してしまうことを抑えることができる。なお、スクリーンシート１０５７と同様に、スクリーンシート１０５６の前面側にもハーフミラーを配置してもよい。
【０３８８】
＜間接照明ユニット１０６０＞
図７４は、透光板、スクリーンシート、下フレーム、ＬＥＤ基板、及び、導光部材を後方から見た斜視図である。図７５は、透光板、スクリーンシート、下フレーム、及び、導光部材を前方から見た斜視図である。図７６は、透光板、スクリーンシート、下フレーム、ＬＥＤ基板、及び、導光部材の断面を前方から見た斜視図である。
【０３８９】
なお、図７４では、透光板１０４５、スクリーンシート１０４６、下フレームＵＤ１００、ＬＥＤ基板１０６１、及び、導光部材１０６２について、これらが組み付けられた状態から導光部材１０６２を取り外した様子を示している。図７５では、透光板１０４５、スクリーンシート１０４６、下フレームＵＤ１００、及び、導光部材１０６２について、これらが組み付けられた状態から下フレームＵＤ１００の位置を僅かにずらした様子を、導光部材１０６２近傍を拡大して示している。図７６では、透光板１０４５、スクリーンシート１０４６、下フレームＵＤ１００、ＬＥＤ基板１０６１、及び、導光部材１０６２について、これらが組み付けられた状態を水平面で切断した様子を、導光部材１０６２近傍を拡大して示している。
【０３９０】
図６６に示すように、間接照明ユニット１０６０は、下フレームＵＤ１００の右側部ＵＤ１００ｃ及び左側部ＵＤ１００ｄのそれぞれに沿うように配置されており、各間接照明ユニット１０６０は、左右対称な構成を有している。
【０３９１】
図７４に示すように、間接照明ユニット１０６０は、ＬＥＤ基板１０６１と、導光部材１０６２と、を備えている。
【０３９２】
ＬＥＤ基板１０６１は、下フレームＵＤ１００の右側部ＵＤ１００ｃの若干左側及び左側部ＵＤ１００ｄの若干右側のそれぞれ（透光板１０４５の側面部１０４５ｃの若干内側）において、側面部１０４５ｃと略平行に配置されている。ＬＥＤ基板１０６１には、複数のＬＥＤ１０６１ａが上下方向に等間隔に設けられている。具体的に、右側部ＵＤ１００ｃ近傍に配置されたＬＥＤ基板１０６１のＬＥＤ１０６１ａは、右方向に光を出射するように設置されており、左側部ＵＤ１００ｄ近傍に配置されたＬＥＤ基板１０６１のＬＥＤ１０６１ａは、左方向に光を出射するように設置されている。ＬＥＤ基板１０６１は、側面視において、その一部が透光板１０４５の側面部１０４５ｃと重畳するように配置されているが、ＬＥＤ１０６１ａの設置位置は、側面部１０４５ｃの後端よりも後方となっており、ＬＥＤ１０６１ａから出射された光は、側面部１０４５ｃによって遮られないようになっている。なお、ＬＥＤ基板１０６１は、側面部１０４５ｃと若干離間して配置されている。
【０３９３】
導光部材１０６２は、下フレームＵＤ１００の右側部ＵＤ１００ｃ及び左側部ＵＤ１００ｄと略同一の高さを有する部材であり、内向きに開放する開口１０６２ａが上下方向に複数形成されている。導光部材１０６２には、上部と下部のそれぞれにネジ孔１０６２ｂが形成されており、ＬＥＤ基板１０６１に形成されたネジ孔１０６１ｂを挿通したネジによって、ＬＥＤ基板１０６１に対して導光部材１０６２が固定される。これにより、ＬＥＤ１０６１ａから出射された光が開口１０６２ａを通過して導光部材１０６２の内部に入るようになっている。
【０３９４】
また、導光部材１０６２は、その上部に形成されたネジ孔１０６２ｃ及び下フレームＵＤ１００の右側部ＵＤ１００ｃ（左側部ＵＤ１００ｄ）に形成されたネジ孔ＵＤ１００ｆを挿通したネジによって、下フレームＵＤ１００に対して固定される。
【０３９５】
さらに、図７５に示すように、導光部材１０６２には、前方向に開放する開口１０６２ｄが上下方向に複数形成されている。図７４に示す開口１０６２ａと図７５に示す開口１０６２ｄとは、導光部材１０６２の内部において連通している。また、下フレームＵＤ１００の右側部ＵＤ１００ｃ（左側部ＵＤ１００ｄ）には、前後方向に貫通する開口ＵＤ１００ｇが上下方向に複数形成されている。これにより、導光部材１０６２が下フレームＵＤ１００に取り付けられた状態において、導光部材１０６２の開口１０６２ｄと下フレームＵＤ１００の開口ＵＤ１００ｇとが連通することになる。
【０３９６】
図７６に示すように、導光部材１０６２の内部は、ＬＥＤ１０６１ａから出射された光の進行方向を変化させるリフレクタとなっている。ＬＥＤ１０６１ａから出射された光は、導光部材１０６２の開口１０６２ａを通過して導光部材１０６２の内部に入った後、横向きから前向きに進行方向を変えて、導光部材１０６２の開口１０６２ｄを通過し、右側部ＵＤ１００ｃ（左側部ＵＤ１００ｄ）の開口ＵＤ１００ｇから前方向に放出される。図７６中の矢印は、ＬＥＤ１０６１ａから出射された光の進行方向を示している。
【０３９７】
ここで、図７６に示すように、下フレームＵＤ１００の右側部ＵＤ１００ｃ（左側部ＵＤ１００ｄ）は、透光板１０４５の側面部１０４５ｃに当接している。また、右側部ＵＤ１００ｃ（左側部ＵＤ１００ｄ）の後端と側面部１０４５ｃの後端とは、前後方向における位置が略同一であり、右側部ＵＤ１００ｃ（左側部ＵＤ１００ｄ）における前後方向の長さは、側面部１０４５ｃにおける前後方向の長さよりも短くなっている。また、図示しないが、下フレームＵＤ１００の右側部ＵＤ１００ｃ（左側部ＵＤ１００ｄ）の背面側には、キャビネットＧが配置される。キャビネットＧ（側面壁Ｇ２）の前端は、右側部ＵＤ１００ｃ（左側部ＵＤ１００ｄ）の後端と近接（略当接）し、キャビネットＧの側面壁Ｇ２と、右側部ＵＤ１００ｃ（左側部ＵＤ１００ｄ）とは、略同一平面上に位置付けられる。
【０３９８】
間接照明ユニット１０６０は、周辺の部材と以上のような位置関係を有するように、透光板１０４５の側面部１０４５ｃに沿って配置されている。そして、ＬＥＤ１０６１ａから出射された光は、透光板１０４５の側面部１０４５ｃに沿って、前方へと放出されることになる。図７２を用いて説明したように、透光板１０４５の側面部１０４５ｃは、スクリーンシート１０４６によって覆われず、当該部分（図７２における斜線部分）には画像が表示されないため、画像が浮き出ているような印象を遊技者に与えることができる。本実施形態では、このような画像が表示されない部分から（透光板１０４５の側面部１０４５ｃに沿って）ＬＥＤ１０６１ａの光が放出されることに起因して、画像が表示される部分と画像が表示されない部分との境界を強調し、画像が浮き出ているような印象をより顕著に遊技者に与えることができる。
【０３９９】
＜上ドア機構ＵＤのキャビネットＧへの取り付け＞
図７７は、上ドア機構、引っ掛け部、及び、前面側突出部材を後方から見た斜視図である。図７８は、上ドア機構、引っ掛け部、及び、前面側突出部材を側方から見た斜視図である。図７９は、キャビネット、引っ掛け部、及び、前面側突出部材を側方から見た斜視図である。図８０は、上ドア機構、キャビネット、引っ掛け部、及び、前面側突出部材の断面の右側面図である。図８１は、上ドア機構を下方から見た斜視図である。図８２は、上ドア機構及び下ドア機構を前方から見た斜視図である。図８３は、上ドア機構及び下ドア機構を後方から見た斜視図である。
【０４００】
なお、図７７では、上ドア機構ＵＤから引っ掛け部ＵＤ１２０及び前面側突出部材Ｇ１２０を取り外した様子を示している。図７８では、引っ掛け部ＵＤ１２０については、上ドア機構ＵＤに取り付けられている様子を示し、前面側突出部材Ｇ１２０については、上ドア機構ＵＤから取り外した様子を示している。図７９では、引っ掛け部ＵＤ１２０及び前面側突出部材Ｇ１２０がキャビネットＧに取り付けられている様子を示している。図８０では、上ドア機構ＵＤがキャビネットＧに対して閉じられた状態における上ドア機構ＵＤ、キャビネットＧ、引っ掛け部ＵＤ１２０、及び、前面側突出部材Ｇ１２０を前後方向の鉛直面で切断した様子を示している。分かりやすくするため、図８０では、引っ掛け部ＵＤ１２０及び前面側突出部材Ｇ１２０を斜線で示している。図８１では、上ドア機構ＵＤの各構成要素が組み付けられた状態を示している。図８２では、上ドア機構ＵＤと下ドア機構ＤＤとが組み付けられていない状態において、これらを互いに異なる方向から見た様子を示しており、下ドア機構ＤＤの方が側方に近い角度から観察している。図８３では、上ドア機構ＵＤ及び下ドア機構ＤＤがキャビネットＧに対して閉じられた状態を示している。
【０４０１】
上ドア機構ＵＤは、引っ掛け部ＵＤ１２０及び前面側突出部材Ｇ１２０により、キャビネットＧに取り付けられる。
【０４０２】
図７７及び図７８に示すように、引っ掛け部ＵＤ１２０は、上フレームＵＤ１１０から後方へと突出する部材であり、主面ＵＤ１２０ａには、下方が開放された欠き込みＵＤ１２０ｂが形成されている。引っ掛け部ＵＤ１２０の主面ＵＤ１２０ａと直交する面には、ネジ孔ＵＤ１２０ｃが形成されており、引っ掛け部ＵＤ１２０は、ネジ締結により上フレームＵＤ１１０に取り付けられる。引っ掛け部ＵＤ１２０が上フレームＵＤ１１０に対して固定されることにより、主面ＵＤ１２０ａは、前後方向に沿って配置される。
【０４０３】
前面側突出部材Ｇ１２０は、水平配置された主面Ｇ１２０ａと、主面Ｇ１２０ａの前端中央付近を上方に折り曲げることで形成された前端中央部Ｇ１２０ｂと、主面Ｇ１２０ａの前端右側を上方に折り曲げることで形成された前端右側部Ｇ１２０ｃと、主面Ｇ１２０ａの前端左側を上方に折り曲げることで形成された前端左側部Ｇ１２０ｄと、前端中央部Ｇ１２０ｂと前端右側部Ｇ１２０ｃとの間において主面Ｇ１２０ａの前端を上方及び後方に折り曲げることで形成された右載置部Ｇ１２０ｅと、前端中央部Ｇ１２０ｂと前端左側部Ｇ１２０ｄとの間において主面Ｇ１２０ａの前端を上方及び後方に折り曲げることで形成された左載置部Ｇ１２０ｆと、主面Ｇ１２０ａの左端及び右端双方の後部を下方に折り曲げることで形成された後側部Ｇ１２０ｇと、を備えている。
【０４０４】
前端右側部Ｇ１２０ｃ及び前端左側部Ｇ１２０ｄは、前端中央部Ｇ１２０ｂよりも後方に形成されており、前端中央部Ｇ１２０ｂ、前端右側部Ｇ１２０ｃ、及び、前端左側部Ｇ１２０ｄの高さは、略同一である。また、右載置部Ｇ１２０ｅ及び左載置部Ｇ１２０ｆは、それぞれ、前端右側部Ｇ１２０ｃ及び前端左側部Ｇ１２０ｄよりも後方に形成されており、右載置部Ｇ１２０ｅ及び左載置部Ｇ１２０ｆの高さは、略同一であり、これらの高さは、前端中央部Ｇ１２０ｂ、前端右側部Ｇ１２０ｃ、及び、前端左側部Ｇ１２０ｄの高さよりも高くなっている。また、右載置部Ｇ１２０ｅ及び左載置部Ｇ１２０ｆは、水平配置された面を有している。
【０４０５】
後側部Ｇ１２０ｇには、ネジ孔Ｇ１２０ｈが形成されており、前面側突出部材Ｇ１２０は、ネジ孔Ｇ１２０ｈを挿通したネジにより、キャビネットＧの側面壁Ｇ２に内側から取り付けられる。図７９及び図８０に示すように、前面側突出部材Ｇ１２０がキャビネットＧに対して固定されることにより、主面ＵＤ１２０ａの前方部分（前端中央部Ｇ１２０ｂ、前端右側部Ｇ１２０ｃ、前端左側部Ｇ１２０ｄ、右載置部Ｇ１２０ｅ、及び、左載置部Ｇ１２０ｆを含む）は、キャビネットＧから前方へと突出する。
【０４０６】
一方、キャビネットＧの側面壁Ｇ２の内側面には、内側に向けて突出する内面側突出部材Ｇ２ａ（例えば、側面壁Ｇ２の内側面にねじ込まれたネジ等）が設けられており、引っ掛け部ＵＤ１２０の欠き込みＵＤ１２０ｂが内面側突出部材Ｇ２ａに引っ掛けられる。これにより、引っ掛け部ＵＤ１２０は、キャビネットＧに係止される。
【０４０７】
図８１に示すように、下フレームＵＤ１００は、底板ＵＤ１００ａ（図６９参照）の下側を向いた面として、下側面ＵＤ１００ｈを備えている。下側面ＵＤ１００ｈには、下方に突出する下方突出部ＵＤ１００ｉが複数形成されている。下方突出部ＵＤ１００ｉは、略直方体の形状を有しており、下側面ＵＤ１００ｈの後端から前方に向けて延在している。下方突出部ＵＤ１００ｉの後端には、ネジ穴ＵＤ１００ｅ（図６９参照）が形成されている。
【０４０８】
図８２に示すように、下ドア機構ＤＤは、その上部において左右方向に水平配置された上板ＤＤ１００を備えている。図８３に示すように、上ドア機構ＵＤ及び下ドア機構ＤＤがキャビネットＧに対して閉じられた状態において、上板ＤＤ１００の後端縁ＤＤ１００ａは、下フレームＵＤ１００に形成された下方突出部ＵＤ１００ｉの前端と近接（略当接）している。
【０４０９】
上ドア機構ＵＤ及び下ドア機構ＤＤが以上のように構成されていることにより、上ドア機構ＵＤをキャビネットＧに取り付ける（上ドア機構ＵＤをキャビネットＧに対して閉じる）に当たっては、まず、上フレームＵＤ１１０の上壁の下側面を前面側突出部材Ｇ１２０の右載置部Ｇ１２０ｅ及び左載置部Ｇ１２０ｆの上面に載せつつ、引っ掛け部ＵＤ１２０の欠き込みＵＤ１２０ｂを内面側突出部材Ｇ２ａに引っ掛ける。この状態で下ドア機構ＤＤをキャビネットＧに対して閉じることで、下ドア機構ＤＤの上板ＤＤ１００の後端縁ＤＤ１００ａが下フレームＵＤ１００の下方突出部ＵＤ１００ｉに当たり、上ドア機構ＵＤが後方へと押し込まれる。これにより、上ドア機構ＵＤも、キャビネットＧに対して閉じられることになる。
【０４１０】
本実施形態では、以上のようにして上ドア機構ＵＤを閉めることが可能であるため、上ドア機構ＵＤには、キャビネットＧと連結するためのヒンジが設けられていない。ヒンジが設けられている場合には、遊技機のサイド部分において画像を表示することが可能な範囲が制限されるところ、本実施形態に係る遊技機１においては、ヒンジが存在しない分だけ、上ドア機構ＵＤにおける広い範囲を画像表示領域として確保することができる。具体的には、スクリーンシート１０４６の後端（透光板１０４５の左右双方の湾曲部１０４５ｂにおける後端）に亘るまでの範囲を、プロジェクタ９０２０から投射された光の左右方向における照射範囲に含めることが可能になる。これにより、大画面による迫力のある演出を行うことができる。
【０４１１】
また、スクリーンシート１０４６、スクリーンシート１０５６、及び、スクリーンシート１０５７という３つのスクリーンが設けられているが、第３実施形態と同様に、各スクリーンに表示される画像を示す情報を１つの画像データに含めれば（図６２及び図６３参照）、当該１つの画像データを用いることにより３つのスクリーンのそれぞれに画像を表示することができる。
【０４１２】
なお、以上のようにして上ドア機構ＵＤが閉じられた状態においては、上ドア機構ＵＤとキャビネットＧとの間に僅かな隙間が形成されるが（図８０参照）、当該隙間から異物が入ってきた場合であっても、前面側突出部材Ｇ１２０が存在することにより、当該異物がキャビネットＧのより内部へと侵入してしまうことを防止することができる。
【０４１３】
［第５実施形態］
以上、第１実施形態〜第４実施形態について説明した。以下、第５実施形態について説明する。第５実施形態に係る遊技機１の基本的な構成は、第１実施形態〜第４実施形態に係る遊技機１と同じである。以下においては、第１実施形態〜第４実施形態に係る遊技機１の構成要素と同一の構成要素には、同一の符号を付して説明することとする。また、第１実施形態〜第４実施形態における説明が第５実施形態においても当てはまる部分については、説明を省略することとする。
【０４１４】
＜光の照射範囲とスクリーンの配置位置＞
図８４は、上ドア機構及び下ドア機構を取り外した状態の遊技機を前方から見た斜視図である。図８５は、プロジェクタ装置から光が投射されている様子を側方から見た斜視図である。
【０４１５】
図８４に示すように、キャビネットＧの内部には、照射ユニットＢが配置されている。第１実施形態（図６参照）と同様に、照射ユニットＢは、照射光を出射するプロジェクタ装置Ｂ２と、プロジェクタ装置Ｂ２から出射された照射光を反射するミラー機構Ｂ３と、プロジェクタ装置Ｂ２及びミラー機構Ｂ３を収容するプロジェクタカバーＢ１と、を備えている。
【０４１６】
プロジェクタカバーＢ１の構成は、第１実施形態と異なっており、リフレクタ保持部Ｂ１１（図１０参照）は、プロジェクタ装置Ｂ２の前方ではなく、プロジェクタ装置Ｂ２の上方に形成されている（図８８参照）。第１実施形態と同様に、リフレクタ保持部Ｂ１１の内側面には、ミラー機構Ｂ３が設けられており、ミラー機構Ｂ３は、プロジェクタ装置Ｂ２から投射された光を反射することが可能な光学ミラーＢ３２（図７参照）を備えている。
【０４１７】
本実施形態では、リフレクタ保持部Ｂ１１の形状及び形成位置に対応して、ミラー機構Ｂ３（光学ミラーＢ３２）が、前方よりも後方の方が低くなるような傾斜を有する姿勢で、プロジェクタ装置Ｂ２の上方に配置される。なお、ミラー機構Ｂ３自体の構成は、第１実施形態と同様であるため、詳細な説明を省略する。
【０４１８】
プロジェクタ装置Ｂ２は、前方よりも後方の方が低くなるような傾斜（光学ミラーＢ３２よりも急な傾斜）を有する姿勢で、プロジェクタカバーＢ１に対して固定されている。
【０４１９】
これにより、プロジェクタ装置Ｂ２から投射されて上向きに進行した光は、ミラー機構Ｂ３（光学ミラーＢ３２）によって前方に向けて反射される（図８５参照）。図８５では、光の照射範囲を斜線で示している。第４実施形態と同様に、ミラー機構Ｂ３（光学ミラーＢ３２）によって反射されて前方に進行した光は、全て上ドア機構ＵＤに到達する。上ドア機構ＵＤは、第４実施形態と同様の構成を備えており、プロジェクタ装置Ｂ２から投射された光は、スクリーンシート１０４６、スクリーンシート１０５６、及び、スクリーンシート１０５７（図６５〜図６８参照）のそれぞれに対して後方（背面側）から入射し、これらのスクリーンシートの前面側（表示面）に画像が表示されることになる。
【０４２０】
＜照射光の進行方向の調節＞
図８６は、照射ユニットを側方から見た斜視図である。図８７は、照射ユニットを後方から見た斜視図である。
【０４２１】
第１実施形態で説明したように、プロジェクタ装置Ｂ２は、ケースＢ２２によって外装されつつ、上側台座Ｂ２２０及び下側台座Ｂ２２１を介してプロジェクタカバーＢ１に取り付けられる（図１２参照）。
【０４２２】
具体的に、上側台座Ｂ２２０の右側部分及び左側部分には、それぞれ、角孔２２０１ｃが設けられている（図１３参照）。上側台座Ｂ２２０は、角孔２２０１ｃに挿入された取付ネジＴ（図１６参照）によって、プロジェクタカバーＢ１に取り付けられる。図１６では、取付ネジＴが角孔２２０１ｃの下方から挿入される様子を示しているが、本実施形態において、取付ネジＴは、角孔２２０１ｃの上方から（ネジ頭部が上部背面側となるように）挿入される。なお、上側台座Ｂ２２０は、プロジェクタカバーＢ１ではなく、キャビネットＧの内部に固定された他の部材に取り付けることとしてもよい。
【０４２３】
また、下側台座Ｂ２２１には、ケースＢ２２をネジ止めするための複数のネジ孔２２１４が設けられており（図１２参照）、ケースＢ２２は、下側台座Ｂ２２１に対して下方からネジ締結により取り付けられる。ケースＢ２２の構成としては、特に限定されないが、本実施形態においては、直方体の箱形形状を有するケースＢ２２（図２２参照）を採用している。ケースＢ２２には、プロジェクタ装置Ｂ２の内部構成要素であるレンズユニットＢ２１（図１２参照）、ＬＥＤ基板、ＤＭＤ基板、ヒートシンク、吸気用ファン等が収容され、ケースＢ２２の下面には、プロジェクタ制御基板Ｂ２３（図１２参照）が固定されている。
【０４２４】
ここで、上側台座Ｂ２２０に形成された角孔２２０１ｃは、その縦横内径寸法が取付ネジＴのネジ軸径よりも大きくなっている。これにより、プロジェクタ装置Ｂ２のプロジェクタカバーＢ１に対する取り付け位置を左右方向及び前後方向に調整することができるようになっている。プロジェクタ装置Ｂ２の取り付け位置を調整する方法の詳細については、図１６を用いて説明した通りであるため、ここでの説明は省略する。
【０４２５】
また、上側台座Ｂ２２０と下側台座Ｂ２２１とは、３つの連結孔２２００Ａ及び３つの連結ネジ部２２１０に対応する３箇所の連結部Ｒ１，Ｒ２，Ｒ３において連結される（図１２及び図１４参照）。これにより、上側台座Ｂ２２０と下側台座Ｂ２２１とは、連結部Ｒ１，Ｒ２，Ｒ３のそれぞれにおいて互いの間隔を調整することができるようになっている。連結部Ｒ１，Ｒ２，Ｒ３は、上側台座Ｂ２２０及び下側台座Ｂ２２１に沿う平面内（水平面内）において同一直線上に位置しないように配置されており、連結部Ｒ１，Ｒ２，Ｒ３のそれぞれにおいて上側台座Ｂ２２０と下側台座Ｂ２２１との間隔を適宜変化させることによって、上側台座Ｂ２２０に対する下側台座Ｂ２２１の３次元空間内における傾き具合を調整することが可能である。各連結部Ｒ１，Ｒ２，Ｒ３において上側台座Ｂ２２０と下側台座Ｂ２２１との間隔を調整する方法の詳細については、図１７を用いて説明した通りであるため、ここでの説明は省略する。
【０４２６】
このような上側台座Ｂ２２０及び下側台座Ｂ２２１を用いることにより、プロジェクタカバーＢ１に対する上側台座Ｂ２２０の面内位置を適宜調整することが可能であり、プロジェクタ装置Ｂ２を適正な位置に配置することができる。また、上側台座Ｂ２２０に対する下側台座Ｂ２２１の傾きを適宜調整することが可能であり、下側台座Ｂ２２１に支持されたケースＢ２２（プロジェクタ装置Ｂ２の内部構成要素であるレンズユニットＢ２１等）の姿勢を適正なものとすることができる。このように、プロジェクタ装置Ｂ２は、キャビネットＧ内における位置や姿勢を変化させ、照射光の出射位置、進行方向、照射範囲を調整することが可能なように構成されている。
【０４２７】
図８６に示すように、上側台座Ｂ２２０及び下側台座Ｂ２２１は、プロジェクタカバーＢ１における後方に配置されている。プロジェクタカバーＢ１は、上側台座Ｂ２２０及び下側台座Ｂ２２１の後方が開放された形状となっている。これにより、上側台座Ｂ２２０と下側台座Ｂ２２１との連結部Ｒ１，Ｒ２，Ｒ３が後方に向けて露出した状態となっている。また、図示しないが、上側台座Ｂ２２０の角孔２２０１ｃに挿入された取付ネジＴ（図１６参照）も、後方に向けて露出した状態となっている。
【０４２８】
図８７に示すように、上側台座Ｂ２２０及び下側台座Ｂ２２１の上方には、プロジェクタカバーＢ１のリフレクタ保持部Ｂ１１が配置されている。プロジェクタカバーＢ１は、リフレクタ保持部Ｂ１１の上方及び後方が開放された形状となっている。
【０４２９】
リフレクタ保持部Ｂ１１には、角度調整穴Ｂ１１１（図９参照）が形成され、角度調整穴Ｂ１１１には、図示しないネジが上側（背面側）から挿通されている。第１実施形態で説明したように、当該ネジを緩めたり締めたりすることによって、リフレクタ保持部Ｂ１１とミラー機構Ｂ３との距離を変化させることができる。これにより、リフレクタ保持部Ｂ１１の内側面に保持された光学ミラーＢ３２の位置（姿勢）を変化させ、プロジェクタ装置Ｂ２から出射された照射光の反射角度（反射後の照射光の進行方向）を調整することが可能である。
【０４３０】
＜操作用窓Ｇ１０及び閉塞用蓋Ｇ１００＞
図８８は、キャビネットの縦断面図である。図８９は、照射ユニット、閉塞用蓋、及び、キャビネットの背面壁の分解斜視図である。図９０は、閉塞用蓋を背面壁から取り外した状態における遊技機の背面図である。図９１は、図９０に示す遊技機における操作用窓周辺の部分拡大図である。図９２は、閉塞用蓋及びキャビネットの背面壁の分解斜視図である。図９３は、閉塞用蓋及びキャビネットの背面壁の分解斜視図である。図９４は、閉塞用蓋を背面壁に取り付けた状態の遊技機における操作用窓周辺の部分拡大図である。
【０４３１】
図８８に示すように、照射ユニットＢがキャビネットＧの内部に配置された状態において、上側台座Ｂ２２０及び下側台座Ｂ２２１は、キャビネットＧの後方に配置され、上側台座Ｂ２２０と下側台座Ｂ２２１との連結部Ｒ１，Ｒ２，Ｒ３がキャビネットＧ（背面壁Ｇ３）に取り付けられた閉塞用蓋Ｇ１００に対向するように位置付けられる。図示しないが、上側台座Ｂ２２０の角孔２２０１ｃに挿入された取付ネジＴも、閉塞用蓋Ｇ１００に対向するように位置付けられる。上側台座Ｂ２２０の後方には、他の部材が存在しない空間が形成されている。
【０４３２】
また、キャビネットＧの後方上部には、プロジェクタカバーＢ１のリフレクタ保持部Ｂ１１が配置されている。リフレクタ保持部Ｂ１１の上方及び後方には、他の部材が存在しない空間が形成されており、当該空間は、上側台座Ｂ２２０の後方空間と繋がっている。なお、図８８では、プロジェクタ装置Ｂ２から投射された光の照射範囲を斜線で示している。
【０４３３】
なお、照射ユニットＢは、ネジ締結により背面壁Ｇ３に取り付けられる。図８７に示すように、プロジェクタカバーＢ１の後部には、ネジを挿通させるためのネジ孔Ｂ１００ａ〜ｄが形成されている。照射ユニットＢが背面壁Ｇ３に取り付けられた状態においては、ネジ孔Ｂ１００ａの形成されている面Ｂ１１０ａ、ネジ孔Ｂ１００ｂの形成されている面Ｂ１１０ｂ、ネジ孔Ｂ１００ｃ、ｄの形成されている面Ｂ１１０ｃが、それぞれ、背面壁Ｇ３の内側面（前面側の面）に当接する。これらの面Ｂ１１０ａ〜ｃは、互いに分離して形成されており、これにより、プロジェクタカバーＢ１は、上側台座Ｂ２２０の後方空間、並びに、リフレクタ保持部Ｂ１１の上方及び後方空間が開放された形状となっている。
【０４３４】
図８９に示すように、キャビネットＧの背面壁Ｇ３には、操作用窓Ｇ１０が形成されている。操作用窓Ｇ１０は、キャビネットＧの外部から内部を視認することが可能な開口として形成されている。操作用窓Ｇ１０は、閉塞用蓋Ｇ１００によって閉塞することができる。
【０４３５】
図９０に示すように、閉塞用蓋Ｇ１００を背面壁Ｇ３から取り外した状態において、後方から正面視すると、操作用窓Ｇ１０を介して、上側台座Ｂ２２０と下側台座Ｂ２２１との連結部Ｒ１，Ｒ２，Ｒ３（特にナット２２１３、図１７参照）、及び、上側台座Ｂ２２０の角孔２２０１ｃに挿入された取付ネジＴの頭部（図示せず）が、操作用窓Ｇ１０を介して見える。これにより、キャビネットＧの外部からナット２２１３を操作することが可能であり、ナット２２１３を適宜回すことにより、プロジェクタ装置Ｂ２の姿勢を調整することができる。また、キャビネットＧの外部から取付ネジＴを操作することによって、上側台座Ｂ２２０に形成された角孔２２０１ｃの開口範囲内における取付ネジＴの位置を移動させることが可能であり、プロジェクタ装置Ｂ２の位置を調整することができる。
【０４３６】
また、図９１に示すように、閉塞用蓋Ｇ１００を背面壁Ｇ３から取り外した状態において、背面側下方から操作用窓Ｇ１０付近を見上げると、操作用窓Ｇ１０を介して、リフレクタ保持部Ｂ１１の角度調整穴Ｂ１１１に挿通されたネジの頭部（図示せず）も視認することができる。これにより、キャビネットＧの外部から当該ネジを操作することが可能であり、当該ネジを適宜回すことにより、ミラー機構Ｂ３の姿勢を調整することができる。
【０４３７】
以下、操作用窓Ｇ１０及び閉塞用蓋Ｇ１００の構造について説明する。図９２では、操作用窓Ｇ１０及び閉塞用蓋Ｇ１００を斜め後方から見た様子を示している。図９３では、操作用窓Ｇ１０及び閉塞用蓋Ｇ１００を斜め前方から見た様子を示している。
【０４３８】
図９２に示すように、操作用窓Ｇ１０は、前後方向に貫通する貫通孔として横長の長方形状に形成された開口Ｇ１０ａと、開口Ｇ１０ａの周縁においてキャビネットＧの背面壁Ｇ３の外側面（背面側の面）に対して凹んだ位置にロの字状の面を有するように形成された周縁部Ｇ１０ｂと、周縁部Ｇ１０ｂに形成された４つのネジ孔Ｇ１０ｃと、周縁部Ｇ１０ｂの外縁と背面壁Ｇ３の外側面とを接続する接続部Ｇ１０ｄと、を備えている。図９３に示すように、周縁部Ｇ１０ｂは、前方からは見えないが、ネジ孔Ｇ１０ｃは、背面壁Ｇ３を貫通しているため、前方からも確認することができ、図９３では、開口Ｇ１０ａの側方にネジ孔Ｇ１０ｃが形成されている様子が示されている。
【０４３９】
以上のように構成された操作用窓Ｇ１０は、換言すれば、背面壁Ｇ３の外側面に対して凹んだ凹部を形成するとともに、当該凹部の大部分を貫通させることにより開口を形成した形状を有している。当該開口が開口Ｇ１０ａに相当し、当該凹部のうち開口の形成されていない部分が周縁部Ｇ１０ｂに相当する。なお、周縁部Ｇ１０ｂは、背面壁Ｇ３の外側面と略平行な平坦面（鉛直方向の面）として形成されており、接続部Ｇ１０ｄは、水平方向及び鉛直方向の平坦面として形成されている。
【０４４０】
閉塞用蓋Ｇ１００は、板状の部材として構成されており、横長の長方形状に形成された背面Ｇ１００ａと、背面Ｇ１００ａの反対側に形成された前面Ｇ１００ｂと、前面Ｇ１００ｂに設けられた４つのボス部Ｇ１００ｃと、背面Ｇ１００ａの周縁から前方に向かうように形成された周縁部Ｇ１００ｄと、を備えている。背面Ｇ１００ａ及び前面Ｇ１００ｂは、鉛直方向の平坦面として形成されている。
【０４４１】
閉塞用蓋Ｇ１００（背面Ｇ１００ａ）の外形状は、操作用窓Ｇ１０の周縁部Ｇ１０ｂの外形状と略同一（周縁部Ｇ１０ｂよりも僅かに小さな相似形状）であり、操作用窓Ｇ１０の開口Ｇ１０ａよりも大きくなっている。これにより、閉塞用蓋Ｇ１００を上記凹部に嵌合する（上記凹部を埋めるように閉塞用蓋Ｇ１００を背面壁Ｇ３に取り付ける）ことで、操作用窓Ｇ１０の開口Ｇ１０ａを閉塞することができるようになっている。
【０４４２】
より詳細に説明すると、閉塞用蓋Ｇ１００の周縁部Ｇ１００ｄが操作用窓Ｇ１０の接続部Ｇ１０ｄに沿うように閉塞用蓋Ｇ１００が配置された場合、操作用窓Ｇ１０の４つのネジ孔Ｇ１０ｃと閉塞用蓋Ｇ１００の４つのボス部Ｇ１００ｃとが、それぞれ重畳するとともに、各ネジ孔Ｇ１０ｃが各ボス部Ｇ１００ｃの前方に位置付けられる。この状態で、前面側（キャビネットＧの内側）からネジ孔Ｇ１０ｃを挿通させたネジを、ボス部Ｇ１００ｃに形成された穴にねじ込むことによって、閉塞用蓋Ｇ１００がキャビネットＧ（背面壁Ｇ３）に取り付けられる。これにより、操作用窓Ｇ１０の開口Ｇ１０ａが閉塞用蓋Ｇ１００によって閉塞される。そして、閉塞用蓋Ｇ１００を背面壁Ｇ３に締結するためのネジは、キャビネットＧの内側から（ネジ頭部がキャビネットＧの内部に位置付けられるように）螺合されるため、キャビネットＧの内部に対するセキュリティを確保することができる。
【０４４３】
なお、プロジェクタ装置Ｂ２及びミラー機構Ｂ３の位置や姿勢を調整するに当たっては、上ドア機構ＵＤ及び下ドア機構ＤＤを開いた状態で、閉塞用蓋Ｇ１００と背面壁Ｇ３とを締結しているネジを前面側から操作して適宜回すことにより、当該ネジ締結を解除すればよい。これにより、閉塞用蓋Ｇ１００を背面壁Ｇ３から取り外すことが可能であり、閉塞用蓋Ｇ１００によって閉塞されていた操作用窓Ｇ１０（開口Ｇ１０ａ）を出現させることができる。この状態で、開口Ｇ１０ａを介して、キャビネットＧの外部（背面側）から、上側台座Ｂ２２０と下側台座Ｂ２２１との連結部Ｒ１，Ｒ２，Ｒ３や上側台座Ｂ２２０の角孔２２０１ｃに挿入された取付ネジＴ、プロジェクタカバーＢ１（リフレクタ保持部Ｂ１１）の角度調整穴Ｂ１１１に挿通されたネジを操作すれば、プロジェクタ装置Ｂ２及びミラー機構Ｂ３の位置や姿勢を調整することができる。
【０４４４】
ここで、閉塞用蓋Ｇ１００において、前面Ｇ１００ｂから周縁部Ｇ１００ｄの前端までの長さ（前面Ｇ１００ｂを基準とした場合における周縁部Ｇ１００ｄの前方への突出長）と、前面Ｇ１００ｂからボス部Ｇ１００ｃの先端までの長さ（ボス部Ｇ１００ｃの高さ）とは、等しくなっている。従って、閉塞用蓋Ｇ１００の周縁部Ｇ１００ｄの前端が操作用窓Ｇ１０の周縁部Ｇ１０ｂに当接するように閉塞用蓋Ｇ１００が配置された場合、閉塞用蓋Ｇ１００のボス部Ｇ１００ｃの先端も、操作用窓Ｇ１０の周縁部Ｇ１０ｂに当接することになる。
【０４４５】
図９４では、このような状態で閉塞用蓋Ｇ１００が配置されている様子を示している。図９４中、網掛け部分は、閉塞用蓋Ｇ１００（前面Ｇ１００ｂ）を示し、斜線部分は、背面壁Ｇ３（開口Ｇ１０ａの周縁）を示している。網掛け部分（閉塞用蓋Ｇ１００の前面Ｇ１００ｂ）と斜線部分（開口Ｇ１０ａの周縁）との間には、スペースＳが形成されており、当該スペースＳの幅（前後方向の長さ）が、上記「周縁部Ｇ１００ｄの前方への突出長」及び「ボス部Ｇ１００ｃの高さ」に相当する。
【０４４６】
このような構成を採用することにより、閉塞用蓋Ｇ１００を背面壁Ｇ３に対して安定的に取り付けることができるとともに、閉塞用蓋Ｇ１００（周縁部Ｇ１００ｄの前端）と背面壁Ｇ３（操作用窓Ｇ１０の周縁部Ｇ１０ｂ）との間に隙間ができてしまうことを回避し、当該隙間を通じて不正行為が行われてしまうことを防止することができる。
【０４４７】
また、操作用窓Ｇ１０の周縁部Ｇ１０ｂは、接続部Ｇ１０ｄの前後方向における長さ分だけ、背面壁Ｇ３の外側面に対して段差を有するように形成されているところ、閉塞用蓋Ｇ１００の周縁部Ｇ１００ｄの前後方向における長さ（背面Ｇ１００ａを基準とした場合における周縁部Ｇ１００ｄの前方への突出長）は、操作用窓Ｇ１０の接続部Ｇ１０ｄの前後方向における長さと略一致する（操作用窓Ｇ１０の接続部Ｇ１０ｄの前後方向における長さよりも僅かに短くなっている）。閉塞用蓋Ｇ１００の周縁部Ｇ１００ｄの前後方向における長さ、及び、操作用窓Ｇ１０の接続部Ｇ１０ｄの前後方向における長さは、それぞれ、全周に亘って一定の長さとなっている。これにより、閉塞用蓋Ｇ１００が背面壁Ｇ３に取り付けられた状態においては、閉塞用蓋Ｇ１００の背面Ｇ１００ａが背面壁Ｇ３の外側面と略同一平面を構成し（背面壁Ｇ３の外側面よりも僅かに前方に位置付けられ）、閉塞用蓋Ｇ１００の存在することが外観上認識され難くなっている。
【０４４８】
以上、本発明の一実施形態として、第５実施形態に係る遊技機１について説明した。
【０４４９】
従来、プロジェクタを用いることにより演出を行うことが可能な遊技機が知られている（特開平６−０３５０６６号公報及び特開２００９−２４０４５９号公報参照）。このような遊技機によれば、遊技用の映像がプロジェクタからスクリーン等の投影面に投影されることにより、液晶表示装置の代わりに、スクリーン等に映像が表示されるようになっている。
【０４５０】
しかしながら、従来、このようなプロジェクタが搭載される遊技機においては、プロジェクタが遊技機の内部にいったん固定されてしまうと、その後にプロジェクタに対して微調整を施すことが困難であった。
【０４５１】
本発明は、上記のような問題点に鑑みてなされたものであり、プロジェクタを内部に取り付けた状態でプロジェクタに対して調整を行うことが可能な遊技機を提供することを目的とする。
【０４５２】
この点、第５実施形態に係る遊技機１は、以下の特徴を備えている。
【０４５３】
（１０−１）  スクリーン（スクリーンシート１０４６、スクリーンシート１０５６、及び、スクリーンシート１０５７）と、
前記スクリーンに画像を表示するための光を投射するプロジェクタ（プロジェクタ装置Ｂ２の内部構成要素（レンズユニットＢ２１等））と、
前記プロジェクタにより投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）と、
前記プロジェクタを収容する収容部（キャビネットＧ）と、を備え、
前記収容部には、前記調節部を外部から操作可能な位置に開口（操作用窓Ｇ１０の開口Ｇ１０ａ）が設けられるとともに、該開口を閉塞可能な閉塞部材（閉塞用蓋Ｇ１００）が取り付けられている、
ことを特徴とする遊技機。
【０４５４】
第５実施形態に係る遊技機１によれば、プロジェクタ（プロジェクタ装置Ｂ２の内部構成要素（レンズユニットＢ２１等））を収容する収容部（キャビネットＧ）には、プロジェクタ（プロジェクタ装置Ｂ２の内部構成要素（レンズユニットＢ２１等））により投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を外部から操作可能な位置に開口（操作用窓Ｇ１０の開口Ｇ１０ａ）が設けられるとともに、該開口（操作用窓Ｇ１０の開口Ｇ１０ａ）を閉塞可能な閉塞部材（閉塞用蓋Ｇ１００）が取り付けられている。従って、収容部（キャビネットＧ）から閉塞部材（閉塞用蓋Ｇ１００）を取り外すことによって、閉塞部材（閉塞用蓋Ｇ１００）で閉塞されている該開口（操作用窓Ｇ１０の開口Ｇ１０ａ）を出現させることが可能であり、該開口（操作用窓Ｇ１０の開口Ｇ１０ａ）を介して、収容部（キャビネットＧ）の外部から、調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を操作することができるようになる。これにより、プロジェクタ（プロジェクタ装置Ｂ２の内部構成要素（レンズユニットＢ２１等））を収容部（キャビネットＧ）の内部に固定した後であっても、プロジェクタ（プロジェクタ装置Ｂ２の内部構成要素（レンズユニットＢ２１等））を収容部（キャビネットＧ）の内部に取り付けた状態のまま、収容部（キャビネットＧ）の外部から調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を操作することによって、プロジェクタ（プロジェクタ装置Ｂ２の内部構成要素（レンズユニットＢ２１等））により投射される光の進行方向を調節することができる。
【０４５５】
（１０−２）  スクリーン（スクリーンシート１０４６、スクリーンシート１０５６、及び、スクリーンシート１０５７）と、
前記スクリーンに画像を表示するための光を投射するプロジェクタ（プロジェクタ装置Ｂ２の内部構成要素（レンズユニットＢ２１等））と、
前記プロジェクタにより投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）と、
前記プロジェクタを収容し、前面に開口を有する本体部（キャビネットＧ）と、
前記本体部に対して開閉可能に取り付けられ、前記スクリーンに表示された画像を視認可能にするための表示領域が設けられた開閉扉（上ドア機構ＵＤ）と、を備え、
前記本体部には、前記前面とは別途、前記調節部を外部から操作可能な位置に開口（操作用窓Ｇ１０の開口Ｇ１０ａ）が設けられるとともに、該開口を閉塞可能な閉塞部材（閉塞用蓋Ｇ１００）が取り付けられている、
ことを特徴とする遊技機。
【０４５６】
第５実施形態に係る遊技機１によれば、プロジェクタ（プロジェクタ装置Ｂ２の内部構成要素（レンズユニットＢ２１等））を収容する本体部（キャビネットＧ）には、プロジェクタ（プロジェクタ装置Ｂ２の内部構成要素（レンズユニットＢ２１等））により投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を外部から操作可能な位置に開口（操作用窓Ｇ１０の開口Ｇ１０ａ）が設けられるとともに、該開口（操作用窓Ｇ１０の開口Ｇ１０ａ）を閉塞可能な閉塞部材（閉塞用蓋Ｇ１００）が取り付けられている。従って、本体部（キャビネットＧ）から閉塞部材（閉塞用蓋Ｇ１００）を取り外すことによって、閉塞部材（閉塞用蓋Ｇ１００）で閉塞されている該開口（操作用窓Ｇ１０の開口Ｇ１０ａ）を出現させることが可能であり、該開口（操作用窓Ｇ１０の開口Ｇ１０ａ）を介して、本体部（キャビネットＧ）の外部から、調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を操作することができるようになる。これにより、プロジェクタ（プロジェクタ装置Ｂ２の内部構成要素（レンズユニットＢ２１等））を本体部（キャビネットＧ）の内部に固定した後であっても、プロジェクタ（プロジェクタ装置Ｂ２の内部構成要素（レンズユニットＢ２１等））を本体部（キャビネットＧ）の内部に取り付けた状態のまま、本体部（キャビネットＧ）の外部から調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を操作することによって、プロジェクタ（プロジェクタ装置Ｂ２の内部構成要素（レンズユニットＢ２１等））により投射される光の進行方向を調節することができる。
【０４５７】
（１０−３）  前記（１０−２）の遊技機であって、
前記閉塞部材（閉塞用蓋Ｇ１００）は、前記本体部の内側からの螺合により、前記本体部に取り付けられている、
ことを特徴とする。
【０４５８】
第５実施形態に係る遊技機１によれば、閉塞部材（閉塞用蓋Ｇ１００）は、本体部（キャビネットＧ）の内側からの螺合により、本体部（キャビネットＧ）に取り付けられている。従って、閉塞部材（閉塞用蓋Ｇ１００）を本体部（キャビネットＧ）から取り外すためには、本体部（キャビネットＧ）の内側から螺合を解除することが必要である。これにより、本体部（キャビネットＧ）の外部から閉塞部材（閉塞用蓋Ｇ１００）が取り外されてしまうことを回避することが可能であり、本体部（キャビネットＧ）の内部に対するセキュリティを確保しつつ、本体部（キャビネットＧ）の外部から不正行為が行われてしまうことを防止することができる。
【０４５９】
なお、本発明において、閉塞部材（閉塞用蓋Ｇ１００）を本体部（キャビネットＧ）に取り付ける方法は、特に限定されず、閉塞部材（閉塞用蓋Ｇ１００）は、本体部（キャビネットＧ）の内側からの螺合により、本体部（キャビネットＧ）に取り付けられることとしてもよいし、本体部（キャビネットＧ）の外側からの螺合により、本体部（キャビネットＧ）に取り付けられることとしてもよい。また、閉塞部材（閉塞用蓋Ｇ１００）は、螺合以外の方法により、本体部（キャビネットＧ）に取り付けられることとしてもよい。例えば、閉塞部材（閉塞用蓋Ｇ１００）を本体部（キャビネットＧ）の壁面（背面壁Ｇ３の内側面又は外側面）に沿って摺動（スライド）可能にするためのガイド部材を、キャビネットＧ（背面壁Ｇ３）の内側又は外側にレール状に形成し、該ガイド部材上において閉塞部材（閉塞用蓋Ｇ１００）を係止することとしてもよい。閉塞部材（閉塞用蓋Ｇ１００）が該ガイド部材上を左右方向（又は前後方向）に摺動することにより、開口（操作用窓Ｇ１０の開口Ｇ１０ａ）が閉塞される閉塞状態と開口（操作用窓Ｇ１０の開口Ｇ１０ａ）が開放される開放状態とが切り替えられるように構成すれば、開放状態において本体部（キャビネットＧ）の外部から調節部を操作することが可能であり、第５実施形態と同様に、プロジェクタにより投射される光の進行方向を調節することができる。なお、このような効果に鑑みれば、本発明において、閉塞部材（閉塞用蓋Ｇ１００）の構成は必須ではなく、本体部（キャビネットＧ）に閉塞部材（閉塞用蓋Ｇ１００）を取り付けず、本体部（キャビネットＧ）に設けられた開口（操作用窓Ｇ１０の開口Ｇ１０ａ）が常時開放された状態となるように構成してもよい。
【０４６０】
第５実施形態では、キャビネットＧの背面壁Ｇ３に、操作用窓Ｇ１０の開口Ｇ１０ａが形成されるとともに、閉塞用蓋Ｇ１０が取り付けられることとして説明した。本発明においては、本体部（キャビネットＧ）を構成する任意の壁面（例えば、背面壁Ｇ３、側面壁Ｇ２、上面壁Ｇ４等）に、開口（操作用窓Ｇ１０の開口Ｇ１０ａ）を設けるとともに、閉塞部材（閉塞用蓋Ｇ１００）を取り付けるように構成することが可能である。例えば、キャビネットＧの背面壁Ｇ３に代えて、側面壁Ｇ２又は上面壁Ｇ４に、開口（操作用窓Ｇ１０の開口Ｇ１０ａ）を設けるとともに、閉塞部材（閉塞用蓋Ｇ１００）を取り付けることとしてもよい。そのように構成する場合には、調節部（例えば、上側台座Ｂ２２０と下側台座Ｂ２２１との連結部Ｒ１，Ｒ２，Ｒ３や、上側台座Ｂ２２０のプロジェクタカバーＢ１への取り付け部分、ミラー機構Ｂ３のリフレクタ保持部Ｂ１１への取り付け部分等）が側面壁Ｇ２又は上面壁Ｇ４近傍に配置されるようにすればよい。なお、上面壁Ｇ４に、開口（操作用窓Ｇ１０の開口Ｇ１０ａ）を設けるとともに閉塞部材（閉塞用蓋Ｇ１００）を取り付ける場合、開口Ｇ４１及び板部材Ｇ４２（図１参照）をそれぞれ、操作用窓Ｇ１０の開口Ｇ１０ａ及び閉塞用蓋Ｇ１０として採用してもよいし、開口Ｇ４１及び板部材Ｇ４２を形成しないこととしつつ、別途、操作用窓Ｇ１０の開口Ｇ１０ａ及び閉塞用蓋Ｇ１０に対応する構成を採用することとしてもよい。
【０４６１】
また、本体部（キャビネットＧ）の複数の壁面（例えば、背面壁Ｇ３、側面壁Ｇ２、及び、上面壁Ｇ４のうち、２つ又は３つの壁面）に、開口（操作用窓Ｇ１０の開口Ｇ１０ａ）を設けるとともに、閉塞部材（閉塞用蓋Ｇ１００）を取り付けることとしてもよい。例えば、プロジェクタ装置Ｂ２の位置（姿勢）を調節するための調節部（例えば、上側台座Ｂ２２０と下側台座Ｂ２２１との連結部Ｒ１，Ｒ２，Ｒ３や、上側台座Ｂ２２０のプロジェクタカバーＢ１への取り付け部分等）を外部から操作可能なように、キャビネットＧの背面壁Ｇ３に操作用窓Ｇ１０の開口Ｇ１０ａを設けるとともに閉塞用蓋Ｇ１０を取り付ける一方、ミラー機構Ｂ３の位置（姿勢）を調節するための調節部（例えば、ミラー機構Ｂ３のリフレクタ保持部Ｂ１１への取り付け部分等）を外部から操作可能なように、キャビネットＧの上面壁Ｇ４に操作用窓Ｇ１０の開口Ｇ１０ａを設けるとともに閉塞用蓋Ｇ１０を取り付けることとしてもよい。
【０４６２】
また、本体部（キャビネットＧ）の１つの壁面（例えば、背面壁Ｇ３、側面壁Ｇ２、又は、上面壁Ｇ４）に、複数の開口（操作用窓Ｇ１０の開口Ｇ１０ａ）を設けるとともに、各開口を閉塞可能な閉塞部材（閉塞用蓋Ｇ１００）を取り付けることとしてもよい。例えば、プロジェクタ装置Ｂ２の位置（姿勢）を調節するための調節部（例えば、上側台座Ｂ２２０と下側台座Ｂ２２１との連結部Ｒ１，Ｒ２，Ｒ３や、上側台座Ｂ２２０のプロジェクタカバーＢ１への取り付け部分等）を外部から操作可能なように、キャビネットＧの背面壁Ｇ３の中央付近に第１の開口を設けるとともに第１の開口を閉塞可能な第１の閉塞用蓋を取り付ける一方、ミラー機構Ｂ３の位置（姿勢）を調節するための調節部（例えば、ミラー機構Ｂ３のリフレクタ保持部Ｂ１１への取り付け部分等）を外部から操作可能なように、第１の開口よりも上方に第２の開口を設けるとともに第２の開口を閉塞可能な第２の閉塞用蓋を取り付けることとしてもよい。複数の開口を設ける場合、各開口を個別に閉塞可能な閉塞部材を開口の個数分だけ取り付けることとしてもよいし、複数の開口を同時に閉塞可能な閉塞部材を１つだけ取り付けることとしてもよい。
【０４６３】
本体部（キャビネットＧ）の外部からこのような調節を行うに当たっては、調節のための操作を行いやすくするため、本体部（キャビネットＧ）の外部から開口（操作用窓Ｇ１０の開口Ｇ１０ａ）を正面視したときに、調節対象となる部材（例えば、上側台座Ｂ２２０と下側台座Ｂ２２１との連結部Ｒ１，Ｒ２，Ｒ３におけるナット２２１３や、上側台座Ｂ２２０の角孔２２０１ｃに挿入された取付ネジＴ、リフレクタ保持部Ｂ１１の角度調整穴Ｂ１１１に挿通されたネジ等）が開口（操作用窓Ｇ１０の開口Ｇ１０ａ）を介して視認可能となるように、当該部材が配置されていることが望ましい（図９０参照）。調節対象となる部材が複数設けられている場合には、本体部（キャビネットＧ）の外部から開口（操作用窓Ｇ１０の開口Ｇ１０ａ）を正面視したときに、これらの複数の部材が全て視認可能（例えば、上側台座Ｂ２２０全体が視認可能）となるように配置されていることが望ましい。調節対象となる部材が複数設けられる場合には、例えば、当該開口（操作用窓Ｇ１０の開口Ｇ１０ａ）を、これらの部材間の距離（最も離れている部材間の距離）よりも径の大きなものとするとよい。これにより、これらの部材に対する調節を行いやすくなる。もっとも、本体部（キャビネットＧ）の外部から開口（操作用窓Ｇ１０の開口Ｇ１０ａ）を正面視したときに、調節対象となる部材が開口（操作用窓Ｇ１０の開口Ｇ１０ａ）を介して視認可能となることは、必須ではない。例えば、本体部（キャビネットＧ）の外部から開口（操作用窓Ｇ１０の開口Ｇ１０ａ）を正面視したときに、調節対象となる部材（例えば、プロジェクタカバーＢ１（リフレクタ保持部Ｂ１１）の角度調整穴Ｂ１１１に挿通されたネジ）が見えなかったとしても、角度を変えて本体部（キャビネットＧ）の内部を覗き込んだ場合に当該部材を視認することができるような場合には（図９１参照）、当該部材と開口（操作用窓Ｇ１０の開口Ｇ１０ａ）との間に他の部材が存在しない空間が形成されていれば、当該部材を外部から操作することは可能である。本発明においては、調節対象となる部材（調節用のネジやナット等）と開口（操作用窓Ｇ１０の開口Ｇ１０ａ）とがこのような位置関係を有するように構成されていてもよい。
【０４６４】
また、上述した実施形態では、キャビネットＧの内部が中間支持板Ｇ１により上部空間と下部空間とに仕切られており、上部空間（上ドア機構ＵＤの後側となる空間）に表示ユニットＡ（照射ユニットＢ）が収容される一方、下部空間（下ドア機構ＤＤの後側となる空間）に制御基板（主制御基板ＭＳやサブ制御装置ＳＳ等）が収容されることとして説明した（図５参照）。しかし、本発明において、本体部（キャビネットＧ）の内部は、上部空間と下部空間とに仕切られる必要はなく、プロジェクタ（照射ユニットＢ）が収容される空間と制御基板（主制御基板ＭＳやサブ制御装置ＳＳ等）が収容される空間とを区別する必要もない。例えば、プロジェクタカバーＢ１のリフレクタ保持部Ｂ１１（ミラー機構Ｂ３）の後方空間（図８８参照）に制御基板（主制御基板ＭＳ又はサブ制御装置ＳＳ）を配置することとしてもよい。これにより、本体部（キャビネットＧ）内のスペースを有効に活用するとともに、制御基板（主制御基板ＭＳ又はサブ制御装置ＳＳ）から発生した熱が下部空間にこもってしまう現象を緩和することができる。なお、本発明における開閉扉は、複数の扉（上ドア機構ＵＤ及び下ドア機構ＤＤ）から構成されていてもよいし、１つの扉から構成されていてもよい。
【０４６５】
［第６実施形態］
以上、第１実施形態〜第５実施形態について説明した。以下、第６実施形態について説明する。第６実施形態に係る遊技機１の基本的な構成は、第１実施形態〜第５実施形態に係る遊技機１と同じである。以下においては、第１実施形態〜第５実施形態に係る遊技機１の構成要素と同一の構成要素には、同一の符号を付して説明することとする。また、第１実施形態〜第５実施形態における説明が第６実施形態においても当てはまる部分については、説明を省略することとする。
【０４６６】
＜キャビネットＧ内部の概観＞
図９５は、キャビネット内部の概略構成を説明するための正面図である。図９６は、図９５に示すキャビネット内部からリールユニットを取り外した状態を示す分解斜視図である。図９７は、キャビネットの背面壁に照射ユニットが取り付けられた状態を示す斜視図である。
【０４６７】
上述した実施形態では、キャビネットＧの内部が中間支持板Ｇ１により上部空間と下部空間とに仕切られており、上部空間（上ドア機構ＵＤの後側となる空間）に表示ユニットＡ（照射ユニットＢ）が収容される一方、下部空間（下ドア機構ＤＤの後側となる空間）に制御基板（主制御基板ＭＳやサブ制御装置ＳＳ等）が収容されることとして説明した（図４及び図５参照）。これに対し、第６実施形態では、図９５及び図９６に示すように、中間支持板Ｇ１は設けられておらず、その代わりに、ミドルボード４０００が設けられている。
【０４６８】
ミドルボード４０００は、キャビネットＧの内部における上下方向略中央よりもやや下側に配置されている。ミドルボード４０００の上面には、リールユニットＲＵが載置されている。すなわち、上述した実施形態では、中間支持板Ｇ１の下方にリールユニットＲＵが配置されている（図４参照）のに対し、本実施形態では、ミドルボード４０００の上方にリールユニットＲＵが配置されている。
【０４６９】
なお、上述した実施形態では、キャビネットＧにおける開口を閉塞するドアとして、上ドア機構ＵＤ及び下ドア機構ＤＤが設けられることとして説明したが、本実施形態では、１つのドア（前面ドア）によってキャビネットＧにおける開口全体が閉塞されるように構成されている。図示しないが、前面ドアにおける上下方向略中央には、メイン表示窓ＤＤ４（図３参照）が設けられている。メイン表示窓ＤＤ４の形成位置とリールユニットＲＵ（リールＲＬ）の配置位置とは、正面視において略一致しており、上述したように、メイン表示窓ＤＤ４を介して、各リールＲＬ，ＲＣ，ＲＲの動作や各リールＲＬ，ＲＣ，ＲＲ上に描かれている図柄を視認することが可能となる。
【０４７０】
図９７に示すように、キャビネットＧの背面壁Ｇ３上部には、照射ユニットＢが取り付けられている。これにより、照射ユニットＢは、リールユニットＲＵの上方に配置される。図９５及び図９６では、キャビネットＧの内部から照射ユニットＢを取り外した状態を示しており、照射ユニットＢの図示を省略している。また、図９７では、照射ユニットＢ及び背面壁Ｇ３のみを示しており、照射ユニットＢ及び背面壁Ｇ３以外の構成の図示を省略している。第５実施形態と同様に、背面壁Ｇ３には、操作用窓Ｇ１０が形成されており、操作用窓Ｇ１０は、閉塞用蓋Ｇ１００（図８９参照）によって閉塞される。照射ユニットＢは、閉塞用蓋Ｇ１００の前方空間に配置されることになる。
【０４７１】
また、図示しないが、キャビネットＧの右側面壁Ｇ２Ｒにおける内側面には、主制御基板ＭＳ（図４参照）が取り付けられており、キャビネットＧの左側面壁Ｇ２Ｌにおける内側面には、サブ制御装置ＳＳ（図１１参照）が取り付けられている。これにより、主制御基板ＭＳは、照射ユニットＢの右側に位置付けられ、サブ制御装置ＳＳは、照射ユニットＢの左側に位置付けられる。
【０４７２】
第１実施形態（図６参照）と同様に、照射ユニットＢは、照射光を出射するプロジェクタ装置Ｂ２と、プロジェクタ装置Ｂ２から出射された照射光を反射するミラー機構Ｂ３と、プロジェクタ装置Ｂ２及びミラー機構Ｂ３を収容するプロジェクタカバーＢ１と、を備えている。プロジェクタカバーＢ１の構成は、第１実施形態と異なっており、リフレクタ保持部Ｂ１１（図１０参照）は、プロジェクタ装置Ｂ２の前方ではなく、プロジェクタ装置Ｂ２の上方に形成されている（図１００参照）。
【０４７３】
第１実施形態と同様に、リフレクタ保持部Ｂ１１の内側面には、ミラー機構Ｂ３が設けられており、ミラー機構Ｂ３は、プロジェクタ装置Ｂ２から投射された光を反射することが可能な光学ミラーＢ３２（図７参照）を備えている。本実施形態では、リフレクタ保持部Ｂ１１の形状及び形成位置に対応して、ミラー機構Ｂ３（光学ミラーＢ３２）が、前方よりも後方の方が低くなるような傾斜を有する姿勢で、プロジェクタ装置Ｂ２の上方に配置される。
【０４７４】
プロジェクタ装置Ｂ２は、前方よりも後方の方が低くなるような傾斜（光学ミラーＢ３２よりも急な傾斜）を有する姿勢で、プロジェクタカバーＢ１に対して固定されている。  これにより、第５実施形態と同様に、プロジェクタ装置Ｂ２から投射されて上向きに進行した光は、ミラー機構Ｂ３（光学ミラーＢ３２）によって前方に向けて反射される（図８５参照）。ミラー機構Ｂ３（光学ミラーＢ３２）によって反射されて前方に進行した光は、スクリーン（図示せず）に対して後方（背面側）から入射し、スクリーンの前面側（表示面）に画像が表示されることになる。
【０４７５】
以上で説明したように、プロジェクタ装置Ｂ２から投射された光の進行経路については、基本的に第５実施形態と同様である。なお、スクリーンは、キャビネット側スクリーン９０４０（図５２参照）のようにキャビネットＧの内部に設けてもよいし、スクリーンシート１０４６、スクリーンシート１０５６、及び、スクリーンシート１０５７（図６５〜図６８参照）のように、前面ドアに設けてもよい。
【０４７６】
＜照射光の進行方向の調節＞
図９８は、照射ユニットを側方から見た斜視図である。図９９は、照射ユニットを後方から見た斜視図である。
【０４７７】
第１実施形態で説明したように、プロジェクタ装置Ｂ２は、ケースＢ２２によって外装されつつ、上側台座Ｂ２２０及び下側台座Ｂ２２１を介してプロジェクタカバーＢ１に取り付けられる（図１２参照）。具体的に、上側台座Ｂ２２０の右側部分及び左側部分には、それぞれ、角孔２２０１ｃが設けられている（図１３参照）。上側台座Ｂ２２０は、角孔２２０１ｃに挿入された取付ネジＴ（図１６参照）によって、プロジェクタカバーＢ１に取り付けられる。第５実施形態と同様に、取付ネジＴは、角孔２２０１ｃの上方から（ネジ頭部が上部背面側となるように）挿入される。
【０４７８】
また、下側台座Ｂ２２１には、ケースＢ２２をネジ止めするための複数のネジ孔２２１４が設けられており（図１２参照）、ケースＢ２２は、下側台座Ｂ２２１に対して下方からネジ締結により取り付けられる。ケースＢ２２の構成としては、第５実施形態と同様に、直方体の箱形形状を有するケースＢ２２（図２２参照）を採用している。ケースＢ２２には、プロジェクタ装置Ｂ２の内部構成要素であるレンズユニットＢ２１（図１２参照）、ＬＥＤ基板、ＤＭＤ基板、ヒートシンク、吸気用ファン等が収容されている。
【０４７９】
ここで、上側台座Ｂ２２０に形成された角孔２２０１ｃは、その縦横内径寸法が取付ネジＴのネジ軸径よりも大きくなっている。これにより、プロジェクタ装置Ｂ２のプロジェクタカバーＢ１に対する取り付け位置を左右方向及び前後方向に調整することができるようになっている。プロジェクタ装置Ｂ２の取り付け位置を調整する方法の詳細については、図１６を用いて説明した通りであるため、ここでの説明は省略する。
【０４８０】
また、上側台座Ｂ２２０と下側台座Ｂ２２１とは、３つの連結孔２２００Ａ及び３つの連結ネジ部２２１０に対応する３箇所の連結部Ｒ１，Ｒ２，Ｒ３において連結される（図１２及び図１４参照）。これにより、上側台座Ｂ２２０と下側台座Ｂ２２１とは、連結部Ｒ１，Ｒ２，Ｒ３のそれぞれにおいて互いの間隔を調整することができるようになっている。第５実施形態と同様に、連結部Ｒ１，Ｒ２，Ｒ３のそれぞれにおいて上側台座Ｂ２２０と下側台座Ｂ２２１との間隔を適宜変化させることによって、上側台座Ｂ２２０に対する下側台座Ｂ２２１の３次元空間内における傾き具合を調整することが可能である。各連結部Ｒ１，Ｒ２，Ｒ３において上側台座Ｂ２２０と下側台座Ｂ２２１との間隔を調整する方法の詳細については、図１７を用いて説明した通りであるため、ここでの説明は省略する。
【０４８１】
また、リフレクタ保持部Ｂ１１とミラーホルダＢ３１とは、３箇所の連結部Ｒ４，Ｒ５，Ｒ６において連結される。図示しないが、リフレクタ保持部Ｂ１１には、連結孔２２００Ａと同様の孔が３つ形成されており、ミラーホルダＢ３１には、連結ネジ部２２１０と同様の突出構造が３つ形成されている。連結部Ｒ４，Ｒ５，Ｒ６は、これらの３つの孔及び３つの突出構造に対応しており、連結部Ｒ１，Ｒ２，Ｒ３と同様の構成を備えている。
【０４８２】
これにより、リフレクタ保持部Ｂ１１とミラーホルダＢ３１とは、連結部Ｒ４，Ｒ５，Ｒ６のそれぞれにおいて互いの間隔を調整することができるようになっている。この点、上述した実施形態では、リフレクタ保持部Ｂ１１に形成された角度調整穴Ｂ１１１（図９参照）に挿通されたネジを緩めたり締めたりすることによって、リフレクタ保持部Ｂ１１の内側面に保持された光学ミラーＢ３２の位置（姿勢）を変化させることとして説明した。これに対し、本実施形態では、連結部Ｒ４，Ｒ５，Ｒ６のそれぞれにおいてリフレクタ保持部Ｂ１１とミラーホルダＢ３１との間隔を適宜変化させることによって、リフレクタ保持部Ｂ１１に対するミラーホルダＢ３１（光学ミラーＢ３２）の３次元空間内における傾き具合を調整することができるようになっている。
【０４８３】
以上のように、プロジェクタ装置Ｂ２は、キャビネットＧ内における位置や姿勢を変化させ、照射光の出射位置、進行方向、照射範囲を調整することが可能なように構成されている。また、ミラー機構Ｂ３は、リフレクタ保持部Ｂ１１の内側面に保持された光学ミラーＢ３２の位置（姿勢）を変化させ、プロジェクタ装置Ｂ２から出射された照射光の反射角度（反射後の照射光の進行方向）を調整することが可能なように構成されている。
【０４８４】
図９８に示すように、上側台座Ｂ２２０及び下側台座Ｂ２２１は、プロジェクタカバーＢ１における後方に配置されている。プロジェクタカバーＢ１は、上側台座Ｂ２２０及び下側台座Ｂ２２１の後方が開放された形状となっている。これにより、上側台座Ｂ２２０と下側台座Ｂ２２１との連結部Ｒ１，Ｒ２，Ｒ３が後方に向けて露出した状態となっている。また、上側台座Ｂ２２０の角孔２２０１ｃに挿入された取付ネジＴも、後方に向けて露出した状態となっている。
【０４８５】
なお、プロジェクタカバーＢ１の背面側には、プロジェクタカバープレートＢ１０００が取り付けられているが、プロジェクタカバープレートＢ１０００は、中央が開口した形状を有しており、連結部Ｒ１，Ｒ２，Ｒ３、及び、取付ネジＴは、当該開口に面している。すなわち、連結部Ｒ１，Ｒ２，Ｒ３、及び、取付ネジＴの後方への露出状態は、プロジェクタカバープレートＢ１０００によって妨げられない構成となっている。
【０４８６】
また、図９９に示すように、上側台座Ｂ２２０及び下側台座Ｂ２２１の上方には、プロジェクタカバーＢ１のリフレクタ保持部Ｂ１１が配置されている。プロジェクタカバーＢ１は、リフレクタ保持部Ｂ１１の上方及び後方が開放された形状となっている。
【０４８７】
＜操作用窓Ｇ１０及び閉塞用蓋Ｇ１００＞
図１００は、キャビネットの縦断面図である。図１０１は、照射ユニット、閉塞用蓋、及び、キャビネットの背面壁の分解斜視図である。図１０２は、閉塞用蓋を背面壁から取り外した状態における遊技機の背面図である。図１０３は、図１０２に示す遊技機における操作用窓周辺の部分拡大図である。図１０４は、閉塞用蓋及びキャビネットの背面壁の分解斜視図である。図１０５は、閉塞用蓋及びキャビネットの背面壁の分解斜視図である。
【０４８８】
図１００に示すように、照射ユニットＢがキャビネットＧの内部に配置された状態において、上側台座Ｂ２２０及び下側台座Ｂ２２１は、キャビネットＧの後方に配置され、上側台座Ｂ２２０と下側台座Ｂ２２１との連結部Ｒ１，Ｒ２，Ｒ３がキャビネットＧ（背面壁Ｇ３）に取り付けられた閉塞用蓋Ｇ１００に対向するように位置付けられる。図示しないが、上側台座Ｂ２２０の角孔２２０１ｃに挿入された取付ネジＴも、閉塞用蓋Ｇ１００に対向するように位置付けられる。上側台座Ｂ２２０の後方には、他の部材が存在しない空間が形成されている。
【０４８９】
また、キャビネットＧの後方上部には、プロジェクタカバーＢ１のリフレクタ保持部Ｂ１１が配置されている。リフレクタ保持部Ｂ１１の上方及び後方には、他の部材が存在しない空間が形成されており、当該空間は、上側台座Ｂ２２０の後方空間と繋がっている。
【０４９０】
なお、プロジェクタカバーＢ１は、第５実施形態と同様の外観構成を有しており、背面側に配置されたプロジェクタカバープレートＢ１０００を介して背面壁Ｇ３に取り付けられる。具体的には、プロジェクタカバープレートＢ１０００がネジ締結により背面壁Ｇ３に取り付けられており、プロジェクタカバーＢ１は、ネジ締結によりプロジェクタカバープレートＢ１０００に連結されている。これにより、照射ユニットＢ全体が背面壁Ｇ３に対して固定されている。
【０４９１】
そして、上述したように、プロジェクタカバープレートＢ１０００は、中央部分に開口を設けた形状を有している。これにより、照射ユニットＢは、全体的に、上側台座Ｂ２２０の後方空間、並びに、リフレクタ保持部Ｂ１１の上方及び後方空間が開放された形状となっている。なお、図１００では、プロジェクタカバープレートＢ１０００及びキャビネットＧの側面壁Ｇ２の図示を省略するとともに、プロジェクタ装置Ｂ２から投射された光の照射範囲を斜線で示している。また、図１０１では、照射ユニットＢからプロジェクタカバープレートＢ１０００を取り外した状態を示している。
【０４９２】
図１０１に示すように、キャビネットＧの背面壁Ｇ３には、操作用窓Ｇ１０が形成されている。操作用窓Ｇ１０は、キャビネットＧの外部から内部を視認することが可能な開口として形成されている。操作用窓Ｇ１０は、閉塞用蓋Ｇ１００によって閉塞することができる。
【０４９３】
図１０２に示すように、閉塞用蓋Ｇ１００を背面壁Ｇ３から取り外した状態において、後方から正面視すると、操作用窓Ｇ１０を介して、上側台座Ｂ２２０と下側台座Ｂ２２１との連結部Ｒ１，Ｒ２，Ｒ３（特にナット２２１３、図１７参照）、及び、上側台座Ｂ２２０の角孔２２０１ｃに挿入された取付ネジＴの頭部が、操作用窓Ｇ１０を介して見える。これにより、キャビネットＧの外部からナット２２１３を操作することが可能であり、ナット２２１３を適宜回すことにより、プロジェクタ装置Ｂ２の姿勢を調整することができる。また、キャビネットＧの外部から取付ネジＴを操作することによって、上側台座Ｂ２２０に形成された角孔２２０１ｃの開口範囲内における取付ネジＴの位置を移動させることが可能であり、プロジェクタ装置Ｂ２の位置を調整することができる。
【０４９４】
また、図１０３に示すように、閉塞用蓋Ｇ１００を背面壁Ｇ３から取り外した状態において、背面側下方から操作用窓Ｇ１０付近を見上げると、操作用窓Ｇ１０を介して、リフレクタ保持部Ｂ１１とミラーホルダＢ３１との連結部Ｒ４，Ｒ５，Ｒ６（特にナット２２１３、図１７参照）が、操作用窓Ｇ１０を介して見える。これにより、キャビネットＧの外部からナット２２１３を操作することが可能であり、ナット２２１３を適宜回すことにより、ミラー機構Ｂ３の姿勢を調整することができる。
【０４９５】
以下、操作用窓Ｇ１０及び閉塞用蓋Ｇ１００の構造について説明する。図１０４では、操作用窓Ｇ１０及び閉塞用蓋Ｇ１００を斜め後方から見た様子を示している。図１０５では、操作用窓Ｇ１０及び閉塞用蓋Ｇ１００を斜め前方から見た様子を示している。
【０４９６】
図１０４に示すように、操作用窓Ｇ１０は、前後方向に貫通する貫通孔として横長の長方形状に形成された開口Ｇ１０ａと、開口Ｇ１０ａの周縁においてキャビネットＧの背面壁Ｇ３の外側面（背面側の面）に対して凹んだ位置にロの字状の面を有するように形成された周縁部Ｇ１０ｂと、周縁部Ｇ１０ｂに形成された４つのネジ孔Ｇ１０ｃと、周縁部Ｇ１０ｂの外縁と背面壁Ｇ３の外側面とを接続する接続部Ｇ１０ｄと、を備えている。図１０５に示すように、周縁部Ｇ１０ｂは、前方からは見えないが、ネジ孔Ｇ１０ｃは、背面壁Ｇ３を貫通しているため、前方からも確認することができ、図１０５では、開口Ｇ１０ａの側方にネジ孔Ｇ１０ｃが形成されている様子が示されている。
【０４９７】
以上のように構成された操作用窓Ｇ１０は、換言すれば、背面壁Ｇ３の外側面に対して凹んだ凹部を形成するとともに、当該凹部の大部分を貫通させることにより開口を形成した形状を有している。当該開口が開口Ｇ１０ａに相当し、当該凹部のうち開口の形成されていない部分が周縁部Ｇ１０ｂに相当する。なお、周縁部Ｇ１０ｂは、背面壁Ｇ３の外側面と略平行な平坦面（鉛直方向の面）として形成されており、接続部Ｇ１０ｄは、水平方向及び鉛直方向の平坦面として形成されている。
【０４９８】
閉塞用蓋Ｇ１００は、板状の部材として構成されており、横長の長方形状に形成された背面Ｇ１００ａと、背面Ｇ１００ａの反対側に形成された前面Ｇ１００ｂと、前面Ｇ１００ｂに設けられた４つのボス部Ｇ１００ｃと、背面Ｇ１００ａの周縁から前方に向かうように形成された周縁部Ｇ１００ｄと、を備えている。背面Ｇ１００ａ及び前面Ｇ１００ｂは、鉛直方向の平坦面として形成されている。
【０４９９】
閉塞用蓋Ｇ１００（背面Ｇ１００ａ）の外形状は、操作用窓Ｇ１０の周縁部Ｇ１０ｂの外形状と略同一（周縁部Ｇ１０ｂよりも僅かに小さな相似形状）であり、操作用窓Ｇ１０の開口Ｇ１０ａよりも大きくなっている。これにより、閉塞用蓋Ｇ１００を上記凹部に嵌合する（上記凹部を埋めるように閉塞用蓋Ｇ１００を背面壁Ｇ３に取り付ける）ことで、操作用窓Ｇ１０の開口Ｇ１０ａを閉塞することができるようになっている。
【０５００】
より詳細に説明すると、閉塞用蓋Ｇ１００の周縁部Ｇ１００ｄが操作用窓Ｇ１０の接続部Ｇ１０ｄに沿うように閉塞用蓋Ｇ１００が配置された場合、操作用窓Ｇ１０の４つのネジ孔Ｇ１０ｃと閉塞用蓋Ｇ１００の４つのボス部Ｇ１００ｃとが、それぞれ重畳するとともに、各ネジ孔Ｇ１０ｃが各ボス部Ｇ１００ｃの前方に位置付けられる。この状態で、前面側（キャビネットＧの内側）からネジ孔Ｇ１０ｃを挿通させたネジを、ボス部Ｇ１００ｃに形成された穴にねじ込むことによって、閉塞用蓋Ｇ１００がキャビネットＧ（背面壁Ｇ３）に取り付けられる。これにより、操作用窓Ｇ１０の開口Ｇ１０ａが閉塞用蓋Ｇ１００によって閉塞される。そして、閉塞用蓋Ｇ１００を背面壁Ｇ３に締結するためのネジは、キャビネットＧの内側から（ネジ頭部がキャビネットＧの内部に位置付けられるように）螺合されるため、キャビネットＧの内部に対するセキュリティを確保することができる。
【０５０１】
なお、プロジェクタ装置Ｂ２及びミラー機構Ｂ３の位置や姿勢を調整するに当たっては、前面ドアを開いた状態で、閉塞用蓋Ｇ１００と背面壁Ｇ３とを締結しているネジを前面側から操作して適宜回すことにより、当該ネジ締結を解除すればよい。これにより、閉塞用蓋Ｇ１００を背面壁Ｇ３から取り外すことが可能であり、閉塞用蓋Ｇ１００によって閉塞されていた操作用窓Ｇ１０（開口Ｇ１０ａ）を出現させることができる。この状態で、開口Ｇ１０ａを介して、キャビネットＧの外部（背面側）から、上側台座Ｂ２２０と下側台座Ｂ２２１との連結部Ｒ１，Ｒ２，Ｒ３や上側台座Ｂ２２０の角孔２２０１ｃに挿入された取付ネジＴ、リフレクタ保持部Ｂ１１とミラーホルダＢ３１との連結部Ｒ４，Ｒ５，Ｒ６を操作すれば、プロジェクタ装置Ｂ２及びミラー機構Ｂ３の位置や姿勢を調整することができる。
【０５０２】
＜閉塞用蓋Ｇ１００の背面壁Ｇ３への係止＞
図１０６は、閉塞用蓋を後方から見た斜視図である。図１０７は、閉塞用蓋を前方から見た斜視図である。図１０８は、背面壁を前方から見た部分拡大斜視図である。図１０９は、閉塞用蓋が背面壁に取り付けられた状態を示す部分拡大斜視図である。図１１０は、図１０９に示す状態における閉塞用蓋及び背面壁を示す断面図である。
【０５０３】
図１０６に示すように、閉塞用蓋Ｇ１００は、略左右対称となる構造を有しており、背面視における左端近傍に形成された第１係合用突出部Ｇ１０１及び第１開口Ｇ１０２と、第１開口Ｇ１０２の右側に形成された第１凹部Ｇ１０３と、背面視における右端近傍に形成された第２係合用突出部Ｇ１１１及び第２開口Ｇ１１２と、第２開口Ｇ１１２の左側に形成された第２凹部Ｇ１１３と、を備えている。
【０５０４】
第１開口Ｇ１０２及び第２開口Ｇ１１２は、それぞれ、前後方向に貫通する貫通孔として縦長の長方形状に形成されている。第１係合用突出部Ｇ１０１は、第１開口Ｇ１０２の形成部分において、前方に突出するように形成されている。第２係合用突出部Ｇ１１１は、第２開口Ｇ１１２の形成部分において、前方に突出するように形成されている。第１凹部Ｇ１０３及び第２凹部Ｇ１１３は、それぞれ、閉塞用蓋Ｇ１００の背面Ｇ１００ａに対して凹んだ形状を有しており、矩形状に形成されている。
【０５０５】
図１０７に示すように、第１係合用突出部Ｇ１０１は、上面視Ｕ字形状となるように形成されるとともに、上下方向に延在しており、第１係合用突出部Ｇ１０１の上下方向の長さは、第１開口Ｇ１０２の長辺の長さと略一致している。当該Ｕ字は、２つの直線部と、該２つの直線部の端部同士を結んだ曲線部とから構成されている。これにより、第１係合用突出部Ｇ１０１は、当該２つの直線部に対応する面として、閉塞用蓋Ｇ１００の中央に近い方の内側面Ｇ１０７（正面視における左側の面）及び閉塞用蓋Ｇ１００の中央から遠い方の外側面Ｇ１０８（正面視における右側の面）を備えている。内側面Ｇ１０７の後端部は、第１開口Ｇ１０２の長辺Ｇ１０２ａ（第１開口Ｇ１０２の周縁を構成する２つの長辺のうち閉塞用蓋Ｇ１００中央側の長辺）に沿っており、外側面Ｇ１０８の後端部は、第１開口Ｇ１０２の中央付近に位置付けられている。
【０５０６】
外側面Ｇ１０８には、前後方向における中央よりもやや前方に、上側係止片Ｇ１０８ａ及び下側係止片Ｇ１０８ｂが形成されている（図１１７参照）。上側係止片Ｇ１０８ａ及び下側係止片Ｇ１０８ｂは、閉塞用蓋Ｇ１００の中央とは反対側（図１０７における右側）に突設された突起として形成されている。外側面Ｇ１０８の後端部にも、突起Ｇ１０８ｃが形成されている。上側係止片Ｇ１０８ａは、背面側に係合面Ｇ１０８ｄを有しており、下側係止片Ｇ１０８ｂは、背面側に係合面Ｇ１０８ｅを有している（図１０６参照）。
【０５０７】
同様に、第２係合用突出部Ｇ１１１は、上面視Ｕ字形状となるように形成されるとともに、上下方向に延在しており、第２係合用突出部Ｇ１１１の上下方向の長さは、第２開口Ｇ１１２の長辺の長さと略一致している。当該Ｕ字は、２つの直線部と、該２つの直線部の端部同士を結んだ曲線部とから構成されている。これにより、第２係合用突出部Ｇ１１１は、当該２つの直線部に対応する面として、閉塞用蓋Ｇ１００の中央に近い方の内側面Ｇ１１７（正面視における右側の面）及び閉塞用蓋Ｇ１００の中央から遠い方の外側面Ｇ１１８（正面視における左側の面）を備えている。内側面Ｇ１１７の後端部は、第２開口Ｇ１１２の長辺Ｇ１１２ａ（第２開口Ｇ１１２の周縁を構成する２つの長辺のうち閉塞用蓋Ｇ１００中央側の長辺）に沿っており、外側面Ｇ１１８の後端部は、第２開口Ｇ１１２の中央付近に位置付けられている。
【０５０８】
第２係合用突出部Ｇ１１１の詳細な構造は、図１０７から明らかでないが、第１係合用突出部Ｇ１０１と左右対称の構造となっている。すなわち、外側面Ｇ１１８には、前後方向における中央よりもやや前方に、上側係止片Ｇ１１８ａ及び下側係止片Ｇ１１８ｂが形成されている。上側係止片Ｇ１１８ａ及び下側係止片Ｇ１１８ｂは、閉塞用蓋Ｇ１００の中央とは反対側（図１０７における左側）に突設された突起として形成されている。外側面Ｇ１１８の後端部にも、突起Ｇ１１８ｃが形成されている。上側係止片Ｇ１１８ａは、背面側に係合面Ｇ１１８ｄを有しており、下側係止片Ｇ１１８ｂは、背面側に係合面Ｇ１１８ｅを有している。
【０５０９】
また、図１０７において、第１係合用突出部Ｇ１０１の左側には、第１凸部Ｇ１０９が形成され、第２係合用突出部Ｇ１１１の右側には、第２凸部Ｇ１１９が形成されている。第１凸部Ｇ１０９及び第２凸部Ｇ１１９は、それぞれ、第１凹部Ｇ１０３及び第２凹部Ｇ１１３（図１０６参照）に対応しており、第１凹部Ｇ１０３及び第２凹部Ｇ１１３の凹みに応じて、前面Ｇ１００ｂに対して前方に突出した形状を有している。
【０５１０】
また、長方形状の周縁部Ｇ１００ｄの上縁（上側の辺）を構成する上縁部Ｇ１００ｅのやや下方には、上縁部Ｇ１００ｅと略平行に上側突出部Ｇ１２１が形成されている。周縁部Ｇ１００ｄの下縁（下側の辺）を構成する下縁部Ｇ１００ｆのやや上方には、下縁部Ｇ１００ｆと略平行に下側突出部Ｇ１２２が形成されている。
【０５１１】
ここで、図１０４に示すように、キャビネットＧの背面壁Ｇ３に形成された開口Ｇ１０ａの形状は、厳密に言えば長方形ではなく、周縁部Ｇ１０ｂは、その一部（背面視における左辺部分）を切り欠いた形状となっている。図１０８に示すように、当該切欠き部Ｇ１０ｅにより、右縁部Ｇ１０ｆが形成されている。右縁部Ｇ１０ｆは、開口Ｇ１０ａの周縁（背面壁Ｇ３の内側面Ｇ３ａと周縁部Ｇ１０ｂとを接続する部分）の一部であり、正面視において、当該周縁の右縁を構成している。背面壁Ｇ３の内側面Ｇ３ａは、背面壁Ｇ３の前面側の面である。分かりやすくするため、図１０８では、右縁部Ｇ１０ｆを斜線で示している。
【０５１２】
切欠き部Ｇ１０ｅは、閉塞用蓋Ｇ１００の第１係合用突出部Ｇ１０１が係合する部分となっている。具体的に、図１０９に示すように、閉塞用蓋Ｇ１００が背面壁Ｇ３に取り付けられた状態においては、第１係合用突出部Ｇ１０１における上側係止片Ｇ１０８ａの係合面Ｇ１０８ｄ及び下側係止片Ｇ１０８ｂの係合面Ｇ１０８ｅ（図１０６参照）が背面壁Ｇ３の内側面Ｇ３ａ（右縁部Ｇ１０ｆに沿う部分）と当接し、第１係合用突出部Ｇ１０１の外側面Ｇ１０８（係合面Ｇ１０８ｄ及び係合面Ｇ１０８ｅと連続する部分）が背面壁Ｇ３の右縁部Ｇ１０ｆと当接する（図１１８参照）。
【０５１３】
同様に、左縁部Ｇ１０ｇ近傍には、閉塞用蓋Ｇ１００の第２係合用突出部Ｇ１１１が係合される。左縁部Ｇ１０ｇは、開口Ｇ１０ａの周縁（背面壁Ｇ３の内側面Ｇ３ａと周縁部Ｇ１０ｂとを接続する部分）の一部であり、正面視において、当該周縁の左縁を構成している。具体的には、図示しないが、閉塞用蓋Ｇ１００が背面壁Ｇ３に取り付けられた状態において、第２係合用突出部Ｇ１１１における上側係止片Ｇ１１８ａの係合面Ｇ１１８ｄ及び下側係止片Ｇ１１８ｂの係合面Ｇ１１８ｅが背面壁Ｇ３の内側面Ｇ３ａ（左縁部Ｇ１０ｇに沿う部分）と当接し、第２係合用突出部Ｇ１１１の外側面Ｇ１１８（係合面Ｇ１１８ｄ及び係合面Ｇ１１８ｅと連続する部分）が背面壁Ｇ３の左縁部Ｇ１０ｇと当接する。
【０５１４】
以上のように、第１係合用突出部Ｇ１０１の上側係止片Ｇ１０８ａ及び下側係止片Ｇ１０８ｂ、並びに、第２係合用突出部Ｇ１１１の上側係止片Ｇ１１８ａ及び下側係止片Ｇ１１８ｂによって、閉塞用蓋Ｇ１００が背面壁Ｇ３に係止される。
【０５１５】
図１１０では、背面壁Ｇ３に対して閉塞用蓋Ｇ１００が固定された状態において、閉塞用蓋Ｇ１００の第１凹部Ｇ１０３を通る面（前後方向の鉛直面）で切断した様子を示している。図１１０に示すように、閉塞用蓋Ｇ１００の周縁部Ｇ１００ｄの前端は、操作用窓Ｇ１０の周縁部Ｇ１０ｂに当接している。
【０５１６】
ここで、閉塞用蓋Ｇ１００の前面Ｇ１００ｂから下側突出部Ｇ１２２の前端までの長さ（前面Ｇ１００ｂを基準とした場合における下側突出部Ｇ１２２の前方への突出長）は、前面Ｇ１００ｂから周縁部Ｇ１００ｄの前端までの長さ（前面Ｇ１００ｂを基準とした場合における周縁部Ｇ１００ｄの前方への突出長）よりも長くなっている。これにより、下側突出部Ｇ１２２の前端は、背面壁Ｇ３の周縁部Ｇ１０ｂと内側面Ｇ３ａとの間に位置付けられている。
【０５１７】
また、閉塞用蓋Ｇ１００の前面Ｇ１００ｂから上側突出部Ｇ１２１の前端までの長さ（前面Ｇ１００ｂを基準とした場合における上側突出部Ｇ１２１の前方への突出長）は、閉塞用蓋Ｇ１００の前面Ｇ１００ｂから下側突出部Ｇ１２２の前端までの長さ（前面Ｇ１００ｂを基準とした場合における下側突出部Ｇ１２２の前方への突出長）よりも長くなっている。これにより、上側突出部Ｇ１２１の前端は、背面壁Ｇ３の内側面Ｇ３ａよりも前方に位置付けられている。
【０５１８】
下側突出部Ｇ１２２の下面と開口Ｇ１０ａの下縁部Ｇ１０ｈとは、近接（略当接）しており、上側突出部Ｇ１２１の上面と開口Ｇ１０ａの上縁部Ｇ１０ｉとは、近接（略当接）している。例えば、下側突出部Ｇ１２２の下面と開口Ｇ１０ａの下縁部Ｇ１０ｈとの間隙、及び、上側突出部Ｇ１２１の上面と開口Ｇ１０ａの上縁部Ｇ１０ｉとの間隙は、閉塞用蓋Ｇ１００の周縁部Ｇ１００ｄにおける上下方向の厚みよりも小さくなっている。
【０５１９】
これにより、閉塞用蓋Ｇ１００の周縁部Ｇ１００ｄの前端と操作用窓Ｇ１０の周縁部Ｇ１０ｂとの間に僅かな隙間が生じたような場合に、閉塞用蓋Ｇ１００の周縁部Ｇ１００ｄと背面壁Ｇ３の接続部Ｇ１０ｄとの間隙を通じて針金形状の器具を侵入させようとしたとしても、上側突出部Ｇ１２１又は下側突出部Ｇ１２２が邪魔になって、当該侵入を阻止することができるようになっている。従って、当該隙間を通じて不正行為が行われてしまうことを防止することができる。
【０５２０】
なお、閉塞用蓋Ｇ１００の周縁部Ｇ１００ｄと背面壁Ｇ３の接続部Ｇ１０ｄとは、基本的に当接しているが、閉塞用蓋Ｇ１００の周縁部Ｇ１００ｄと背面壁Ｇ３の接続部Ｇ１０ｄとの間には、僅かな（例えば、閉塞用蓋Ｇ１００の周縁部Ｇ１００ｄにおける上下方向の厚みよりも小さな）隙間が形成されていてもよい。本明細書において、「当接」とは、略当接している場合及び近接している場合を含む概念である。
【０５２１】
＜照射ユニットＢ及び閉塞用蓋Ｇ１００の背面壁Ｇ３への取り付け＞
照射ユニットＢ及び閉塞用蓋Ｇ１００は、下記（ｉ）〜（ｖ）の工程を経て、背面壁Ｇ３に対して取り付けられる。
【０５２２】
（ｉ）照射ユニット引っ掛け用ネジ５０００を背面壁Ｇ３に対して暫定的に取り付ける（仮止めする）。
（ｉｉ）照射ユニット引っ掛け用ネジ５０００に照射ユニットＢを引っ掛ける。
（ｉｉｉ）照射ユニット引っ掛け用ネジ５０００を用いた締結により、照射ユニットＢを背面壁Ｇ３に対して固定する。
（ｉｖ）第１係合用突出部Ｇ１０１及び第２係合用突出部Ｇ１１１を用いた係止により、閉塞用蓋Ｇ１００を背面壁Ｇ３に対して暫定的に取り付ける（仮止めする）。
（ｖ）蓋取付用ネジ５１００を用いた締結により、閉塞用蓋Ｇ１００を背面壁Ｇ３に対して固定する。
【０５２３】
以下、図１１１〜図１１５を用いて、上記（ｉ）〜（ｖ）の工程について説明する。
【０５２４】
図１１１は、照射ユニット引っ掛け用ネジの斜視図である。図１１２は、照射ユニット引っ掛け用ネジが背面壁に仮止めされた状態を示す部分拡大斜視図である。図１１３は、プロジェクタカバープレートの正面図である。図１１４は、プロジェクタカバープレートをやや上方から見た部分拡大斜視図である。図１１５は、プロジェクタカバー及びプロジェクタカバープレートを後方から見た分解斜視図である。
【０５２５】
図１０８に示すように、背面壁Ｇ３には、照射ユニット引っ掛け用ネジ孔５０１０が２つ形成されるとともに、照射ユニット締結用ネジ孔５０２０が２つ形成されている。２つの照射ユニット引っ掛け用ネジ孔５０１０は、それぞれ、開口Ｇ１０ａにおける上側の２つのコーナー部近傍であって、上側の２つのネジ孔Ｇ１０ｃの上方に設けられている。２つの照射ユニット締結用ネジ孔５０２０は、それぞれ、開口Ｇ１０ａにおける下側の２つのコーナー部近傍であって、下側の２つのネジ孔Ｇ１０ｃの下方に設けられている。
【０５２６】
照射ユニット引っ掛け用ネジ孔５０１０には、照射ユニット引っ掛け用ネジ５０００がねじ込まれる。図１１１に示すように、照射ユニット引っ掛け用ネジ５０００は、ネジ部５００１と頭部５００２とを備えている。ネジ部５００１は、所定方向に延在する円筒形状を有している。頭部５００２は、ネジ部５００１の延在方向（軸方向）に対して正面から見たとき、ネジ部５００１の周囲に膨出した形状を有している。頭部５００２は、頭部本体５００３及び座金部５００４を備え、頭部本体５００３及び座金部５００４は、ともに、ネジ部５００１よりも大きな径を有しており、座金部５００４の径は、頭部本体５００３の径よりも大きくなっている。
【０５２７】
図１１２では、上記（ｉ）の工程を行った時点における背面壁Ｇ３及び照射ユニット引っ掛け用ネジ５０００を示している。この状態では、照射ユニットＢ及び閉塞用蓋Ｇ１００が背面壁Ｇ３に取り付けられた状態（遊技機１の組み立てが完了した状態）と比較して、照射ユニット引っ掛け用ネジ５０００が緩く取り付けられており、背面壁Ｇ３に対する照射ユニット引っ掛け用ネジ５０００のねじ込み量（螺合の程度）が小さくなっている。図１１２に示すように、照射ユニット引っ掛け用ネジ５０００のネジ部５００１の一部及び頭部５００２全体が背面壁Ｇ３の内側面Ｇ３ａよりも前方に突出している。
【０５２８】
上記（ｉｉ）の工程では、このようにして突出した照射ユニット引っ掛け用ネジ５０００に対して照射ユニットＢの背面側が引っ掛けられる。上述したように、プロジェクタカバーＢ１の背面側には、プロジェクタカバープレートＢ１０００が取り付けられている（図９８参照）。
【０５２９】
図１１３に示すように、プロジェクタカバープレートＢ１０００は、正面視矩形状の板状部材に矩形状の開口Ｂ１００１を設けた形状を有している。プロジェクタカバープレートＢ１０００には、開口Ｂ１００１の右側部分及び左側部分に、それぞれ２つの蓋締結用ネジ孔Ｂ１００２が形成されている。
【０５３０】
また、プロジェクタカバープレートＢ１０００には、照射ユニット引っ掛け用ネジ孔Ｂ１０１０が２つ形成されるとともに、キャビネット締結用ネジ孔Ｂ１０２０が２つ形成されている。２つの照射ユニット引っ掛け用ネジ孔Ｂ１０１０は、それぞれ、開口Ｂ１００１における上側の２つのコーナー部近傍であって、上側の２つの蓋締結用ネジ孔Ｂ１００２の上方に設けられている。２つのキャビネット締結用ネジ孔Ｂ１０２０は、それぞれ、開口Ｂ１００１における下側の２つのコーナー部近傍であって、下側の２つの蓋締結用ネジ孔Ｂ１００２の下方に設けられている。
【０５３１】
図１１４に示すように、照射ユニット引っ掛け用ネジ孔Ｂ１０１０は、前後方向に貫通する貫通孔として形成されている。照射ユニット引っ掛け用ネジ孔Ｂ１０１０は、上側に位置する上側部Ｂ１０１０ａと、上側部Ｂ１０１０ａと連続して形成された下側部Ｂ１０１０ｂと、から構成されており、全体として瓢箪形形状を有している。分かりやすくするため、図１１４では、上側部Ｂ１０１０ａと下側部Ｂ１０１０ｂとの境界（窪み部分を結ぶ直線）を仮想線で示している。下側部Ｂ１０１０ｂの径は、上側部Ｂ１０１０ａの径よりも大きくなっている。
【０５３２】
照射ユニット引っ掛け用ネジ孔Ｂ１０１０の周辺には、プロジェクタカバープレートＢ１０００の主面Ｂ１００５に対して凹んだ位置に周縁壁部Ｂ１０１１が形成されている。換言すれば、照射ユニット引っ掛け用ネジ孔Ｂ１０１０の近傍は、主面Ｂ１００５に対して凹んだ楕円形状の凹部を形成するとともに、当該凹部の大部分を貫通させることにより開口を形成した形状を有している。当該開口が照射ユニット引っ掛け用ネジ孔Ｂ１０１０に相当し、当該凹部のうち開口の形成されていない部分が周縁壁部Ｂ１０１１に相当する。分かりやすくするため、図１１４では、周縁壁部Ｂ１０１１を斜線で示している。
【０５３３】
また、蓋締結用ネジ孔Ｂ１００２の周辺には、プロジェクタカバープレートＢ１０００の主面Ｂ１００５に対して凹んだ位置に周縁壁部Ｂ１００３が形成されている。換言すれば、蓋締結用ネジ孔Ｂ１００２の近傍は、主面Ｂ１００５に対して凹んだ楕円形状の凹部を形成するとともに、当該凹部の一部を貫通させることにより開口を形成した形状を有している。当該開口が蓋締結用ネジ孔Ｂ１００２に相当し、当該凹部のうち開口の形成されていない部分が周縁壁部Ｂ１００３に相当する。分かりやすくするため、図１１４では、周縁壁部Ｂ１００３を網掛けで示している。
【０５３４】
上記（ｉｉ）の工程においては、プロジェクタカバープレートＢ１０００の照射ユニット引っ掛け用ネジ孔Ｂ１０１０と、背面壁Ｇ３から突出している照射ユニット引っ掛け用ネジ５０００（図１１２参照）とが重畳するように、照射ユニットＢを背面壁Ｇ３に対して接近させる。照射ユニット引っ掛け用ネジ孔Ｂ１０１０の上側部Ｂ１０１０ａの径は、照射ユニット引っ掛け用ネジ５０００の頭部５００２（座金部５００４）の径よりも小さいが、照射ユニット引っ掛け用ネジ孔Ｂ１０１０の下側部Ｂ１０１０ｂの径は、頭部５００２（座金部５００４）の径よりも大きくなっている。
【０５３５】
具体的に、上側部Ｂ１０１０ａにおいて、左右方向及び上下方向の長さ（それぞれ最も長い部分の長さ）は、座金部５００４の径よりも小さいのに対し、下側部Ｂ１０１０ｂにおいて、左右方向及び上下方向の長さ（それぞれ最も長い部分の長さ）は、座金部５００４の径よりも大きくなっている。これにより、照射ユニット引っ掛け用ネジ５０００の頭部５００２を上側部Ｂ１０１０ａに挿入することはできないが、下側部Ｂ１０１０ｂには挿入することができる。
【０５３６】
照射ユニット引っ掛け用ネジ５０００の頭部５００２を下側部Ｂ１０１０ｂに挿入した状態で、照射ユニットＢを若干下方に移動させると、照射ユニット引っ掛け用ネジ５０００のネジ部５００１と照射ユニット引っ掛け用ネジ孔Ｂ１０１０（上側部Ｂ１０１０ａ）の上縁部Ｂ１０１０ｃと当接する。上縁部Ｂ１０１０ｃは、上側部Ｂ１０１０ａの周縁（照射ユニット引っ掛け用ネジ孔Ｂ１０１０の背面側周縁部Ｂ１０１２と周縁壁部Ｂ１０１１とを接続する部分）の一部であり、上側部Ｂ１０１０ａの上端に相当する。分かりやすくするため、図１１５では、背面側周縁部Ｂ１０１２を斜線で示している。このようにして、照射ユニット引っ掛け用ネジ５０００にプロジェクタカバープレートＢ１０００を引っ掛けることができる。
【０５３７】
なお、図１１３に示すように、プロジェクタカバープレートＢ１０００には、ユニット締結用上側ネジ孔Ｂ１０３０が２つ形成されるとともに、ユニット締結用下側ネジ孔Ｂ１０３１が２つ形成されている。図１１５に示すように、プロジェクタカバーＢ１には、プレート締結用上側ボス部Ｂ１０４０が２つ形成されるとともに、プレート締結用下側ボス部Ｂ１０４１が２つ形成されている。
【０５３８】
プレート締結用上側ボス部Ｂ１０４０の形成位置は、ユニット締結用上側ネジ孔Ｂ１０３０の形成位置に対応しており、ユニット締結用上側ネジ孔Ｂ１０３０を挿通させたネジが、プレート締結用上側ボス部Ｂ１０４０に形成された穴にねじ込まれる。また、プレート締結用下側ボス部Ｂ１０４１の形成位置は、ユニット締結用下側ネジ孔Ｂ１０３１の形成位置に対応しており、ユニット締結用下側ネジ孔Ｂ１０３１を挿通させたネジが、プレート締結用下側ボス部Ｂ１０４１に形成された穴にねじ込まれる。これにより、プロジェクタカバーＢ１に対して、プロジェクタカバープレートＢ１０００がネジ締結により固定される。
【０５３９】
プロジェクタカバーＢ１において、プレート締結用上側ボス部Ｂ１０４０の形成部分とプレート締結用下側ボス部Ｂ１０４１の形成部分とは、傾斜部Ｂ１０４２により連結されている。傾斜部Ｂ１０４２は、後方よりも前方の方が高くなるような傾斜を有する姿勢となるように形成されている。傾斜部Ｂ１０４２の背面側には、上側台座Ｂ２２０の取付箇所となる台座取付部Ｂ１０４３が形成されている。これにより、プロジェクタ装置Ｂ２も、後方よりも前方の方が高くなるような傾斜を有する姿勢で配置されることになる。
【０５４０】
なお、傾斜部Ｂ１０４２が傾斜していることに起因して、プレート締結用上側ボス部Ｂ１０４０は、プレート締結用下側ボス部Ｂ１０４１よりも前方に位置付けられている。一方、プロジェクタカバープレートＢ１０００には、主面Ｂ１００５に対して突出した構造を有するネジ孔用突出部Ｂ１０３５が形成されている。ユニット締結用上側ネジ孔Ｂ１０３０は、ネジ孔用突出部Ｂ１０３５の先端に形成されている。これにより、ユニット締結用上側ネジ孔Ｂ１０３０は、ユニット締結用下側ネジ孔Ｂ１０３１よりも前方に位置付けられている。
【０５４１】
このようにして、プレート締結用上側ボス部Ｂ１０４０及びプレート締結用下側ボス部Ｂ１０４１の形成位置（前後方向における位置が互いに異なるボス部）に、ユニット締結用上側ネジ孔Ｂ１０３０及びユニット締結用下側ネジ孔Ｂ１０３１の形成位置を対応させることが可能となっている。なお、プロジェクタカバープレートＢ１０００は、鉛直方向に（背面壁Ｇ３及び閉塞用蓋Ｇ１００と略平行となるように）配置されている。
【０５４２】
以上で説明したように、上記（ｉｉ）の工程では、照射ユニット引っ掛け用ネジ５０００にプロジェクタカバープレートＢ１０００が引っ掛けられる。その後、上記（ｉｉｉ）の工程では、プロジェクタカバープレートＢ１０００（照射ユニットＢ）を背面壁Ｇ３に対してネジ締結により固定する。具体的に、上述したように、上記（ｉｉ）の工程を行った時点においては、背面壁Ｇ３に対する照射ユニット引っ掛け用ネジ５０００のねじ込み量（螺合の程度）が小さくなっているところ、当該螺合の程度を増大させることにより、強固にネジ止めを行う。
【０５４３】
また、照射ユニット引っ掛け用ネジ５０００にプロジェクタカバープレートＢ１０００が引っ掛けられた状態においては、背面壁Ｇ３の照射ユニット締結用ネジ孔５０２０（図１０８参照）とプロジェクタカバープレートＢ１０００のキャビネット締結用ネジ孔Ｂ１０２０（図１１３参照）とが重畳する。この状態で、キャビネット締結用ネジ孔Ｂ１０２０を挿通させたネジ（照射ユニット締結用ネジ）を照射ユニット締結用ネジ孔５０２０にねじ込むことによって、背面壁Ｇ３とプロジェクタカバープレートＢ１０００との固定状態を補強することができる。
【０５４４】
なお、キャビネット締結用ネジ孔Ｂ１０２０の径は、照射ユニット締結用ネジの頭部（図示せず）の径よりも小さくなっている。そのため、照射ユニット締結用ネジのキャビネット締結用ネジ孔Ｂ１０２０への挿入は、プロジェクタカバープレートＢ１０００の背面側から行うことはできず、プロジェクタカバープレートＢ１０００の前面側からのみ行うことができる。照射ユニット締結用ネジは、照射ユニット引っ掛け用ネジ５０００と同様の構成を有している。
【０５４５】
以上のようにして、上記（ｉ）〜（ｉｉｉ）の工程により、照射ユニットＢを背面壁Ｇ３に取り付けると、続いて、上記（ｉｖ）の工程では、閉塞用蓋Ｇ１００を背面壁Ｇ３に係止させる。
【０５４６】
具体的には、第１凹部Ｇ１０３及び第２凹部Ｇ１１３（図１０６参照）の側面をそれぞれ左右の親指で掴むとともに、第１係合用突出部Ｇ１０１の外側面Ｇ１０８及び第２係合用突出部Ｇ１１１の外側面Ｇ１１８（図１０７参照）をそれぞれ左右の人差し指又は中指で掴むようにして、閉塞用蓋Ｇ１００を把持する。そして、閉塞用蓋Ｇ１００を背面壁Ｇ３に背面側から接近させて、外側面Ｇ１０８及び外側面Ｇ１１８の前方部分（上側係止片Ｇ１０８ａ及び下側係止片Ｇ１０８ｂ、並びに、上側係止片Ｇ１１８ａ及び下側係止片Ｇ１１８ｂよりも前方）がそれぞれ背面壁Ｇ３の右縁部Ｇ１０ｆ及び左縁部Ｇ１０ｇ（図１０８参照）に沿うように、閉塞用蓋Ｇ１００を配置する。
【０５４７】
その状態で、閉塞用蓋Ｇ１００を前方に押し込むことにより、図１０９に示すように閉塞用蓋Ｇ１００が背面壁Ｇ３に係止された状態となる。なお、その際、必要に応じて、外側面Ｇ１０８に形成された突起Ｇ１０８ｃ及び外側面Ｇ１１８に形成された突起Ｇ１１８ｃに指を当てながら、閉塞用蓋Ｇ１００の中央方向に力を加えるとよい。これにより、外側面Ｇ１０８及び外側面Ｇ１１８が閉塞用蓋Ｇ１００の中央寄りに若干変形し、当該係止をスムーズに行うことができる。
【０５４８】
閉塞用蓋Ｇ１００が背面壁Ｇ３に係止された状態においては、閉塞用蓋Ｇ１００のボス部Ｇ１００ｃ（図１０７参照）と背面壁Ｇ３のネジ孔Ｇ１０ｃ（図１０８参照）とプロジェクタカバープレートＢ１０００の蓋締結用ネジ孔Ｂ１００２（図１１３参照）とが重畳する。上記（ｖ）の工程では、この状態で、蓋締結用ネジ孔Ｂ１００２及びネジ孔Ｇ１０ｃを挿通させたネジ（図１２０に示す蓋取付用ネジ５１００）をボス部Ｇ１００ｃにねじ込む。これにより、閉塞用蓋Ｇ１００及び照射ユニットＢを一体として、背面壁Ｇ３に対して固定することができる。なお、蓋取付用ネジ５１００は、照射ユニット引っ掛け用ネジ５０００と異なり、座金部を備えない（頭部が頭部本体のみからなる）構成となっている。
【０５４９】
＜背面壁Ｇ３周辺の配置関係＞
図１１６は、第１空洞周辺の部分拡大斜視図である。図１１７は、第１係合用突出部周辺の部分拡大斜視図である。図１１８は、第１係合用突出部が第１空洞に収納されている状態を示す断面図である。図１１９は、第１係合用突出部が第１空洞に収納されている状態を示す断面図である。図１２０は、閉塞用蓋及び照射ユニットが背面壁に取り付けられた状態における照射ユニット引っ掛け用ネジ及び蓋取付用ネジ周辺の断面図である。図１２１は、閉塞用蓋、背面壁、及び、プロジェクタカバープレートを示す断面図である。図１２２は、背面壁の開口周辺及びプロジェクタカバープレートを分解して示す正面図である。図１２３は、図９７に示す状態におけるキャビネット内部の部分拡大正面図である。
【０５５０】
図１１５に示すように、プロジェクタカバープレートＢ１０００の背面側には、第１空洞Ｂ１０５０及び第２空洞Ｂ１０６０が形成されている。第１空洞Ｂ１０５０及び第２空洞Ｂ１０６０は、それぞれ、直方体状の形状を有しており、周囲の面（背面側周縁部Ｂ１０１２等を含む鉛直面）に対して凹んだ凹部として形成されている。すなわち、当該凹部は、直方体における１つの面（背面側の面）を開放させた形状を有しており、第１空洞Ｂ１０５０及び第２空洞Ｂ１０６０は、直方体における残りの５つの面によって囲まれた部分となっている。
【０５５１】
図１１６に示すように、第１空洞Ｂ１０５０において、当該５つの面（壁部）は、前壁部Ｂ１０５０ａ、上壁部Ｂ１０５０ｂ、下壁部Ｂ１０５０ｃ、及び、左右の側壁部Ｂ１０５０ｄ，Ｂ１０５０ｅから構成されている。分かりやすくするため、図１１６では、これらの壁部Ｂ１０５０ａ〜ｅの後端縁Ｂ１０５０ｆを斜線で示している。
【０５５２】
図１１７に示すように、閉塞用蓋Ｇ１００において第１係合用突出部Ｇ１０１の側方（正面視における左側）には、前面Ｇ１００ｂに対して前方に突出する側方突出部Ｇ１３０が形成されている。側方突出部Ｇ１３０は、板状の形状を有しており、前面Ｇ１００ｂを基準とした場合における側方突出部Ｇ１３０の前方への突出長は、第１係合用突出部Ｇ１０１の突出長よりも短くなっている。側方突出部Ｇ１３０は、第１係合用突出部Ｇ１０１の内側面Ｇ１０７と対向する側面Ｇ１３０ａと、側面Ｇ１３０ａと連続して前面Ｇ１００ｂと略平行に形成された当接面Ｇ１３０ｂと、を有している。分かりやすくするため、図１１７では、当接面Ｇ１３０ｂを斜線で示している。
【０５５３】
また、第１係合用突出部Ｇ１０１の下方には、前面Ｇ１００ｂに対して前方に突出する下方突出部Ｇ１３１が形成されている。下方突出部Ｇ１３１は、左側部分における突出長が右側部分における突出長よりも長くなるように構成されている。分かりやすくするため、図１１７では、下方突出部Ｇ１３１の上面Ｇ１３１ａを斜線で示し、左側部分における前端面Ｇ１３１ｂを黒で示している。第１係合用突出部Ｇ１０１の上方には、前面Ｇ１００ｂに対して前方に突出する上方突出部Ｇ１３２が形成されている。下方突出部Ｇ１３１と同様に、上方突出部Ｇ１３２は、左側部分における突出長が右側部分における突出長よりも長くなるように構成されている。
【０５５４】
図１１８では、背面壁Ｇ３に対して閉塞用蓋Ｇ１００及びプロジェクタカバープレートＢ１０００（照射ユニットＢ）が取り付けられた状態において、第１係合用突出部Ｇ１０１の上側係止片Ｇ１０８ａを通る水平面で切断した様子を示している。図１１９では、背面壁Ｇ３に対して閉塞用蓋Ｇ１００及びプロジェクタカバープレートＢ１０００（照射ユニットＢ）が取り付けられた状態において、第１係合用突出部Ｇ１０１の上側係止片Ｇ１０８ａ及び下側係止片Ｇ１０８ｂを通る鉛直面（前後方向の面）で切断した様子を示している。
【０５５５】
なお、分かりやすくするため、図１１８では、第１係合用突出部Ｇ１０１及び側方突出部Ｇ１３０の切断面を斜線で示し、第１空洞Ｂ１０５０を構成する前壁部Ｂ１０５０ａ及び左右の側壁部Ｂ１０５０ｄ，Ｂ１０５０ｅの切断面を網掛けで示し、背面壁Ｇ３の切断面を黒で示している。図１１９では、第１係合用突出部Ｇ１０１の上端を斜線で示し、第１空洞Ｂ１０５０を構成する前壁部Ｂ１０５０ａ、上壁部Ｂ１０５０ｂ、及び、下壁部Ｂ１０５０ｃの切断面を網掛けで示し、背面壁Ｇ３の右縁下側部Ｇ１０ｊを黒で示している。右縁下側部Ｇ１０ｊは、開口Ｇ１０ａの周縁（背面壁Ｇ３の内側面Ｇ３ａと周縁部Ｇ１０ｂとを接続する部分）の一部であり、右縁部Ｇ１０ｆ（図１０８参照）の下端から連続する水平面として形成されている。
【０５５６】
図１１８及び図１１９に示すように、第１係合用突出部Ｇ１０１は、プロジェクタカバープレートＢ１０００の第１空洞Ｂ１０５０に収納され、前壁部Ｂ１０５０ａ、上壁部Ｂ１０５０ｂ、下壁部Ｂ１０５０ｃ、及び、左右の側壁部Ｂ１０５０ｄ，Ｂ１０５０ｅによって囲まれている。
【０５５７】
具体的に、図１１８に示すように、第１係合用突出部Ｇ１０１の前側は、前壁部Ｂ１０５０ａによって覆われている。また、側壁部Ｂ１０５０ｄの後端縁Ｂ１０５０ｆ（図１１６参照）は、閉塞用蓋Ｇ１００（側方突出部Ｇ１３０）の当接面１３０ｂ（図１１７参照）と当接（略当接）し、側壁部Ｂ１０５０ｄと側方突出部Ｇ１３０とが連続するように配置されている。これにより、第１係合用突出部Ｇ１０１の左側は、側壁部Ｂ１０５０ｄ及び側方突出部Ｇ１３０によって覆われている。また、側壁部Ｂ１０５０ｅの後端縁Ｂ１０５０ｆ（図１１６参照）は、背面壁Ｇ３の内側面Ｇ３ａと当接（略当接）している。これにより、第１係合用突出部Ｇ１０１の右側は、側壁部Ｂ１０５０ｅ及び背面壁Ｇ３によって覆われている。
【０５５８】
また、図１１９に示すように、下壁部Ｂ１０５０ｃの後端縁Ｂ１０５０ｆ（図１１６参照）は、左側部分において閉塞用蓋Ｇ１００（下方突出部Ｇ１３１）の前端面Ｇ１３１ｂ（図１１７参照）と当接（略当接）し、右側部分において背面壁Ｇ３の内側面Ｇ３ａと当接（略当接）している。下壁部Ｂ１０５０ｃの上面及び右縁下側部Ｇ１０ｊは、連続するように配置されており、略同一平面上に位置している。これにより、第１係合用突出部Ｇ１０１の下側は、下壁部Ｂ１０５０ｃ、下方突出部Ｇ１３１、及び、背面壁Ｇ３によって覆われている。同様に、図示しないが、第１係合用突出部Ｇ１０１の上側は、上壁部Ｂ１０５０ｂ、上方突出部Ｇ１３２、及び、背面壁Ｇ３によって覆われている。
【０５５９】
以上で説明したように、第１係合用突出部Ｇ１０１の前方、側方、上方、及び、下方は、全て壁部によって取り囲まれている。同様に、第２係合用突出部Ｇ１１１の前方、側方、上方、及び、下方は、全て壁部によって取り囲まれている。これにより、第１開口Ｇ１０２や第２開口Ｇ１１２（図１０６参照）等の隙間を通じて針金形状の器具を侵入させようとしたとしても、これらの壁部が邪魔になって、当該侵入を阻止することができるようになっている。従って、当該隙間を通じてゴト行為が行われてしまうことを防止することができる。
【０５６０】
図１２０では、背面壁Ｇ３に対して閉塞用蓋Ｇ１００及びプロジェクタカバープレートＢ１０００（照射ユニットＢ）が取り付けられた状態において、照射ユニット引っ掛け用ネジ５０００及び蓋取付用ネジ５１００の左右方向における中心を通る鉛直面（前後方向の面）で切断した様子を示している。なお、分かりやすくするため、図１２０では、照射ユニット引っ掛け用ネジ５０００及び蓋取付用ネジ５１００、並びに、背面壁Ｇ３の切断面を斜線で示し、プロジェクタカバープレートＢ１０００の切断面を網掛けで示し、閉塞用蓋Ｇ１００の切断面を黒で示している。
【０５６１】
図１２０に示すように、プロジェクタカバープレートＢ１０００の周縁壁部Ｂ１０１１の前方には、照射ユニット引っ掛け用ネジ５０００の座金部５００４が存在する。すなわち、周縁壁部Ｂ１０１１は、座金部５００４の背面側の面と当接している。そのため、仮に、プロジェクタカバープレートＢ１０００（照射ユニットＢ）が前方に移動しようとしても、周縁壁部Ｂ１０１１が座金部５００４によって係止され、照射ユニットＢの移動が規制される。これにより、背面壁Ｇ３に対して照射ユニットＢを強固に取り付けることができる。
【０５６２】
なお、遊技機１を組み立てる過程においても、照射ユニット引っ掛け用ネジ５０００に照射ユニットＢを引っ掛けるに当たり（上記（ｉｉ）の工程参照）、座金部５００４の背面側に周縁壁部Ｂ１０１１が配置されることになる。これにより、上記と同様に、プロジェクタカバープレートＢ１０００（照射ユニットＢ）が前方に移動しようとしても、周縁壁部Ｂ１０１１が座金部５００４によって係止され、当該引っ掛け状態を安定化させることができる。その結果、照射ユニット引っ掛け用ネジ５０００による締結をスムーズに行うことができる。
【０５６３】
なお、図１２０では、照射ユニット引っ掛け用ネジ５０００のネジ部５００１及び座金部５００４の各上端とプロジェクタカバープレートＢ１０００との間に隙間が存在する状態を示しているが、実際には、ネジ部５００１の上端及び座金部５００４の上端の一方又は双方がプロジェクタカバープレートＢ１０００と当接していてもよい。すなわち、プロジェクタカバープレートＢ１０００（照射ユニットＢ）が照射ユニット引っ掛け用ネジ５０００に引っ掛けられた状態となっていてもよい。図面においては、便宜上、ネジ部を実際よりも細い状態で示している場合がある。
【０５６４】
また、プロジェクタカバープレートＢ１０００の周縁壁部Ｂ１００３の前方には、蓋取付用ネジ５１００の頭部が存在する。すなわち、周縁壁部Ｂ１００３は、当該頭部の背面側の面と当接している。そのため、仮に、プロジェクタカバープレートＢ１０００（照射ユニットＢ）が前方に移動しようとしても、周縁壁部Ｂ１００３がネジ頭部によって係止され、照射ユニットＢの移動が規制される。これにより、背面壁Ｇ３に対する照射ユニットＢの取付強度を高めることができる。
【０５６５】
図１２１では、背面壁Ｇ３に対して閉塞用蓋Ｇ１００及びプロジェクタカバープレートＢ１０００（照射ユニットＢ）が取り付けられた状態において、閉塞用蓋Ｇ１００の第１凹部Ｇ１０３を通る面（前後方向の鉛直面）で切断した様子を示している。図１１０では、プロジェクタカバープレートＢ１０００（照射ユニットＢ）が取り付けられる前の状態を示したが、図１２１では、プロジェクタカバープレートＢ１０００（照射ユニットＢ）が取り付けられた後の状態を示している。分かりやすくするため、図１２１では、背面壁Ｇ３の内側面Ｇ３ａを斜線で示している。
【０５６６】
図１１０を用いて説明したように、閉塞用蓋Ｇ１００における上側突出部Ｇ１２１の前端は、背面壁Ｇ３の内側面Ｇ３ａよりも前方に位置付けられている。図１２１に示すように、プロジェクタカバープレートＢ１０００における開口Ｂ１００１（図１１３参照）の上側部分は、背面側が背面壁Ｇ３の内側面Ｇ３ａと略当接している。そして、上側突出部Ｇ１２１のうち内側面Ｇ３ａよりも前方に突出した部分の上面は、プロジェクタカバープレートＢ１０００の開口Ｂ１００１の上縁部Ｂ１００１ａと略当接している。これにより、針金形状の器具を一層侵入させ難い構造となっており、ゴト行為を効果的に防止することができる。
【０５６７】
なお、図１１５に示すように、プロジェクタカバープレートＢ１０００の背面側において、開口Ｂ１００１の下側部分には、基板設置部Ｂ１０７０が設けられている。基板設置部Ｂ１０７０には、プロジェクタ制御基板Ｂ２３（図１２参照）が固定されている。図１２１に示すように、プロジェクタカバープレートＢ１０００における開口Ｂ１００１の下側部分は、背面側が背面壁Ｇ３の内側面Ｇ３ａと略当接している。従って、プロジェクタ制御基板Ｂ２３は、プロジェクタカバープレートＢ１０００の背面側と背面壁Ｇ３の内側面Ｇ３ａとの間に形成された空間に配置されることになる。
【０５６８】
図１０４を用いて説明したように、背面壁Ｇ３における周縁部Ｇ１０ｂは、その一部（背面視における左辺部分）を切り欠いた形状となっている。これにより、開口Ｇ１０ａは、左右非対称な形状となっている。この点、仮に、開口Ｇ１０ａが左右対称な形状となるように、図１２２に示す斜線部分を開口Ｇ１０ａとして形成したとする。この場合、右側の２つのネジ孔Ｇ１０ｃを、より右側に形成する必要がある。そうすると、結果的に、照射ユニットＢをより右側に配置することになる。本実施形態によれば、図１２２に示す斜線部分を開口Ｇ１０ａとしないことにより、照射ユニットＢの右側スペースを有効に活用することができる。
【０５６９】
図１２３に示すように、正面視において、照射ユニットＢ（プロジェクタカバープレートＢ１０００）の右端と背面壁Ｇ３の右端（キャビネットＧの右側面壁Ｇ２Ｒにおける内側面）との間隔（Ｒ１）は、照射ユニットＢ（プロジェクタカバープレートＢ１０００）の左端と背面壁Ｇ３の左端（キャビネットＧの左側面壁Ｇ２Ｌにおける内側面）との間隔（Ｒ２）よりも大きくなっている。
【０５７０】
ここで、上述したように、キャビネットＧの右側面壁Ｇ２Ｒにおける内側面には、主制御基板ＭＳ（図４参照）が取り付けられている。主制御基板ＭＳの設置箇所近傍には、かしめの開封及び封印を行うためのスペースが存在することが必要であるところ、本実施形態によれば、当該スペースを確保することができる。
【０５７１】
なお、背面壁Ｇ３の開口Ｇ１０ａが左右非対称であることに対応して、開口Ｇ１０ａの右縁部Ｇ１０ｆと右側の２つのネジ孔Ｇ１０ｃとの距離（左右方向における距離）は、開口Ｇ１０ａの左縁部Ｇ１０ｇと左側の２つのネジ孔Ｇ１０ｃとの距離（左右方向における距離）よりも短くなっている。そして、このことに対応して、背面壁Ｇ３に閉塞用蓋Ｇ１００が取り付けられた状態において、第１係合用突出部Ｇ１０１と右側の２つのネジ孔Ｇ１０ｃとの距離（左右方向における距離）は、第２係合用突出部Ｇ１１１と左側の２つのネジ孔Ｇ１０ｃとの距離（左右方向における距離）よりも短くなっている。
【０５７２】
ここで、図１２２に示すように、プロジェクタカバープレートＢ１０００において、第１空洞Ｂ１０５０（図１１５参照）を構成する前壁部Ｂ１０５０ａの左縁は、開口Ｂ１００１の右縁部Ｂ１００１ｂよりも左側に位置しているが、前壁部Ｂ１０５０ａの左縁と開口Ｂ１００１の右縁部Ｂ１００１ｂとの間隔は僅かなものとなっている（左右方向における位置が概ね一致している）。これに対し、第２空洞Ｂ１０６０（図１１５参照）を構成する前壁部Ｂ１０６０ａの右縁は、開口Ｂ１００１の左縁部Ｂ１００１ｃよりもかなり右側に位置しており、第２空洞Ｂ１０６０の右側半分程度は、開口Ｂ１００１の内部に突出するように形成されている。分かりやすくするため、図１２２では、前壁部Ｂ１０５０ａ及び前壁部Ｂ１０６０ａを斜線で示している。
【０５７３】
すなわち、第１空洞Ｂ１０５０及び第２空洞Ｂ１０６０は、開口Ｂ１００１に対する相対的な位置関係が互いに異なっており、前壁部Ｂ１０６０ａの右縁と開口Ｂ１００１の左縁部Ｂ１００１ｃとの間隔は、前壁部Ｂ１０５０ａの左縁と開口Ｂ１００１の右縁部Ｂ１００１ｂとの間隔よりも大きくなっている。そして、このことに対応して、第１空洞Ｂ１０５０（前壁部Ｂ１０５０ａ）と右側の２つの蓋締結用ネジ孔Ｂ１００２との距離（左右方向における距離）は、第２空洞Ｂ１０６０（前壁部Ｂ１０６０ａ）と左側の２つの蓋締結用ネジ孔Ｂ１００２との距離（左右方向における距離）よりも短くなっている。
【０５７４】
これにより、プロジェクタカバープレートＢ１０００の第１空洞Ｂ１０５０及び第２空洞Ｂ１０６０の形成位置を、閉塞用蓋Ｇ１００の第１係合用突出部Ｇ１０１及び第２係合用突出部Ｇ１１１の形成位置と対応させるとともに、プロジェクタカバープレートＢ１０００の蓋締結用ネジ孔Ｂ１００２の形成位置を、背面壁Ｇ３のネジ孔Ｇ１０ｃの形成位置と対応させることができるようになっている。
【０５７５】
＜プロジェクタカバーＢ１及びダクトカバーＢ２１００による空間の形成＞
図１２４は、カバー部の斜視図である。図１２５は、プロジェクタカバー及びダクトカバーを左側から見た分解斜視図である。図１２６は、プロジェクタカバー及びダクトカバーを右側から見た分解斜視図である。図１２７は、ダクトカバーを後方から見た状態における断面図である。図１２８は、カバー部の断面図である。図１２９は、カバー部の断面図である。図１３０は、カバー部を右側から見た斜視図である。
【０５７６】
図１２４に示すように、プロジェクタカバーＢ１の左側部分には、ダクトカバーＢ２１００が取り付けられている。ダクトカバーＢ２１００は、ブラインドＢ５００（図３０参照）に代わって採用されている構成である。プロジェクタカバーＢ１とダクトカバーＢ２１００とによって構成される構造体（カバー部Ｂ２０００）の内部には、空間Ｐ（図３２参照）が形成されており、当該空間Ｐを空気が通過することができるようになっている。以下、本実施形態における空間Ｐについて説明する。
【０５７７】
図１２５に示すように、プロジェクタカバーＢ１は、プロジェクタカバーＢ１の左端を構成する左側壁部Ｂ２２０１を有している。図１２６に示すように、左側壁部Ｂ２２０１の内側面（右側の面）である左内壁面Ｂ２２０１ａは、概ね、辺Ｐ、辺Ｑ、辺Ｒ、辺Ｓ、辺Ｔ、辺Ｕ、辺Ｖ、及び、辺Ｗに囲まれた図形形状に形成されている。
【０５７８】
また、プロジェクタカバーＢ１は、左側壁部Ｂ２２０１と略平行に形成された右側壁部Ｂ２２０２を有している。右側壁部Ｂ２２０２の形状は、左側壁部Ｂ２２０１の形状から図１２５の斜線部分に示す台形形状を切り抜いたような形状となっている。これにより、右側壁部Ｂ２２０２における左内壁面Ｂ２２０１ａと対向する面（左側の面）は、右上内壁面Ｂ２２０２ａ及び右下内壁面Ｂ２２０２ｂに分断されて形成されている。
【０５７９】
また、プロジェクタカバーＢ１は、左内壁面Ｂ２２０１ａの下端（辺Ｓ）と右下内壁面Ｂ２２０２ｂの下端とを接続する下側壁面Ｂ２２０３と、下側壁面２２０３の後端から上方に向けて（辺Ｔに沿って）連続して形成された後側壁面Ｂ２２０４と、後側壁面Ｂ２２０４の上端から斜め前方且つ上方に向けて（辺Ｕに沿って）連続して形成された傾斜壁面Ｂ２２０５と、傾斜壁面Ｂ２２０５の前端から上方に向けて（辺Ｖに沿って）連続して形成された前側壁面Ｂ２２０６と、前側壁面Ｂ２２０６の上端から前方に向けて（辺Ｗに沿って）連続して形成された上側壁面Ｂ２２０７と、を有している。
【０５８０】
後側壁面Ｂ２２０４の上側部分及び傾斜壁面Ｂ２２０５の右端は、右上内壁面Ｂ２２０２ａと連続している。前側壁面Ｂ２２０６は、右上内壁面Ｂ２２０２ａよりも右側にまで延在している。右上内壁面Ｂ２２０２ａよりも右側には、上側壁面Ｂ２２０７と略平行な開口用壁面Ｂ２２０８が形成されている。開口用壁面Ｂ２２０８の後端は、前側壁面Ｂ２２０６の下端と一致しており、開口用壁面Ｂ２２０８の左端は、右上内壁面Ｂ２２０２ａの上端と一致している。前側壁面Ｂ２２０６の右端及び開口用壁面Ｂ２２０８の右端は、開口用壁面Ｂ２２０９によって接続されている。
【０５８１】
ダクトカバーＢ２１００は、正面視における外形形状が、プロジェクタカバーＢ１における上記各壁面（左内壁面Ｂ２２０１ａ、右上内壁面Ｂ２２０２ａ、右下内壁面Ｂ２２０２ｂ、下側壁面Ｂ２２０３、側壁面Ｂ２２０４、傾斜壁面Ｂ２２０５、及び、前側壁面Ｂ２２０６）によって構成される外形形状と概ね一致している。これにより、ダクトカバーＢ２１００は、全体的に、プロジェクタカバーＢ１の前面側に嵌合可能な形状となっている。
【０５８２】
具体的に、図１２５に示すように、ダクトカバーＢ２１００は、ダクトカバーＢ２１００の左端を構成する左側壁部Ｂ２１０１を有している。左側壁部Ｂ２１０１の形状は、プロジェクタカバーＢ１の左側壁部Ｂ２２０１の形状に対応しており、左側壁部Ｂ２１０１の後端縁が左側壁部Ｂ２２０１の前端縁（辺Ｐ、辺Ｑ、及び、辺Ｒ）に嵌合可能なようになっている。左側壁部Ｂ２１０１の外縁は、辺Ｐと略平行な辺Ｘ、辺Ｑと略平行な辺Ｙ、及び、辺Ｒと略平行な辺Ｚを含んで構成されている。
【０５８３】
また、ダクトカバーＢ２１００は、左側壁部Ｂ２１０１と略平行に形成された右上壁部Ｂ２１０２及び右下壁部Ｂ２１０３を有している。右上壁部Ｂ２１０２及び右下壁部Ｂ２１０３は、それぞれ、プロジェクタカバーＢ１に対してダクトカバーＢ２１００が取り付けられた状態において、プロジェクタカバーＢ１の右側壁部Ｂ２２０２と連続する部分である。右上壁部Ｂ２１０２の外縁は、辺Ｘと略平行な辺ｘ、辺Ｙと略平行な辺ｙ、及び、辺Ｚと略平行な辺ｚを含んで構成されている。分かりやすくするため、図１２６では、右上壁部Ｂ２１０２及び右下壁部Ｂ２１０３を斜線で示している。
【０５８４】
また、ダクトカバーＢ２１００は、左側壁部Ｂ２１０１の下側部分における前端（辺Ｚ）から右側に向けて連続して形成された前方下側壁部Ｂ２１０４と、左側壁部Ｂ２１０１の上側部分における前端（辺Ｘ）から右側に向けて連続して形成された前方上側壁部Ｂ２２０５と、を有している。前方下側壁部Ｂ２１０４及び前方上側壁部Ｂ２１０５は、それぞれ、長方形形状に形成されている。前方下側壁部Ｂ２１０４の右下部分には、右下壁部Ｂ２１０３が連続して形成されている。前方下側壁部Ｂ２１０４の右上部分には、右上壁部Ｂ２１０２の下側部分（辺ｚを含む部分）が連続して形成されている。
【０５８５】
前方上側壁部Ｂ２１０５における左右方向の長さは、前方下側壁部Ｂ２１０４における左右方向の長さよりも短くなっている。前方上側壁部Ｂ２１０５の右端から右側に向けて連続して形成された傾斜壁部Ｂ２１０６の右端は、右上壁部Ｂ２１０２の外縁を構成する辺ｘと一致している。前方下側壁部Ｂ２１０４の上端、並びに、前方上側壁部Ｂ２１０５及び傾斜壁部Ｂ２１０６の各下端は、傾斜壁部Ｂ２１０７によって接続されている。傾斜壁部Ｂ２１０７の右端は、右上壁部Ｂ２１０２の外縁を構成する辺ｙと一致している。
【０５８６】
また、ダクトカバーＢ２１００は、前方上側壁部Ｂ２１０５及び傾斜壁部Ｂ２１０６の上側に、開口部Ｂ２１０８を有している。開口部Ｂ２１０８は、直方体における対向する２つの面（前面側の面及び背面側の面）を開放させた形状を有している。当該直方体の下壁を構成する下壁面Ｂ２１０８ａは、図１２７の斜線部分に示す形状を切り抜いたような形状となっている。また、当該直方体の側壁を構成する左壁面Ｂ２１０８ｂは、左側壁部Ｂ２１０１の内側面（左内壁面Ｂ２１０１ａ）と連続している（左内壁面Ｂ２１０１ａの一部となっている）。なお、図１２７では、開口部Ｂ２１０８を水平面で切断した様子を示している。
【０５８７】
ダクトカバーＢ２１００における開口部Ｂ２１０８の右側及び左側には、それぞれ、ネジ孔Ｂ２１１０が形成されている。また、前方下側壁部Ｂ２１０４の下側部分には、ネジ孔Ｂ２１１１が形成されている。一方、プロジェクタカバーＢ１における前側壁面Ｂ２２０６の右側及び左側には、それぞれ、ボス部Ｂ２２１０が形成されている。また、下側壁面Ｂ２２０３には、その一部が隆起するようにボス部Ｂ２２１１が形成されている。
【０５８８】
ダクトカバーＢ２１００におけるネジ孔Ｂ２１１０及びネジ孔Ｂ２１１１の形成位置は、それぞれ、プロジェクタカバーＢ１におけるボス部Ｂ２２１０及びボス部Ｂ２２１１の形成位置と対応している。ネジ孔Ｂ２１１０及びネジ孔Ｂ２１１１を挿通させたネジを、ボス部Ｂ２２１０及びボス部Ｂ２２１１に形成された穴にねじ込むことによって、ダクトカバーＢ２１００がプロジェクタカバーＢ１に取り付けられる。
【０５８９】
ダクトカバーＢ２１００がプロジェクタカバーＢ１に取り付けられた状態においては、ダクトカバーＢ２１００における左側壁部Ｂ２１０１の後端縁が、プロジェクタカバーＢ１における左側壁部Ｂ２２０１の前端縁に嵌合する。これにより、プロジェクタカバーＢ１における左側壁部Ｂ２２０１の内側面（左内壁面Ｂ２２０１ａ）とダクトカバーＢ２１００における左側壁部Ｂ２１０１の内側面（左内壁面Ｂ２１０１ａ）とが略連続する。
【０５９０】
図１２８では、図１２４に示すカバー部２０００を、プロジェクタカバーＢ１の左側壁部Ｂ２２０１及びダクトカバーＢ２１００の左側壁部Ｂ２１０１よりも僅かに右側において前後方向の鉛直面で切断した様子を示している。図１２９では、図１２４に示すカバー部２０００を、ネジ孔Ｂ２１１０を通る水平面で切断した様子を示している。
【０５９１】
図１２８に示すように、プロジェクタカバーＢ１における右上内壁面Ｂ２２０２ａとダクトカバーＢ２１００における右上壁部Ｂ２１０２の内側面（右上壁面Ｂ２１０２ａ）とが略連続し、プロジェクタカバーＢ１における右下内壁面Ｂ２２０２ｂとダクトカバーＢ２１００における右下壁部Ｂ２１０３の内側面（右下壁面Ｂ２１０３ａ）とが略連続する。
【０５９２】
また、ダクトカバーＢ２１００には、前方下側壁部Ｂ２１０４の下端から後方に向けて連続する下側壁部Ｂ２１０９が形成されており、プロジェクタカバーＢ１における下側壁面Ｂ２２０３とダクトカバーＢ２１００における下側壁部Ｂ２１０９の内側面（下側壁面Ｂ２１０９ａ）とが略連続する。また、プロジェクタカバーＢ１における上側壁面２２０７とダクトカバーＢ２１００における開口部Ｂ２１０８の上壁（上壁面Ｂ２１０８ｃ）とが略連続する。
【０５９３】
分かりやすくするため、図１２８では、プロジェクタカバーＢ１の下側壁面Ｂ２２０３、並びに、ダクトカバーＢ２１００の右上壁面Ｂ２１０２ａ及び右下壁面Ｂ２１０３ａを斜線で示し、ダクトカバーＢ２１００の前方下側壁部Ｂ２１０４を網掛けで示し、プロジェクタカバーＢ１の右上内壁面Ｂ２２０２ａ及び右下内壁面Ｂ２２０２ｂ、並びに、ダクトカバーＢ２１００の下側壁面Ｂ２１０９ａを黒で示している。実際には、下側壁面Ｂ２１０９ａの上部にボス部Ｂ２２１１が配置されることになるが、便宜上、ボス部Ｂ２２１１の存在を無視して、下側壁面Ｂ２１０９ａを示している。
【０５９４】
また、図１２９に示すように、プロジェクタカバーＢ１における開口用壁面Ｂ２２０８とダクトカバーＢ２１００における開口部Ｂ２１０８の下壁（下壁面Ｂ２１０８ａ）とが略連続し、プロジェクタカバーＢ１における開口用壁面Ｂ２２０９とダクトカバーＢ２１００における開口部Ｂ２１０８の右壁（右壁面Ｂ２１０８ｄ）とが略連続する。分かりやすくするため、図１２９では、プロジェクタカバーＢ１の前側壁面Ｂ２２０６、並びに、ダクトカバーＢ２１００の下壁面Ｂ２１０８ａ及び右壁面Ｂ２１０８ｄを斜線で示し、プロジェクタカバーＢ１の開口用壁面Ｂ２２０８を網掛けで示し、プロジェクタカバーＢ１の開口用壁面Ｂ２２０９を黒で示している。
【０５９５】
以上より、プロジェクタカバーＢ１及びダクトカバーＢ２１００（カバー部Ｂ２０００）によって、空間Ｐ（図１２８参照）が形成される。空間Ｐは、プロジェクタカバーＢ１の左内壁面Ｂ２１０１ａ、右上内壁面Ｂ２２０２ａ、右下内壁面Ｂ２２０２ｂ、下側壁面Ｂ２２０３、後側壁面Ｂ２２０４、傾斜壁面Ｂ２２０５、前側壁面Ｂ２２０６、上側壁面Ｂ２２０７、開口用壁面Ｂ２２０８、及び、開口用壁面Ｂ２２０９、並びに、ダクトカバーＢ２１００の左内壁面Ｂ２１０１ａ、右上壁面Ｂ２１０２ａ、右下壁面Ｂ２１０３ａ、前方下側壁部Ｂ２１０４の内側面（前方下側壁面Ｂ２１０４ａ）、前方上側壁部Ｂ２２０５の内側面（前方上側壁面Ｂ２２０５ａ）、傾斜壁部Ｂ２１０６の内側面（傾斜壁面Ｂ２１０６ａ）、傾斜壁部Ｂ２１０７の内側面（傾斜壁面Ｂ２１０７ａ）、開口部Ｂ２１０８を構成する各壁面Ｂ２１０８ａ〜ｄ、及び、下側壁面Ｂ２１０９ａによって囲まれている。
【０５９６】
そして、空間Ｐは、その前方の一部が開口Ｂ２１０８ｅを介してカバー部Ｂ２０００の外部空間と繋がっている。開口Ｂ２１０８ｅは、開口部Ｂ２１０８を構成する各壁面Ｂ２１０８ａ〜ｄの前端縁によって囲まれた部分である。分かりやすくするため、図１３０では、各壁面Ｂ２１０８ａ〜ｄの前端縁を黒で示している。
【０５９７】
また、空間Ｐは、その右側部分の一部が開口Ｂ２０１０を介してカバー部Ｂ２０００の外部空間と繋がっている。開口Ｂ２０１０は、図１３０に示す辺ａ〜ｆにより構成される図形に近似する形状となっている。辺ａは、プロジェクタカバーＢ１における右上内壁面Ｂ２２０２ａの下端縁（図１２５の斜線部分に示す台形を構成する４つの辺のうち上側の辺）に対応している。辺ｂは、プロジェクタカバーＢ１における後側壁面Ｂ２２０４の右端縁（図１２５の斜線部分に示す台形を構成する４つの辺のうち後側の辺）に対応している。辺ｃは、プロジェクタカバーＢ１における右下内壁面Ｂ２２０２ｂの上端縁（図１２５の斜線部分に示す台形を構成する４つの辺のうち下側の辺）に対応している。辺ｄは、ダクトカバーＢ２１００における右下壁面Ｂ２１０３ａの上端縁に対応している。辺ｅは、ダクトカバーＢ２１００における前方下側壁面Ｂ２１０４ａの右端縁に対応している。辺ｆは、ダクトカバーＢ２１００における右上壁面Ｂ２１０２ａの下端縁に対応している。
【０５９８】
そして、カバー部Ｂ２０００の外部空間において、開口Ｂ２０１０の近傍には、ケースＢ２２の吸気口Ｂ２２Ａ（図２２参照）が配置されている。これにより、キャビネットＧ又は前面ドアの上面壁等に形成された開口（図示せず）を介して、遊技機１の外部からキャビネットＧの内部に空気が取り入れられる。この空気は、ダクトカバーＢ２１００の開口Ｂ２１０８ｅを介して、カバー部Ｂ２０００の内部に取り入れられる。カバー部Ｂ２０００の内部に入った空気は、空間Ｐを後方且つ下方に移動した後、開口Ｂ２０１０を通過して、吸気口Ｂ２２Ａを介してケースＢ２２の内部に入る。ケースＢ２２の内部に入った空気は、ケースＢ２２内で発生した熱を奪いながら右方向に進み、排気口Ｂ２２Ｅを介してケースＢ２２を出る。ケースＢ２２を出た空気は、キャビネットＧ又は前面ドアの上面壁等に形成された開口を介して、遊技機１の外部に放出される。
【０５９９】
このようにして、プロジェクタ装置Ｂ２において発生した熱を遊技機１の外部に排出することができる。なお、第２実施形態では、ケースＢ２２の右側に吸気口Ｂ２２Ａが設けられている一方、ケースＢ２２の左側に排気口Ｂ２２Ｅが設けられていることとして説明した（図２２及び図２３参照）。これに対し、本実施形態では、ケースＢ２２の左側に吸気口Ｂ２２Ａが設けられている一方、ケースＢ２２の右側に排気口Ｂ２２Ｅが設けられている（図１３８参照）。
【０６００】
なお、上記のような空気の流れを形成しやすくするために、吸気用ファン又は排気用ファンを適宜配設することとしてもよい。例えば、ダクトカバーＢ２１００の開口部Ｂ２１０８に、開口近傍用ファンＢ７００（図３３参照）と同様のファンを設置することとしてもよい。また、ダクトカバーＢ６００（図３５参照）と同様の部材を空間Ｐに配置することにより、空間Ｐを空気通過空間（空間Ｐ１）と液体貯留空間（空間Ｐ２）とに分けてもよい。
【０６０１】
＜ダクトアダプタＢ２５００＞
図１３１は、カバー部とケースとがダクトアダプタを介して連結されている状態を示す斜視図である。図１３２は、ダクトアダプタを左前方から見た斜視図である。図１３３は、ダクトアダプタを右後方から見た斜視図である。図１３４は、ダクトアダプタの左側部における断面の左側面図である。図１３５は、ダクトアダプタの右側部における断面の右側面図である。図１３６は、ダクトアダプタの正面図である。図１３７は、ダクトアダプタを連結部の中央付近で切断した状態の左側面図である。
【０６０２】
図１３１に示すように、カバー部Ｂ２０００とケースＢ２２との間には、ダクトアダプタＢ２５００が配置される。分かりやすくするため、図１３１では、ダクトアダプタＢ２５００を斜線で示している。
【０６０３】
図１３２及び図１３３に示すように、ダクトアダプタＢ２５００は、左側部Ｂ２５１０と右側部Ｂ２５２０と連結部Ｂ２５３０とを備え、左側部Ｂ２５１０と右側部Ｂ２５２０とが連結部Ｂ２５３０によって接続された構造を有している。
【０６０４】
左側部Ｂ２５１０は、平板状の左本体部Ｂ２５１１と、本体部Ｂ２５１１の上部を斜め右方に折り曲げることで形成された左上側部Ｂ２５１２と、を有している。左本体部Ｂ２５１１には、左右方向に貫通する左側開口Ｂ２５１３が形成されている。右側部Ｂ２５２０は、平板状の右本体部Ｂ２５２１を有しており、右本体部Ｂ２５２１には、左右方向に貫通する右側開口Ｂ２５２２が形成されている。
【０６０５】
また、左側部Ｂ２５１０は、平坦な左側面Ｂ２５１０ａ及び右側面Ｂ２５１０ｂを有している。図１３２では、左側部Ｂ２５１０の前端縁Ｂ２５１０ｃを斜線で示している。図１３３では、左側部Ｂ２５１０の後端縁Ｂ２５１０ｄを斜線で示し、右端縁Ｂ２５１２ａを黒で示している。
【０６０６】
図１３４では、左側開口Ｂ２５１３を網掛けで示している。左側開口Ｂ２５１３は、長方形におけるコーナー部がやや丸みを帯びた形状を有している。図１３５では、右側開口Ｂ２５２２を網掛けで示している。右側開口Ｂ２５２２は、長方形におけるコーナー部がやや丸みを帯びた形状を有している。右側開口Ｂ２５２２の形状は、左側開口Ｂ２５１３の形状と概ね相似しているが、右側開口Ｂ２５２２は、左側開口Ｂ２５１３よりもやや小さくなっている。
【０６０７】
左側部Ｂ２５１０の下端縁は、下方に若干突出した構造を有している。これにより、左本体部Ｂ２５１１には、下方突出部Ｂ２５１１ａが形成されている。分かりやすくするため、図１３４では、下方突出部Ｂ２５１１ａを斜線で示している。
【０６０８】
連結部Ｂ２５３０の内部には、空洞Ｂ２５３１（図１３９参照）が形成されており、空洞Ｂ２５３１は、左側開口Ｂ２５１３及び右側開口Ｂ２５２２と連通している。連結部Ｂ２５３０は、空洞Ｂ２５３１の上端を規定する連結上側部Ｂ２５３２と、空洞Ｂ２５３１の下端を規定する連結下側部Ｂ２５３３と、空洞Ｂ２５３１の前端を規定する連結前側部Ｂ２５３４と、空洞Ｂ２５３１の後端を規定する連結後側部Ｂ２５３５と、を有している。連結上側部Ｂ２５３２、連結下側部Ｂ２５３３、連結前側部Ｂ２５３４、及び、連結後側部Ｂ２５３５によって、左側及び右側が開放した円筒形状が構成されている。
【０６０９】
図１３６に示すように、連結部Ｂ２５３０の上部及び下部は、窪んだ形状を有している。具体的に、連結前側部Ｂ２５３４の上部における左右方向の中央付近（点Ａ）は、連結前側部Ｂ２５３４と左側部Ｂ２５１０との接点Ｂ及び連結前側部Ｂ２５３４と右側部Ｂ２５２０との接点Ｃよりも下方に位置付けられている。また、連結前側部Ｂ２５３４の下部における左右方向の中央付近（点Ｄ）は、連結前側部Ｂ２５３４と左側部Ｂ２５１０との接点Ｅ及び連結前側部Ｂ２５３４と右側部Ｂ２５２０との接点Ｆよりも上方に位置付けられている。
【０６１０】
すなわち、連結上側部Ｂ２５３２は、左側部Ｂ２５１０との接続部分から中央付近にかけて下方に向かうような傾斜を有するとともに、右側部Ｂ２５２０との接続部分から中央付近にかけて下方に向かうような傾斜を有している。また、連結下側部Ｂ２５３３は、左側部Ｂ２５１０との接続部分から中央付近にかけて上方に向かうような傾斜を有するとともに、右側部Ｂ２５２０との接続部分から中央付近にかけて上方に向かうような傾斜を有している。
【０６１１】
同様に、連結前側部Ｂ２５３４は、左側部Ｂ２５１０との接続部分から中央付近にかけて後方に向かうような傾斜を有するとともに、右側部Ｂ２５２０との接続部分から中央付近にかけて後方に向かうような傾斜を有している。また、連結後側部Ｂ２５３５は、左側部Ｂ２５１０との接続部分から中央付近にかけて前方に向かうような傾斜を有するとともに、右側部Ｂ２５２０との接続部分から中央付近にかけて前方に向かうような傾斜を有している。
【０６１２】
これにより、連結上側部Ｂ２５３２、連結下側部Ｂ２５３３、連結前側部Ｂ２５３４、及び、連結後側部Ｂ２５３５は、それぞれ、中央付近を境に、左側部Ｂ２５１０寄りの傾斜面と右側部Ｂ２５２０寄りの傾斜面とが１８０°未満（例えば、１２０°〜１７５°、又は、１５０°〜１７０°程度）の角度をなすように形成されている。
【０６１３】
その結果、図１３７に示すように、ダクトアダプタＢ２５００を連結部Ｂ２５３０における左右方向の中央付近で切断したとき、その断面に対応する開口（断面開口Ｂ２５３６）は、左側開口Ｂ２５１３よりも小さくなっている。具体的に、断面開口Ｂ２５３６は、長方形の形状を有しており、上下方向の辺（長辺）及び前後方向の辺（短辺）がともに、左側開口Ｂ２５１３よりも短くなっている。なお、分かりやすくするため、図１３７では、断面開口Ｂ２５３６を斜線で示し、連結上側部Ｂ２５３２、連結下側部Ｂ２５３３、連結前側部Ｂ２５３４、及び、連結後側部Ｂ２５３５の内側面を黒で示している。
【０６１４】
また、連結部Ｂ２５３０（連結上側部Ｂ２５３２、連結下側部Ｂ２５３３、連結前側部Ｂ２５３４、及び、連結後側部Ｂ２５３５）の厚みは、左側部Ｂ２５１０（左本体部Ｂ２５１１及び左上側部Ｂ２５１２）並びに右側部Ｂ２５２０（右本体部Ｂ２５２１）の厚みよりも小さくなっている。具体的に、左側部Ｂ２５１０及び右側部Ｂ２５２０の厚みが３〜５ｍｍ程度（例えば、４ｍｍ）であるのに対し、連結部Ｂ２５３０の厚みは、０．５〜１．２ｍｍ程度（例えば、０．７〜１．０ｍｍ）となっている。左側部Ｂ２５１０及び右側部Ｂ２５２０、並びに、連結部Ｂ２５３０は、全体的に一様な厚みで形成されている。
【０６１５】
以上のように構成されたダクトアダプタＢ２５００は、弾性を有する部材（ゴム）により構成されている。これにより、ダクトアダプタＢ２５００は、右側又は左側から力が加わった場合に、柔軟に変形可能である（伸縮性を有する）とともに、元の形状に戻ろうとする反発力を有している。ダクトアダプタＢ２５００の材料としては、ウレタンゴム（ポリウレタン）やシリコンゴム等の合成ゴムを適宜採用することができる。なお、ダクトアダプタＢ２５００に対して連結される部材（プロジェクタカバーＢ１、ダクトカバーＢ２１００、及び、ケースＢ２２）は、ゴムとは異なる材料（例えば、ＡＢＳ樹脂等の熱可塑性樹脂）により構成されており、ダクトアダプタＢ２５００のような柔軟な変形は不可能となっている。
【０６１６】
＜ダクトアダプタＢ２５００のケースＢ２２への係止＞
図１３８は、ケースの斜視図である。図１３９は、ダクトアダプタにおける右側部周辺の部分拡大斜視図である。図１４０は、ダクトアダプタにおける第１右側突出部及び第２右側突出部周辺の部分拡大斜視図である。図１４１は、図１４０に示す右側突出部の部分拡大正面図である。
【０６１７】
図１３８に示すように、ケースＢ２２の左側面Ｂ２２Ｘには、吸気口Ｂ２２Ａが形成されている。吸気口Ｂ２２Ａは、多数のスリットＢ２０２２から構成されている。各スリットＢ２０２２は、ケースＢ２２の左側面Ｂ２２Ｘを左右方向に貫通する貫通孔として、長方形形状に形成されている。なお、図１３８では、ケースＢ２２の内部を透視した状態で示している。
【０６１８】
図１３９に示すように、ダクトアダプタＢ２５００の右側部Ｂ２５２０には、３つの右側突出部Ｂ２５２３（第１右側突出部Ｂ２５２３ａ、第２右側突出部Ｂ２５２３ｂ、及び、第３右側突出部Ｂ２５２３ｃ）が形成されている。これらの右側突出部Ｂ２５２３は、右側開口Ｂ２５２２の周囲に形成された右側主面Ｂ２５２４から右側に向けて突出する突起として形成されている。
【０６１９】
第１右側突出部Ｂ２５２３ａ及び第２右側突出部Ｂ２５２３ｂは、それぞれ、右側開口Ｂ２５２２の上縁のやや上方に、前後方向に延在するように形成されている。第３右側突出部Ｂ２５２３ｃは、右側開口Ｂ２５２２の下縁のやや下方に、前後方向に延在するように形成されている。なお、図１３９では、便宜上、右側開口Ｂ２５２２の長辺に沿う方向を上下方向とし、右側開口Ｂ２５２２の短辺に沿う方向を前後方向として示している。
【０６２０】
第１右側突出部Ｂ２５２３ａ、第２右側突出部Ｂ２５２３ｂ、及び、第３右側突出部Ｂ２５２３ｃは、それぞれ、頂点部分が丸みを帯びた直方体形状を有している。また、第１右側突出部Ｂ２５２３ａ、第２右側突出部Ｂ２５２３ｂ、及び、第３右側突出部Ｂ２５２３ｃの突出方向は、それぞれ、右側主面Ｂ２５２４に対して略垂直な方向となっている。
【０６２１】
ダクトアダプタＢ２５００がケースＢ２２に連結された状態（遊技機１の組み立てが完了した状態）においては、ダクトアダプタＢ２５００の右側主面Ｂ２５２４とケースＢ２２の左側面Ｂ２２Ｘとが略当接する。第１右側突出部Ｂ２５２３ａ、第２右側突出部Ｂ２５２３ｂ、及び、第３右側突出部Ｂ２５２３ｃの延在方向は、ケースＢ２２に形成された長方形状のスリットＢ２０２２の長辺方向と略平行となる。第１右側突出部Ｂ２５２３ａ、第２右側突出部Ｂ２５２３ｂ、及び、第３右側突出部Ｂ２５２３ｃの大きさ及び形状は、スリットＢ２０２２の大きさ及び形状と略同じである（スリットＢ２０２２に圧入することができる程度の大きさ及び形状となっている）。
【０６２２】
これにより、第１右側突出部Ｂ２５２３ａ、第２右側突出部Ｂ２５２３ｂ、及び、第３右側突出部Ｂ２５２３ｃは、それぞれ、スリットＢ２０２２を介して、ケースＢ２２の内部に挿入されることになる。図１３８では、第１右側突出部Ｂ２５２３ａ、第２右側突出部Ｂ２５２３ｂ、及び、第３右側突出部Ｂ２５２３ｃが挿入されるスリットＢ２０２２を、それぞれ、スリットＢ２０２２ａ、スリットＢ２０２２ｂ、及び、スリットＢ２０２２ｃとして示している。
【０６２３】
図１４０及び図１４１に示すように、右側突出部Ｂ２５２３は、右側主面Ｂ２５２４から右側に向けて突出する突出上面Ｂ２５２３ｄ及び突出下面Ｂ２５２３ｅを有している。突出上面Ｂ２５２３ｄ及び突出下面Ｂ２５２３ｅは、それぞれ、右側主面Ｂ２５２４に対して垂直な方向に形成されており、右側突出部Ｂ２５２３の上面及び下面を構成している。なお、第１右側突出部Ｂ２５２３ａ、第２右側突出部Ｂ２５２３ｂ、及び、第３右側突出部Ｂ２５２３ｃは、それぞれ、略同一の構造を有しているため、ここでは、これらを区別せず、右側突出部Ｂ２５２３として説明する。
【０６２４】
突出上面Ｂ２５２３ｄには、右側突出部Ｂ２５２３の突出方向における中央付近に上側隆起部Ｂ２５２３ｆが形成されている。上側隆起部Ｂ２５２３ｆは、平坦な突出上面Ｂ２５２３ｄに対して隆起した形状を有している。同様に、突出下面Ｂ２５２３ｅには、右側突出部Ｂ２５２３の突出方向における中央付近に下側隆起部Ｂ２５２３ｇが形成されている。下側隆起部Ｂ２５２３ｇは、平坦な突出下面Ｂ２５２３ｅに対して隆起した形状を有している。分かりやすくするため、図１４１では、上側隆起部Ｂ２５２３ｆ及び下側隆起部Ｂ２５２３ｇを斜線で示している。
【０６２５】
突出上面Ｂ２５２３ｄと突出下面Ｂ２５２３ｅとの距離は、ケースＢ２２に形成されたスリットＢ２０２２の短辺と略同じ長さとなっている。従って、ダクトアダプタＢ２５００がケースＢ２２に連結された状態（右側突出部Ｂ２５２３がスリットＢ２０２２に挿入された状態）において、右側突出部Ｂ２５２３をスリットＢ２０２２から取り外す方向に力が加わった場合、上側隆起部Ｂ２５２３ｆ及び下側隆起部Ｂ２５２３ｇがスリットＢ２０２２の周縁部によって係止される。その結果、ダクトアダプタＢ２５００とケースＢ２２との連結状態が維持され、ダクトアダプタＢ２５００がケースＢ２２から外れ難くなっている。
【０６２６】
なお、図１３９に示すように、第３右側突出部Ｂ２５２３ｃが右側開口Ｂ２５２２に対して第２右側突出部Ｂ２５２３ｂと対称な位置に形成されているのに対し、右側開口Ｂ２５２２の下方において、第１右側突出部Ｂ２５２３ａと対称な位置には、突起（右側突出部Ｂ２５２３）が形成されていない。従って、ケースＢ２２に形成されたスリットＢ２０２２ｄ（図１３８参照）には、右側突出部Ｂ２５２３が挿入されない。これにより、ケースＢ２２の内部においてスリットＢ２０２２ｄの近辺にスペースを確保することが可能であり、当該スペースを用いて、ケースＢ２２の内部において効率よく配線を配置することができる。
【０６２７】
＜ダクトアダプタＢ２５００のカバー部Ｂ２０００への係止＞
図１４２は、ダクトカバーを後方から見た斜視図である。図１４３は、ダクトアダプタがダクトカバーに連結された状態をダクトカバーの前方下側壁面に対して垂直な方向から見た部分拡大斜視図である。図１４４は、図１４３に示す状態のダクトカバー及びダクトアダプタの断面図である。図１４５は、プロジェクタカバーにおけるアダプタ係合用溝周辺の部分拡大斜視図である。図１４６は、プロジェクタカバーにおける第１突起周辺の部分拡大斜視図である。図１４７は、プロジェクタカバーにおける第２〜第５突起周辺の部分拡大斜視図である。図１４８は、ダクトアダプタがプロジェクタカバーに連結された状態を示す部分拡大斜視図である。図１４９は、図１４８に示す状態のプロジェクタカバー及びダクトアダプタの断面図である。
【０６２８】
図１４２に示すように、ダクトカバーＢ２１００の前方下側壁面Ｂ２１０４ａ（図１２７参照）には、右側立設部Ｂ２０３１及び左側立設部Ｂ２０３２が形成されている。右側立設部Ｂ２０３１及び左側立設部Ｂ２０３２は、前方下側壁面Ｂ２１０４ａに対して垂直な方向に向けて立設されている。左側壁部Ｂ２１０１も前方下側壁面Ｂ２１０４ａに対して立設されているが、前方下側壁面Ｂ２１０４ａに対する右側立設部Ｂ２０３１及び左側立設部Ｂ２０３２の高さ（突出長）は、左側壁部Ｂ２１０１よりも低くなっている。
【０６２９】
右側立設部Ｂ２０３１は、前方下側壁面Ｂ２１０４ａの右端縁（図１３０に示す辺ｅ）と略平行な方向に延在している。左側立設部Ｂ２０３２は、右側立設部Ｂ２０３１と略平行な方向に延在する左側立設本体部Ｂ２０３２ａと、左側立設本体部Ｂ２０３２ａの端部から屈曲して延在する左側立設屈曲部Ｂ２０３２ｂと、を有している。左側立設本体部Ｂ２０３２ａの端部のうち、左側立設屈曲部Ｂ２０３２ｂとの接続部分とは反対側の端部は、下側壁面Ｂ２１０９ａ（図１２７参照）と連続している。左側立設屈曲部Ｂ２０３２ｂの端部のうち、左側立設本体部Ｂ２０３２ａとの接続部分とは反対側の端部は、右上壁面Ｂ２１０２ａ（図１２８参照）と連続している。
【０６３０】
図１４３及び図１４４に示すように、ダクトアダプタＢ２５００がダクトカバーＢ２１００に連結された状態（遊技機１の組み立てが完了した状態）においては、ダクトアダプタＢ２５００の左側部Ｂ２５１０が右側立設部Ｂ２０３１と左側立設部Ｂ２０３２との間に配置される。
【０６３１】
分かりやすくするため、図１４３では、左側部Ｂ２５１０を斜線で示し、右側立設部Ｂ２０３１及び左側立設部Ｂ２０３２を黒で示している。図１４４では、前方下側壁面Ｂ２１０４ａに垂直であり、且つ、右側立設部Ｂ２０３１及び左側立設本体部Ｂ２０３２ａの延在方向に垂直な面で切断した様子を示し、ダクトカバーＢ２１００の切断面を斜線で示すとともに、ダクトアダプタＢ２５００の切断面を黒で示している。
【０６３２】
具体的に、ダクトアダプタＢ２５００における左側部Ｂ２５１０の左側面Ｂ２５１０ａ（図１３２参照）がダクトカバーＢ２１００における左側立設本体部Ｂ２０３２ａの右側壁面と略当接する。また、ダクトアダプタＢ２５００における左側部Ｂ２５１０の右側面Ｂ２５１０ｂ（図１３３参照）がダクトカバーＢ２１００における右側立設部Ｂ２０３１の左側壁面と略当接する。また、ダクトアダプタＢ２５００における左側部Ｂ２５１０の前端縁Ｂ２５１０ｃ（図１３２参照）がダクトカバーＢ２１００における前方下側壁面Ｂ２１０４ａの一部（右側立設部Ｂ２０３１と左側立設部Ｂ２０３２との間）と略当接する。
【０６３３】
ここで、ダクトアダプタＢ２５００における左側面Ｂ２５１０ａと右側面Ｂ２５１０ｂとの距離（左本体部Ｂ２５１１の厚み）は、ダクトカバーＢ２１００における左側立設本体部Ｂ２０３２ａと右側立設部Ｂ２０３１との距離（左側立設本体部Ｂ２０３２ａの右側壁面と右側立設部Ｂ２０３１の左側壁面との間隔）と略同一となっている。すなわち、左本体部Ｂ２５１１の厚みは、左側立設本体部Ｂ２０３２ａの右側壁面と右側立設部Ｂ２０３１の左側壁面との間隔よりも僅かに短く、その差は、左本体部Ｂ２５１１の厚みの１／５以下（又は、１／１０以下、１／２０以下等）となっている。
【０６３４】
これにより、ダクトアダプタＢ２５００がダクトカバーＢ２１００に連結された状態において、右方向又は左方向に力が加わった場合、左本体部Ｂ２５１１が右側立設部Ｂ２０３１又は左側立設本体部Ｂ２０３２ａによって係止される。その結果、ダクトアダプタＢ２５００とダクトカバーＢ２１００との連結状態が維持され、ダクトアダプタＢ２５００がダクトカバーＢ２１００から外れ難くなっている。
【０６３５】
なお、図１４３に示すように、左側立設本体部Ｂ２０３２ａに対する左側立設屈曲部Ｂ２０３２ｂの屈曲の度合いは、ダクトアダプタＢ２５００における左本体部Ｂ２５１１に対する左上側部Ｂ２５１２の屈曲の度合いと略同一となっている。これにより、左上側部Ｂ２５１２と左側立設屈曲部Ｂ２０３２ｂとが略当接するように配置される。
【０６３６】
図１４５〜図１４７に示すように、プロジェクタカバーＢ１には、アダプタ係合用溝Ｂ２０４０が形成されている。アダプタ係合用溝Ｂ２０４０は、下側壁面Ｂ２２０３、後側壁面Ｂ２２０４、及び、右上内壁面Ｂ２２０２ａに跨るように形成されている。分かりやすくするため、図１４５では、アダプタ係合用溝Ｂ２０４０を斜線で示している。
【０６３７】
アダプタ係合用溝Ｂ２０４０は、周囲の面よりも凹んだ凹部として形成されており、溝底部Ｂ２０４０ａ、並びに、溝底部Ｂ２０４０ａと周囲の面とを接続する外側壁面Ｂ２０４０ｂ及び内側壁面Ｂ２０４０ｃによって構成されている。外側壁面Ｂ２０４０ｂ及び内側壁面Ｂ２０４０ｃは、互いに略平行となるように形成されている。分かりやすくするため、図１４６及び図１４７では、外側壁面Ｂ２０４０ｂ及び内側壁面Ｂ２０４０ｃを斜線で示している。
【０６３８】
アダプタ係合用溝Ｂ２０４０の縁には、第１突起Ｂ２０４１（第１外側突起Ｂ２０４１ａ及び第１内側突起Ｂ２０４１ｂ）、第２突起Ｂ２０４２（第２外側突起Ｂ２０４２ａ及び第２内側突起Ｂ２０４２ｂ）、第３突起Ｂ２０４３（第３外側突起Ｂ２０４３ａ及び第３内側突起Ｂ２０４３ｂ）、第４外側突起Ｂ２０４４（第４外側突起Ｂ２０４４ａ及び第４内側突起Ｂ２０４４ｂ）、並びに、第５外側突起Ｂ２０４５（第５外側突起Ｂ２０４５ａ及び第５内側突起Ｂ２０４５ｂ）が形成されている。
【０６３９】
第１外側突起Ｂ２０４１ａ、第２外側突起Ｂ２０４２ａ、第３外側突起Ｂ２０４３ａ、第４外側突起Ｂ２０４４ａ、及び、第５外側突起Ｂ２０４５ａは、外側壁面Ｂ２０４０ｂの一部と連続するように、アダプタ係合用溝Ｂ２０４０の周囲の面に対して垂直な方向に突出する突起として形成されている。一方、第１内側突起Ｂ２０４１ｂ、第２内側突起Ｂ２０４２ｂ、第３内側突起Ｂ２０４３ｂ、第４内側突起Ｂ２０４４ｂ、及び、第５内側突起Ｂ２０４５ｂは、内側壁面Ｂ２０４０ｃの一部と連続するように、アダプタ係合用溝Ｂ２０４０の周囲の面に対して垂直な方向に突出する突起として形成されている。
【０６４０】
図１４８及び図１４９に示すように、ダクトアダプタＢ２５００がプロジェクタカバーＢ１に連結された状態（遊技機１の組み立てが完了した状態）においては、ダクトアダプタＢ２５００の左側部Ｂ２５１０がアダプタ係合用溝Ｂ２０４０に沿って配置される。図１４９では、左側部Ｂ２５１０の左側面Ｂ２５１０ａ及び右側面Ｂ２５１０ｂに平行な面（連結部Ｂ２５３０を通る面）で切断した様子を示し、分かりやすくするため、右側面Ｂ２５１０ｂを斜線で示している。
【０６４１】
具体的に、ダクトアダプタＢ２５００における左側部Ｂ２５１０の左側面Ｂ２５１０ａ（図１３２参照）がプロジェクタカバーＢ１の外側壁面Ｂ２０４０ｂと略当接する。また、ダクトアダプタＢ２５００における左側部Ｂ２５１０の右側面Ｂ２５１０ｂ（図１３３参照）がプロジェクタカバーＢ１の内側壁面Ｂ２０４０ｃと略当接する。また、ダクトアダプタＢ２５００における左側部Ｂ２５１０の後端縁Ｂ２５１０ｄ（図１３３参照）がプロジェクタカバーＢ１の後側壁面Ｂ２２０４に形成されている溝底部Ｂ２０４０ａと略当接する。
【０６４２】
また、ダクトアダプタＢ２５００における左側部Ｂ２５１０の下方突出部Ｂ２５１１ａ（図１３４参照）がプロジェクタカバーＢ１の下側壁面Ｂ２２０３に形成されている溝底部Ｂ２０４０ａと略当接する。また、ダクトアダプタＢ２５００における左側部Ｂ２５１０の右端縁Ｂ２５１２ａ（図１３３参照）がプロジェクタカバーＢ１の右上内壁面Ｂ２２０２ａに形成されている溝底部Ｂ２０４０ａと略当接する。
【０６４３】
なお、アダプタ係合用溝Ｂ２０４０は、後側壁面Ｂ２２０４から右上内壁面Ｂ２２０２ａにかけて、屈曲した形状を有している。当該屈曲の度合いは、ダクトアダプタＢ２５００における左本体部Ｂ２５１１に対する左上側部Ｂ２５１２の屈曲の度合いと略同一となっている。これにより、ダクトアダプタＢ２５００の左側部Ｂ２５１０（後端縁Ｂ２５１０ｄ）全体がアダプタ係合用溝Ｂ２０４０に嵌合可能なようになっている。
【０６４４】
ここで、ダクトアダプタＢ２５００における左側面Ｂ２５１０ａと右側面Ｂ２５１０ｂとの距離（左側部Ｂ２５１０の厚み）は、プロジェクタカバーＢ１における外側壁面Ｂ２０４０ｂと内側壁面Ｂ２０４０ｃとの距離（アダプタ係合用溝Ｂ２０４０の幅）と略同一となっている。すなわち、左側部Ｂ２５１０の厚みは、アダプタ係合用溝Ｂ２０４０の幅よりも僅かに短く、その差は、左側部Ｂ２５１０の厚みの１／５以下（又は、１／１０以下、１／２０以下等）となっている。
【０６４５】
これにより、ダクトアダプタＢ２５００がプロジェクタカバーＢ１に連結された状態において、左方向又は右方向に力が加わった場合、左側部Ｂ２５１０が外側壁面Ｂ２０４０ｂ又は内側壁面Ｂ２０４０ｃによって係止される。その結果、ダクトアダプタＢ２５００とプロジェクタカバーＢ１との連結状態が維持され、ダクトアダプタＢ２５００がプロジェクタカバーＢ１から外れ難くなっている。
【０６４６】
また、アダプタ係合用溝Ｂ２０４０の縁には、第１突起Ｂ２０４１、第２突起Ｂ２０４２、第３突起Ｂ２０４３、第４外側突起Ｂ２０４４、及び、第５外側突起Ｂ２０４５が形成されているため、ダクトアダプタＢ２５００の左側部Ｂ２５１０がアダプタ係合用溝Ｂ２０４０に嵌合した状態が保持されやすくなっている。
【０６４７】
さらに、図からは明らかでないが、外側壁面Ｂ２０４０ｂのうち、第２外側突起Ｂ２０４２ａ、第３外側突起Ｂ２０４３ａ、及び、第４外側突起Ｂ２０４４ａのそれぞれと一体となっている部分は、他の部分と比較して、僅かに隆起した（内側壁面Ｂ２０４０ｃ側に向けて突出するような）形状となっている。同様に、内側壁面Ｂ２０４０ｃのうち、第２内側突起Ｂ２０４２ｂ、第３内側突起Ｂ２０４３ｂ、及び、第４内側突起Ｂ２０４４ｂのそれぞれと一体となっている部分は、他の部分と比較して、僅かに隆起した（外側壁面Ｂ２０４０ｂ側に向けて突出するような）形状となっている。これにより、ダクトアダプタＢ２５００がこれらの突起によって係止されやすくなっている。
【０６４８】
なお、ダクトアダプタＢ２５００における左側部Ｂ２５１０の下端縁には、下方突出部Ｂ２５１１ａ（図１３４参照）が形成されており、これにより、当該下端縁は、段差を有するように形成されている。同様に、ダクトアダプタＢ２５００における左側部Ｂ２５１０の右端縁Ｂ２５１２ａ（図１３４参照）も、段差を有するように形成されている（図１３２参照）。これらの段差部分は、それぞれ、プロジェクタカバーＢ１の下側壁面Ｂ２２０３とダクトカバーＢ２１００の下側壁面Ｂ２１０９ａとの接続部分、及び、プロジェクタカバーＢ１の右上内壁面Ｂ２２０２ａとダクトカバーＢ２１００の右上壁面Ｂ２１０２ａとの接続部分に位置付けられる。これにより、これらの接続部分に対してダクトアダプタＢ２５００の左側部Ｂ２５１０が嵌合しやすくなっている。
【０６４９】
＜パンチングＢ４５０＞
図１５０は、ダクトカバーにパンチングが取り付けられた状態における断面図である。図１５１は、ダクトカバー及びパンチングを前方から見た分解斜視図である。図１５２は、ダクトカバー及びパンチングを後方から見た分解斜視図である。図１５３は、ダクトカバー及びパンチングを下方から見た分解斜視図である。
【０６５０】
図１５０に示すように、ダクトカバーＢ２１００の開口部Ｂ２１０８には、パンチングＢ４５０（図３１及び図３２参照）が配設される。図１５０では、パンチングＢ４５０が取り付けられていることを分かりやすくするため、開口部Ｂ２１０８を水平面（ネジ孔Ｂ２１１０を通る面）で切断した様子を示すとともに、パンチングＢ４５０の上面を斜線で示している。
【０６５１】
図１５１に示すように、開口部Ｂ２１０８の右壁面Ｂ２１０８ｄには、右側突出部Ｂ２１２１が形成されている。右側突出部Ｂ２１２１は、右壁面Ｂ２１０８ｄから開口部Ｂ２１０８の内側（左側）に向けて突出するとともに、前後方向（下壁面Ｂ２１０８ａと略平行な方向）に延在している。右側突出部Ｂ２１２１は、頂点部分が丸みを帯びた直方体形状を有している。分かりやすくするため、図１５１では、右側突出部Ｂ２１２１の左側面を斜線で示している。
【０６５２】
右側突出部Ｂ２１２１は、下壁面Ｂ２１０８ａよりもやや上方に形成されており、右側突出部Ｂ２１２１と下壁面Ｂ２１０８ａとの間には、一定の間隔が存在する。そして、右側突出部Ｂ２１２１と下壁面Ｂ２１０８ａとの間には、右側突起Ｂ２１２２が形成されている。右側突起Ｂ２１２２は、右壁面Ｂ２１０８ｄから開口部Ｂ２１０８の内側（左側）に向けて突出している。右壁面Ｂ２１０８ｄから右側突起Ｂ２１２２の左端までの長さ（右壁面Ｂ２１０８ｄを基準とした場合における右側突起Ｂ２１２２の左側への突出長）は、右壁面Ｂ２１０８ｄから右側突出部Ｂ２１２１の左端までの長さ（右壁面Ｂ２１０８ｄを基準とした場合における右側突出部Ｂ２１２１の左側への突出長）よりも短くなっている。
【０６５３】
右側突起Ｂ２１２２の上端は、右側突出部Ｂ２１２１の下面と連続しており、右側突起Ｂ２１２２の下端は、下壁面Ｂ２１０８ａと連続している。また、右側突出部Ｂ２１０８ｆの前端は、右壁面Ｂ２１０８ｄの前端縁（図１３０参照）と連続している。
【０６５４】
図１５２に示すように、開口部Ｂ２１０８の左壁面Ｂ２１０８ｂには、左側前方突出部Ｂ２１２３が形成されている。左側前方突出部Ｂ２１２３は、左壁面Ｂ２１０８ｂから開口部Ｂ２１０８の内側（正面視において右側、図１５２では左側）に向けて突出するとともに、前後方向（下壁面Ｂ２１０８ａと略平行な方向）に延在している。左側前方突出部Ｂ２１２３は、頂点部分が丸みを帯びた直方体形状を有している。
【０６５５】
左側前方突出部Ｂ２１２３は、下壁面Ｂ２１０８ａよりもやや上方に形成されており、左側前方突出部Ｂ２１２３と下壁面Ｂ２１０８ａとの間には、一定の間隔が存在する。そして、左側前方突出部Ｂ２１２３と下壁面Ｂ２１０８ａとの間には、左側突起Ｂ２１２４が形成されている。左側突起Ｂ２１２４は、左壁面Ｂ２１０８ｂから開口部Ｂ２１０８の内側（正面視において右側、図１５２では左側）に向けて突出している。左壁面Ｂ２１０８ｂから左側突起Ｂ２１２４の右端までの長さ（左壁面Ｂ２１０８ｂを基準とした場合における左側突起Ｂ２１２４の右側への突出長）は、左壁面Ｂ２１０８ｂから左側前方突出部Ｂ２１２３の右端までの長さ（左壁面Ｂ２１０８ｂを基準とした場合における左側前方突出部Ｂ２１２３の右側への突出長）よりも短くなっている。
【０６５６】
左側突起Ｂ２１２４の上端は、左側前方突出部Ｂ２１２３の下面と連続しており、左側突起Ｂ２１２４の下端は、下壁面Ｂ２１０８ａと連続している。また、左側前方突出部Ｂ２１２３の前端は、左壁面Ｂ２１０８ｂの前端縁（図１３０参照）と連続している。
【０６５７】
左側前方突出部Ｂ２１２３における前後方向の長さは、右側突出部Ｂ２１２１における前後方向の長さよりも短くなっている。また、左側突起Ｂ２１２４の形状及び形成位置は、右側突起Ｂ２１２２の形状及び形成位置と左右対称となっている。なお、右側突起Ｂ２１２２の形状及び左側突起Ｂ２１２４の形状は、上側隆起部Ｂ２５２３ｆ及び下側隆起部Ｂ２５２３ｇ（図１４１参照）と同様に、平面視において弓形（円弧と、当該円弧の端部同士を結んだ弦とで囲まれた図形）形状となっている（図１５３参照）。図１５３では、右側突起Ｂ２１２２及び左側突起Ｂ２１２４を通る水平面で開口部Ｂ２１０８を切断した様子を示すとともに、右側突出部Ｂ２１２１及び左側前方突出部Ｂ２１２３を斜線で示している。
【０６５８】
また、図１５２に示すように、開口部Ｂ２１０８の左壁面Ｂ２１０８ｂには、左側後方突出部Ｂ２１２５が形成されている。左側後方突出部Ｂ２１２５は、左壁面Ｂ２１０８ｂから開口部Ｂ２１０８の内側（正面視において右側、図１５２では左側）に向けて突出するとともに、前後方向（下壁面Ｂ２１０８ａと略平行な方向）に延在している。左側後方突出部Ｂ２１２５は、頂点部分が丸みを帯びた直方体形状を有している。左側後方突出部Ｂ２１２５の上面は、下壁面Ｂ２１０８ａと一体となっている。
【０６５９】
左壁面Ｂ２１０８ｂから左側後方突出部Ｂ２１２５の右端までの長さ（左壁面Ｂ２１０８ｂを基準とした場合における左側後方突出部Ｂ２１２５の右側への突出長）は、左壁面Ｂ２１０８ｂから左側前方突出部Ｂ２１２３の右端までの長さ（左壁面Ｂ２１０８ｂを基準とした場合における左側前方突出部Ｂ２１２３の右側への突出長）と略同じとなっている。
【０６６０】
左側後方突出部Ｂ２１２５の前端は、左側前方突出部Ｂ２１２３の後端よりもやや後方に位置付けられている。分かりやすくするため、図１５２では、左側前方突出部Ｂ２１２３の右側面及び左側後方突出部Ｂ２１２５の右側面を斜線で示している。
【０６６１】
図１５０に示すように、パンチングＢ４５０は、長方形形状の平板の前方部分を切り欠いた形状を有しており、多数の貫通孔Ｂ４５１が形成されている。これにより、パンチングＢ４５０は、空間Ｐ（図１２８参照）の内部における空気の通路を確保しつつ、空間Ｐの奥側へと異物が侵入してしまうことを防止することができるようになっている。なお、図１５０では、パンチングＢ４５０の前方部分における切欠き形状に対応して、下壁面Ｂ２１０８ａが露出した状態となっている。
【０６６２】
パンチングＢ４５０の厚みは、右側突出部Ｂ２１２１の下面と下壁面Ｂ２１０８ａとの間隔、及び、左側前方突出部Ｂ２１２３の下面と下壁面Ｂ２１０８ａとの間隔よりも僅かに薄くなっている。これにより、パンチングＢ４５０は、その右側部分が右側突出部Ｂ２１２１の下面と下壁面Ｂ２１０８ａとの間に配置され、その左側部分が左側前方突出部Ｂ２１２３の下面と下壁面Ｂ２１０８ａとの間に配置される。パンチングＢ４５０の下面は、下壁面Ｂ２１０８ａと当接し、パンチングＢ４５０の上面も、右側突出部Ｂ２１２１の下面及び左側前方突出部Ｂ２１２３の下面と略当接する。
【０６６３】
また、パンチングＢ４５０における左右方向の長さは、右壁面Ｂ２１０８ｄと左壁面Ｂ２１０８ｂとの距離よりも僅かに短く、右側突起Ｂ２１２２の左端と左側突起Ｂ２１２４の右端との距離と略同じとなっている。これにより、パンチングＢ４５０の右縁が右側突起Ｂ２１２２の左端と略当接し、パンチングＢ４５０の左縁が左側突起Ｂ２１２４の右端と略当接する。
【０６６４】
以上より、パンチングＢ４５０は、下壁面Ｂ２１０８ａと右側突出部Ｂ２１２１及び左側前方突出部Ｂ２１２３との間に配置された状態で、前方へとスライドさせることが可能である。そして、パンチングＢ４５０を前方に移動させた状態で、パンチングＢ４５０に付着した異物等を取り除く（掃除する）ことができるようになっている。
【０６６５】
ここで、パンチングＢ４５０における左後方のコーナー部には、上方に向けて突出するスライド係止用突起Ｂ４５２が形成されている。パンチングＢ４５０の上面からスライド係止用突起Ｂ４５２の上端までの長さ（パンチングＢ４５０の上面を基準とした場合におけるスライド係止用突起Ｂ４５２の上方への突出長）は、左側前方突出部Ｂ２１２３における上下方向の長さよりも長くなっている。これにより、パンチングＢ４５０が開口部Ｂ２１０８に配置された状態で、スライド係止用突起Ｂ４５２の上端は、左側前方突出部Ｂ２１２３の上面よりも上方に位置付けられる。
【０６６６】
従って、パンチングＢ４５０を前方へとスライドさせると、スライド係止用突起Ｂ４５２の前面が左側前方突出部Ｂ２１２３の後端と当接することになる。その結果、スライド係止用突起Ｂ４５２が左側前方突出部Ｂ２１２３によって係止され、パンチングＢ４５０がそれ以上前方に移動することが規制される。これにより、パンチングＢ４５０が開口部Ｂ２１０８から抜けてしまうことを防止することができる。
【０６６７】
なお、パンチングＢ４５０は、その右側部分及び左側部分の前端が下壁面Ｂ２１０８ａの前端縁よりも前方に突出した状態で配設されるため（図１５０参照）、これらの突出した部分を引っ張ることにより、スライドさせやすくなっている。また、上述したように、右側突起Ｂ２１２２及び左側突起Ｂ２１２４は、弓形形状であり、その先端が丸みを帯びた形状となっているため、パンチングＢ４５０のスライドを滑らかに行うことができる。
【０６６８】
また、図１５３に示すように、パンチングＢ４５０には、左右に１箇所ずつ切欠きＢ４５３が形成されている。切欠きＢ４５３は、パンチングＢ４５０が開口部Ｂ２１０８に配置された状態で、右側突起Ｂ２１２２及び左側突起Ｂ２１２４と嵌合する。これにより、パンチングＢ４５０を開口部Ｂ２１０８に安定的に取り付けることができる。さらに、下壁面Ｂ２１０８ａの左後方部分は、切り欠いた形状となっているが（図１２７参照）、パンチングＢ４５０は、左側後方突出部Ｂ２１２５上に載置されるため、パンチングＢ４５０をより安定的に配置することができる。
【０６６９】
以上、パンチングＢ４５０を開口部Ｂ２１０８に取り付けることとして説明したが、パンチングＢ４５０は、遊技機１において異物が侵入しやすい任意の部位に配設することが可能である。例えば、スピーカを覆うメッシュ状の部分（スピーカから発生した音を遊技機の外部に放出するための構造、例えば、図４９に示すスピーカ用孔６１５１Ａ，６１５１Ｂ）をパンチングＢ４５０により構成してもよい。
【０６７０】
以上、本発明の一実施形態として、第６実施形態に係る遊技機１について説明した。
【０６７１】
＜付記Ａ＞
従来、プロジェクタを用いることにより演出を行うことが可能な遊技機が知られている（特開平６−０３５０６６号公報及び特開２００９−２４０４５９号公報参照）。このような遊技機によれば、遊技用の映像がプロジェクタからスクリーン等の投影面に投影されることにより、液晶表示装置の代わりに、スクリーン等に映像が表示されるようになっている。
【０６７２】
このようなプロジェクタが搭載される遊技機においては、プロジェクタが適切な位置に配置されることが重要である。すなわち、プロジェクタが適切な位置に配置されていなければ、プロジェクタにより投影された映像とスクリーン等の投影面との間にずれが生じることとなり、このような場合には演出内容が違和感のあるものとなってしまう。
【０６７３】
本発明は、上記のような点に鑑みてなされたものであり、プロジェクタを適切な位置に配置することが可能な遊技機を提供することを目的とする。
【０６７４】
この点、第６実施形態に係る遊技機１は、以下の特徴を備えている。
【０６７５】
（Ａ−１）  プロジェクタ（プロジェクタ装置Ｂ２）と、
前記プロジェクタを収容する収容部（キャビネットＧ）と、
前記収容部に取り付けられた連結用部材（プロジェクタカバープレートＢ１０００）と、を備え、
前記プロジェクタと前記収容部とは、前記連結用部材を介して連結されており、
前記収容部には、該収容部の内側に向けて突出する突出部（照射ユニット引っ掛け用ネジ５０００）が設けられている一方、前記連結用部材には、該連結用部材に対して前記プロジェクタが配置されている側とは反対側（背面側）から前記突出部が挿入可能な孔（照射ユニット引っ掛け用ネジ孔Ｂ１０１０）が形成されており、
前記連結用部材は、前記孔に挿入された前記突出部に引っ掛けられた状態で、前記収容部に対して固定されている、
ことを特徴とする遊技機。
【０６７６】
第６実施形態に係る遊技機１によれば、プロジェクタ（プロジェクタ装置Ｂ２）を収容する収容部（キャビネットＧ）には、該収容部（キャビネットＧ）の内側に向けて突出する突出部（照射ユニット引っ掛け用ネジ５０００）が設けられている一方、プロジェクタ（プロジェクタ装置Ｂ２）と収容部（キャビネットＧ）とを連結するための連結用部材（プロジェクタカバープレートＢ１０００）には、該連結用部材（プロジェクタカバープレートＢ１０００）に対してプロジェクタ（プロジェクタ装置Ｂ２）が配置されている側とは反対側（背面側）から突出部（照射ユニット引っ掛け用ネジ５０００）が挿入可能な孔（照射ユニット引っ掛け用ネジ孔Ｂ１０１０）が形成されている。そして、連結用部材（プロジェクタカバープレートＢ１０００）は、当該孔（照射ユニット引っ掛け用ネジ孔Ｂ１０１０）に挿入された突出部（照射ユニット引っ掛け用ネジ５０００）に引っ掛けられた状態で、収容部（キャビネットＧ）に対して固定されている。従って、連結用部材（プロジェクタカバープレートＢ１０００）を突出部（照射ユニット引っ掛け用ネジ５０００）に引っ掛けて連結用部材（プロジェクタカバープレートＢ１０００）の位置合わせを行うことにより、プロジェクタ（プロジェクタ装置Ｂ２）を適切な位置に配置することができる。
【０６７７】
（Ａ−２）  プロジェクタ（プロジェクタ装置Ｂ２）と、
前記プロジェクタを収容する収容部（キャビネットＧ）と、
前記収容部に取り付けられた連結用部材（プロジェクタカバープレートＢ１０００）と、を備え、
前記プロジェクタと前記収容部とは、前記連結用部材を介して連結され、
前記収容部には、該収容部の内側に向けて突出する突出部（照射ユニット引っ掛け用ネジ５０００）が設けられている一方、前記連結用部材には、一の側から他の側にかけて貫通する貫通孔（照射ユニット引っ掛け用ネジ孔Ｂ１０１０）が形成され、
前記貫通孔は、第１の領域（下側部Ｂ１０１０ｂ）と、前記第１の領域と連続して形成された第２の領域（上側部Ｂ１０１０ａ）と、を含み、
前記貫通孔の形成方向に対して正面から見たとき、前記第１の領域は前記突出部よりも大きく、前記第２の領域は前記突出部よりも小さい、
ことを特徴とする遊技機。
【０６７８】
第６実施形態に係る遊技機１によれば、プロジェクタ（プロジェクタ装置Ｂ２）を収容する収容部（キャビネットＧ）には、該収容部（キャビネットＧ）の内側に向けて突出する突出部（照射ユニット引っ掛け用ネジ５０００）が設けられている一方、プロジェクタ（プロジェクタ装置Ｂ２）と収容部（キャビネットＧ）とを連結するための連結用部材（プロジェクタカバープレートＢ１０００）には、一の側から他の側にかけて貫通する貫通孔（照射ユニット引っ掛け用ネジ孔Ｂ１０１０）が形成されている。そして、貫通孔（照射ユニット引っ掛け用ネジ孔Ｂ１０１０）は、第１の領域（下側部Ｂ１０１０ｂ）と、第１の領域（下側部Ｂ１０１０ｂ）と連続して形成された第２の領域（上側部Ｂ１０１０ａ）と、を含み、貫通孔（照射ユニット引っ掛け用ネジ孔Ｂ１０１０）の形成方向に対して正面から見たとき、第１の領域（下側部Ｂ１０１０ｂ）は突出部（照射ユニット引っ掛け用ネジ５０００）よりも大きく、第２の領域（上側部Ｂ１０１０ａ）は突出部（照射ユニット引っ掛け用ネジ５０００）よりも小さくなっている。従って、突出部（照射ユニット引っ掛け用ネジ５０００）は、第１の領域（下側部Ｂ１０１０ｂ）に挿入することが可能であり、当該挿入を通じて連結用部材（プロジェクタカバープレートＢ１０００）を突出部（照射ユニット引っ掛け用ネジ５０００）に係合させることができる。このような係合状態を用いて連結用部材（プロジェクタカバープレートＢ１０００）の位置合わせを行うことにより、プロジェクタ（プロジェクタ装置Ｂ２）を適切な位置に配置することができる。
【０６７９】
（Ａ−３）  プロジェクタ（プロジェクタ装置Ｂ２）と、
前記プロジェクタを収容する収容部（キャビネットＧ）と、
前記収容部に取り付けられた連結用部材（プロジェクタカバープレートＢ１０００）と、を備え、
前記プロジェクタは、所定方向側（前面側）が高くなるような傾斜姿勢により配置され、
前記プロジェクタと前記収容部とは、前記連結用部材を介して連結され、
前記収容部には、該収容部の内側に向けて突出する突出部（照射ユニット引っ掛け用ネジ５０００）が設けられている一方、前記連結用部材には、周囲よりも凹んだ凹部が形成されるとともに、該凹部の一部を貫通させることにより貫通孔（照射ユニット引っ掛け用ネジ孔Ｂ１０１０）が形成され、
前記突出部は、突出方向の周囲に膨出する膨出部（座金部５００４）を備え、
前記膨出部は、前記凹部のうち前記貫通孔が形成されていない部分である非貫通部（周縁壁部Ｂ１０１１）に対して前記所定方向側に配置されている、
ことを特徴とする遊技機。
【０６８０】
第６実施形態に係る遊技機１によれば、プロジェクタ（プロジェクタ装置Ｂ２）を収容する収容部（キャビネットＧ）には、該収容部（キャビネットＧ）の内側に向けて突出する突出部（照射ユニット引っ掛け用ネジ５０００）が設けられている一方、プロジェクタ（プロジェクタ装置Ｂ２）と収容部（キャビネットＧ）とを連結するための連結用部材（プロジェクタカバープレートＢ１０００）には、周囲よりも凹んだ凹部が形成されるとともに、該凹部の一部を貫通させることにより貫通孔（照射ユニット引っ掛け用ネジ孔Ｂ１０１０）が形成されている。そして、収容部（キャビネットＧ）に設けられた突出部（照射ユニット引っ掛け用ネジ５０００）は、突出方向の周囲に膨出する膨出部（座金部５００４）を備えている。ここで、プロジェクタ（プロジェクタ装置Ｂ２）は、所定方向側（前面側）が高くなるような傾斜姿勢により配置されているところ、突出部（照射ユニット引っ掛け用ネジ５０００）の有する膨出部（座金部５００４）は、連結用部材（プロジェクタカバープレートＢ１０００）に形成された凹部のうち貫通孔（照射ユニット引っ掛け用ネジ孔Ｂ１０１０）が形成されていない部分である非貫通部（周縁壁部Ｂ１０１１）に対して上記所定方向側（前面側）に配置されている。従って、非貫通部（周縁壁部Ｂ１０１１）を当該所定方向側（前面側）に移動させる力が加わった場合においても、非貫通部（周縁壁部Ｂ１０１１）が膨出部（座金部５００４）によって係止されることに起因して、非貫通部（周縁壁部Ｂ１０１１）の移動を規制することができる。これにより、収容部（キャビネットＧ）に対する連結用部材（プロジェクタカバープレートＢ１０００）の位置がずれてしまうことを防止することが可能であり、プロジェクタ（プロジェクタ装置Ｂ２）を適切な位置に配置することができる。
【０６８１】
（Ａ−４）  プロジェクタ（プロジェクタ装置Ｂ２）と、
前記プロジェクタにより投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）と、
前記プロジェクタを収容する収容部（キャビネットＧ）と、
前記収容部に取り付けられた連結用部材（プロジェクタカバープレートＢ１０００）と、を備え、
前記プロジェクタと前記収容部とは、前記連結用部材を介して連結されており、
前記連結用部材は、第１の螺子（照射ユニット引っ掛け用ネジ５０００）及び第２の螺子（蓋取付用ネジ５１００）により前記収容部に対して固定されており、
前記収容部には、前記調節部を外部から操作可能な位置に開口（操作用窓Ｇ１０の開口Ｇ１０ａ）が設けられるとともに、該開口を閉塞可能な閉塞部材（閉塞用蓋Ｇ１００）が取り付けられており、
前記連結用部材には、前記第１の螺子の一部が挿入可能な第１螺子挿入部（照射ユニット引っ掛け用ネジ孔Ｂ１０１０）、及び、前記第２の螺子の一部が挿入可能な第２螺子挿入部（蓋締結用ネジ孔Ｂ１００２）が形成されており、
前記収容部には、前記第１の螺子の一部が挿入可能な第３螺子挿入部（照射ユニット引っ掛け用ネジ孔５０１０）が形成されており、
前記閉塞部材には、前記第２の螺子の一部が挿入可能な第４螺子挿入部（ボス部Ｇ１００ｃ）が形成されており、
前記連結用部材が前記収容部に取り付けられていない状態において、前記第３螺子挿入部に一部挿入された前記第１の螺子に前記第１螺子挿入部を係合させた場合に、前記第２螺子挿入部と前記第４螺子挿入部とが互いに対向するように配置される、
ことを特徴とする遊技機。
【０６８２】
第６実施形態に係る遊技機１によれば、プロジェクタ（プロジェクタ装置Ｂ２）を収容する収容部（キャビネットＧ）には、プロジェクタ（プロジェクタ装置Ｂ２）により投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を外部から操作可能な位置に開口（操作用窓Ｇ１０の開口Ｇ１０ａ）が設けられるとともに、該開口（操作用窓Ｇ１０の開口Ｇ１０ａ）を閉塞可能な閉塞部材（閉塞用蓋Ｇ１００）が取り付けられている。また、プロジェクタ（プロジェクタ装置Ｂ２）と収容部（キャビネットＧ）とを連結するための連結用部材（プロジェクタカバープレートＢ１０００）は、第１の螺子（照射ユニット引っ掛け用ネジ５０００）及び第２の螺子（蓋取付用ネジ５１００）により収容部（キャビネットＧ）に対して固定されている。連結用部材（プロジェクタカバープレートＢ１０００）には、第１の螺子（照射ユニット引っ掛け用ネジ５０００）の一部が挿入可能な第１螺子挿入部（照射ユニット引っ掛け用ネジ孔Ｂ１０１０）、及び、第２の螺子（蓋取付用ネジ５１００）の一部が挿入可能な第２螺子挿入部（蓋締結用ネジ孔Ｂ１００２）が形成されており、収容部（キャビネットＧ）には、第１の螺子（照射ユニット引っ掛け用ネジ５０００）の一部が挿入可能な第３螺子挿入部（照射ユニット引っ掛け用ネジ孔５０１０）が形成されており、閉塞部材（閉塞用蓋Ｇ１００）には、第２の螺子（蓋取付用ネジ５１００）の一部が挿入可能な第４螺子挿入部（ボス部Ｇ１００ｃ）が形成されている。ここで、連結用部材（プロジェクタカバープレートＢ１０００）が収容部（キャビネットＧ）に取り付けられていない状態において、第３螺子挿入部（照射ユニット引っ掛け用ネジ孔５０１０）に一部挿入された第１の螺子（照射ユニット引っ掛け用ネジ５０００）に第１螺子挿入部（照射ユニット引っ掛け用ネジ孔Ｂ１０１０）を係合させた場合、第２螺子挿入部（蓋締結用ネジ孔Ｂ１００２）と第４螺子挿入部（ボス部Ｇ１００ｃ）とが互いに対向するように配置される。換言すれば、第２螺子挿入部（蓋締結用ネジ孔Ｂ１００２）と第４螺子挿入部（ボス部Ｇ１００ｃ）とが互いに対向するように収容部（キャビネットＧ）に対して連結用部材（プロジェクタカバープレートＢ１０００）及び閉塞部材（閉塞用蓋Ｇ１００）を配置することで、連結用部材（プロジェクタカバープレートＢ１０００）の位置合わせを行うことが可能であり、これにより、プロジェクタ（プロジェクタ装置Ｂ２）を適切な位置に配置することができる。また、連結用部材（プロジェクタカバープレートＢ１０００）を収容部（キャビネットＧ）に対して固定するための螺子（第２の螺子（蓋取付用ネジ５１００））と閉塞部材（閉塞用蓋Ｇ１００）を収容部（キャビネットＧ）に対して固定するための螺子とを兼用することにより、収容部（キャビネットＧ）周辺に用いられる螺子の数を削減することが可能であり、簡便な構成とすることができる。
【０６８３】
第６実施形態では、収容部（キャビネットＧの背面壁Ｇ３）と突出部（照射ユニット引っ掛け用ネジ５０００）とが別個の部材により構成されていることとして説明した。本発明において、収容部（キャビネットＧの背面壁Ｇ３）と突出部（照射ユニット引っ掛け用ネジ５０００）とは、１個の部材として、一体的に形成されていてもよい。すなわち、収容部（キャビネットＧ）自体が該収容部（キャビネットＧ）の内側に向けて突出する突出構造を有するように構成してもよい。
【０６８４】
＜付記Ｂ＞
従来、プロジェクタを用いることにより演出を行うことが可能な遊技機が知られている（特開平６−０３５０６６号公報及び特開２００９−２４０４５９号公報参照）。このような遊技機によれば、遊技用の映像がプロジェクタからスクリーン等の投影面に投影されることにより、液晶表示装置の代わりに、スクリーン等に映像が表示されるようになっている。
【０６８５】
しかしながら、従来、このようなプロジェクタが搭載される遊技機においては、プロジェクタが遊技機の内部にいったん固定されてしまうと、その後にプロジェクタに対して微調整を施すことが困難であった。
【０６８６】
本発明は、上記のような問題点に鑑みてなされたものであり、プロジェクタを内部に取り付けた状態でプロジェクタに対して調整を行うことが可能な遊技機を提供することを目的とする。
【０６８７】
この点、第６実施形態に係る遊技機１は、以下の特徴を備えている。
【０６８８】
（Ｂ−１）  プロジェクタ（プロジェクタ装置Ｂ２）と、
前記プロジェクタにより投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）と、
前記プロジェクタを収容する収容部（キャビネットＧ）と、を備え、
前記収容部には、前記調節部を外部から操作可能な位置に開口（操作用窓Ｇ１０の開口Ｇ１０ａ）が設けられるとともに、該開口を閉塞可能な閉塞部材（閉塞用蓋Ｇ１００）が取り付けられており、
前記閉塞部材には、前記収容部に設けられた前記開口の周縁の一部に係止可能な係止片（上側係止片Ｇ１０８ａ及び下側係止片Ｇ１０８ｂ、並びに、上側係止片Ｇ１１８ａ及び下側係止片Ｇ１１８ｂ）が形成されており、
前記閉塞部材は、前記係止片により係止されるとともに、螺子により前記収容部に対して固定されている、
ことを特徴とする遊技機。
【０６８９】
第６実施形態に係る遊技機１によれば、プロジェクタ（プロジェクタ装置Ｂ２）を収容する収容部（キャビネットＧ）には、プロジェクタ（プロジェクタ装置Ｂ２）により投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を外部から操作可能な位置に開口（操作用窓Ｇ１０の開口Ｇ１０ａ）が設けられるとともに、該開口（操作用窓Ｇ１０の開口Ｇ１０ａ）を閉塞可能な閉塞部材（閉塞用蓋Ｇ１００）が取り付けられている。従って、収容部（キャビネットＧ）から閉塞部材（閉塞用蓋Ｇ１００）を取り外すことによって、閉塞部材（閉塞用蓋Ｇ１００）で閉塞されている該開口（操作用窓Ｇ１０の開口Ｇ１０ａ）を出現させることが可能であり、該開口（操作用窓Ｇ１０の開口Ｇ１０ａ）を介して、収容部（キャビネットＧ）の外部から、調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を操作することができるようになる。これにより、プロジェクタ（プロジェクタ装置Ｂ２）を収容部（キャビネットＧ）の内部に固定した後であっても、プロジェクタ（プロジェクタ装置Ｂ２）を収容部（キャビネットＧ）の内部に取り付けた状態のまま、収容部（キャビネットＧ）の外部から調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を操作することによって、プロジェクタ（プロジェクタ装置Ｂ２）により投射される光の進行方向を調節することができる。また、閉塞部材（閉塞用蓋Ｇ１００）には、収容部（キャビネットＧ）に設けられた開口（操作用窓Ｇ１０の開口Ｇ１０ａ）の周縁の一部に係止可能な係止片（上側係止片Ｇ１０８ａ及び下側係止片Ｇ１０８ｂ、並びに、上側係止片Ｇ１１８ａ及び下側係止片Ｇ１１８ｂ）が形成されており、閉塞部材（閉塞用蓋Ｇ１００）は、係止片（上側係止片Ｇ１０８ａ及び下側係止片Ｇ１０８ｂ、並びに、上側係止片Ｇ１１８ａ及び下側係止片Ｇ１１８ｂ）により係止されるとともに、螺子により収容部（キャビネットＧ）に対して固定されている。従って、閉塞部材（閉塞用蓋Ｇ１００）を収容部（キャビネットＧ）に係止させることにより暫定的に固定した状態で螺子締結を行うことが可能であり、閉塞部材（閉塞用蓋Ｇ１００）の収容部（キャビネットＧ）への取り付けを簡便に行うことができる。
【０６９０】
（Ｂ−２）  プロジェクタ（プロジェクタ装置Ｂ２）と、
前記プロジェクタにより投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）と、
前記プロジェクタを収容する収容部（キャビネットＧ）と、
前記収容部に取り付けられた連結用部材（プロジェクタカバープレートＢ１０００）と、を備え、
前記プロジェクタと前記収容部とは、前記連結用部材を介して連結されており、
前記収容部には、前記調節部を外部から操作可能な位置に開口（操作用窓Ｇ１０の開口Ｇ１０ａ）が設けられるとともに、該開口を閉塞可能な閉塞部材（閉塞用蓋Ｇ１００）が取り付けられており、
前記閉塞部材には、開口（第１開口Ｇ１０２及び第２開口Ｇ１１２）が設けられるとともに、前記収容部の内側に向けて突出する突出部（第１係合用突出部Ｇ１０１及び第２係合用突出部Ｇ１１１）が設けられ、前記突出部には、前記収容部に係合される係合部（上側係止片Ｇ１０８ａ及び下側係止片Ｇ１０８ｂ、並びに、上側係止片Ｇ１１８ａ及び下側係止片Ｇ１１８ｂ）が形成されており、
前記連結用部材には、前記突出部を収納するための収納凹部（第１空洞Ｂ１０５０及び第２空洞Ｂ１０６０）が形成され、前記突出部は、前記連結用部材に囲われるように配置されている、
ことを特徴とする遊技機。
【０６９１】
第６実施形態に係る遊技機１によれば、プロジェクタ（プロジェクタ装置Ｂ２）を収容する収容部（キャビネットＧ）には、プロジェクタ（プロジェクタ装置Ｂ２）により投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を外部から操作可能な位置に開口（操作用窓Ｇ１０の開口Ｇ１０ａ）が設けられるとともに、該開口（操作用窓Ｇ１０の開口Ｇ１０ａ）を閉塞可能な閉塞部材（閉塞用蓋Ｇ１００）が取り付けられている。従って、収容部（キャビネットＧ）から閉塞部材（閉塞用蓋Ｇ１００）を取り外すことによって、閉塞部材（閉塞用蓋Ｇ１００）で閉塞されている該開口（操作用窓Ｇ１０の開口Ｇ１０ａ）を出現させることが可能であり、該開口（操作用窓Ｇ１０の開口Ｇ１０ａ）を介して、収容部（キャビネットＧ）の外部から、調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を操作することができるようになる。これにより、プロジェクタ（プロジェクタ装置Ｂ２）を収容部（キャビネットＧ）の内部に固定した後であっても、プロジェクタ（プロジェクタ装置Ｂ２）を収容部（キャビネットＧ）の内部に取り付けた状態のまま、収容部（キャビネットＧ）の外部から調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を操作することによって、プロジェクタ（プロジェクタ装置Ｂ２）により投射される光の進行方向を調節することができる。また、閉塞部材（閉塞用蓋Ｇ１００）には、収容部（キャビネットＧ）の内側に向けて突出する突出部（第１係合用突出部Ｇ１０１及び第２係合用突出部Ｇ１１１）が設けられ、突出部（第１係合用突出部Ｇ１０１及び第２係合用突出部Ｇ１１１）には、収容部（キャビネットＧ）に係合される係合部（上側係止片Ｇ１０８ａ及び下側係止片Ｇ１０８ｂ、並びに、上側係止片Ｇ１１８ａ及び下側係止片Ｇ１１８ｂ）が形成されている。従って、閉塞部材（閉塞用蓋Ｇ１００）を収容部（キャビネットＧ）に係合させることにより、閉塞部材（閉塞用蓋Ｇ１００）の収容部（キャビネットＧ）への取り付けを行うことができる。ここで、閉塞部材（閉塞用蓋Ｇ１００）には開口（第１開口Ｇ１０２及び第２開口Ｇ１１２）が設けられており、当該開口（第１開口Ｇ１０２及び第２開口Ｇ１１２）を通じて、遊技機の内部に存在する各種装置へと不正にアクセスされてしまう（所謂ゴト行為により遊技媒体が不正に取得されてしまう）可能性が懸念される。しかしながら、第６実施形態に係る遊技機１によれば、プロジェクタ（プロジェクタ装置Ｂ２）と収容部（キャビネットＧ）とを連結するための連結用部材（プロジェクタカバープレートＢ１０００）には、突出部（第１係合用突出部Ｇ１０１及び第２係合用突出部Ｇ１１１）を収納するための収納凹部（第１空洞Ｂ１０５０及び第２空洞Ｂ１０６０）が形成され、突出部（第１係合用突出部Ｇ１０１及び第２係合用突出部Ｇ１１１）は、連結用部材（プロジェクタカバープレートＢ１０００）に囲われるように配置されている。これにより、仮に、当該開口（第１開口Ｇ１０２及び第２開口Ｇ１１２）から遊技機の内部に向けて針金形状の器具を侵入させようとしたとしても、突出部（第１係合用突出部Ｇ１０１及び第２係合用突出部Ｇ１１１）を囲っている連結用部材（プロジェクタカバープレートＢ１０００）によって当該侵入を阻むことが可能であり、遊技機の内部への不正アクセスを防止することができる。
【０６９２】
（Ｂ−３）  プロジェクタ（プロジェクタ装置Ｂ２）と、
前記プロジェクタにより投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）と、
前記プロジェクタを収容する収容部（キャビネットＧ）と、
前記収容部に取り付けられた連結用部材（プロジェクタカバープレートＢ１０００）と、を備え、
前記プロジェクタと前記収容部とは、前記連結用部材を介して連結されており、
前記収容部には、前記調節部を外部から操作可能な位置に開口（操作用窓Ｇ１０の開口Ｇ１０ａ）が設けられるとともに、該開口を閉塞可能な閉塞部材（閉塞用蓋Ｇ１００）が取り付けられており、
前記閉塞部材には、前記収容部に係合される係合部（上側係止片Ｇ１０８ａ及び下側係止片Ｇ１０８ｂ、並びに、上側係止片Ｇ１１８ａ及び下側係止片Ｇ１１８ｂ）が形成されており、
前記閉塞部材は、一の螺子（蓋取付用ネジ５１００）により前記収容部に対して固定されており、前記連結用部材も、該一の螺子により前記収容部に対して固定されている、
ことを特徴とする遊技機。
【０６９３】
第６実施形態に係る遊技機１によれば、プロジェクタ（プロジェクタ装置Ｂ２）を収容する収容部（キャビネットＧ）には、プロジェクタ（プロジェクタ装置Ｂ２）により投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を外部から操作可能な位置に開口（操作用窓Ｇ１０の開口Ｇ１０ａ）が設けられるとともに、該開口（操作用窓Ｇ１０の開口Ｇ１０ａ）を閉塞可能な閉塞部材（閉塞用蓋Ｇ１００）が取り付けられている。従って、収容部（キャビネットＧ）から閉塞部材（閉塞用蓋Ｇ１００）を取り外すことによって、閉塞部材（閉塞用蓋Ｇ１００）で閉塞されている該開口（操作用窓Ｇ１０の開口Ｇ１０ａ）を出現させることが可能であり、該開口（操作用窓Ｇ１０の開口Ｇ１０ａ）を介して、収容部（キャビネットＧ）の外部から、調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を操作することができるようになる。これにより、プロジェクタ（プロジェクタ装置Ｂ２）を収容部（キャビネットＧ）の内部に固定した後であっても、プロジェクタ（プロジェクタ装置Ｂ２）を収容部（キャビネットＧ）の内部に取り付けた状態のまま、収容部（キャビネットＧ）の外部から調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を操作することによって、プロジェクタ（プロジェクタ装置Ｂ２）により投射される光の進行方向を調節することができる。また、閉塞部材（閉塞用蓋Ｇ１００）は、一の螺子（蓋取付用ネジ５１００）により収容部（キャビネットＧ）に対して固定されるとともに、閉塞部材（閉塞用蓋Ｇ１００）には、収容部（キャビネットＧ）に係合される係合部（上側係止片Ｇ１０８ａ及び下側係止片Ｇ１０８ｂ、並びに、上側係止片Ｇ１１８ａ及び下側係止片Ｇ１１８ｂ）が形成されている。従って、閉塞部材（閉塞用蓋Ｇ１００）を収容部（キャビネットＧ）に係合させることにより暫定的に固定した状態で螺子締結を行うことが可能であり、閉塞部材（閉塞用蓋Ｇ１００）の収容部（キャビネットＧ）への取り付けを簡便に行うことができる。さらに、プロジェクタ（プロジェクタ装置Ｂ２）と収容部（キャビネットＧ）とを連結するための連結用部材（プロジェクタカバープレートＢ１０００）も、当該一の螺子（蓋取付用ネジ５１００）（閉塞部材（閉塞用蓋Ｇ１００）を収容部（キャビネットＧ）に対して固定するための螺子と同じ螺子）により収容部（キャビネットＧ）に対して固定されている。これにより、収容部（キャビネットＧ）に対して連結用部材（プロジェクタカバープレートＢ１０００）及び閉塞部材（閉塞用蓋Ｇ１００）を固定するために用いられる螺子の数を削減することが可能であり、より簡便な構成とすることができる。
【０６９４】
（Ｂ−４）  プロジェクタ（プロジェクタ装置Ｂ２）と、
前記プロジェクタにより投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）と、
前記プロジェクタを収容する収容部（キャビネットＧ）と、を備え、
前記収容部には、前記調節部を外部から操作可能な位置に、該収容部の内外を貫通する開口（操作用窓Ｇ１０の開口Ｇ１０ａ）が設けられるとともに、該開口の周囲には凹部（周縁部Ｇ１０ｂ）が形成され、該開口を閉塞可能な閉塞部材（閉塞用蓋Ｇ１００）が該凹部に嵌合されており、
前記閉塞部材には、前記収容部に設けられた前記開口の周縁の一部に沿って、該収容部の内側に向けて突出する突出部（上側突出部Ｇ１２１及び下側突出部Ｇ１２２）が形成されている、
ことを特徴とする遊技機。
【０６９５】
第６実施形態に係る遊技機１によれば、プロジェクタ（プロジェクタ装置Ｂ２）を収容する収容部（キャビネットＧ）には、プロジェクタ（プロジェクタ装置Ｂ２）により投射される光の進行方向を調節するための調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を外部から操作可能な位置に開口（操作用窓Ｇ１０の開口Ｇ１０ａ）が設けられるとともに、該開口（操作用窓Ｇ１０の開口Ｇ１０ａ）を閉塞可能な閉塞部材（閉塞用蓋Ｇ１００）が取り付けられている。従って、収容部（キャビネットＧ）から閉塞部材（閉塞用蓋Ｇ１００）を取り外すことによって、閉塞部材（閉塞用蓋Ｇ１００）で閉塞されている該開口（操作用窓Ｇ１０の開口Ｇ１０ａ）を出現させることが可能であり、該開口（操作用窓Ｇ１０の開口Ｇ１０ａ）を介して、収容部（キャビネットＧ）の外部から、調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を操作することができるようになる。これにより、プロジェクタ（プロジェクタ装置Ｂ２）を収容部（キャビネットＧ）の内部に固定した後であっても、プロジェクタ（プロジェクタ装置Ｂ２）を収容部（キャビネットＧ）の内部に取り付けた状態のまま、収容部（キャビネットＧ）の外部から調節部（上側台座Ｂ２２０と下側台座Ｂ２２１との連結部Ｒ１，Ｒ２，Ｒ３、上側台座Ｂ２２０のプロジェクタカバーＢ１への取り付け部分、ミラー機構Ｂ３のリフレクタ保持部Ｂ１１への取り付け部分等）を操作することによって、プロジェクタ（プロジェクタ装置Ｂ２）により投射される光の進行方向を調節することができる。また、収容部（キャビネットＧ）に設けられた開口（操作用窓Ｇ１０の開口Ｇ１０ａ）の周囲には凹部（周縁部Ｇ１０ｂ）が形成されており、閉塞部材（閉塞用蓋Ｇ１００）は、該凹部（周縁部Ｇ１０ｂ）に嵌合されている。ここで、収容部（キャビネットＧ）の凹部（周縁部Ｇ１０ｂ）と閉塞部材（閉塞用蓋Ｇ１００）との間に生じた僅かな隙間を通じて、遊技機の内部に存在する各種装置へと不正にアクセスされてしまう（所謂ゴト行為により遊技媒体が不正に取得されてしまう）可能性が懸念される。しかしながら、第６実施形態に係る遊技機１によれば、閉塞部材（閉塞用蓋Ｇ１００）には、収容部（キャビネットＧ）に設けられた開口（操作用窓Ｇ１０の開口Ｇ１０ａ）の周縁の一部に沿って、該収容部（キャビネットＧ）の内側に向けて突出する突出部（上側突出部Ｇ１２１及び下側突出部Ｇ１２２）が形成されている。これにより、仮に、上記隙間から遊技機の内部に向けて針金形状の器具を侵入させようとしたとしても、閉塞部材（閉塞用蓋Ｇ１００）に形成された該突出部（上側突出部Ｇ１２１及び下側突出部Ｇ１２２）によって当該侵入を阻むことが可能であり、遊技機の内部への不正アクセスを防止することができる。
【０６９６】
＜付記Ｃ＞
従来、プロジェクタを用いることにより演出を行うことが可能な遊技機が知られている（特開平６−０３５０６６号公報及び特開２００９−２４０４５９号公報参照）。このような遊技機によれば、遊技用の映像がプロジェクタからスクリーン等の投影面に投影されることにより、液晶表示装置の代わりに、スクリーン等に映像が表示されるようになっている。
【０６９７】
しかしながら、プロジェクタは、液晶表示装置等と比較して、発熱しやすく、高温になりやすいため、発生した熱を放出しないと正常に機能しなくなってしまうという問題があった。
【０６９８】
本発明は、上記のような問題点に鑑みてなされたものであり、プロジェクタで発生した熱を放出することが可能な遊技機を提供することを目的とする。
【０６９９】
この点、第６実施形態に係る遊技機１は、以下の特徴を備えている。
【０７００】
（Ｃ−１）  プロジェクタ（プロジェクタ装置Ｂ２）と、
空気が通過可能な第１空気通過空間（空間Ｐ）を有する第１空間形成部（カバー部Ｂ２０００）と、
空気が通過可能な第２空気通過空間（空洞Ｂ２５３１）を有する第２空間形成部（ダクトアダプタＢ２５００）と、を備え、
前記第１空間形成部には、第１の開口（開口Ｂ２１０８ｅ）及び第２の開口（開口Ｂ２０１０）が形成されるとともに、前記第１の開口及び前記第２の開口と連通するように前記第１空気通過空間が形成されており、
前記第２空間形成部には、第３の開口（左側開口Ｂ２５１３）及び第４の開口（右側開口Ｂ２５２２）が形成されるとともに、前記第３の開口及び前記第４の開口と連通するように前記第２空気通過空間が形成されており、
前記第１空間形成部と前記プロジェクタとは、前記第２空間形成部により連結されており、
前記第１空気通過空間と前記第２空気通過空間とは、前記第２の開口及び前記第３の開口を介して連通しており、
前記第２空間形成部は、弾性を有している、
ことを特徴とする遊技機。
【０７０１】
第６実施形態に係る遊技機１によれば、第１空間形成部（カバー部Ｂ２０００）には、第１の開口（開口Ｂ２１０８ｅ）及び第２の開口（開口Ｂ２０１０）が形成されるとともに、第１の開口（開口Ｂ２１０８ｅ）及び第２の開口（開口Ｂ２０１０）と連通するように第１空気通過空間（空間Ｐ）が形成されている。第２空間形成部（ダクトアダプタＢ２５００）には、第３の開口（左側開口Ｂ２５１３）及び第４の開口（右側開口Ｂ２５２２）が形成されるとともに、第３の開口（左側開口Ｂ２５１３）及び第４の開口（右側開口Ｂ２５２２）と連通するように第２空気通過空間（空洞Ｂ２５３１）が形成されている。第１空気通過空間（空間Ｐ）と第２空気通過空間（空洞Ｂ２５３１）とは、第２の開口（開口Ｂ２０１０）及び第３の開口（左側開口Ｂ２５１３）を介して連通しており、プロジェクタ（プロジェクタ装置Ｂ２）は、第２空間形成部（ダクトアダプタＢ２５００）により連結されている。これにより、第１空気通過空間（空間Ｐ）及び第２空気通過空間（空洞Ｂ２５３１）を通過した空気をプロジェクタ（プロジェクタ装置Ｂ２）に流入させることが可能であり、当該空気の流れを通じて、プロジェクタ（プロジェクタ装置Ｂ２）で発生した熱を放出することができる。また、プロジェクタ（プロジェクタ装置Ｂ２）をいったん第２空間形成部（ダクトアダプタＢ２５００）に連結した後においても、プロジェクタ（プロジェクタ装置Ｂ２）により投射される光の進行方向を調節するために、プロジェクタ（プロジェクタ装置Ｂ２）の位置を微調整するような状況も想定される。この点、第２空間形成部（ダクトアダプタＢ２５００）は、弾性を有しており、変形可能であるため、このようなプロジェクタ（プロジェクタ装置Ｂ２）の位置調整に柔軟に対応することができる。
【０７０２】
例えば、調節部（上側台座Ｂ２２０と下側台座Ｂ２２１との連結部Ｒ１，Ｒ２，Ｒ３、上側台座Ｂ２２０のプロジェクタカバーＢ１への取り付け部分等）を操作することによって、プロジェクタ（プロジェクタ装置Ｂ２）により投射される光の進行方向を調節する場合、プロジェクタ（プロジェクタ装置Ｂ２）を約５ｍｍ程度の範囲内で移動させる必要がある。この点、第２空間形成部（ダクトアダプタＢ２５００）の材料として、ウレタンゴム等の合成ゴムを使用すれば、第２空間形成部（ダクトアダプタＢ２５００）は、プロジェクタ（プロジェクタ装置Ｂ２）の移動領域の範囲内において柔軟に変形可能であり、当該移動に伴って隙間が生じたりすることもなく、光の進行方向の調節をスムーズに行うことができる。
【０７０３】
（Ｃ−２）  プロジェクタ（プロジェクタ装置Ｂ２）と、
空気が通過可能な空気通過空間（空間Ｐ）を有する空間形成部（カバー部Ｂ２０００）と、
弾性を有する弾性部材（ダクトアダプタＢ２５００）と、を備え、
前記弾性部材は、前記空間形成部と前記プロジェクタとの間に配置されており、
前記弾性部材には、第１の開口（左側開口Ｂ２５１３）及び第２の開口（右側開口Ｂ２５２２）が形成されるとともに、前記第１の開口及び前記第２の開口と連通するように空間（空洞Ｂ２５３１）が形成されており、
前記空気通過空間は、前記弾性部材に形成された該空間と連通しており、
前記弾性部材を前記第１の開口と前記第２の開口との間で切断したときの断面に対応する開口（断面開口Ｂ２５３６）の面積は、前記第１の開口の面積及び前記第２の開口の面積よりも小さい、
ことを特徴とする遊技機。
【０７０４】
第６実施形態に係る遊技機１によれば、空間形成部（カバー部Ｂ２０００）とプロジェクタ（プロジェクタ装置Ｂ２）との間に、弾性部材（ダクトアダプタＢ２５００）が配置されており、弾性部材（ダクトアダプタＢ２５００）には、第１の開口（左側開口Ｂ２５１３）及び第２の開口（右側開口Ｂ２５２２）が形成されるとともに、第１の開口（左側開口Ｂ２５１３）及び第２の開口（右側開口Ｂ２５２２）と連通するように空間（空洞Ｂ２５３１）が形成されている。そして、当該空間（空洞Ｂ２５３１）は、空間形成部（カバー部Ｂ２０００）に形成された空気通過空間（空間Ｐ）と連通している。これにより、空間形成部（カバー部Ｂ２０００）に形成された空間（空間Ｐ）及び弾性部材（ダクトアダプタＢ２５００）に形成された空間（空洞Ｂ２５３１）を通過した空気をプロジェクタ（プロジェクタ装置Ｂ２）に流入させることが可能であり、当該空気の流れを通じて、プロジェクタ（プロジェクタ装置Ｂ２）で発生した熱を放出することができる。また、弾性部材（ダクトアダプタＢ２５００）は、弾性を有しており、空間形成部（カバー部Ｂ２０００）及びプロジェクタ（プロジェクタ装置Ｂ２）との相対的な位置関係に応じて変形することが可能であるため、弾性部材（ダクトアダプタＢ２５００）を空間形成部（カバー部Ｂ２０００）とプロジェクタ（プロジェクタ装置Ｂ２）との間に配置する作業をスムーズに行うことができる。さらに、弾性部材（ダクトアダプタＢ２５００）を第１の開口（左側開口Ｂ２５１３）と第２の開口（右側開口Ｂ２５２２）との間（弾性部材（ダクトアダプタＢ２５００）における中央寄りの部分）で切断したときの断面に対応する開口（断面開口Ｂ２５３６）の面積は、第１の開口（左側開口Ｂ２５１３）の面積及び第２の開口（右側開口Ｂ２５２２）の面積よりも小さくなっている。すなわち、弾性部材（ダクトアダプタＢ２５００）は、中央寄りの部分が窪んだ形状を有している。これにより、弾性部材（ダクトアダプタＢ２５００）は、外力が加わった際に当該窪みに沿って変形することが可能であるため、上記のような弾性部材（ダクトアダプタＢ２５００）の配置作業をより効率的に行うことができる。
【０７０５】
さらに、第６実施形態に係る遊技機１によれば、連結部Ｂ２５３０（連結上側部Ｂ２５３２、連結下側部Ｂ２５３３、連結前側部Ｂ２５３４、及び、連結後側部Ｂ２５３５）の厚みが０．５〜１．２ｍｍ程度（例えば、０．７〜１．０ｍｍ）であり、左側部Ｂ２５１０及び右側部Ｂ２５２０の厚み（例えば、４ｍｍ）と比較して、かなり薄くなっている。これにより、柔軟性（伸縮性）を存分に発揮することが可能であり、弾性部材（ダクトアダプタＢ２５００）の配置作業の効率性を一層高めることができる。
【０７０６】
第６実施形態では、弾性部材（ダクトアダプタＢ２５００）を第１の開口（左側開口Ｂ２５１３）と第２の開口（右側開口Ｂ２５２２）との間で切断したときの断面に対応する開口（断面開口Ｂ２５３６）の面積が、第１の開口（左側開口Ｂ２５１３）の面積及び第２の開口（右側開口Ｂ２５２２）の面積よりも小さいこととして説明した。本発明において、当該断面に対応する開口（断面開口Ｂ２５３６）の面積は、特に限定されず、第１の開口（左側開口Ｂ２５１３）の面積及び第２の開口（右側開口Ｂ２５２２）の面積のうちの少なくとも一方の面積と略同じであってもよいし、第１の開口（左側開口Ｂ２５１３）の面積及び第２の開口（右側開口Ｂ２５２２）の面積のうちの少なくとも一方の面積よりも大きくなっていてもよい。例えば、連結上側部Ｂ２５３２、連結下側部Ｂ２５３３、連結前側部Ｂ２５３４、及び、連結後側部Ｂ２５３５を、それぞれ、右側部Ｂ２５２０寄りの面が右側主面Ｂ２５２４と略垂直な面となるように構成してもよい。この場合、当該断面に対応する開口（断面開口Ｂ２５３６）の面積は、第２の開口（右側開口Ｂ２５２２）の面積と概ね等しくなる。
【０７０７】
（Ｃ−３）  プロジェクタ（プロジェクタ装置Ｂ２）と、
前記プロジェクタを収容するケース（ケースＢ２２）と、
空気が通過可能な空気通過空間（空間Ｐ）を有する空間形成部（カバー部Ｂ２０００）と、
弾性を有する弾性部材（ダクトアダプタＢ２５００）と、を備え、
前記弾性部材は、前記空間形成部と前記ケースとの間に配置されており、
前記弾性部材には、第１の開口（左側開口Ｂ２５１３）及び第２の開口（右側開口Ｂ２５２２）が形成されるとともに、前記第１の開口及び前記第２の開口と連通するように空間（空洞Ｂ２５３１）が形成され、前記第１の開口が前記空間形成部側に配置される一方、前記第２の開口が前記ケース側に配置されており、
前記空気通過空間は、前記弾性部材に形成された該空間と連通しており、
前記ケースには、空気を取り入れるための通気口（吸気口Ｂ２２Ａ）が形成されており、
前記弾性部材における前記第２の開口側には、前記通気口に挿入可能な係止部（第１右側突出部Ｂ２５２３ａ、第２右側突出部Ｂ２５２３ｂ、及び、第３右側突出部Ｂ２５２３ｃ）が形成されており、前記弾性部材は、前記通気口に挿入された前記係止部によって係止可能である、
ことを特徴とする遊技機。
【０７０８】
第６実施形態に係る遊技機１によれば、空間形成部（カバー部Ｂ２０００）とプロジェクタ収容用のケース（ケースＢ２２）との間に、弾性部材（ダクトアダプタＢ２５００）が配置されており、弾性部材（ダクトアダプタＢ２５００）には、第１の開口（左側開口Ｂ２５１３）及び第２の開口（右側開口Ｂ２５２２）が形成されるとともに、第１の開口（左側開口Ｂ２５１３）及び第２の開口（右側開口Ｂ２５２２）と連通するように空間（空洞Ｂ２５３１）が形成されている。そして、当該空間（空洞Ｂ２５３１）は、空間形成部（カバー部Ｂ２０００）に形成された空気通過空間（空間Ｐ）と連通している。これにより、空間形成部（カバー部Ｂ２０００）に形成された空間（空間Ｐ）及び弾性部材（ダクトアダプタＢ２５００）に形成された空間（空洞Ｂ２５３１）を通過した空気をプロジェクタ（プロジェクタ装置Ｂ２）に流入させることが可能であり、当該空気の流れを通じて、プロジェクタ（プロジェクタ装置Ｂ２）で発生した熱を放出することができる。また、弾性部材（ダクトアダプタＢ２５００）は、弾性を有しており、空間形成部（カバー部Ｂ２０００）及びケース（ケースＢ２２）との相対的な位置関係に応じて変形することが可能であるため、弾性部材（ダクトアダプタＢ２５００）を空間形成部（カバー部Ｂ２０００）とケース（ケースＢ２２）との間に配置する作業をスムーズに行うことができる。さらに、ケース（ケースＢ２２）には、空気を取り入れるための通気口（吸気口Ｂ２２Ａ）が形成されており、弾性部材（ダクトアダプタＢ２５００）における第２の開口（右側開口Ｂ２５２２）側（ケース（ケースＢ２２）側）には、通気口（吸気口Ｂ２２Ａ）に挿入可能な係止部（第１右側突出部Ｂ２５２３ａ、第２右側突出部Ｂ２５２３ｂ、及び、第３右側突出部Ｂ２５２３ｃ）が形成されており、弾性部材（ダクトアダプタＢ２５００）は、通気口（吸気口Ｂ２２Ａ）に挿入された係止部（第１右側突出部Ｂ２５２３ａ、第２右側突出部Ｂ２５２３ｂ、及び、第３右側突出部Ｂ２５２３ｃ）によって係止可能である。これにより、係止部（第１右側突出部Ｂ２５２３ａ、第２右側突出部Ｂ２５２３ｂ、及び、第３右側突出部Ｂ２５２３ｃ）を介して弾性部材（ダクトアダプタＢ２５００）をケース（ケースＢ２２）に連結することが可能であるため、上記のような弾性部材（ダクトアダプタＢ２５００）の配置作業をより効率的に行うことができる。
【０７０９】
第６実施形態では、係止部（右側突出部Ｂ２５２３）の大きさ及び形状が、通気口（スリットＢ２０２２）の大きさ及び形状と略同じであることとして説明した。本発明において、係止部（右側突出部Ｂ２５２３）の大きさ及び形状としては、通気口（スリットＢ２０２２）に圧入することが可能であり、且つ、圧入後は容易に外れなくなる（係止される）ような大きさ及び形状を適宜採用することができる。例えば、係止部（右側突出部Ｂ２５２３）における短辺方向の長さ（突出上面Ｂ２５２３ｄと突出下面Ｂ２５２３ｅとの距離）を通気口（スリットＢ２０２２）の短辺と略同じ長さとしつつ、係止部（右側突出部Ｂ２５２３）における長辺方向（延在方向）の長さが通気口（スリットＢ２０２２）の長辺よりも短くなるように構成してもよい。また、係止部（右側突出部Ｂ２５２３）における長辺方向（延在方向）の長さを通気口（スリットＢ２０２２）の長辺と略同じ長さとしつつ、当該延在方向における端部を上側隆起部Ｂ２５２３ｆ及び下側隆起部Ｂ２５２３ｇのように隆起させてもよい。このような隆起部（係止用の突起）を形成する位置は、特に限定されず、係止部（右側突出部Ｂ２５２３）における任意の位置に係止片を設けることとしてもよい。
【０７１０】
（Ｃ−４）  プロジェクタ（プロジェクタ装置Ｂ２）と、
空気が通過可能な空気通過空間（空間Ｐ）を有する空間形成部（カバー部Ｂ２０００）と、
弾性を有する弾性部材（ダクトアダプタＢ２５００）と、を備え、
前記弾性部材は、前記空間形成部と前記プロジェクタとの間に配置されており、
前記弾性部材には、第１の開口（左側開口Ｂ２５１３）及び第２の開口（右側開口Ｂ２５２２）が形成されるとともに、前記第１の開口及び前記第２の開口と連通するように空間（空洞Ｂ２５３１）が形成され、前記第１の開口が前記空間形成部側に配置される一方、前記第２の開口が前記プロジェクタ側に配置されており、
前記空気通過空間は、前記弾性部材に形成された該空間と連通しており、
前記弾性部材における前記第１の開口側には、前記空間形成部に係止可能な係止部（左側部Ｂ２５１０）が形成されている一方、前記空間形成部には、２つの突出部（右側立設部Ｂ２０３１と左側立設部Ｂ２０３２、第１外側突起Ｂ２０４１ａと第１内側突起Ｂ２０４１ｂ、第２外側突起Ｂ２０４２ａと第２内側突起Ｂ２０４２ｂ、第３外側突起Ｂ２０４３ａと第３内側突起Ｂ２０４３ｂ、第４外側突起Ｂ２０４４ａと第４内側突起Ｂ２０４４ｂ、第５外側突起Ｂ２０４５ａと第５内側突起Ｂ２０４５ｂ）が形成されており、前記係止部が該２つの突出部の間に配置される、
ことを特徴とする遊技機。
【０７１１】
第６実施形態に係る遊技機１によれば、空間形成部（カバー部Ｂ２０００）とプロジェクタ（プロジェクタ装置Ｂ２）との間に、弾性部材（ダクトアダプタＢ２５００）が配置されており、弾性部材（ダクトアダプタＢ２５００）には、第１の開口（左側開口Ｂ２５１３）及び第２の開口（右側開口Ｂ２５２２）が形成されるとともに、第１の開口（左側開口Ｂ２５１３）及び第２の開口（右側開口Ｂ２５２２）と連通するように空間（空洞Ｂ２５３１）が形成されている。そして、当該空間（空洞Ｂ２５３１）は、空間形成部（カバー部Ｂ２０００）に形成された空気通過空間（空間Ｐ）と連通している。これにより、空間形成部（カバー部Ｂ２０００）に形成された空間（空間Ｐ）及び弾性部材（ダクトアダプタＢ２５００）に形成された空間（空洞Ｂ２５３１）を通過した空気をプロジェクタ（プロジェクタ装置Ｂ２）に流入させることが可能であり、当該空気の流れを通じて、プロジェクタ（プロジェクタ装置Ｂ２）で発生した熱を放出することができる。また、弾性部材（ダクトアダプタＢ２５００）は、弾性を有しており、空間形成部（カバー部Ｂ２０００）及びプロジェクタ（プロジェクタ装置Ｂ２）との相対的な位置関係に応じて変形することが可能であるため、弾性部材（ダクトアダプタＢ２５００）を空間形成部（カバー部Ｂ２０００）とプロジェクタ（プロジェクタ装置Ｂ２）との間に配置する作業をスムーズに行うことができる。さらに、弾性部材（ダクトアダプタＢ２５００）における第１の開口（左側開口Ｂ２５１３）側（空間形成部（カバー部Ｂ２０００）側）には、空間形成部（カバー部Ｂ２０００）に係止可能な係止部（左側部Ｂ２５１０）が形成されている一方、空間形成部（カバー部Ｂ２０００）には、２つの突出部（右側立設部Ｂ２０３１と左側立設部Ｂ２０３２、第１外側突起Ｂ２０４１ａと第１内側突起Ｂ２０４１ｂ、第２外側突起Ｂ２０４２ａと第２内側突起Ｂ２０４２ｂ、第３外側突起Ｂ２０４３ａと第３内側突起Ｂ２０４３ｂ、第４外側突起Ｂ２０４４ａと第４内側突起Ｂ２０４４ｂ、第５外側突起Ｂ２０４５ａと第５内側突起Ｂ２０４５ｂ）が形成されており、係止部（左側部Ｂ２５１０）が該２つの突出部（右側立設部Ｂ２０３１と左側立設部Ｂ２０３２、第１外側突起Ｂ２０４１ａと第１内側突起Ｂ２０４１ｂ、第２外側突起Ｂ２０４２ａと第２内側突起Ｂ２０４２ｂ、第３外側突起Ｂ２０４３ａと第３内側突起Ｂ２０４３ｂ、第４外側突起Ｂ２０４４ａと第４内側突起Ｂ２０４４ｂ、第５外側突起Ｂ２０４５ａと第５内側突起Ｂ２０４５ｂ）の間に配置される。これにより、係止部（左側部Ｂ２５１０）を該２つの突出部（右側立設部Ｂ２０３１と左側立設部Ｂ２０３２、第１外側突起Ｂ２０４１ａと第１内側突起Ｂ２０４１ｂ、第２外側突起Ｂ２０４２ａと第２内側突起Ｂ２０４２ｂ、第３外側突起Ｂ２０４３ａと第３内側突起Ｂ２０４３ｂ、第４外側突起Ｂ２０４４ａと第４内側突起Ｂ２０４４ｂ、第５外側突起Ｂ２０４５ａと第５内側突起Ｂ２０４５ｂ）の間に配置することで位置決めを行うことが可能であるため、上記のような弾性部材（ダクトアダプタＢ２５００）の配置作業をより効率的に行うことができる。
【０７１２】
さらに、第６実施形態に係る遊技機１によれば、係止部（左側部Ｂ２５１０）の厚みが３〜５ｍｍ程度（例えば、４ｍｍ）であり、連結部Ｂ２５３０（連結上側部Ｂ２５３２、連結下側部Ｂ２５３３、連結前側部Ｂ２５３４、及び、連結後側部Ｂ２５３５）の厚み（例えば、０．７〜１．０ｍｍ）と比較して、かなり分厚くなっている。これにより、２つの突出部（右側立設部Ｂ２０３１と左側立設部Ｂ２０３２、第１外側突起Ｂ２０４１ａと第１内側突起Ｂ２０４１ｂ、第２外側突起Ｂ２０４２ａと第２内側突起Ｂ２０４２ｂ、第３外側突起Ｂ２０４３ａと第３内側突起Ｂ２０４３ｂ、第４外側突起Ｂ２０４４ａと第４内側突起Ｂ２０４４ｂ、第５外側突起Ｂ２０４５ａと第５内側突起Ｂ２０４５ｂ）の間で、係止部（左側部Ｂ２５１０）を安定的に係止することが可能であり、弾性部材（ダクトアダプタＢ２５００）の配置作業の効率性を一層高めることができる。
【０７１３】
第６実施形態では、プロジェクタ（プロジェクタ装置Ｂ２）から投射された光がスクリーンに入射することにより、スクリーンに画像が表示されることとして説明した。本発明においては、プロジェクタ（プロジェクタ装置Ｂ２）から投射された光の一部又は全部がスクリーン以外の物体を照射することとしてもよく、照射される物体は、遊技機の備える部品であってもよいし、遊技機の外部に存在する物体であってもよい。例えば、プロジェクタ（プロジェクタ装置Ｂ２）から投射された光の一部（例えば、スクリーンの周囲を通過した光）が遊技者に到達することとし、遊技者の着用している衣服を照射することとしてもよい。なお、プロジェクタ（プロジェクタ装置Ｂ２）から投射された光の一部又は全部がスクリーン以外の物体を照射する場合、スクリーンは設けないこととしてもよい。
【０７１４】
また、第６実施形態では、収容部（キャビネットＧ）に突出部（照射ユニット引っ掛け用ネジ５０００）が設けられている一方、連結用部材（プロジェクタカバープレートＢ１０００：照射ユニットＢ）に孔（照射ユニット引っ掛け用ネジ孔Ｂ１０１０）が形成されており、照射ユニットＢの孔（照射ユニット引っ掛け用ネジ孔Ｂ１０１０）に収容部（キャビネットＧ）の突出部（照射ユニット引っ掛け用ネジ５０００）を挿入することにより、照射ユニットＢを突出部（照射ユニット引っ掛け用ネジ５０００）に引っ掛けることとして説明した。本発明においては、逆に、連結用部材（プロジェクタカバープレートＢ１０００：照射ユニット）に突出部が設けられている一方、収容部（キャビネットＧ）に孔（例えば、照射ユニット引っ掛け用ネジ孔Ｂ１０１０と同様の形状を有する孔）が形成されており、照射ユニットの突出部を収容部（キャビネットＧ）の孔（凹部）に挿入することにより、照射ユニットを当該孔に引っ掛けることとしてもよい。
【０７１５】
また、第６実施形態では、連結用部材（プロジェクタカバープレートＢ１０００：照射ユニットＢ）が収容部（キャビネットＧ）に対して、ネジ締結により取り付けられることとして説明した。本発明において、照射ユニットと収容部（キャビネットＧ）との取付方法は、特に限定されず、ネジ締結ではなく係止により、照射ユニットを収容部（キャビネットＧ）に対して固定してもよい。また、照射ユニットは、収容部（キャビネットＧ）に対して直接固定してもよいし、他の部材を介在させることにより間接的に固定してもよい。例えば、照射ユニットと収容部（キャビネットＧ）との間に他の部材（介在部材）を配置し、当該介在部材を収容部（キャビネットＧ）にネジ締結する一方、照射ユニットを介在部材に係止することとしてもよい。
【０７１６】
また、第６実施形態では、遊技機１の外部からキャビネットＧの内部に取り入れられた空気が、ダクトカバーＢ２１００の開口Ｂ２１０８ｅを介してカバー部Ｂ２０００の内部に取り入れられ、カバー部Ｂ２０００の内部（空間Ｐ）を移動した後、吸気口Ｂ２２Ａを介してケースＢ２２の内部に入り、ケースＢ２２内で発生した熱を奪いながらケースＢ２２内を進み、排気口Ｂ２２Ｅを介してケースＢ２２を出ることとして説明した。このような空気の流れを通じて、プロジェクタ装置Ｂ２を冷却することができる。本発明において、プロジェクタ（プロジェクタ装置Ｂ２）を冷却するための空気は、収容部（キャビネットＧ）内の任意の空間から空間形成部（カバー部Ｂ２０００）に取り入れることが可能である。その際、直前まで遊技機の外部に存在していた空気を空間形成部（カバー部Ｂ２０００）に取り入れることとしてもよいし、遊技機の内部に一定時間滞留していた空気を空間形成部（カバー部Ｂ２０００）に取り入れることとしてもよい。また、第２実施形態のように（第６実施形態とは逆に）、ケースＢ２２の右側に吸気口Ｂ２２Ａを設ける一方、ケースＢ２２の左側に排気口Ｂ２２Ｅを設けることとしてもよい。すなわち、第６実施形態では、空間形成部（カバー部Ｂ２０００）を通過した後の空気がケースＢ２２に流入することとしたが、逆に、ケースＢ２２を通過した後の空気が空間形成部（カバー部Ｂ２０００）に流入するように構成してもよい。また、プロジェクタ（プロジェクタ装置Ｂ２）を冷却するに当たって、空間形成部（カバー部Ｂ２０００）は必須の構成ではなく、空間形成部（カバー部Ｂ２０００）を設けることなく、ケースＢ２２の内部に空気を取り入れることとしてもよい。
【０７１７】
［第７実施形態］
以上、第１実施形態〜第６実施形態について説明した。以下、第７実施形態について説明する。第７実施形態に係る遊技機１の基本的な構成は、第１実施形態〜第６実施形態に係る遊技機１と同じである。以下においては、第１実施形態〜第６実施形態に係る遊技機１の構成要素と同一の構成要素には、同一の符号を付して説明することとする。また、第１実施形態〜第６実施形態における説明が第７実施形態においても当てはまる部分については、説明を省略することとする。
【０７１８】
＜リールユニットの高さ合わせ＞
図１５４は、キャビネット内部の概略構成を説明するための正面図である。図１５５は、図１５４に示すキャビネット内部からリールユニット及びリールアダプタを取り外した状態を示す分解斜視図である。図１５６（ａ）は、第６実施形態に係る遊技機において前面ドアが閉じられた状態を正面から見た模式図である。図１５６（ｂ）は、第７実施形態に係る遊技機において前面ドアが閉じられた状態を正面から見た模式図である。図１５６（ｃ）は、第６実施形態に係る遊技機のキャビネット内部を正面から見た模式図である。図１５６（ｄ）は、第７実施形態に係る遊技機のキャビネット内部を正面から見た模式図である。
【０７１９】
上述した実施形態では、表示ユニットＡ（プロジェクションマッピング装置）が搭載されている遊技機について説明したが、第７実施形態に係る遊技機１には、プロジェクションマッピング装置が搭載されていない。具体的に、上述した実施形態では、キャビネットＧの内部における上方空間に照射ユニットＢが配置され、当該上方空間又は前面ドアにおける上側部分（上ドア機構ＵＤ）にスクリーンが設けられていることとして説明した（図４、図５、図６４、図９７等参照）。これに対し、本実施形態において、キャビネットＧの内部における上方空間に照射ユニットＢは配置されておらず、当該上方空間又は前面ドアにおける上側部分にスクリーンは設けられていない。
【０７２０】
上述した実施形態（プロジェクションマッピング装置が搭載される形態）においては、遊技機１における上側部分を用いて、プロジェクタから投影された映像をスクリーンに表示させる演出が行われるところ、前面ドアに設けられた窓（例えば、図３に示す上側表示窓ＵＤ１）を介して、当該スクリーンに表示された映像を遊技者が視認することができるようになっている。そして、当該窓（スクリーンに表示された映像を視認可能にするための窓）の下方に、メイン表示窓ＤＤ４（各リールＲＬ，ＲＣ，ＲＲの動作や各リールＲＬ，ＲＣ，ＲＲ上に描かれている図柄を視認可能にするための窓）が設けられている。
【０７２１】
これに対し、本実施形態では、プロジェクションマッピング装置が搭載されていないため、スクリーンに表示された映像を視認可能にするための窓が形成されておらず、そのことに起因して、メイン表示窓ＤＤ４が上述した実施形態よりも上方に形成されている。これにより、各リールＲＬ，ＲＣ，ＲＲの動作や各リールＲＬ，ＲＣ，ＲＲ上に描かれている図柄の視認性を向上させている。
【０７２２】
ここで、図１５４及び図１５５に示すように、本実施形態では、ミドルボード４０００の上面にリールアダプタ６０００が載置され、リールアダプタ６０００の上面にリールユニットＲＵが載置されている。すなわち、第６実施形態では、ミドルボード４０００にリールユニットＲＵが直接載置されている（図９５及び図９６参照）のに対し、本実施形態では、ミドルボード４０００とリールユニットＲＵとの間に、リールアダプタ６０００を介在させている。キャビネットＧ内部の構成は、リールアダプタ６０００を除いて、第６実施形態と本実施形態とで基本的に同一となっている。なお、本実施形態では、照射ユニットＢが設けられていないため、背面壁Ｇ３に操作用窓Ｇ１０は形成されていない。
【０７２３】
図１５６（ａ）及び図１５６（ｂ）に示すように、本実施形態において、メイン表示窓ＤＤ４は、第６実施形態と比較して、距離ｄ（３〜１０ｃｍ程度、例えば６ｃｍ）だけ上方に形成されている。一方、図１５６（ｃ）及び図１５６（ｄ）に示すように、ミドルボード４０００のキャビネットＧにおける配置位置（高さ）は、第６実施形態と本実施形態とで同一である。そして、本実施形態では、ミドルボード４０００とリールユニットＲＵとの間にリールアダプタ６０００が介在していることに対応して、リールユニットＲＵの配置位置は、第６実施形態と比較して、リールアダプタ６０００の高さ分（距離ｄ）だけ上方となる。
【０７２４】
結果として、本実施形態では、第６実施形態と比較して、メイン表示窓ＤＤ４及びリールユニットＲＵの双方が距離ｄだけ上方に位置付けられる。これにより、第６実施形態と同様に、メイン表示窓ＤＤ４の形成位置とリールユニットＲＵ（リールＲＬ）の配置位置とは、正面視において略一致（重畳）することとなる。これにより、各リールＲＬ，ＲＣ，ＲＲの動作や各リールＲＬ，ＲＣ，ＲＲ上に描かれている図柄が、遊技者から視認しやすくなっている。
【０７２５】
なお、図１５６（ａ）及び図１５６（ｂ）では、メイン表示窓ＤＤ４及びリールユニットＲＵのみを示し、その他の構成の図示を省略している。図１５６（ｃ）では、ミドルボード４０００及びリールユニットＲＵのみを示し、その他の構成の図示を省略している。図１５６（ｄ）では、ミドルボード４０００、リールアダプタ６０００、及び、リールユニットＲＵのみを示し、その他の構成の図示を省略している。
【０７２６】
＜リールアダプタ６０００＞
図１５７は、リールアダプタを右前方から見た斜視図である。図１５８は、リールアダプタを右後方から見た斜視図である。図１５９は、リールアダプタの右後部の部分拡大斜視図である。図１６０は、図１５９に示す右後部の背面図である。図１６１は、図１５９に示す右後部の下側突出部における断面図である。図１６２は、リールアダプタを下方から見た斜視図である。図１６３は、リールアダプタを下方から見た部分拡大斜視図である。図１６４は、リールアダプタを左右方向の鉛直面で切断した状態の正面図である。図１６５は、リールアダプタを上方から見た斜視図である。図１６６は、リールアダプタを前後方向の鉛直面で切断した状態における段差凹部周辺の部分拡大斜視図である。
【０７２７】
図１５７及び図１５８に示すように、リールアダプタ６０００は、箱形の外観形状を有しており、上側の面、前側の面、及び、後側の面として、それぞれ、上面６００１、前面６００２、及び、後面６００３を有している。後面６００３の右側部分（右後面６００３Ｒ）及び左側部分（左後面６００３Ｌ）は、それぞれ、後面６００３の中央部分（中後面６００３Ｃ）に対して段差を有するように形成されている。
【０７２８】
また、リールアダプタ６０００は、後端の右側部分及び左側部分において、後方に突出する構造として、それぞれ、右後部６０１０及び左後部６０２０を有している。右後部６０１０は、右後面６００３Ｒの上部において右後面６００３Ｒに対して後方に突出する上側突出部６０１１と、右後面６００３Ｒの下部において右後面６００３Ｒに対して後方に突出する下側突出部６０１２と、を有している。
【０７２９】
左後部６０２０は、左後面６００３Ｌの上部において左後面６００３Ｌに対して後方に突出する上側突出部６０２１と、左後面６００３Ｌの下部において左後面６００３Ｌに対して後方に突出する下側突出部６０２２と、を有している。左後部６０２０は、右後部６０１０と略同一の構造を有しているため、以下では、右後部６０１０についてのみ説明する。
【０７３０】
図１５９に示すように、上側突出部６０１１は、上下方向に延在する右側部６０１１ａ及び左側部６０１１ｂと、左右方向に延在して右側部６０１１ａと左側部６０１１ｂとを接続する接続部６０１１ｃと、を有している。下側突出部６０１２は、後方上部が丸みを帯びた直方体形状を有している。分かりやすくするため、図１５９では、上側突出部６０１１の後端面及び下側突出部６０１２の後端面を斜線で示している。
【０７３１】
図１６０に示すように、接続部６０１１ｃの下端は、上面６００１よりも上方に位置付けられており、これにより、右側部６０１１ａと左側部６０１１ｂと接続部６０１１ｃと上面６００１とで囲まれた開口６０１３が形成されている。分かりやすくするため、図１６０では、上側突出部６０１１の後端面及び下側突出部６０１２の後端面を斜線で示し、開口６０１３を網掛けで示している。図示しないが、同様に、上側突出部６０２１は、右側部６０２１ａと左側部６０２１ｂと接続部６０２１ｃと、を有し、右側部６０２１ａと左側部６０２１ｂと接続部６０２１ｃと上面６００１とで囲まれた開口６０２３が形成される。
【０７３２】
図１６１では、下側突出部６０１２を鉛直面（左右方向の面）で切断した様子を示すとともに、切断面を斜線で示している。図１６１に示すように、下側突出部６０１２は、右後面６００３Ｒから後方に突出する突出上面６０１２ａを有している。突出上面６０１２ａは、後方の方がやや低くなる傾斜を有するように形成されており、下側突出部６０１２の上面を構成している。突出上面６０１２ａには、上側隆起部６０１２ｂが形成されている。上側隆起部６０１２ｂは、平坦な突出上面６０１２ａに対して隆起した形状を有している。
【０７３３】
図１５７及び図１５８に示すように、リールアダプタ６０００の上面６００１には、３つの上面凹部６０３０（左上面凹部６０３０Ｌ、中上面凹部６０３０Ｃ、及び、右上面凹部６０３０Ｒ）が形成されている。左上面凹部６０３０Ｌ、中上面凹部６０３０Ｃ、及び、右上面凹部６０３０Ｒは、それぞれ、上面６００１に対して凹んだ凹部として形成されており、長方形状の６つの面によって囲まれた六面体における１つの面（上側の面）を開放させた形状を有している。
【０７３４】
左上面凹部６０３０Ｌ、中上面凹部６０３０Ｃ、及び、右上面凹部６０３０Ｒは、左右方向に並ぶように形成されており、左上面凹部６０３０Ｌの左側、左上面凹部６０３０Ｌと中上面凹部６０３０Ｃとの間、中上面凹部６０３０Ｃと右上面凹部６０３０Ｒとの間、右上面凹部６０３０Ｒの右側には、それぞれ、凹部非形成領域６００１ａ、凹部非形成領域６００１ｂ、凹部非形成領域６００１ｃ、及び、凹部非形成領域６００１ｄが形成されている。凹部非形成領域６００１ａ、凹部非形成領域６００１ｂ、凹部非形成領域６００１ｃ、及び、凹部非形成領域６００１ｄは、上面６００１の一部となっている。
【０７３５】
図１６２及び図１６３に示すように、リールアダプタ６０００の裏側には、３つの裏面凸部６０３１（左裏面凸部６０３１Ｌ、中裏面凸部６０３１Ｃ、及び、右裏面凸部６０３１Ｒ）が形成されている。左裏面凸部６０３１Ｌ、中裏面凸部６０３１Ｃ、及び、右裏面凸部６０３１Ｒは、それぞれ、左上面凹部６０３０Ｌ、中上面凹部６０３０Ｃ、及び、右上面凹部６０３０Ｒに対応しており、左上面凹部６０３０Ｌ、中上面凹部６０３０Ｃ、及び、右上面凹部６０３０Ｒの凹みに応じて、裏面６００４（上面６００１の反対側の面）に対して下方に突出した形状を有している。
【０７３６】
裏面凸部６０３１は、裏面６００４と略平行に形成された底面６０３１ａと、裏面６００４と底面６０３１ａとを接続する側面６０３１ｂと、を有している。また、リールアダプタ６０００の裏側には、裏面６００４又は底面６０３１ａに対して下方（略垂直な方向）に突出するリブ６０３２が形成されている。リブ６０３２は、左右方向に延在する左右リブ６０３２ａと、前後方向に延在する５つの前後リブ６０３２ｂと、によって構成される。
【０７３７】
分かりやすくするため、図１６３では、リブ６０３２の側面（裏面６００４又は底面６０３１ａに対して略垂直な面）を斜線で示している。左右リブ６０３２ａは、底面６０３１ａの下方において、５つの前後リブ６０３２ｂとそれぞれ交差している。リブ６０３２は、裏面６００４から下方に突出している部分が側面６０３１ｂと連続しており、裏面６００４から下方に突出している部分は、底面６０３１ａから下方に突出している部分と一体となっている。
【０７３８】
図１６４では、左右リブ６０３２ａを通る鉛直面（左右方向の面）でリールアダプタ６０００を切断した様子を示すとともに、切断面を斜線で示している。図１６４に示すように、左右リブ６０３２ａのうち、底面６０３１ａから下方に突出している部分における上面凹部６０３０の底面６０３０ａ（図１５７参照）から左右リブ６０３２ａの下端までの長さ（図中のｒ）は、裏面６００４から下方に突出している部分における上面６００１から左右リブ６０３２ａの下端までの長さ（図中のＲ）よりも短くなっている。
【０７３９】
ここで、Ｒは、上面６００１と裏面６００４との距離（上面凹部非形成領域におけるリールアダプタ６０００の厚み）を含む長さであり、ｒは、底面６０３０ａと底面６０３１ａとの距離（上面凹部形成領域におけるリールアダプタ６０００の厚み）を含む長さである。これらのリールアダプタ６０００の厚みは、略均一となっている。従って、左右リブ６０３２ａのうち、底面６０３１ａから下方に突出している部分における底面６０３１ａから左右リブ６０３２ａの下端までの長さ（底面６０３１ａを基準とした場合における左右リブ６０３２ａの下方への突出長）は、裏面６００４から下方に突出している部分における裏面６００４から左右リブ６０３２ａの下端までの長さ（裏面６００４を基準とした場合における左右リブ６０３２ａの下方への突出長）よりも短くなっている。
【０７４０】
同様に、前後リブ６０３２ｂのうち、底面６０３１ａから下方に突出している部分における底面６０３１ａから前後リブ６０３２ｂの下端までの長さ（底面６０３１ａを基準とした場合における前後リブ６０３２ｂの下方への突出長）は、裏面６００４から下方に突出している部分における裏面６００４から前後リブ６０３２ｂの下端までの長さ（裏面６００４を基準とした場合における前後リブ６０３２ｂの下方への突出長）よりも短くなっている。なお、底面６０３１ａを基準とした場合における前後リブ６０３２ｂの下方への突出長は、底面６０３１ａを基準とした場合における左右リブ６０３２ａの下方への突出長と略同じである。
【０７４１】
図１５７及び図１６５に示すように、リールアダプタ６０００の前面６００２には、２つの段差凹部６０４０（左側段差凹部６０４０Ｌ及び右側段差凹部６０４０Ｒ）が形成されている。左側段差凹部６０４０Ｌ及び右側段差凹部６０４０Ｒは、それぞれ、段差を有するように形成されており、上面６００１から連続して前面６００２と略平行に形成された上側壁面６０４０ａと、上側壁面６０４０ａよりも前方において上側壁面６０４０ａと略平行に形成された下側壁面６０４０ｂと、を有している。分かりやすくするため、図１６５では、上側壁面６０４０ａ及び下側壁面６０４０ｂを斜線で示している。
【０７４２】
図１６６では、左側段差凹部６０４０Ｌを通る鉛直面（前後方向の面）でリールアダプタ６０００を切断した様子を示している。図１６６に示すように、段差凹部６０４０の下部には、下側突起６０４１が形成されている。下側突起６０４１における前面６０４１ａは、下側壁面６０４０ｂの下端から下方に向けて連続して形成されている。分かりやすくするため、図１６６では、下側突起６０４１の切断面を黒で示すとともに、下側突起６０４１以外の切断面を斜線で示している。下側壁面６０４０ｂの下端は、前面６００２において段差凹部６０４０の形成されていない領域の下端と略同じ高さであり、下側突起６０４１は、これらの下端から下方に突出した部分となっている。
【０７４３】
また、図１５７及び図１６５に示すように、リールアダプタ６０００の前面６００２には、２つのネジ孔用凹部６０５０（左側ネジ孔用凹部６０５０Ｌ及び右側ネジ孔用凹部６０５０Ｒ）が形成されている。左側ネジ孔用凹部６０５０Ｌ及び右側ネジ孔用凹部６０５０Ｒは、それぞれ、下端を規定する下面６０５０ａと、下方の方が細くなるテーパ形状を有するように形成された側面６０５０ｂと、によって構成されている。下面６０５０ａには、裏側にかけて貫通するネジ孔６０５０ｃが形成されている。
【０７４４】
また、図１５７及び図１６５に示すように、リールアダプタ６０００の前面６００２上部には、３つの前面上側凹部６０６０（左前面上側凹部６０６０Ｌ、中前面上側凹部６０６０Ｃ、及び、右前面上側凹部６０６０Ｒ）が形成されている。左前面上側凹部６０６０Ｌ、中前面上側凹部６０６０Ｃ、及び、右前面上側凹部６０６０Ｒは、それぞれ、前面６００２と上面６００１との境界部分を直方体状に切り欠いた形状を有している。左前面上側凹部６０６０Ｌの左側は、左側段差凹部６０４０Ｌと連通しており、右前面上側凹部６０６０Ｒの左側は、右側ネジ孔用凹部６０５０Ｒと連通している。
【０７４５】
＜リールユニットＲＵ＞
図１６７は、リールユニットの斜視図である。図１６８は、図１６７に示すリールユニットから右ユニットを取り外した状態を示す斜視図である。図１６９は、リールフレームを前方から見た斜視図である。図１７０は、リールフレームを下方から見た斜視図である。図１７１は、リールフレームを後方から見た斜視図である。図１７２は、モータフレームの斜視図である。
【０７４６】
図１６７及び図１６８に示すように、リールユニットＲＵは、リールフレームＲ１０と左ユニットＲ３０Ｌと中ユニットＲ３０Ｃと右ユニットＲ３０Ｒとを備え、左ユニットＲ３０Ｌと中ユニットＲ３０Ｃと右ユニットＲ３０ＲとがリールフレームＲ１０に収容されている。左ユニットＲ３０Ｌと中ユニットＲ３０Ｃと右ユニットＲ３０Ｒとは、同様の構成を有しているため、以下では、右ユニットＲ３０Ｒの構成を中心に説明する。
【０７４７】
右ユニットＲ３０Ｒは、右リールＲＲと右モータフレームＲ５０Ｒと右フロントガードＲ７０Ｒとを備えている。図１６８では、右ユニットＲ３０Ｒから右モータフレームＲ５０Ｒ及び右フロントガードＲ７０Ｒを取り外した状態を示している。右リールＲＲは、筒形形状の右リールドラムＲ３１Ｒを有しており、右リールドラムＲ３１Ｒには、複数の図柄が配された右リール帯Ｒ３２Ｒが巻回されて固定されている。また、図示しないが、右リールドラムＲ３１Ｒの内部には、右リールドラムＲ３１Ｒと中心軸が同じである回転ギアが配設されている。
【０７４８】
右モータフレームＲ５０Ｒは、右リールＲＲの右側に配置されている。右モータフレームＲ５０Ｒには、中央に開口部Ｒ５１Ｒが形成されており、開口部Ｒ５１Ｒを埋めるようにモータカバーＲ５２Ｒが取り付けられる。モータカバーＲ５２Ｒは、モータ駆動部を覆った状態で収容している。図示しないが、モータ駆動部は、ステッピングモータと、回転ギアに歯合する駆動ギアと、を有している。
【０７４９】
ステッピングモータの駆動力は、駆動ギア及び回転ギアを介して、右リールＲＲへと伝達される。これにより、右モータフレームＲ５０Ｒは、ステッピングモータを支持するとともに、右リールＲＲを回転可能に支持している。右フロントガードＲ７０Ｒは、右リールＲＲの前面側下部に配置され、右リールＲＲに配された図柄の一部を覆っている。
【０７５０】
同様に、左ユニットＲ３０Ｌは、左リールＲＬと左モータフレームＲ５０Ｌと左フロントガードＲ７０Ｌとを備えている。左モータフレームＲ５０Ｌは、ステッピングモータを支持するとともに、左リールＲＬを回転可能に支持している。左フロントガードＲ７０Ｌは、左リールＲＬの前面側下部に配置され、左リールＲＬに配された図柄の一部を覆っている。
【０７５１】
また、中ユニットＲ３０Ｃは、中リールＲＣと中モータフレームＲ５０Ｃと中フロントガードＲ７０Ｃとを備えている。中モータフレームＲ５０Ｃは、ステッピングモータを支持するとともに、中リールＲＣを回転可能に支持している。中フロントガードＲ７０Ｃは、中リールＲＣの前面側下部に配置され、中リールＲＣに配された図柄の一部を覆っている。
【０７５２】
図１６９に示すように、リールフレームＲ１０は、前面側が開放した箱状に形成されている。リールフレームＲ１０は、左ユニットＲ３０Ｌ、中ユニットＲ３０Ｃ、及び、右ユニットＲ３０Ｒの収容空間の下端を規定する面として、３つの第１下側面Ｒ１１（左第１下側面Ｒ１１Ｌ、中第１下側面Ｒ１１Ｃ、及び、右第１下側面Ｒ１１Ｒ）、並びに、３つの第２下側面Ｒ１２（左第２下側面Ｒ１２Ｌ、中第２下側面Ｒ１２Ｃ、及び、右第２下側面Ｒ１２Ｒ）を有している。分かりやすくするため、図１６９では、第２下側面Ｒ１２を斜線で示している。
【０７５３】
左第２下側面Ｒ１２Ｌ、中第２下側面Ｒ１２Ｃ、及び、右第２下側面Ｒ１２Ｒは、それぞれ、左第１下側面Ｒ１１Ｌ、中第１下側面Ｒ１１Ｃ、及び、右第１下側面Ｒ１１Ｒの右側において、これらの第１下側面Ｒ１１に対して僅かに凹んだ凹部として形成されている。左第１下側面Ｒ１１Ｌ、中第１下側面Ｒ１１Ｃ、及び、右第１下側面Ｒ１１Ｒの上方には、それぞれ、左リールＲＬ、中リールＲＣ、及び、右リールＲＲが配置される。左第２下側面Ｒ１２Ｌ、中第２下側面Ｒ１２Ｃ、及び、右第２下側面Ｒ１２Ｒには、それぞれ、左モータフレームＲ５０Ｌ、中モータフレームＲ５０Ｃ、及び、右モータフレームＲ５０Ｒが載置される。
【０７５４】
これらの第１下側面Ｒ１１及び第２下側面Ｒ１２は、略平坦に形成されている。また、リールフレームＲ１０は、第１下側面Ｒ１１及び第２下側面Ｒ１２の前端において、下方に向けて（第１下側面Ｒ１１及び第２下側面Ｒ１２と略垂直な方向に）突出する下方突出部Ｒ１３を有している。下方突出部Ｒ１３には、３つの取付用孔Ｒ１４（左取付用孔Ｒ１４Ｌ、中取付用孔Ｒ１４Ｃ、及び、右取付用孔Ｒ１４Ｒ）、並びに、１つのネジ孔Ｒ１５が、下方突出部Ｒ１３を前後方向に貫通するように形成されている。
【０７５５】
下方突出部Ｒ１３の前面側には、左取付用孔Ｒ１４Ｌ、中取付用孔Ｒ１４Ｃ、及び、右取付用孔Ｒ１４Ｒの左右に、それぞれ所定の距離を隔てて、一対の突起Ｒ１６が形成されている。また、図１７０に示すように、下方突出部Ｒ１３の背面側には、左取付用孔Ｒ１４Ｌ、中取付用孔Ｒ１４Ｃ、及び、右取付用孔Ｒ１４Ｒの周縁近傍において、それぞれ、左右に１つずつ突起Ｒ１７が形成されている。
【０７５６】
リールフレームＲ１０は、裏側（第１下側面Ｒ１１及び第２下側面Ｒ１２の反対側）の面として、３つの第１裏側面Ｒ１８（左第１裏側面Ｒ１８Ｌ、中第１裏側面Ｒ１８Ｃ、及び、右第１裏側面Ｒ１８Ｒ）、並びに、３つの第２裏側面Ｒ１９（左第２裏側面Ｒ１９Ｌ、中第２裏側面Ｒ１９Ｃ、及び、右第２裏側面Ｒ１９Ｒ）を有している。左第１裏側面Ｒ１８Ｌ、中第１裏側面Ｒ１８Ｃ、及び、右第１裏側面Ｒ１８Ｒは、それぞれ、左第１下側面Ｒ１１Ｌ、中第１下側面Ｒ１１Ｃ、及び、右第１下側面Ｒ１１Ｒに対応しており、左第２裏側面Ｒ１９Ｌ、中第２裏側面Ｒ１９Ｃ、及び、右第２裏側面Ｒ１９Ｒは、それぞれ、左第２下側面Ｒ１２Ｌ、中第２下側面Ｒ１２Ｃ、及び、右第２下側面Ｒ１２Ｒに対応している。
【０７５７】
左第２裏側面Ｒ１９Ｌ、中第２裏側面Ｒ１９Ｃ、及び、右第２裏側面Ｒ１９Ｒは、それぞれ、左第２下側面Ｒ１２Ｌ、中第２下側面Ｒ１２Ｃ、及び、右第２下側面Ｒ１２Ｒの凹みに応じて、左第１裏側面Ｒ１８Ｌ、中第１裏側面Ｒ１８Ｃ、及び、右第１裏側面Ｒ１８Ｒに対して僅かに下方に突出した形状を有している。
【０７５８】
これらの第１裏側面Ｒ１８及び第２裏側面Ｒ１９は、略平坦に形成されており、前端において下方突出部Ｒ１３と連続しており、後端において後壁部Ｒ２０と連続している。下方突出部Ｒ１３及び後壁部Ｒ２０は、それぞれ、第１裏側面Ｒ１８及び第２裏側面Ｒ１９に対して略垂直な方向に形成されている。後壁部Ｒ２０の下端縁は、第２裏側面Ｒ１９と同一平面上に位置付けられている。
【０７５９】
図１７１に示すように、リールフレームＲ１０は、後壁部Ｒ２０から後方に突出する２つの後方突出部Ｒ２１（右側後方突出部Ｒ２１Ｒ及び左側後方突出部Ｒ２１Ｌ）を有している。後方突出部Ｒ２１は、後壁部Ｒ２０から後方に突出する突出上面Ｒ２１ａを有している。突出上面Ｒ２１ａは、後方の方がやや低くなる傾斜を有するように形成されており、後方突出部Ｒ２１の上面を構成している。突出上面Ｒ２１ａには、上側隆起部Ｒ２１ｂが形成されている。上側隆起部Ｒ２１ｂは、平坦な突出上面Ｒ２１ａに対して隆起した形状を有している。右側後方突出部Ｒ２１Ｒ及び左側後方突出部Ｒ２１Ｌの大きさ及び形状は、それぞれ、リールアダプタ６０００における下側突出部６０１２及び下側突出部６０２２（図１５８参照）の大きさ及び形状と略同じとなっている。
【０７６０】
図１７２に示すように、モータフレームＲ５０（左モータフレームＲ５０Ｌ、中モータフレームＲ５０Ｃ、及び、右モータフレームＲ５０Ｒ）は、下端を規定する面として、載置面Ｒ５２を有している。分かりやすくするため、図１７２では、載置面Ｒ５２を斜線で示している。載置面Ｒ５２の左右方向の幅は、リールフレームＲ１０における第２下側面Ｒ１２の左右方向の幅と略同一となっている。
【０７６１】
左モータフレームＲ５０Ｌ、中モータフレームＲ５０Ｃ、及び、右モータフレームＲ５０Ｒは、それぞれ、載置面Ｒ５２が左第２下側面Ｒ１２Ｌ、中第２下側面Ｒ１２Ｃ、及び、右第２下側面Ｒ１２Ｒと当接した状態で、リールフレームＲ１０に収容される。これにより、モータフレームＲ５０は、リールフレームＲ１０によって支持され、その結果、各リールＲＬ，ＲＣ，ＲＲ及びステッピングモータも、リールフレームＲ１０によって支持されることになる。
【０７６２】
また、モータフレームＲ５０は、載置面Ｒ５２の前端において、下方に向けて（載置面Ｒ５２と略垂直な方向に）突出する下方突出部Ｒ５３を有している。下方突出部Ｒ５３には、取付用孔Ｒ５４が、下方突出部Ｒ５３を前後方向に貫通するように形成されている。下方突出部Ｒ５３における左右方向の幅は、リールフレームＲ１０の下方突出部Ｒ１３に形成された一対の突起Ｒ１６の間隔に対応している。
【０７６３】
モータフレームＲ５０がリールフレームＲ１０に収容された状態（遊技機１の組み立てが完了した状態）においては、モータフレームＲ５０の下方突出部Ｒ５３がリールフレームＲ１０の下方突出部Ｒ１３の前面側において一対の突起Ｒ１６に挟まれるように配置され、下方突出部Ｒ５３に形成された取付用孔Ｒ５４と下方突出部Ｒ１３に形成された取付用孔Ｒ１４とが重畳する。この状態で、取付用孔Ｒ５４及び取付用孔Ｒ１４に挿通させた締結用部材を用いて、モータフレームＲ５０がリールフレームＲ１０に締結される。本実施形態では、締結用部材としてニフラッチ（登録商標）が用いられる。
【０７６４】
＜ミドルボード４０００＞
図１７３は、ミドルボードの斜視図である。
【０７６５】
図１７３に示すように、ミドルボード４０００は、板状の形状を有しており、上側の面は、第１上面４０１０、第２上面４０３０、第３上面４０５０、第４上面４０７０、及び、第５上面４０８０から構成されている。第２上面４０３０、第３上面４０５０、第４上面４０７０、及び、第５上面４０８０は、それぞれ、第１上面４０１０に対して凹んだ凹部として形成されている。分かりやすくするため、図１７３では、第１上面４０１０を斜線で示している。
【０７６６】
ミドルボード４０００の後縁における右側部分には、右側取付用壁部４００１が立設されている。右側取付用壁部４００１には、ネジ孔４００２が形成されている。また、ミドルボード４０００の後縁における左側部分には、左側取付用壁部４００３が立設されている。左側取付用壁部４００３には、ネジ孔４００４が形成されている。ミドルボード４０００は、ネジ孔４００２及びネジ孔４００４を挿通させたネジによって、キャビネットＧの背面壁Ｇ３に取り付けられる。
【０７６７】
また、ミドルボード４０００は、第１上面４０１０に形成された４つのネジ孔４００５をそれぞれ挿通させたネジによって、図示しない他の部材に取り付けられる。当該他の部材は、キャビネットＧの右側面壁Ｇ２Ｒ及び左側面壁Ｇ２Ｌに取り付けられており、これにより、ミドルボード４０００は、右側面壁Ｇ２Ｒ及び左側面壁Ｇ２Ｌに対して固定される。
【０７６８】
第２上面４０３０は、右側取付用壁部４００１の前方に形成されている。第２上面４０３０には、矩形状の開口４０３１が形成されており、開口４０３１の後縁（後側の辺）に沿って、第２上面４０３０に対して略垂直な方向に、右側開口付立設部４０３２が立設されている。右側開口付立設部４０３２の中央部分には、矩形状の開口４０３３が形成されている。開口４０３３の大きさ及び形状は、リールアダプタ６０００の上側突出部６０１１によって形成される開口６０１３（図１６０参照）の大きさ及び形状と略同じとなっている。また、開口４０３３の下縁は、第１上面４０１０と略同じ高さとなっている。
【０７６９】
第３上面４０５０は、左側取付用壁部４００３の前方に形成されている。第３上面４０５０には、矩形状の開口４０５１が形成されており、開口４０５１の後縁（後側の辺）に沿って、第３上面４０５０に対して略垂直な方向に、左側開口付立設部４０５２が立設されている。左側開口付立設部４０５２の中央部分には、矩形状の開口４０５３が形成されている。開口４０５３の大きさ及び形状は、右側開口付立設部４０３２に形成された開口４０３３の大きさ及び形状と略同じとなっている。また、開口４０５３の下縁は、第１上面４０１０と略同じ高さとなっている。
【０７７０】
第４上面４０７０は、第２上面４０３０及び第３上面４０５０の前方において、左右方向に延在するように形成されている。第５上面４０８０は、第４上面４０７０の前方において、ミドルボード４０００の前端にかけて形成されている。第５上面４０８０は、周囲の面に対して隆起した部分として、第１隆起面４０８１、第２隆起面４０８２、第３隆起面４０８３、及び、第４隆起面４０８４を含んでいる。
【０７７１】
第２隆起面４０８２には、前側孔４０８２ａ、後側孔４０８２ｂ、及び、切り欠き４０８２ｃが形成されている。前側孔４０８２ａ及び後側孔４０８２ｂは、ミドルボード４０００を上下方向に貫通する貫通孔として、コーナー部がやや丸みを帯びた長方形形状に形成されている。前側孔４０８２ａ及び後側孔４０８２ｂは、それぞれ、左右方向に延在しており、前側孔４０８２ａの延在方向と後側孔４０８２ｂの延在方向とは略平行となっている。前側孔４０８２ａ及び後側孔４０８２ｂは、大きさ及び形状が互いに略同一である。
【０７７２】
同様に、第３隆起面４０８３には、前側孔４０８３ａ、後側孔４０８３ｂ、及び、切り欠き４０８３ｃが形成されている。前側孔４０８３ａ及び後側孔４０８３ｂは、ミドルボード４０００を上下方向に貫通する貫通孔として、コーナー部がやや丸みを帯びた長方形形状に形成されている。前側孔４０８３ａ及び後側孔４０８３ｂは、それぞれ、左右方向に延在しており、前側孔４０８３ａの延在方向と後側孔４０８３ｂの延在方向とは略平行となっている。前側孔４０８３ａ及び後側孔４０８３ｂは、大きさ及び形状が互いに略同一である。第４隆起面４０８４には、切り欠き４０８４ａが形成されている。
【０７７３】
第１隆起面４０８１と第２隆起面４０８２との間には、ネジ孔４０８５が形成されている。第２隆起面４０８２と第３隆起面４０８３との間には、ネジ孔４０８６が形成されている。第３隆起面４０８３と第４隆起面４０８４との間には、ネジ孔４０８７が形成されている。
【０７７４】
以上で説明した第１上面４０１０、第２上面４０３０、第３上面４０５０、第４上面４０７０、及び、第５上面４０８０（第１隆起面４０８１、第２隆起面４０８２、第３隆起面４０８３、及び、第４隆起面４０８４を含む）は、全て略平坦に形成され、略水平に配置されている。
【０７７５】
＜リールアダプタ６０００のミドルボード４０００への載置＞
図１７４は、リールアダプタがミドルボードに載置されている状態を示す斜視図である。図１７５は、図１７４に示す状態から、リールアダプタをミドルボードに対して僅かにずらした様子を示す斜視図である。図１７６は、図１７４に示すリールアダプタ及びミドルボードを前後方向の鉛直面で切断した状態における段差凹部周辺の部分拡大斜視図である。図１７７は、図１７４に示すリールアダプタ及びミドルボードを側方から見た斜視図である。図１７８は、図１７７に示すリールアダプタ及びミドルボードを前後方向の鉛直面で切断した状態の部分拡大斜視図である。
【０７７６】
リールアダプタ６０００がミドルボード４０００に載置された状態（図１７４参照、遊技機１の組み立てが完了した状態）においては、リールアダプタ６０００における上面６００１、前面６００２、後面６００３、及び、側面６００５の下端縁、並びに、リブ６０３２（図１６３参照）のうち底面６０３１ａから下方に突出している部分の下端縁が、ミドルボード４０００の第１上面４０１０（図１７３参照）と当接する。
【０７７７】
この状態においては、リールアダプタ６０００の左側ネジ孔用凹部６０５０Ｌが、ミドルボード４０００の第５上面４０８０のうち第１隆起面４０８１と第２隆起面４０８２との間に位置する部分の上側に配置され、リールアダプタ６０００の右側ネジ孔用凹部６０５０Ｒが、ミドルボード４０００の第５上面４０８０のうち第３隆起面４０８３と第４隆起面４０８４との間に位置する部分の上側に配置される（図１７５参照）。
【０７７８】
このとき、ネジ孔用凹部６０５０（左側ネジ孔用凹部６０５０Ｌ及び右側ネジ孔用凹部６０５０Ｒ）のネジ孔６０５０ｃとミドルボード４０００のネジ孔４０８５及びネジ孔４０８７とが重畳し、これらのネジ孔を挿通させたネジを用いて、リールアダプタ６０００がミドルボード４０００に締結される。なお、図示しないが、ネジ孔用凹部６０５０の下面６０５０ａ（図１６５参照）の裏側には、下方に突出した部分が形成されており、当該部分が第５上面４０８０と当接することにより、安定的にネジ締結を行うことができる。
【０７７９】
図１７６では、リールアダプタ６０００がミドルボード４０００に載置された状態において、左側段差凹部６０４０Ｌを通る鉛直面（前後方向の面）でリールアダプタ６０００及びミドルボード４０００を切断した様子を示している。図１７６に示すように、この状態では、リールアダプタ６０００の左側段差凹部６０４０Ｌの下部に形成されている下側突起６０４１（図１６６参照）がミドルボード４０００の前側孔４０８２ａに挿入される。同様に、図示しないが、リールアダプタ６０００の右側段差凹部６０４０Ｒの下部に形成されている下側突起６０４１がミドルボード４０００の前側孔４０８３ａに挿入される。
【０７８０】
下側突起６０４１の大きさ及び形状は、前側孔４０８２ａ及び前側孔４０８３ａの大きさ及び形状に対応しており、下側突起６０４１が前側孔４０８２ａ及び前側孔４０８３ａに挿入された状態において、下側突起６０４１は、前側孔４０８２ａ及び前側孔４０８３ａの周縁を構成する壁部（前後方向及び左右方向にそれぞれ形成された壁部）と略当接乃至近接し、下側突起６０４１と当該周縁壁部との間隔が所定距離（例えば、０．５ｍｍ、０．３ｍｍ、０．１ｍｍ等）以下となっている。これにより、下側突起６０４１の前後方向及び左右方向への移動が規制され、リールアダプタ６０００をミドルボード４０００に載置する際に、前後方向及び左右方向の位置ずれを抑制しつつ、位置合わせを行うことができる。
【０７８１】
なお、本実施形態では、下側突起６０４１が前側孔４０８２ａ及び前側孔４０８３ａに挿入されるが、他の実施形態では、下側突起６０４１が後側孔４０８２ｂ及び後側孔４０８３ｂに挿入されることもある。具体的に、本実施形態では、前面ドアに液晶表示装置が搭載されていないが、本発明は、液晶表示装置を搭載した遊技機に対しても適用することが可能である。前面ドアに液晶表示装置を搭載した場合、前面ドアの厚みが増すこととなり、前面ドアの厚みが増した分だけ、リールユニットＲＵを後方に配置する必要がある。
【０７８２】
この点、下側突起６０４１が後側孔４０８２ｂ及び後側孔４０８３ｂに挿入されるようにリールアダプタ６０００をミドルボード４０００に載置すれば、本実施形態よりも、リールユニットＲＵを後方に位置付けることが可能であり、このような設計変更に簡便に対応することができる。なお、リールアダプタ６０００のネジ孔６０５０ｃは、前後方向に長い楕円形状を有している。これにより、下側突起６０４１を前側孔４０８２ａ及び前側孔４０８３ａに挿入させた場合、及び、下側突起６０４１を後側孔４０８２ｂ及び後側孔４０８３ｂに挿入させた場合の何れの場合においても、リールアダプタ６０００のネジ孔６０５０ｃがミドルボード４０００のネジ孔４０８５及びネジ孔４０８７と重畳するようになっている。
【０７８３】
また、図１７７に示すように、リールアダプタ６０００がミドルボード４０００に載置された状態においては、リールアダプタ６０００の下側突出部６０１２（図１５８参照）がミドルボード４０００の右側開口付立設部４０３２に形成された開口４０３３（図１７３参照）に挿入され、下側突出部６０１２の一部が開口４０３３の後方へと突出している。同様に、リールアダプタ６０００の下側突出部６０２２（図１５８参照）がミドルボード４０００の左側開口付立設部４０５２に形成された開口４０５３（図１７３参照）に挿入され、下側突出部６０２２の一部が開口４０５３の後方へと突出している。
【０７８４】
図１７８では、下側突出部６０１２の上側隆起部６０１２ｂ（図１６１参照）における最も高い部分を通る面（前後方向の鉛直面）でリールアダプタ６０００及びミドルボード４０００を切断した様子を示している。分かりやすくするため、ミドルボード４０００の切断面及び右側開口付立設部４０３２を黒で示し、ミドルボード４０００の右側取付用壁部４００１における背面側の面を斜線で示し、リールアダプタ６０００の切断面を網掛けで示し、リールアダプタ６０００の下側突出部６０１２のうち切断面以外の部分を斜線で示している。
【０７８５】
図１７８に示すように、下側突出部６０１２の上端は、開口４０３３の上縁と略当接乃至近接し、下側突出部６０１２の上端と開口４０３３の上縁との間隔が所定距離（例えば、０．５ｍｍ、０．３ｍｍ、０．１ｍｍ等）以下となっている。図示しないが、同様に、下側突出部６０２２の上端は、開口４０５３の上縁と略当接乃至近接し、下側突出部６０２２の上端と開口４０５３の上縁との間隔が所定距離（例えば、０．５ｍｍ、０．３ｍｍ、０．１ｍｍ等）以下となっている。これにより、下側突出部６０１２及び下側突出部６０２２の上方への移動が規制され、リールアダプタ６０００をミドルボード４０００に載置する際に、上下方向の位置ずれを抑制しつつ、位置合わせを行うことができる。
【０７８６】
＜リールユニットＲＵのリールアダプタ６０００への載置＞
図１７９は、リールユニットがリールアダプタに載置されている状態を示す斜視図である。図１８０は、図１７９に示す状態から、リールアダプタをリールユニットに対して下方にずらした様子を示す斜視図である。図１８１は、図１７９に示す状態におけるリールアダプタ及びリールフレームを左右方向の鉛直面で切断した状態の部分拡大斜視図である。図１８２は、リールユニットがリールアダプタに締結されている状態における断面図である。図１８３は、図１７９に示す状態におけるリールアダプタ及びリールフレームを後方から見た斜視図である。図１８４は、図１８３に示すリールアダプタ及びリールフレームを前後方向の鉛直面で切断した状態の部分拡大斜視図である。
【０７８７】
リールユニットＲＵがリールアダプタ６０００に載置された状態（図１７９参照、遊技機１の組み立てが完了した状態）においては、左リールＲＬ、中リールＲＣ、及び、右リールＲＲが、それぞれ、リールアダプタ６０００の左上面凹部６０３０Ｌ、中上面凹部６０３０Ｃ、及び、右上面凹部６０３０Ｒ（図１５７参照）の上側に配置される。また、左モータフレームＲ５０Ｌ、中モータフレームＲ５０Ｃ、及び、右モータフレームＲ５０Ｒ（図１６８参照）が、それぞれ、リールアダプタ６０００の凹部非形成領域６００１ｂ、凹部非形成領域６００１ｃ、及び、凹部非形成領域６００１ｄ（図１５７参照）の上側に配置される（図１８０参照）。なお、図１８０では、リールユニットＲＵから、左フロントガードＲ７０Ｌ、中フロントガードＲ７０Ｃ、及び、右フロントガードＲ７０Ｒを取り外した状態を示している。
【０７８８】
図１８１では、左上面凹部６０３０Ｌ、中上面凹部６０３０Ｃ、及び、右上面凹部６０３０Ｒを通る面（左右方向の鉛直面）でリールアダプタ６０００及びリールフレームＲ１０を切断した様子を示している。図１８１に示すように、この状態においては、リールフレームＲ１０の左第２裏側面Ｒ１９Ｌ、中第２裏側面Ｒ１９Ｃ、及び、右第２裏側面Ｒ１９Ｒ（図１７０参照）が、それぞれ、リールアダプタ６０００の凹部非形成領域６００１ｂ、凹部非形成領域６００１ｃ、及び、凹部非形成領域６００１ｄと当接する。分かりやすくするため、図１８１では、リールフレームＲ１０の切断面を斜線で示し、リールアダプタ６０００の切断面を黒で示すとともに、左第２下側面Ｒ１２Ｌ、中第２下側面Ｒ１２Ｃ、及び、右第２下側面Ｒ１２Ｒ（左第２裏側面Ｒ１９Ｌ、中第２裏側面Ｒ１９Ｃ、及び、右第２裏側面Ｒ１９Ｒに対応する表側の面、図１６９参照）を網掛けで示している。
【０７８９】
図１８２では、リールユニットＲＵがリールアダプタ６０００に締結された状態（遊技機１の組み立てが完了した状態）において、リールアダプタ６０００の右前面上側凹部６０６０Ｒ（図１５７参照）を通る鉛直面（前後方向の面）で切断した様子を示している。分かりやすくするため、図１８２では、リールアダプタ６０００の切断面を斜線で示し、リールフレームＲ１０の切断面を黒で示し、右モータフレームＲ５０Ｒの切断面を網掛けで示し、締結用部材Ｒ１００Ｒ（図１８０参照）の一部を斜線で示している。
【０７９０】
上述したように、モータフレームＲ５０がリールフレームＲ１０に収容された状態（遊技機１の組み立てが完了した状態）においては、モータフレームＲ５０の下方突出部Ｒ５３（図１７２参照）がリールフレームＲ１０の下方突出部Ｒ１３（図１６９参照）の前面側に配置され、下方突出部Ｒ５３に形成された取付用孔Ｒ５４と下方突出部Ｒ１３に形成された取付用孔Ｒ１４とが重畳する。この状態で、取付用孔Ｒ５４及び取付用孔Ｒ１４に挿通させた締結用部材（本実施形態では、ニフラッチ（登録商標）、図１８０に示す締結用部材Ｒ１００Ｌ，１００Ｃ，１００Ｒ）を用いて、モータフレームＲ５０がリールフレームＲ１０に締結される。
【０７９１】
図１８２に示すように、右モータフレームＲ５０Ｒの下方突出部Ｒ５３に形成された取付用孔Ｒ５４及びリールフレームＲ１０の下方突出部Ｒ１３に形成された右取付用孔Ｒ１４Ｒは、リールアダプタ６０００の右前面上側凹部６０６０Ｒの前面側に配置されており、締結用部材Ｒ１００Ｒの一部が右前面上側凹部６０６０Ｒに収納されている。また、右モータフレームＲ５０Ｒの下方突出部Ｒ５３における背面側の面とリールフレームＲ１０の下方突出部Ｒ１３における前面側の面とが当接しており、リールフレームＲ１０の下方突出部Ｒ１３における背面側の面とリールアダプタ６０００の前面６００２（図１５７参照）とが当接している。
【０７９２】
なお、図１８２では、右モータフレームＲ５０ＲをリールフレームＲ１０に締結するための締結用部材Ｒ１００Ｒの一部がリールアダプタ６０００の右前面上側凹部６０６０Ｒに収納されている様子を示したが、同様に、左モータフレームＲ５０ＬをリールフレームＲ１０に締結するための締結用部材Ｒ１００Ｌの一部は、リールアダプタ６０００の左前面上側凹部６０６０Ｌに収納されており、中モータフレームＲ５０ＣをリールフレームＲ１０に締結するための締結用部材Ｒ１００Ｃの一部は、リールアダプタ６０００の中前面上側凹部６０６０Ｃに収納されている。
【０７９３】
また、上述したように、リールフレームＲ１０の下方突出部Ｒ１３には、ネジ孔Ｒ１５が形成されている一方、リールアダプタ６０００の上部には、ボス部６０７０が形成されている（図１８０参照）。リールユニットＲＵがリールアダプタ６０００に載置された状態において、ネジ孔Ｒ１５とボス部６０７０とは重畳し、ネジ孔Ｒ１５を挿通させたネジを、ボス部６０７０に形成された穴にねじ込むことによって、リールユニットＲＵがリールアダプタ６０００に締結される。
【０７９４】
また、図１８３に示すように、リールユニットＲＵ（リールフレームＲ１０）がリールアダプタ６０００に載置された状態においては、リールフレームＲ１０の右側後方突出部Ｒ２１Ｒ（図１７１参照）がリールアダプタ６０００の上側突出部６０１１によって形成される開口６０１３（図１６０参照）に挿入され、右側後方突出部Ｒ２１Ｒの一部が開口６０１３の後方へと突出している。同様に、リールフレームＲ１０の左側後方突出部Ｒ２１Ｌ（図１７１参照）がリールアダプタ６０００の上側突出部６０２１によって形成される開口６０２３に挿入され、左側後方突出部Ｒ２１Ｌの一部が開口６０２３の後方へと突出している。
【０７９５】
図１８４では、右側後方突出部Ｒ２１Ｒの上側隆起部Ｒ２１ｂ（図１７１参照）における最も高い部分を通る面（前後方向の鉛直面）でリールアダプタ６０００及びリールフレームＲ１０を切断した様子を示している。分かりやすくするため、リールアダプタ６０００の切断面及び上側突出部６０１１の後端面（図１５９参照）を黒で示し、リールフレームＲ１０の切断面を網掛けで示し、リールフレームＲ１０の右側後方突出部Ｒ２１Ｒのうち切断面以外の部分を斜線で示している。
【０７９６】
図１８４に示すように、右側後方突出部Ｒ２１Ｒの上端は、上側突出部６０１１における接続部６０１１ｃの下端と略当接乃至近接し、右側後方突出部Ｒ２１Ｒの上端と接続部６０１１ｃの下端との間隔が所定距離（例えば、０．５ｍｍ、０．３ｍｍ、０．１ｍｍ等）以下となっている。図示しないが、同様に、左側後方突出部Ｒ２１Ｌの上端は、上側突出部６０２１における接続部６０２１ｃの下端と略当接乃至近接し、左側後方突出部Ｒ２１Ｌの上端と接続部６０２１ｃの下端との間隔が所定距離（例えば、０．５ｍｍ、０．３ｍｍ、０．１ｍｍ等）以下となっている。これにより、右側後方突出部Ｒ２１Ｒ及び左側後方突出部Ｒ２１Ｌの上方への移動が規制され、リールユニットＲＵ（リールフレームＲ１０）をリールアダプタ６０００に載置する際に、上下方向の位置ずれを抑制しつつ、位置合わせを行うことができる。
【０７９７】
＜リールユニットＲＵのミドルボード４０００への載置＞
図１８５は、リールユニットがミドルボードに載置されている状態を示す斜視図である。図１８６は、図１８５に示すリールユニット及びミドルボードを前後方向の鉛直面で切断した状態の部分拡大斜視図である。
【０７９８】
上述したように、本実施形態では、ミドルボード４０００とリールユニットＲＵとの間に、リールアダプタ６０００を介在させているのに対し、第６実施形態では、ミドルボード４０００にリールユニットＲＵが直接載置されている（図９５及び図９６参照）。図１８５では、第６実施形態において、ミドルボード４０００にリールユニットＲＵが載置されている状態を示している。
【０７９９】
図１８５に示すように、リールユニットＲＵがミドルボード４０００に載置された状態においては、リールフレームＲ１０の右側後方突出部Ｒ２１Ｒ（図１７１参照）がミドルボード４０００の右側開口付立設部４０３２に形成された開口４０３３（図１７３参照）に挿入され、右側後方突出部Ｒ２１Ｒの一部が開口４０３３の後方へと突出している。同様に、リールフレームＲ１０の左側後方突出部Ｒ２１Ｌ（図１７１参照）がミドルボード４０００の左側開口付立設部４０５２に形成された開口４０５３（図１７３参照）に挿入され、左側後方突出部Ｒ２１Ｌの一部が開口４０５３の後方へと突出している。
【０８００】
図１８６では、右側後方突出部Ｒ２１Ｒの上側隆起部Ｒ２１ｂ（図１７１参照）における最も高い部分を通る面（前後方向の鉛直面）でリールユニットＲＵ及びミドルボード４０００を切断した様子を示している。分かりやすくするため、ミドルボード４０００の切断面及び右側開口付立設部４０３２を黒で示し、ミドルボード４０００の右側取付用壁部４００１における背面側の面を斜線で示し、リールフレームＲ１０の切断面を網掛けで示し、リールフレームＲ１０の右側後方突出部Ｒ２１Ｒのうち切断面以外の部分を斜線で示している。
【０８０１】
図１８６に示すように、右側後方突出部Ｒ２１Ｒの上端は、開口４０３３の上縁と略当接乃至近接し、右側後方突出部Ｒ２１Ｒの上端と開口４０３３の上縁との間隔が所定距離（例えば、０．５ｍｍ、０．３ｍｍ、０．１ｍｍ等）以下となっている。図示しないが、同様に、左側後方突出部Ｒ２１Ｌの上端は、開口４０５３の上縁と略当接乃至近接し、左側後方突出部Ｒ２１Ｌの上端と開口４０５３の上縁との間隔が所定距離（例えば、０．５ｍｍ、０．３ｍｍ、０．１ｍｍ等）以下となっている。これにより、右側後方突出部Ｒ２１Ｒ及び左側後方突出部Ｒ２１Ｌの上方への移動が規制され、リールユニットＲＵをミドルボード４０００に載置する際に、上下方向の位置ずれを抑制しつつ、位置合わせを行うことができる。
【０８０２】
以上、本発明の一実施形態として、第７実施形態に係る遊技機１について説明した。
【０８０３】
＜付記Ｄ＞
従来、複数の図柄がそれぞれの表面に配された複数のリールと、遊技メダルやコイン等（「メダル等」）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチおよびストップスイッチにより出力された信号に基づいて、ステッピングモータの動作を制御し、各リールの回転およびその停止を行うリール制御部とを備え、スタートレバーが操作されたことを検出すると、乱数値に基づいて抽籤を行い、この抽籤の結果（「内部当籤役」）とストップボタンが操作されたことを検出したタイミングとに基づいてリールの回転の停止を行う、いわゆるパチスロと称される遊技機が知られている。
【０８０４】
このような従来の遊技機として、前扉のレイアウトを容易に変更することが可能な遊技機が知られている（特開２０１３−１２８８３９号公報参照）。
【０８０５】
しかしながら、前扉のレイアウトを容易に変更することができたとしても、リール（可変表示部）の位置を変更する場合には、筐体内部の設計を大幅に変更することが必要であり、開発コストが嵩んでしまうという問題があった。
【０８０６】
本発明は、上記のような問題点に鑑みてなされたものであり、可変表示部の位置変更を容易に且つ低コストで実現することが可能な遊技機を提供することを目的とする。
【０８０７】
この点、第７実施形態に係る遊技機１は、以下の特徴を備えている。
【０８０８】
（Ｄ−１）  複数の識別情報を変動表示可能な可変表示部（左リールＲＬ、中リールＲＣ、及び、右リールＲＲ）を備える可変表示ユニット（リールユニットＲＵ）と、
前記可変表示部の変動表示を遊技者から視認可能とする視認可能領域（メイン表示窓ＤＤ４）と、
前記可変表示ユニットが載置され、かつ所定の高さのある載置部材（リールアダプタ６０００）と、
前記載置部材が設置される設置部（ミドルボード４０００）と、を備え、
前記設置部と前記視認可能領域とは、所定距離分上下方向に位置が離れており、
前記設置部に前記載置部材が設置され、当該載置部材の上に前記可変表示ユニットが配置されており、
前記可変表示部が前記視認可能領域を介して視認容易となるように、前記可変表示ユニットの上下方向の位置が固定される、
ことを特徴とする遊技機。
【０８０９】
第７実施形態に係る遊技機１によれば、視認可能領域（メイン表示窓ＤＤ４）を介して、可変表示部（左リールＲＬ、中リールＲＣ、及び、右リールＲＲ）の変動表示を遊技者から視認可能であるところ、視認可能領域（メイン表示窓ＤＤ４）と設置部（ミドルボード４０００）とは、上下方向に所定距離だけ離間している。設置部（ミドルボード４０００）には、載置部材（リールアダプタ６０００）が設置されており、可変表示ユニット（リールユニットＲＵ）は、載置部材（リールアダプタ６０００）の上に配置されている。載置部材（リールアダプタ６０００）は、所定の高さを有しており、可変表示部（左リールＲＬ、中リールＲＣ、及び、右リールＲＲ）が視認可能領域（メイン表示窓ＤＤ４）を介して視認容易となるように、可変表示ユニット（リールユニットＲＵ）の上下方向の位置が固定される。すなわち、設置部（ミドルボード４０００）と可変表示ユニット（リールユニットＲＵ）との間に載置部材（リールアダプタ６０００）を介在させることにより、可変表示ユニット（リールユニットＲＵ）をより上方に位置付けることが可能であり、これにより、可変表示部（左リールＲＬ、中リールＲＣ、及び、右リールＲＲ）の配置位置を視認可能領域（メイン表示窓ＤＤ４）の高さに対応させることができる。従って、載置部材（リールアダプタ６０００）を用いる結果として、可変表示部（左リールＲＬ、中リールＲＣ、及び、右リールＲＲ）の変動表示を遊技者が視認しやすい状況を創出することが可能であり、可変表示部（左リールＲＬ、中リールＲＣ、及び、右リールＲＲ）の位置変更を容易に且つ低コストで実現することができる。
【０８１０】
第７実施形態では、視認可能領域（メイン表示窓ＤＤ４）と可変表示部（左リールＲＬ、中リールＲＣ、及び、右リールＲＲ）とが、正面視において重畳することとして説明した。「重畳」とは、所定方向から見たとき、可変表示部（左リールＲＬ、中リールＲＣ、及び、右リールＲＲ）の少なくとも一部における位置が視認可能領域（メイン表示窓ＤＤ４）と一致していることにより、可変表示部（左リールＲＬ、中リールＲＣ、及び、右リールＲＲ）の少なくとも一部が視認可能領域（メイン表示窓ＤＤ４）を介して視認可能となっている状態を指す。本発明においては、視認可能領域（メイン表示窓ＤＤ４）と可変表示部（左リールＲＬ、中リールＲＣ、及び、右リールＲＲ）とが、正面視において全体が完全に一致している必要はない。例えば、斜め上方から視認可能領域（メイン表示窓ＤＤ４）を介して、遊技者が可変表示部（左リールＲＬ、中リールＲＣ、及び、右リールＲＲ）を見下ろすような配置となっている場合（例えば、大きな液晶が設けられる一方で、リールが小さく低めに（液晶の下方に）配置されているような遊技機に本発明を適用する場合）には、斜め上方から見たときに、可変表示部（左リールＲＬ、中リールＲＣ、及び、右リールＲＲ）の少なくとも一部における位置が視認可能領域（メイン表示窓ＤＤ４）と一致していることにより、可変表示部（左リールＲＬ、中リールＲＣ、及び、右リールＲＲ）の少なくとも一部が視認可能領域（メイン表示窓ＤＤ４）を介して視認可能となっていてもよい。また、斜め下方から視認可能領域（メイン表示窓ＤＤ４）を介して、遊技者が可変表示部（左リールＲＬ、中リールＲＣ、及び、右リールＲＲ）を見上げるような配置となっている場合（例えば、筐体のやや上部寄りに（液晶の上方に）リールが配置されているような遊技機に本発明を適用する場合）には、斜め下方から見たときに、可変表示部（左リールＲＬ、中リールＲＣ、及び、右リールＲＲ）の少なくとも一部における位置が視認可能領域（メイン表示窓ＤＤ４）と一致していることにより、可変表示部（左リールＲＬ、中リールＲＣ、及び、右リールＲＲ）の少なくとも一部が視認可能領域（メイン表示窓ＤＤ４）を介して視認可能となっていてもよい。
【０８１１】
本発明においては、遊技者の目線の高さとして想定される高さ（視点想定位置）から可変表示部（左リールＲＬ、中リールＲＣ、及び、右リールＲＲ）を見たときに、可変表示部（左リールＲＬ、中リールＲＣ、及び、右リールＲＲ）が見やすくなる高さとなるように（例えば、遊技者がリールを見下ろす場合にはリールがメイン表示窓よりも少し低く配置されるように、遊技者がリールを見上げる場合にはリールがメイン表示窓よりも少し高く配置されるように）、載置部材（リールアダプタ６０００）の高さを設計することが可能である。また、本発明においては、載置部材（リールアダプタ６０００）を介在させることにより、可変表示ユニット（リールユニットＲＵ）を単に上方に位置付ける（上方に嵩上げする）だけでなく、嵩上げの結果として（嵩上げ前と比較して）、可変表示ユニット（リールユニットＲＵ）を斜め上方に位置付けることとしてもよい。すなわち、載置部材（リールアダプタ６０００）における載置面が、可変表示ユニット（リールユニットＲＵ）を傾けるための構造を有しており、当該載置面に可変表示ユニット（リールユニットＲＵ）が載置された際に、遊技者から可変表示部（左リールＲＬ、中リールＲＣ、及び、右リールＲＲ）が見やすくなる角度となるように（例えば、遊技者の視点想定位置に向けてリールが少し傾くような配置となるように）、構成することとしてもよい。例えば、載置部材（リールアダプタ６０００）の天面に傾斜部を設ける（載置部材の上面が傾斜を有するように構成する）こととしてもよい。なお、この場合には、視認可能領域（メイン表示窓ＤＤ４）も傾けた状態で配置することとしてもよい。例えば、載置部材（リールアダプタ６０００）の上面が視認可能領域（メイン表示窓ＤＤ４）の傾斜に対して略垂直な傾斜を有するように構成してもよい。
【０８１２】
（Ｄ−１′）  前記（Ｄ−１）の遊技機であって、
前記載置部材は、第１位置規定部（上側突出部６０１１及び上側突出部６０２１）及び第２位置規定部（下側突出部６０１２及び下側突出部６０２２）を備え、
前記可変表示ユニットは、第３位置規定部（右側後方突出部Ｒ２１Ｒ及び左側後方突出部Ｒ２１Ｌ）を備え、
前記設置部は、第４位置規定部（右側開口付立設部４０３２及び左側開口付立設部４０５２）を備え、
前記第１位置規定部及び前記第３位置規定部は、前記載置部材と前記可変表示ユニットとの相対的な位置を所定範囲内に規定しており、
前記第２位置規定部及び前記第４位置規定部は、前記載置部材と前記設置部との相対的な位置を所定範囲内に規定しており、
前記載置部材を介さずに、前記可変表示ユニットを前記設置部の上に設置した場合、前記第３位置規定部及び前記第４位置規定部は、前記可変表示ユニットと前記設置部との相対的な位置を所定範囲内に規定することが可能である、
ことを特徴とする。
【０８１３】
第７実施形態に係る遊技機１によれば、載置部材（リールアダプタ６０００）は、第１位置規定部（上側突出部６０１１及び上側突出部６０２１）及び第２位置規定部（下側突出部６０１２及び下側突出部６０２２）を備え、可変表示ユニット（リールユニットＲＵ）は、第３位置規定部（右側後方突出部Ｒ２１Ｒ及び左側後方突出部Ｒ２１Ｌ）を備え、設置部（ミドルボード４０００）は、第４位置規定部（右側開口付立設部４０３２及び左側開口付立設部４０５２）を備えている。第１位置規定部（上側突出部６０１１及び上側突出部６０２１）及び第３位置規定部（右側後方突出部Ｒ２１Ｒ及び左側後方突出部Ｒ２１Ｌ）は、載置部材（リールアダプタ６０００）と可変表示ユニット（リールユニットＲＵ）との相対的な位置を所定範囲内に規定しており、第２位置規定部（下側突出部６０１２及び下側突出部６０２２）及び第４位置規定部（右側開口付立設部４０３２及び左側開口付立設部４０５２）は、載置部材（リールアダプタ６０００）と設置部（ミドルボード４０００）との相対的な位置を所定範囲内に規定している。これにより、第１位置規定部（上側突出部６０１１及び上側突出部６０２１）及び第３位置規定部（右側後方突出部Ｒ２１Ｒ及び左側後方突出部Ｒ２１Ｌ）を用いて、載置部材（リールアダプタ６０００）と可変表示ユニット（リールユニットＲＵ）との位置合わせを行うことができ、また、第２位置規定部（下側突出部６０１２及び下側突出部６０２２）及び第４位置規定部（右側開口付立設部４０３２及び左側開口付立設部４０５２）を用いて、載置部材（リールアダプタ６０００）と設置部（ミドルボード４０００）との位置合わせを行うことができる。ここで、仮に、載置部材（リールアダプタ６０００）を介さずに、可変表示ユニット（リールユニットＲＵ）を設置部（ミドルボード４０００）の上に設置した場合、第３位置規定部（右側後方突出部Ｒ２１Ｒ及び左側後方突出部Ｒ２１Ｌ）及び第４位置規定部（右側開口付立設部４０３２及び左側開口付立設部４０５２）は、可変表示ユニット（リールユニットＲＵ）と設置部（ミドルボード４０００）との相対的な位置を所定範囲内に規定することが可能となっている。これにより、この場合には、第３位置規定部（右側後方突出部Ｒ２１Ｒ及び左側後方突出部Ｒ２１Ｌ）及び第４位置規定部（右側開口付立設部４０３２及び左側開口付立設部４０５２）を用いて、可変表示ユニット（リールユニットＲＵ）と設置部（ミドルボード４０００）との位置合わせを行うことができる。従って、可変表示ユニット（リールユニットＲＵ）は、載置部材（リールアダプタ６０００）を介して設置部（ミドルボード４０００）の上に配置することができる一方、載置部材（リールアダプタ６０００）を介することなく設置部（ミドルボード４０００）の上に直接配置することも可能である。そのため、可変表示部（左リールＲＬ、中リールＲＣ、及び、右リールＲＲ）の位置変更（載置部材（リールアダプタ６０００）の有無）にかかわらず、共通の可変表示ユニット（リールユニットＲＵ）及び設置部（ミドルボード４０００）を使用することが可能であり、可変表示部（左リールＲＬ、中リールＲＣ、及び、右リールＲＲ）の位置変更を一層簡便に行うことができるとともに、更なるコストダウンを図ることができる。
【０８１４】
（Ｄ−２）  複数の識別情報を変動表示可能な可変表示部（左リールＲＬ、中リールＲＣ、及び、右リールＲＲ）を備える可変表示ユニット（リールユニットＲＵ）と、
前記可変表示部の変動表示を遊技者から視認可能とする視認可能領域（メイン表示窓ＤＤ４）と、
前記視認可能領域よりも所定距離だけ下方に配置される設置部（ミドルボード４０００）と、
前記可変表示ユニットと前記設置部との間に配置される介在部材（リールアダプタ６０００）と、を備え、
前記介在部材は、前記所定距離に応じた高さを有しており、
前記設置部に前記介在部材が設置され、前記介在部材の上に前記可変表示ユニットが配置されており、
前記介在部材は、上面に凹部（左上面凹部６０３０Ｌ、中上面凹部６０３０Ｃ、及び、右上面凹部６０３０Ｒ）を備えるとともに、底面にリブ（左右リブ６０３２ａ及び前後リブ６０３２ｂ）を備え、該凹部の裏側に設けられた該リブの長さは、該凹部の形成されていない領域の裏側に設けられた該リブの長さよりも短くなっている、
ことを特徴とする遊技機。
【０８１５】
第７実施形態に係る遊技機１によれば、視認可能領域（メイン表示窓ＤＤ４）を介して、可変表示部（左リールＲＬ、中リールＲＣ、及び、右リールＲＲ）の変動表示を遊技者から視認可能であるところ、設置部（ミドルボード４０００）は、視認可能領域（メイン表示窓ＤＤ４）よりも所定距離だけ下方に配置されている。設置部（ミドルボード４０００）には、介在部材（リールアダプタ６０００）が設置されており、可変表示ユニット（リールユニットＲＵ）は、介在部材（リールアダプタ６０００）の上に配置されている。ここで、介在部材（リールアダプタ６０００）は、上記所定距離に応じた高さを有しているため、可変表示ユニット（リールユニットＲＵ）（可変表示部（左リールＲＬ、中リールＲＣ、及び、右リールＲＲ））の配置位置を視認可能領域（メイン表示窓ＤＤ４）の高さに対応させることができる。従って、介在部材（リールアダプタ６０００）を用いる結果として、可変表示部（左リールＲＬ、中リールＲＣ、及び、右リールＲＲ）の変動表示を遊技者が視認しやすい状況を創出することが可能であり、可変表示部（左リールＲＬ、中リールＲＣ、及び、右リールＲＲ）の位置変更を容易に且つ低コストで実現することができる。また、第７実施形態に係る遊技機１によれば、介在部材（リールアダプタ６０００）は、上面に凹部（左上面凹部６０３０Ｌ、中上面凹部６０３０Ｃ、及び、右上面凹部６０３０Ｒ）を備えるとともに、底面にリブ（左右リブ６０３２ａ及び前後リブ６０３２ｂ）を備え、該凹部（左上面凹部６０３０Ｌ、中上面凹部６０３０Ｃ、及び、右上面凹部６０３０Ｒ）の裏側に設けられた該リブ（左右リブ６０３２ａ及び前後リブ６０３２ｂ）の長さは、該凹部（左上面凹部６０３０Ｌ、中上面凹部６０３０Ｃ、及び、右上面凹部６０３０Ｒ）の形成されていない領域の裏側に設けられた該リブ（左右リブ６０３２ａ及び前後リブ６０３２ｂ）の長さよりも短くなっている。この点、介在部材（リールアダプタ６０００）の上には可変表示ユニット（リールユニットＲＵ）が配置され、介在部材（リールアダプタ６０００）には、可変表示ユニット（リールユニットＲＵ）に伴う相応の荷重が発生するが、本発明者は、このような態様で凹部（左上面凹部６０３０Ｌ、中上面凹部６０３０Ｃ、及び、右上面凹部６０３０Ｒ）及びリブ（左右リブ６０３２ａ及び前後リブ６０３２ｂ）を形成することにより、当該荷重に耐えるだけの充分な強度を獲得することができることを見出した。また、本発明者は、このような態様でリブ（左右リブ６０３２ａ及び前後リブ６０３２ｂ）の長さを異ならせることにより、介在部材（リールアダプタ６０００）の成型段階において、介在部材（リールアダプタ６０００）を金型から抜きやすくなることを見出した。これにより、介在部材（リールアダプタ６０００）の成型を効率的に行いつつ、介在部材（リールアダプタ６０００）の強度を向上させることができる。
【０８１６】
（Ｄ−２′）  前記（Ｄ−２）の遊技機であって、
前記介在部材は、第１位置規定部（上側突出部６０１１及び上側突出部６０２１）及び第２位置規定部（下側突出部６０１２及び下側突出部６０２２）を備え、
前記可変表示ユニットは、第３位置規定部（右側後方突出部Ｒ２１Ｒ及び左側後方突出部Ｒ２１Ｌ）を備え、
前記設置部は、第４位置規定部（右側開口付立設部４０３２及び左側開口付立設部４０５２）を備え、
前記第１位置規定部及び前記第３位置規定部のうちの何れか一方は、他方に挿入可能であり、
前記第２位置規定部及び前記第４位置規定部のうちの何れか一方は、他方に挿入可能であり、
前記介在部材を介さずに、前記可変表示ユニットを前記設置部の上に設置した場合、前記第３位置規定部及び前記第４位置規定部のうちの何れか一方は、他方に挿入可能である、
ことを特徴とする。
【０８１７】
第７実施形態に係る遊技機１によれば、介在部材（リールアダプタ６０００）は、第１位置規定部（上側突出部６０１１及び上側突出部６０２１）及び第２位置規定部（下側突出部６０１２及び下側突出部６０２２）を備え、可変表示ユニット（リールユニットＲＵ）は、第３位置規定部（右側後方突出部Ｒ２１Ｒ及び左側後方突出部Ｒ２１Ｌ）を備え、設置部（ミドルボード４０００）は、第４位置規定部（右側開口付立設部４０３２及び左側開口付立設部４０５２）を備えている。第１位置規定部（上側突出部６０１１及び上側突出部６０２１）及び第３位置規定部（右側後方突出部Ｒ２１Ｒ及び左側後方突出部Ｒ２１Ｌ）のうちの何れか一方は、他方に挿入可能であり、第２位置規定部（下側突出部６０１２及び下側突出部６０２２）及び第４位置規定部（右側開口付立設部４０３２及び左側開口付立設部４０５２）のうちの何れか一方は、他方に挿入可能である。これにより、第１位置規定部（上側突出部６０１１及び上側突出部６０２１）及び第３位置規定部（右側後方突出部Ｒ２１Ｒ及び左側後方突出部Ｒ２１Ｌ）を用いて（一方を他方に挿入することで）、介在部材（リールアダプタ６０００）と可変表示ユニット（リールユニットＲＵ）との位置合わせを行うことができ、また、第２位置規定部（下側突出部６０１２及び下側突出部６０２２）及び第４位置規定部（右側開口付立設部４０３２及び左側開口付立設部４０５２）を用いて（一方を他方に挿入することで）、介在部材（リールアダプタ６０００）と設置部（ミドルボード４０００）との位置合わせを行うことができる。ここで、仮に、介在部材（リールアダプタ６０００）を介さずに、可変表示ユニット（リールユニットＲＵ）を設置部（ミドルボード４０００）の上に設置した場合、第３位置規定部（右側後方突出部Ｒ２１Ｒ及び左側後方突出部Ｒ２１Ｌ）及び第４位置規定部（右側開口付立設部４０３２及び左側開口付立設部４０５２）のうちの何れか一方は、他方に挿入可能となっている。これにより、この場合には、第３位置規定部（右側後方突出部Ｒ２１Ｒ及び左側後方突出部Ｒ２１Ｌ）及び第４位置規定部（右側開口付立設部４０３２及び左側開口付立設部４０５２）を用いて（一方を他方に挿入することで）、可変表示ユニット（リールユニットＲＵ）と設置部（ミドルボード４０００）との位置合わせを行うことができる。従って、可変表示ユニット（リールユニットＲＵ）は、介在部材（リールアダプタ６０００）を介して設置部（ミドルボード４０００）の上に配置することができる一方、介在部材（リールアダプタ６０００）を介することなく設置部（ミドルボード４０００）の上に直接配置することも可能である。そのため、可変表示部（左リールＲＬ、中リールＲＣ、及び、右リールＲＲ）の位置変更（介在部材（リールアダプタ６０００）の有無）にかかわらず、共通の可変表示ユニット（リールユニットＲＵ）及び設置部（ミドルボード４０００）を使用することが可能であり、可変表示部（左リールＲＬ、中リールＲＣ、及び、右リールＲＲ）の位置変更を一層簡便に行うことができるとともに、更なるコストダウンを図ることができる。
【０８１８】
第７実施形態では、第３位置規定部（右側後方突出部Ｒ２１Ｒ及び左側後方突出部Ｒ２１Ｌ）を第１位置規定部（上側突出部６０１１及び上側突出部６０２１）に挿入可能であり、第２位置規定部（下側突出部６０１２及び下側突出部６０２２）を第４位置規定部（右側開口付立設部４０３２及び左側開口付立設部４０５２）に挿入可能であり、第３位置規定部（右側後方突出部Ｒ２１Ｒ及び左側後方突出部Ｒ２１Ｌ）を第４位置規定部（右側開口付立設部４０３２及び左側開口付立設部４０５２）に挿入可能であることとして説明した。本発明においては、第１位置規定部（所定方向に突出する構造）を第３位置規定部（開口や凹部）に挿入可能であることとしてもよいし、第４位置規定部（所定方向に突出する構造）を第２位置規定部（開口や凹部）に挿入可能であることとしてもよいし、第４位置規定部（所定方向に突出する構造）を第３位置規定部（開口や凹部）に挿入可能であることとしてもよい。
【０８１９】
（Ｄ−３）  複数の識別情報を変動表示可能な複数の可変表示部（左リールＲＬ、中リールＲＣ、及び、右リールＲＲ）と、各前記可変表示部を駆動するための複数の駆動部（モータ駆動部）と、各前記駆動部を支持する複数の支持部材（左モータフレームＲ５０Ｌ、中モータフレームＲ５０Ｃ、及び、右モータフレームＲ５０Ｒ）と、を有する可変表示ユニット（リールユニットＲＵ）と、
前記可変表示ユニットの下方に配置される設置部（ミドルボード４０００）と、
前記可変表示ユニットと前記設置部との間に配置される介在部材（リールアダプタ６０００）と、を備え、
前記介在部材は、前記設置部の上に設置され、前記可変表示ユニットは、前記介在部材の上に配置されており、
前記介在部材の上部には、第１の凹部（左上面凹部６０３０Ｌ）、第２の凹部（中上面凹部６０３０Ｃ）、及び、第３の凹部（右上面凹部６０３０Ｒ）という３つの凹部が左右方向に並ぶように形成されており、
前記介在部材の上部において、前記第１の凹部と前記第２の凹部との間、前記第２の凹部と前記第３の凹部との間、及び、前記第３の凹部における前記第２の凹部とは反対側には、それぞれ、前記凹部の形成されていない凹部非形成領域（凹部非形成領域６００１ｂ、凹部非形成領域６００１ｃ、及び、凹部非形成領域６００１ｄ）が形成されており、
前記複数の可変表示部は、それぞれ、前記凹部の上方に位置付けられ、前記複数の支持部材は、それぞれ、前記凹部非形成領域の上方に位置付けられる、
ことを特徴とする遊技機。
【０８２０】
第７実施形態に係る遊技機１によれば、可変表示ユニット（リールユニットＲＵ）の下方に設置部（ミドルボード４０００）が配置され、設置部（ミドルボード４０００）の上には介在部材（リールアダプタ６０００）が設置され、可変表示ユニット（リールユニットＲＵ）は、介在部材（リールアダプタ６０００）の上に配置されている。これにより、介在部材（リールアダプタ６０００）が設置されない場合と比較して、介在部材（リールアダプタ６０００）の高さ分だけ、可変表示ユニット（リールユニットＲＵ）が上方に位置付けられている。すなわち、設置部（ミドルボード４０００）と可変表示ユニット（リールユニットＲＵ）との間に介在部材（リールアダプタ６０００）を介在させることにより、可変表示部（左リールＲＬ、中リールＲＣ、及び、右リールＲＲ）の位置を上昇させる効果が得られており、これにより、可変表示部（左リールＲＬ、中リールＲＣ、及び、右リールＲＲ）の位置変更を容易に且つ低コストで実現することができる。また、第７実施形態に係る遊技機１によれば、介在部材（リールアダプタ６０００）の上部には、第１の凹部（左上面凹部６０３０Ｌ）、第２の凹部（中上面凹部６０３０Ｃ）、及び、第３の凹部（右上面凹部６０３０Ｒ）という３つの凹部が左右方向に並ぶように形成されている。これにより、介在部材（リールアダプタ６０００）の高さ方向に壁部を設けることが可能であり、介在部材（リールアダプタ６０００）の強度を向上させることができる。さらに、第７実施形態に係る遊技機１によれば、介在部材（リールアダプタ６０００）の上部において、第１の凹部（左上面凹部６０３０Ｌ）と第２の凹部（中上面凹部６０３０Ｃ）との間、第２の凹部（中上面凹部６０３０Ｃ）と第３の凹部（右上面凹部６０３０Ｒ）との間、及び、第３の凹部（右上面凹部６０３０Ｒ）における第２の凹部（中上面凹部６０３０Ｃ）とは反対側には、それぞれ、凹部の形成されていない凹部非形成領域（凹部非形成領域６００１ｂ、凹部非形成領域６００１ｃ、及び、凹部非形成領域６００１ｄ）が形成されている。ここで、可変表示ユニット（リールユニットＲＵ）は、複数の可変表示部（左リールＲＬ、中リールＲＣ、及び、右リールＲＲ）と、各可変表示部（左リールＲＬ、中リールＲＣ、及び、右リールＲＲ）を駆動するための複数の駆動部（モータ駆動部）と、各駆動部（モータ駆動部）を支持する複数の支持部材（左モータフレームＲ５０Ｌ、中モータフレームＲ５０Ｃ、及び、右モータフレームＲ５０Ｒ）と、を有しており、複数の可変表示部（左リールＲＬ、中リールＲＣ、及び、右リールＲＲ）は、それぞれ、凹部（左上面凹部６０３０Ｌ、中上面凹部６０３０Ｃ、及び、右上面凹部６０３０Ｒ）の上方に位置付けられ、複数の支持部材（左モータフレームＲ５０Ｌ、中モータフレームＲ５０Ｃ、及び、右モータフレームＲ５０Ｒ）は、それぞれ、凹部非形成領域（凹部非形成領域６００１ｂ、凹部非形成領域６００１ｃ、及び、凹部非形成領域６００１ｄ）の上方に位置付けられる。支持部材（左モータフレームＲ５０Ｌ、中モータフレームＲ５０Ｃ、及び、右モータフレームＲ５０Ｒ）は駆動部（モータ駆動部）を支持しているところ、介在部材（リールアダプタ６０００）において支持部材（左モータフレームＲ５０Ｌ、中モータフレームＲ５０Ｃ、及び、右モータフレームＲ５０Ｒ）の配置される領域には、駆動部（モータ駆動部）に伴う相応の荷重が発生するが、支持部材（左モータフレームＲ５０Ｌ、中モータフレームＲ５０Ｃ、及び、右モータフレームＲ５０Ｒ）を凹部非形成領域（凹部非形成領域６００１ｂ、凹部非形成領域６００１ｃ、及び、凹部非形成領域６００１ｄ）の上方に位置付けることにより、当該荷重が局部に集中してしまうことを防止することが可能である。これにより、負荷を分散して、支持部材（左モータフレームＲ５０Ｌ、中モータフレームＲ５０Ｃ、及び、右モータフレームＲ５０Ｒ）（駆動部（モータ駆動部））をバランスよく支持することができる。
【０８２１】
（Ｄ−４）  複数の識別情報を変動表示可能な可変表示部（左リールＲＬ、中リールＲＣ、及び、右リールＲＲ）と、前記可変表示部を支持する支持部材（左モータフレームＲ５０Ｌ、中モータフレームＲ５０Ｃ、及び、右モータフレームＲ５０Ｒ）と、前記可変表示部及び前記支持部材を収容する収容部（リールフレームＲ１０）と、を有する可変表示ユニット（リールユニットＲＵ）と、
前記可変表示ユニットの下方に配置される設置部（ミドルボード４０００）と、
前記可変表示ユニットと前記設置部との間に配置される介在部材（リールアダプタ６０００）と、を備え、
前記介在部材は、前記設置部の上に設置され、前記可変表示ユニットは、前記介在部材の上に配置されており、
前記介在部材の前面側には、複数の凹部（左前面上側凹部６０６０Ｌ、中前面上側凹部６０６０Ｃ、及び、右前面上側凹部６０６０Ｒ）が形成されており、
前記支持部材は、前記収容部に対して取付用部材（締結用部材Ｒ１００Ｌ，１００Ｃ，１００Ｒ）を用いて取り付けられており、
前記支持部材及び前記収容部には、それぞれ、前記取付用部材の少なくとも一部が挿通する取付用孔（取付用孔Ｒ５４及び取付用孔Ｒ１４）が形成されており、
前記取付用孔を挿通した前記取付用部材の一部が前記凹部に配置されている、
ことを特徴とする遊技機。
【０８２２】
第７実施形態に係る遊技機１によれば、可変表示ユニット（リールユニットＲＵ）の下方に設置部（ミドルボード４０００）が配置され、設置部（ミドルボード４０００）の上には介在部材（リールアダプタ６０００）が設置され、可変表示ユニット（リールユニットＲＵ）は、介在部材（リールアダプタ６０００）の上に配置されている。これにより、介在部材（リールアダプタ６０００）が設置されない場合と比較して、介在部材（リールアダプタ６０００）の高さ分だけ、可変表示ユニット（リールユニットＲＵ）が上方に位置付けられている。すなわち、設置部（ミドルボード４０００）と可変表示ユニット（リールユニットＲＵ）との間に介在部材（リールアダプタ６０００）を介在させることにより、可変表示部（左リールＲＬ、中リールＲＣ、及び、右リールＲＲ）の位置を上昇させる効果が得られており、これにより、可変表示部（左リールＲＬ、中リールＲＣ、及び、右リールＲＲ）の位置変更を容易に且つ低コストで実現することができる。また、第７実施形態に係る遊技機１によれば、可変表示ユニット（リールユニットＲＵ）は、可変表示部（左リールＲＬ、中リールＲＣ、及び、右リールＲＲ）を支持する支持部材（左モータフレームＲ５０Ｌ、中モータフレームＲ５０Ｃ、及び、右モータフレームＲ５０Ｒ）と、可変表示部（左リールＲＬ、中リールＲＣ、及び、右リールＲＲ）及び支持部材（左モータフレームＲ５０Ｌ、中モータフレームＲ５０Ｃ、及び、右モータフレームＲ５０Ｒ）を収容する収容部（リールフレームＲ１０）と、を有しており、支持部材（左モータフレームＲ５０Ｌ、中モータフレームＲ５０Ｃ、及び、右モータフレームＲ５０Ｒ）は、支持部材（左モータフレームＲ５０Ｌ、中モータフレームＲ５０Ｃ、及び、右モータフレームＲ５０Ｒ）及び収容部（リールフレームＲ１０）にそれぞれ形成された取付用孔（取付用孔Ｒ５４及び取付用孔Ｒ１４）に一部挿通させた取付用部材（締結用部材Ｒ１００Ｌ，１００Ｃ，１００Ｒ）を用いて、収容部（リールフレームＲ１０）に対して取り付けられている。これにより、支持部材（左モータフレームＲ５０Ｌ、中モータフレームＲ５０Ｃ、及び、右モータフレームＲ５０Ｒ）を収容部（リールフレームＲ１０）に取り付けたとき、取付用孔（取付用孔Ｒ５４及び取付用孔Ｒ１４）を挿通した取付用部材（締結用部材Ｒ１００Ｌ，１００Ｃ，１００Ｒ）の一部が、取付方向とは反対側に突出した状態となる。ここで、仮に、介在部材（リールアダプタ６０００）の前面側において、取付用孔（取付用孔Ｒ５４及び取付用孔Ｒ１４）に対応する位置に凹部が形成されていなければ、当該突出した取付用部材（締結用部材Ｒ１００Ｌ，１００Ｃ，１００Ｒ）の配置スペースを確保するために、介在部材（リールアダプタ６０００）と可変表示ユニット（リールユニットＲＵ）（支持部材（左モータフレームＲ５０Ｌ、中モータフレームＲ５０Ｃ、及び、右モータフレームＲ５０Ｒ）又は収容部（リールフレームＲ１０））とを一定程度離間させる必要がある。しかしながら、第７実施形態に係る遊技機１によれば、介在部材（リールアダプタ６０００）の前面側には、複数の凹部（左前面上側凹部６０６０Ｌ、中前面上側凹部６０６０Ｃ、及び、右前面上側凹部６０６０Ｒ）が形成されており、取付用孔（取付用孔Ｒ５４及び取付用孔Ｒ１４）を挿通した取付用部材（締結用部材Ｒ１００Ｌ，１００Ｃ，１００Ｒ）の一部が当該凹部（左前面上側凹部６０６０Ｌ、中前面上側凹部６０６０Ｃ、及び、右前面上側凹部６０６０Ｒ）に配置（収納）されるようになっている。従って、介在部材（リールアダプタ６０００）と可変表示ユニット（リールユニットＲＵ）（支持部材（左モータフレームＲ５０Ｌ、中モータフレームＲ５０Ｃ、及び、右モータフレームＲ５０Ｒ）又は収容部（リールフレームＲ１０））とが当接した状態でこれらを配置したとしても、当該凹部（左前面上側凹部６０６０Ｌ、中前面上側凹部６０６０Ｃ、及び、右前面上側凹部６０６０Ｒ）を取付用部材（締結用部材Ｒ１００Ｌ，１００Ｃ，１００Ｒ）の配置スペースとして利用することができるため、そのような当接した状態での配置を実現することができる。その結果、介在部材（リールアダプタ６０００）と可変表示ユニット（リールユニットＲＵ）とが当接した状態でこれらを固定することが可能であり、介在部材（リールアダプタ６０００）に対する可変表示ユニット（リールユニットＲＵ）の取付強度を高めることができる。
【０８２３】
第７実施形態では、取付用部材（締結用部材Ｒ１００Ｌ，１００Ｃ，１００Ｒ）として、ニフラッチ（登録商標）が用いられることとして説明した。本発明においては、一般的なネジ（ビス）の他、（ボタン型）パネルファスナー等、従来周知の取付用部材を適宜採用することが可能である。
【０８２４】
なお、第７実施形態では、可変表示部（左リールＲＬ、中リールＲＣ、及び、右リールＲＲ）として採用されるリールの本数が３本であることとして説明した。しかし、本発明において、リールの本数はこれに限定されず、１本や２本、又は４本以上としてもよい。また、載置部材（介在部材：リールアダプタ６０００）は、リールの本数に応じた数（リールの本数と同数）の凹部（上面凹部６０３０）を備えるものとすることができる。
【０８２５】
また、本発明における載置部材（介在部材：リールアダプタ６０００）は、リールを１本増設する際（例えば、３本のリールが配置されることを前提とした筐体を、４本のリールを搭載した筐体に改修する場合）に用いることとしてもよい。このような場合には、元々の筐体に、３本分のリールを設置するための設置部があるものの、追加する１本分のリールを設置するための設置部がないために、当該追加する１本分のリールを設置するための設置部を設ける必要があったり、追加する１本分のリールについて高さ調整を行う必要があったりすることがある。このような場合に、増設されるリールの配置部に載置部材（介在部材：リールアダプタ６０００）を用いることとしてもよい。
【０８２６】
また、第７実施形態では、可変表示ユニット（リールユニットＲＵ）がメインリール（遊技の進行及び入賞に関する可変表示部）を備えるものであり、メインリールにおける高さ調整を行うこととして説明した。しかし、本発明においては、入賞に影響しない演出用のリール（演出用可変表示装置、サブリール）における高さ調整のために、第７実施形態と同様に、載置部材（介在部材：リールアダプタ６０００）等による高さ調整機構を用いることとしてもよい。また、パチンコ遊技機における演出用リール（遊技に関する期待度示唆等の演出を行うリール）について、当該機構を採用してもよい。
【０８２７】
また、第７実施形態では、載置部材（介在部材：リールアダプタ６０００）に可変表示ユニット（リールユニットＲＵ）を載置するものとして説明した。しかし、本発明においては、載置部材（介在部材：リールアダプタ６０００）と同様の台座機構に可変表示ユニット（リールユニットＲＵ）以外の遊技機構成部品を載置することとしてもよい。例えば、演出用の可動装飾部ユニット等が遊技者から見やすい位置になるように、第７実施形態と同様の機能を有する高さ調整用の載置部材（介在部材：リールアダプタ６０００）を用いることとしてもよい。なお、可動装飾部は、遊技機の内部でのみ移動するものであってもよいし、遊技機の内部から外部（遊技機の上方や前方等）へと移動するものであってもよい。このように、各種遊技機構成部品の配置について載置部材（介在部材：リールアダプタ６０００）を用いて高さ調整を行うことで、パチスロ遊技機の筐体やパチンコ遊技機の遊技機枠（外枠、本体枠）の大幅な設計変更を行わずに済むため、新規の遊技機を作る際にコストダウンを図ることができる。
【０８２８】
また、第７実施形態では、載置部材（介在部材：リールアダプタ６０００）が設置部（ミドルボード４０００）の上に配置されることとして説明した。本発明における設置部は、ミドルボードに限定されず、載置部材（介在部材：リールアダプタ６０００）を設置可能な部材を適宜採用することが可能である。例えば、筐体（キャビネット）の底板を設置部として採用し、当該底板に載置部材（介在部材：リールアダプタ６０００）を設置して、当該載置部材（介在部材：リールアダプタ６０００）の上に可変表示ユニット（リールユニットＲＵ）を載置する構成としてもよい。また、本発明においては、ミドルボード以外の部材に載置部材（介在部材：リールアダプタ６０００）を設置する場合、筐体（キャビネット）内にミドルボードを備えない構成としてもよい。例えば、メダル等の遊技媒体を用いず、電子データによって管理される遊技価値を用いてのみ遊技可能な管理遊技機においては、ホッパー等の部品が不要となるため、この場合には、ミドルボードを設けず、筐体の底板に載置部材（介在部材：リールアダプタ６０００）を設置することとしてもよい。
【０８２９】
なお、第７実施形態では、設置部（ミドルボード４０００）がキャビネットＧの背面壁Ｇ３に取り付けられるとともに、右側面壁Ｇ２Ｒ及び左側面壁Ｇ２Ｌに対して固定されていることとして説明した。本発明において、設置部（ミドルボード４０００）は、筐体（キャビネット）を構成する板（背板、左右の板、底板等）のうちの何れに固定されていてもよく、例えば、背面壁Ｇ３のみに取り付けられていてもよいし、右側面壁Ｇ２Ｒ及び左側面壁Ｇ２Ｌの双方又は何れか一方のみに取り付けられていてもよい。
【０８３０】
本発明における設置部の他の例としては、ミドルドアを挙げることができる。ミドルドアは、フロントドア（前面ドア）の裏側に配置される小さなドア（フロントドアとキャビネットとの間に配置されるドア）であり、フロントドアに対して回動可能に構成されるとともに、可変表示ユニット（リールユニットＲＵ）が搭載されている。この例では、ミドルドアに設けられた設置部に載置部材（介在部材：リールアダプタ６０００）を搭載し、当該載置部材（介在部材：リールアダプタ６０００）の上に可変表示ユニット（リールユニットＲＵ）を載置することとしてもよい。
【０８３１】
［第８実施形態］
以上、第１実施形態〜第７実施形態について説明した。以下、第８実施形態について説明する。第８実施形態に係る遊技機１の基本的な構成は、第１実施形態〜第７実施形態に係る遊技機１と同じである。以下においては、第１実施形態〜第７実施形態に係る遊技機１の構成要素と同一の構成要素には、同一の符号を付して説明することとする。また、第１実施形態〜第７実施形態における説明が第８実施形態においても当てはまる部分については、説明を省略することとする。
【０８３２】
＜腰部パネル７０００＞
図１８７は、腰部パネルの正面図である。図１８８は、腰部パネルを前方から見た斜視図である。図１８９は、腰部パネルを後方から見た斜視図である。図１９０は、腰部パネルを前方から見た分解斜視図である。図１９１は、腰部パネルを後方から見た分解斜視図である。
【０８３３】
第１実施形態では、下ドア機構ＤＤ（図１参照）に腰部パネルＤＤ１８（図３参照）が設けられていることとして説明した。これに対し、第８実施形態では、図１８７に示す腰部パネル７０００が前面ドアにおける中央よりも下側の領域に設けられている。
【０８３４】
図１８７〜図１９１に示すように、腰部パネル７０００は、下パネルフィルム７１００と、下パネルベース７２００と、下パネルフレーム７３００（右下パネルフレーム７３００Ｒ及び左下パネルフレーム７３００Ｌ）と、下パネル裏７４００と、下パネル下７５００と、下パネル右７６００と、下パネル左７７００と、を備えている。
【０８３５】
下パネルベース７２００は、下パネルフィルム７１００の前面側に配置され、下パネルフレーム７３００は、下パネルベース７２００の前面側に配置され、下パネル裏７４００は、下パネルフィルム７１００の背面側に配置され、下パネル下７５００は、下パネル裏７４００の下側部分における背面側に配置されている。また、下パネル右７６００及び下パネル左７７００は、それぞれ、腰部パネル７０００の右側部分及び左側部分（右側壁及び左側壁）を構成している。図示しないが、下パネル裏７４００の背面側であって、下パネル下７５００の上方には、複数のＬＥＤがＬＥＤ基板に設置された発光機構を配置することとしてもよい。
【０８３６】
下パネルベース７２００は、透光性の素材（例えば、アクリル樹脂等）により形成され、図示しない立体的形状（例えば、機種に応じたロゴ等を示す文字形状）を象った装飾が施されている。下パネルフィルム７１００は、透光性の素材（例えば、アクリル樹脂等）により形成され、図示しない模様や絵柄（例えば、下パネルベース７２００に施された装飾に対応する模様や絵柄）が施されている。下パネルフィルム７１００は、模様印刷用シートに遮光性インキを印刷することにより構成することができる。
【０８３７】
下パネルフィルム７１００及び下パネルベース７２００と同様に、下パネル裏７４００、下パネル下７５００、下パネル右７６００、及び、下パネル左７７００も、透光性を有している。これに対し、下パネルフレーム７３００は、透光性を有しておらず、下パネルフィルム７１００及び下パネルベース７２００のうち、正面視において下パネルフレーム７３００と重畳する部分は、下パネルフレーム７３００に覆われて視認不可能になっている。図１８７では、下パネルフレーム７３００を黒で示している。なお、下パネルフレーム７３００には、凹凸を有する立体的な装飾が施されている。
【０８３８】
＜下パネルフィルム７１００＞
図１９２は、下パネルフィルムをやや上方から見た斜視図である。図１９３は、下パネルフィルムの断面図である。図１９４は、図１９３に示す下パネルフィルムの切断面の模式図である。図１９５は、図１９２に示す下パネルフィルムの前面側に下パネルフレームを配置した状態を示す斜視図である。
【０８３９】
図１９２〜図１９４に示すように、下パネルフィルム７１００は、可撓性を有する平坦なシートを湾曲させた形状を有している。図１９３では、下パネルフィルム７１００を水平面で切断した様子を示し、分かりやすくするため、切断面を太くして示している。
【０８４０】
具体的に、下パネルフィルム７１００は、左右に延在する中央部７１０１と、中央部７１０１の右端（図１９３に示す点Ａ）から後方にかけてカーブ形状を有して形成された右湾曲部７１０２と、中央部７１０１の左端（図１９３に示す点Ｂ）から後方にかけてカーブ形状を有して形成された左湾曲部７１０３と、右湾曲部７１０２の右端（後端：図１９３に示す点Ｃ）から後方にかけて延在する右後方部７１０４と、左湾曲部７１０３の左端（後端：図１９３に示す点Ｄ）から後方にかけて延在する左後方部７１０５と、を有している。
【０８４１】
下パネルフィルム７１００は、右湾曲部７１０２の上部に切欠き７１０２ａが形成されている点を除いて、略左右対称となる形状を有している。また、中央部７１０１、右湾曲部７１０２、及び、左湾曲部７１０３は、それぞれ、曲率中心が背面側となるように湾曲している。中央部７１０１は、僅かに湾曲している程度であり、右湾曲部７１０２及び左湾曲部７１０３の曲率は、中央部７１０１の曲率と比較して、かなり大きくなっている。例えば、右湾曲部７１０２及び左湾曲部７１０３の曲率半径は、中央部７１０１の曲率半径の１／５以下（又は、１／１０以下、１／２０以下、１／５０以下、１／１００以下等）となっている。
【０８４２】
なお、曲率とは、曲線や曲面の曲がり具合を表す量であるが、局所的な曲がり具合を円に近似することができ、近似した円の半径を曲率半径という。例えば、半径ｒの円周の曲率は１／ｒであり、曲率半径はｒである。曲線の曲がり具合がきついほど曲率は大きくなり、曲率半径は小さくなる。曲率半径は、曲線が円弧である場合には、当該円弧の半径で表すことができ、一方、円弧とは異なる曲線の場合には、曲線の曲がり具合を表す所定の関数により曲率半径を表すことができる。
【０８４３】
右湾曲部７１０２上の任意の位置及び左湾曲部７１０３上の任意の位置における曲率は、中央部７１０１上の任意の位置における曲率よりも大きくなっている。このことに対応して、右湾曲部７１０２における左右方向の長さ及び左湾曲部７１０３における左右方向の長さ（図１９４（ａ）に示すｒ２）が、中央部７１０１における左右方向の長さ（図１９４（ａ）に示すｒ１）よりも短いのに対して、右湾曲部７１０２における前後方向の長さ及び左湾曲部７１０３における前後方向の長さ（図１９４（ａ）に示すｒ４）は、中央部７１０１における前後方向の長さ（図１９４（ａ）に示すｒ３）よりも長くなっている。
【０８４４】
また、右湾曲部７１０２上の任意の点Ｙにおける接線（図１９４（ｂ）に示すＬ１（Ｙ））に対して垂直な直線（図１９４（ｂ）に示すＬ２（Ｙ））と前後方向の直線（図１９４（ｂ）に示すＬ）とのなす角度（図１９４（ｂ）に示すβ）は、中央部７１０１上の任意の点Ｘにおける接線（図１９４（ｂ）に示すＬ１（Ｘ））に対して垂直な直線（図１９４（ｂ）に示すＬ２（Ｘ））と前後方向の直線（図１９４（ｂ）に示すＬ）とのなす角度（図１９４（ｂ）に示すα）よりも大きくなっている。
【０８４５】
同様に、図示しないが、左湾曲部７１０３上の任意の点における接線に対して垂直な直線と前後方向の直線（図１９４（ｂ）に示すＬ）とのなす角度は、中央部７１０１上の任意の点Ｘにおける接線（図１９４（ｂ）に示すＬ１（Ｘ））に対して垂直な直線（図１９４（ｂ）に示すＬ２（Ｘ））と前後方向の直線（図１９４（ｂ）に示すＬ）とのなす角度（図１９４（ｂ）に示すα）よりも大きくなっている。
【０８４６】
図１９５は、腰部パネル７０００が組み立てられた状態における下パネルフィルム７１００及び下パネルフレーム７３００（右下パネルフレーム７３００Ｒ及び左下パネルフレーム７３００Ｌ）を、これらの相対的な位置関係を維持したまま示した図であり、他の構成要素については図示を省略している。分かりやすくするため、右下パネルフレーム７３００Ｒ及び左下パネルフレーム７３００Ｌを黒で示している。
【０８４７】
図１９５に示すように、右下パネルフレーム７３００Ｒ及び左下パネルフレーム７３００Ｌは、それぞれ、正面視において、下パネルフィルム７１００の右湾曲部７１０２及び左湾曲部７１０３の一部と重畳する位置に配置されている。これにより、右湾曲部７１０２及び左湾曲部７１０３の一部が隠れた状態となっている。
【０８４８】
＜下パネルベース７２００＞
図１９６は、下パネルベースを前方且つやや上方から見た斜視図である。図１９７は、下パネルベースを斜め下方から見た斜視図である。図１９８は、下パネルベースを後方且つやや上方から見た斜視図である。図１９９は、下パネルベースを後方且つやや下方から見た部分拡大斜視図である。
【０８４９】
図１９６〜図１９８に示すように、下パネルベース７２００は、下パネルフィルム７１００に対応する湾曲形状を有する本体部７２１０と、本体部７２１０の下端を後方に折り曲げることで形成された下側部７２２０と、を有している。
【０８５０】
下側部７２２０は、本体部７２１０の下端から斜め後方に向けて連続して形成された第１傾斜部７２２１と、第１傾斜部７２２１の後端から斜め後方に向けて連続し第１傾斜部７２２１よりも緩やかな傾斜を有するように形成された第２傾斜部７２２２と、第２傾斜部７２２２の後端から後方に向けて連続して形成された水平部７２２３と、を有している。水平部７２２３は、略水平に配置されている。分かりやすくするため、図１９７では、第１傾斜部７２２１を網掛けで示し、第２傾斜部７２２２を斜線で示し、水平部７２２３を黒で示している。
【０８５１】
本体部７２１０は、左右に延在する中央部７２１１と、中央部７２１１の右端から後方にかけてカーブ形状を有して形成された右湾曲部７２１２と、中央部７２１１の左端から後方にかけてカーブ形状を有して形成された左湾曲部７２１３と、右湾曲部７２１２の右端から後方にかけて延在する右後方部７２１４と、左湾曲部７２１３の左端から後方にかけて延在する左後方部７２１５と、を有している。
【０８５２】
腰部パネル７０００が組み立てられた状態において、中央部７２１１、右湾曲部７２１２、左湾曲部７２１３、右後方部７２１４、及び、左後方部７２１５は、それぞれ、下パネルフィルム７１００の中央部７１０１、右湾曲部７１０２、左湾曲部７１０３、右後方部７１０４、及び、左後方部７１０５（図１９２参照）と対向する（正面視において重畳する）ように配置される。
【０８５３】
右湾曲部７２１２には、３つのネジ孔７２３０（ネジ孔７２３０ａ，７２３０ｂ，７２３０ｃ）が形成されるとともに、１つの仮固定用孔７２３５が形成されている。左湾曲部７２１３には、３つのネジ孔７２４０（ネジ孔７２４０ａ，７２４０ｂ，７２４０ｃ）が形成されるとともに、１つの仮固定用孔７２４５が形成されている。これらのネジ孔７２３０及びネジ孔７２４０、並びに、仮固定用孔７２３５及び仮固定用孔７２４５は、前後方向に貫通する貫通孔として形成されている。
【０８５４】
図１９９に示すように、ネジ孔７２３０の周辺には、本体部７２１０の背面７２１６に対して凹んだ位置に周縁壁部７２３１が形成されている。換言すれば、ネジ孔７２３０の近傍は、背面７２１６に対して凹んだ円形状の凹部７２３２を形成するとともに、当該凹部７２３２の一部を貫通させることにより開口を形成した形状を有している。当該開口がネジ孔７２３０に相当し、当該凹部７２３２のうち開口の形成されていない部分が周縁壁部７２３１に相当する。
【０８５５】
また、仮固定用孔７２３５の周辺には、本体部７２１０の背面７２１６に対して凹んだ位置に周縁壁部７２３６が形成されている。換言すれば、仮固定用孔７２３５の近傍は、背面７２１６に対して凹んだ楕円形状の凹部７２３７を形成するとともに、当該凹部７２３７の一部を貫通させることにより開口を形成した形状を有している。当該開口が仮固定用孔７２３５に相当し、当該凹部７２３７のうち開口の形成されていない部分が周縁壁部７２３６に相当する。
【０８５６】
このように、ネジ孔７２３０の周囲及び仮固定用孔７２３５の周囲に凹部が形成されている点については、第６実施形態で説明した照射ユニット引っ掛け用ネジ孔Ｂ１０１０の周囲及び蓋締結用ネジ孔Ｂ１００２の周囲に凹部が形成されている（図１１４参照）のと同様の説明が妥当する。分かりやすくするため、図１９９では、周縁壁部７２３１及び周縁壁部７２３６を斜線で示している。図示しないが、同様に、ネジ孔７２４０の周囲及び仮固定用孔７２４５の周囲にも、それぞれ凹部７２４２及び凹部７２４７が形成されている。
【０８５７】
また、下パネルベース７２００は、本体部７２１０の上端を後方に僅かに折り曲げることで形成された上縁部７２５０を有している。上縁部７２５０は、中央よりも右側及び左側の一部が後方に突出することにより形成された係止用突出部７２５１（右側係止用突出部７２５１Ｒ及び左側係止用突出部７２５１Ｌ）を有している。
【０８５８】
右側係止用突出部７２５１Ｒ及び左側係止用突出部７２５１Ｌは、それぞれ、コーナー部が丸みを帯びた矩形状に形成されるとともに、略水平に配置されている。また、右側係止用突出部７２５１Ｒ及び左側係止用突出部７２５１Ｌには、それぞれ、上下方向に貫通する長方形形状の貫通孔として、係止用孔７２５２（右側係止用孔７２５２Ｒ及び左側係止用孔７２５２Ｌ）が形成されている。
【０８５９】
また、下パネルベース７２００は、中央部７２１１（背面７２１６）の下端から後方に向けて連続して形成された水平部７２１７を有している。水平部７２１７は、略水平方向に配置されている。分かりやすくするため、図１９８では、水平部７２１７を斜線で示している。
【０８６０】
下側部７２２０は、右端を上方及び外方に僅かに折り曲げることで形成された右側部７２２５と、左端を上方及び外方に折り曲げることで形成された左側部７２２６と、を有している。右側部７２２５の前部（右湾曲部７２１２の下方）には、ボス部７２３３が形成され、左側部７２２６の前部（左湾曲部７２１３の下方）には、ボス部７２４３が形成されている。
【０８６１】
右後方部７２１４は、後端を右側に僅かに折り曲げることで形成された上側右縁部７２１４ａ及び下側右縁部７２１４ｂを有している。上側右縁部７２１４ａと下側右縁部７２１４ｂとは、上下に分離して形成されている。左後方部７２１５は、後端を左側に僅かに折り曲げることで形成された上側左縁部７２１５ａ及び下側左縁部７２１５ｂを有している。上側左縁部７２１５ａと下側左縁部７２１５ｂとは、上下に分離して形成されている。
【０８６２】
上側右縁部７２１４ａの上部、下側右縁部７２１４ｂの上部、及び、下側部７２２０の右端上部（ボス部７２３３の形成位置）から右側に膨出した部分には、それぞれ、ネジ孔７２３４（ネジ孔７２３４ａ，７２３４ｂ，７２３４ｃ）が形成されている。上側左縁部７２１５ａの上部、下側左縁部７２１５ｂの上部、及び、下側部７２２０の左端上部（ボス部７２４３の形成位置）から左側に膨出した部分には、それぞれ、ネジ孔７２４４（ネジ孔７２４４ａ，７２４４ｂ，７２４４ｃ）が形成されている。
【０８６３】
また、下側部７２２０の後端には、後方に突出するとともに下方に折り曲げられた係止片７２６０が２つ形成されている。腰部パネル７０００は、係止片７２６０が前面ドアに係止されることで、前面ドアに取り付けられる。また、右湾曲部７２１２の上部には、切欠き７２１２ａが形成されている。切欠き７２１２ａは、下パネルフィルム７１００の切欠き７１０２ａ（図１９２参照）に相似する形状を有しており、切欠き７１０２ａと重畳するように配置される。
【０８６４】
＜下パネル裏７４００＞
図２００は、下パネル裏をやや上方から見た斜視図である。図２０１は、下パネルフィルムを後方から見た斜視図である。図２０２は、下パネル裏を後方且つやや下方から見た部分拡大斜視図である。
【０８６５】
図２００に示すように、下パネル裏７４００は、下パネルフィルム７１００に対応する湾曲形状を有している。具体的に、下パネル裏７４００は、左右に延在する中央部７４０１と、中央部７４０１の右端から後方にかけてカーブ形状を有して形成された右湾曲部７４０２と、中央部７４０１の左端から後方にかけてカーブ形状を有して形成された左湾曲部７４０３と、右湾曲部７４０２の右端から後方にかけて延在する右後方部７４０４と、左湾曲部７４０３の左端から後方にかけて延在する左後方部７４０５と、を有している。
【０８６６】
腰部パネル７０００が組み立てられた状態において、中央部７４０１、右湾曲部７４０２、左湾曲部７４０３、右後方部７４０４、及び、左後方部７４０５は、それぞれ、下パネルフィルム７１００の中央部７１０１、右湾曲部７１０２、左湾曲部７１０３、右後方部７１０４、及び、左後方部７１０５（図１９２参照）と対向する（正面視において重畳する）ように配置される。
【０８６７】
また、図２０１及び図２０２に示すように、下パネル裏７４００は、上端を後方に僅かに折り曲げることで形成された上縁部７４５０を有している。上縁部７４５０は、中央よりも右側及び左側の一部が後方に突出することにより形成された係止用突出部７４５１（右側係止用突出部７４５１Ｒ及び左側係止用突出部７４５１Ｌ）を有している。
【０８６８】
右側係止用突出部７４５１Ｒ及び左側係止用突出部７４５１Ｌは、それぞれ、コーナー部が丸みを帯びた矩形状に形成されるとともに、略水平に配置されている。また、右側係止用突出部７２５１Ｒ及び左側係止用突出部７２５１Ｌには、それぞれ、係止片７４５２（右側係止片７４５２Ｒ及び左側係止片７４５２Ｌ）が形成されている。右側係止片７４５２Ｒ及び左側係止片７４５２Ｌは、それぞれ、右側係止用突出部７４５１Ｒ及び左側係止用突出部７４５１Ｌの上面７４５１ａに対して立設された突起として、平面視長方形形状に形成されている。
【０８６９】
また、下パネル裏７４００は、中央部７４０１（背面７４１０）の下端から後方に向けて連続して形成された水平部７４１１と、水平部７４１１の下方において水平部７４１１と略垂直に形成された鉛直部７４１２と、を有している。水平部７４１１は、略水平方向に配置され、鉛直部７４１２は、略鉛直方向に配置されている。分かりやすくするため、図２０１では、水平部７４１１を斜線で示している。
【０８７０】
鉛直部７４１２の背面側には、複数の後側突出部７４１３が略等間隔に形成されている。後側突出部７４１３は、鉛直部７４１２から後方に向けて突出する突起として形成されており、上下方向に延在している。水平部７４１１の後端縁と後側突出部７４１３とは、連続的に形成されるとともに、略同一平面上に位置付けられている。
【０８７１】
なお、右湾曲部７４０２の上部には、切欠き７４０２ａが形成されている。切欠き７４０２ａは、下パネルフィルム７１００の切欠き７１０２ａに相似する形状を有しており、切欠き７１０２ａと重畳するように配置される。
【０８７２】
＜下パネルフレーム７３００＞
図２０３は、下パネルフレームを前方から見た斜視図である。図２０４は、下パネルフレームの背面図である。
【０８７３】
図２０３及び図２０４に示すように、下パネルフレーム７３００（右下パネルフレーム７３００Ｒ及び左下パネルフレーム７３００Ｌ）は、それぞれ、上下方向に延在する柱状の形状を有している。
【０８７４】
右下パネルフレーム７３００Ｒの背面側には、３つのネジ締結用ボス部７３１０（ネジ締結用ボス部７３１０ａ，７３１０ｂ，７３１０ｃ）が形成されるとともに、１つの仮固定用ボス部７３１５が形成されている。左下パネルフレーム７３００Ｌの背面側には、３つのネジ締結用ボス部７３２０（ネジ締結用ボス部７３２０ａ，７３２０ｂ，７３２０ｃ）が形成されるとともに、１つの仮固定用ボス部７３２５が形成されている。
【０８７５】
なお、右下パネルフレーム７３００Ｒの上部には、切欠き７３０１が形成されている。切欠き７３０１は、下パネルフィルム７１００の切欠き７１０２ａ（図１９２参照）に相似する形状を有しており、切欠き７１０２ａと重畳するように配置される。
【０８７６】
＜下パネル下７５００＞
図２０５は、下パネル下を前方から見た斜視図である。図２０６は、下パネル下を後方から見た斜視図である。
【０８７７】
図２０５及び図２０６に示すように、下パネル下７５００は、左右方向に延在する部材として形成されており、略鉛直方向に形成された前側部７５０１と、前側部７５０１の上端から斜め後方に向けて連続して形成された第１傾斜部７５０２と、第１傾斜部７５０２の後端から後方に向けて連続し略水平方向に形成された上側部７５０３と、前側部７５０１の下端から斜め後方に向けて連続して形成された第２傾斜部７５０４と、第２傾斜部７５０４の後端から斜め後方に向けて連続し第２傾斜部７５０４よりも緩やかな傾斜を有するように形成された第３傾斜部７５０５と、第３傾斜部７５０５の後端から後方に向けて連続し略水平方向に形成された下側部７５０６と、を有している。
【０８７８】
分かりやすくするため、図２０５では、前側部７５０１の前面７５０１ａを斜線で示し、上側部７５０３の上面を網掛けで示している。図２０６では、上側部７５０３の上面を斜線で示し、下側部７５０６の上面を網掛けで示し、前側部７５０１の背面７５０１ｂ（前面７５０１ａの反対側の面）を黒で示している。
【０８７９】
下パネル下７５００の右端には、側面視Ｌ字状の右側部７５１０が形成されており、下パネル下７５００の左端には、側面視逆Ｌ字状の左側部７５２０が形成されている。右側部７５１０のうち前後方向に延在する部分である右縁屈曲部７５１１は、下側部７５０６の右端を右側に僅かに折り曲げることで形成されたような形状となっている。同様に、左側部７５２０のうち前後方向に延在する部分である左縁屈曲部７５２１は、下側部７５０６の左端を左側に僅かに折り曲げることで形成されたような形状となっている。
【０８８０】
右側部７５１０の上部（上側部７５０３の右端近傍）には、ネジ孔７５１２が形成されており、左側部７５２０の上部（上側部７５０３の左端近傍）には、ネジ孔７５２２が形成されている。
【０８８１】
＜下パネル右７６００及び下パネル左７７００＞
図２０７は、下パネル右及び下パネル左を左側後方から見た斜視図である。図２０８は、下パネル右及び下パネル左を右側後方から見た斜視図である。
【０８８２】
図２０７及び図２０８に示すように、下パネル右７６００は、腰部パネル７０００の右側部分を構成する右側壁７６０１と、右側壁７６０１から前方及び左側に突出して形成された側面視三角形形状の突出部７６０２と、を有している。下パネル左７７００は、腰部パネル７０００の左側部分を構成する左側壁７７０１と、左側壁７７０１から前方及び右側に突出して形成された側面視三角形形状の突出部７７０２と、を有している。
【０８８３】
下パネル右７６００の内側面（左側の面）には、左縁に沿ってボス部７６１０が形成されるとともに、上部及び下部にボス部７６１１が形成されている。下パネル左７７００の内側面（右側の面）には、右縁に沿ってボス部７７１０が形成されるとともに、上部及び下部にボス部７７１１が形成されている。ボス部７６１１及びボス部７７１１に形成された穴には、腰部パネル７０００を前面ドアに締結するためのネジがねじ込まれる。
【０８８４】
＜腰部パネル７０００の組み立て＞
図２０９は、下パネルフレームが下パネルベースに取り付けられた状態を前方から見た斜視図である。図２１０は、下パネルフレームが下パネルベースに取り付けられた状態を後方から見た斜視図である。図２１１は、図２１０に示す状態の下パネルベース及び下パネルフレームに下パネル裏が係止された状態を後方から見た斜視図である。図２１２は、図２１１に示す状態の下パネルベース及び下パネル裏の断面図である。図２１３は、図２１１に示す状態の下パネルベース、下パネルフレーム、及び、下パネル裏に下パネル下が取り付けられた状態を後方から見た斜視図である。図２１４は、図２１３に示す状態の下パネルベース、下パネル裏、及び、下パネル下の断面図である。
【０８８５】
腰部パネル７０００は、下記（ｉ）〜（ｖ）の工程を経て、組み立てられる。
（ｉ）下パネルフレーム７３００（右下パネルフレーム７３００Ｒ及び左下パネルフレーム７３００Ｌ）を下パネルベース７２００に取り付ける。
（ｉｉ）下パネルベース７２００の背面側に下パネルフィルム７１００を配置する。
（ｉｉｉ）下パネル裏７４００を下パネルベース７２００に係止する。
（ｉｖ）下パネル下７５００を下パネルベース７２００に取り付ける。
（ｖ）下パネル右７６００及び下パネル左７７００を下パネルベース７２００に取り付ける。
【０８８６】
上記（ｉ）の工程では、まず、右下パネルフレーム７３００Ｒの仮固定用ボス部７３１５に形成された穴、及び、左下パネルフレーム７３００Ｌの仮固定用ボス部７３２５に形成された穴（図２０４参照）に、それぞれ、仮固定用部材７８００（図２１０参照）を圧入する。そして、仮固定用部材７８００が圧入された状態の右下パネルフレーム７３００Ｒ及び左下パネルフレーム７３００Ｌに下パネルベース７２００を接近させて、下パネルベース７２００の仮固定用孔７２３５及び仮固定用孔７２４５（図１９８参照）に、仮固定用部材７８００を圧入する。これにより、仮固定用部材７８００を介して、右下パネルフレーム７３００Ｒ及び左下パネルフレーム７３００Ｌが下パネルベース７２００に対して暫定的に取り付けられる（仮固定される）。
【０８８７】
この状態で、下パネルベース７２００のネジ孔７２３０（図１９８に示すネジ孔７２３０ａ，７２３０ｂ，７２３０ｃ）と、右下パネルフレーム７３００Ｒのネジ締結用ボス部７３１０（図２０４に示すネジ締結用ボス部７３１０ａ，７３１０ｂ，７３１０ｃ）とが重畳し、下パネルベース７２００のネジ孔７２４０（図１９８に示すネジ孔７２４０ａ，７２４０ｂ，７２４０ｃ）と、左下パネルフレーム７３００Ｌのネジ締結用ボス部７３２０（図２０４に示すネジ締結用ボス部７３２０ａ，７３２０ｂ，７３２０ｃ）とが重畳するように、下パネルベース７２００及び下パネルフレーム７３００を互いに配置する。そして、背面側からネジ孔７２３０及びネジ孔７２４０を挿通させたネジ７８１０（図２１０参照）を、ネジ締結用ボス部７３１０及びネジ締結用ボス部７３２０に形成された穴にねじ込む。これにより、下パネルベース７２００に対して、右下パネルフレーム７３００Ｒ及び左下パネルフレーム７３００Ｌがネジ締結により固定される。
【０８８８】
その際、仮固定用部材７８００を用いて、下パネルベース７２００と下パネルフレーム７３００とが仮固定されるため、下パネルベース７２００と下パネルフレーム７３００との相対的位置関係を維持したまま、下パネルベース７２００を裏返してネジ締結を行うことが可能であり、これにより、取付作業を行いやすくなっている。なお、仮固定用部材７８００を圧入可能なように、仮固定用ボス部７３１５及び仮固定用ボス部７３２５に形成された穴は、ネジ締結用ボス部７３１０及びネジ締結用ボス部７３２０に形成された穴よりも大きく、仮固定用孔７２３５及び仮固定用孔７２４５は、ネジ孔７２３０及びネジ孔７２４０よりも大きくなっている。
【０８８９】
ここで、上述したように、下パネルベース７２００において、ネジ孔７２３０の周囲及びネジ孔７２４０の周囲には、凹部（凹部７２３２及び凹部７２４２）が形成されている（図１９９参照）。これにより、下パネルベース７２００と下パネルフレーム７３００とのネジ締結に用いられるネジ７８１０は、当該凹部に収納されて、ネジ７８１０の後端（ネジの頭部側の端部）は、下パネルベース７２００の背面７２１６よりも前方に位置付けられる（ネジ７８１０は、背面７２１６よりも後方に突出しない）。同様に、下パネルベース７２００において、仮固定用孔７２３５の周囲及び仮固定用孔７２４５の周囲には、凹部（凹部７２３７及び凹部７２４７）が形成されている（図１９９参照）。これにより、下パネルベース７２００と下パネルフレーム７３００との仮固定に用いられる仮固定用部材７８００は、当該凹部に収納されて、仮固定用部材７８００の後端は、下パネルベース７２００の背面７２１６よりも前方に位置付けられる（仮固定用部材７８００は、背面７２１６よりも後方に突出しない）。
【０８９０】
以上のようにして、下パネルフレーム７３００（右下パネルフレーム７３００Ｒ及び左下パネルフレーム７３００Ｌ）が下パネルベース７２００に取り付けられた状態において、右下パネルフレーム７３００Ｒは、下パネルベース７２００における右湾曲部７２１２の前面側に配置され、左下パネルフレーム７３００Ｌにおける左湾曲部７２１３の前面側に配置される（図２０９参照）。
【０８９１】
この状態で、上記（ｉｉ）の工程では、下パネルベース７２００の背面側から、下パネルフィルム７１００を下パネルベース７２００に押し付ける。そして、下パネルフィルム７１００の中央部７１０１、右湾曲部７１０２、左湾曲部７１０３、右後方部７１０４、及び、左後方部７１０５（図１９２参照）が、それぞれ、下パネルベース７２００の中央部７２１１、右湾曲部７２１２、左湾曲部７２１３、右後方部７２１４、及び、左後方部７２１５（図１９６参照）と対向するように、下パネルフィルム７１００を配置する。
【０８９２】
この状態で、上記（ｉｉｉ）の工程では、下パネル裏７４００の中央部７４０１、右湾曲部７４０２、左湾曲部７４０３、右後方部７４０４、及び、左後方部７４０５（図２００参照）が、それぞれ、下パネルフィルム７１００の中央部７１０１、右湾曲部７１０２、左湾曲部７１０３、右後方部７１０４、及び、左後方部７１０５（図１９２参照）と対向するように、下パネルフィルム７１００の背面側において下パネル裏７４００を配置する。そして、下パネル裏７４００の右側係止片７４５２Ｒ及び左側係止片７４５２Ｌ（図２００参照）をそれぞれ下パネルベース７２００の右側係止用孔７２５２Ｒ及び左側係止用孔７２５２Ｌ（図１９６参照）に挿入することにより、下パネル裏７４００を下パネルベース７２００に係止する（図２１１参照）。
【０８９３】
図２１２では、上記（ｉｉｉ）の工程が完了した時点における下パネルベース７２００及び下パネル裏７４００を前後方向の鉛直面（右側係止片７４５２Ｒを通る面）で切断した様子を示し、分かりやすくするため、下パネル裏７４００の切断面を斜線で示し、下パネルベース７２００の切断面を黒で示している。図２１２に示すように、右側係止片７４５２Ｒ及び左側係止片７４５２Ｌの後端が右側係止用孔７２５２Ｒ及び左側係止用孔７２５２Ｌの後縁と略当接し、下パネル裏７４００の後方への移動が規制される。また、下パネル裏７４００の右側係止用突出部７４５１Ｒ及び左側係止用突出部７４５１Ｌの上面７４５１ａ（図２０２参照）が下パネルベース７２００の右側係止用突出部７２５１Ｒ及び左側係止用突出部７２５１Ｌの下面７２５１ａ（図１９９参照）と略当接し、下パネル裏７４００の上方への移動が規制される。また、下パネル裏７４００の水平部７４１１（図２０１参照）の下面が下パネルベース７２００の水平部７２１７（図１９８参照）の上面と略当接するとともに、下パネル裏７４００の鉛直部７４１２（図２０１参照）の下端が下パネルベース７２００の第１傾斜部７２２１（図１９７参照）の上面と略当接し、下パネル裏７４００の下方への移動が規制される。鉛直部７４１２の下端は、第１傾斜部７２２１と同様の傾斜を有するように形成されている。また、下パネル裏７４００の鉛直部７４１２の前面側が下パネルベース７２００の水平部７２１７の後端縁と略当接し、下パネル裏７４００の前方への移動が規制される。
【０８９４】
また、このとき、下パネルベース７２００の背面７２１６（図１９８参照）と下パネル裏７４００の前面７４２０（背面７４１０とは反対側の面、図２００参照）との間に形成された空間に、下パネルフィルム７１００が配置される。これにより、下パネルフィルム７１００の前面は、下パネルベース７２００の背面７２１６と略当接し、下パネルフィルム７１００の背面は、下パネル裏７４００の前面７４２０と略当接する。なお、図２１２に示すように、下パネルベース７２００と下パネル裏７４００とは、かなり近接（略当接）して配置されるが、下パネルフィルム７１００は、薄いシートとして構成されているため、下パネルベース７２００と下パネル裏７４００との間に生じた隙間に収容することが可能となっている。なお、下パネルフィルム７１００、下パネルベース７２００、下パネル裏７４００は、互いに略同一の湾曲形状を有しており、下パネルベース７２００と下パネル裏７４００との間に形成されたスペースは、下パネルフィルム７１００によって略隙間がないように埋められる。
【０８９５】
その後、上記（ｉｖ）の工程では、下パネルベース７２００のボス部７２３３及びボス部７２４３（図１９８参照）と下パネル下７５００のネジ孔７５１２及びネジ孔７５２２（図２０５参照）とがそれぞれ重畳するように、下パネル裏７４００の背面側に下パネル下７５００を配置する。このとき、下パネル下７５００の下側部７５０６（図２０６参照）が下パネルベース７２００の水平部７２２３（図１９７参照）に載置され、下パネル下７５００の右縁屈曲部７５１１及び左縁屈曲部７５２１（図２０６参照）がそれぞれパネルベース７２００の右側部７２２５及び左側部７２２６（図１９８参照）に載置された状態となる（図２１３参照）。そして、背面側からネジ孔７５１２及びネジ孔７５２２を挿通させたネジ７８２０（図２１３参照）を、ボス部７２３３及びボス部７２４３に形成された穴にねじ込む。これにより、下パネルベース７２００に対して、下パネル下７５００がネジ締結により固定される。
【０８９６】
図２１４では、上記（ｉｖ）の工程が完了した時点における下パネルベース７２００、下パネル裏７４００、及び、下パネル下７５００を前後方向の鉛直面（下パネル裏７４００の後側突出部７４１３を通る面）で切断した様子を示し、分かりやすくするため、下パネルベース７２００の切断面を斜線で示し、下パネル裏７４００の切断面を網掛けで示し、下パネル下７５００の切断面を黒で示している。図２１４に示すように、下パネル下７５００の前側部７５０１（図２０５参照）が下パネル裏７４００の後側突出部７４１３（図２０１参照）と略当接し、下パネル下７５００の第２傾斜部７５０４、第３傾斜部７５０５、及び、下側部７５０６（図２０６参照）がそれぞれ、下パネルベース７２００の第１傾斜部７２２１、第２傾斜部７２２２、及び、水平部７２２３（図１９７参照）と略当接している。これにより、下パネル裏７４００は、下パネルベース７２００及び下パネル下７５００に挟持されたような状態となり、例えば、前面ドアの開閉等により衝撃が加わった場合であっても、外れ難くなっている。
【０８９７】
この状態で、上記（ｖ）の工程では、下パネルベース７２００のネジ孔７２３４（図１９８に示すネジ孔７２３４ａ，７２３４ｂ，７２３４ｃ）と下パネル右７６００のボス部７６１０（図２０７参照）とが重畳するように、下パネル右７６００を配置する。そして、背面側からネジ孔７２３４を挿通させたネジを、ボス部７６１０に形成された穴にねじ込む。これにより、下パネルベース７２００に対して、下パネル右７６００がネジ締結により固定される。また、下パネルベース７２００のネジ孔７２４４（図１９８に示すネジ孔７２４４ａ，７２４４ｂ，７２４４ｃ）と下パネル左７７００のボス部７７１０（図２０８参照）とが重畳するように、下パネル左７７００を配置する。そして、背面側からネジ孔７２４４を挿通させたネジを、ボス部７７１０に形成された穴にねじ込む。これにより、下パネルベース７２００に対して、下パネル左７７００がネジ締結により固定される。
【０８９８】
以上により、腰部パネル７０００の組み立てが完了し、腰部パネル７０００が完成する。なお、右下パネルフレーム７３００Ｒの下端は、下パネル右７６００における突出部７６０２（図２０７参照）の前部と嵌合可能な形状となっており、左下パネルフレーム７３００Ｌの下端は、下パネル左７７００における突出部７７０２（図２０８参照）の前部と嵌合可能な形状となっている（図１８７参照）。
【０８９９】
以上、本発明の一実施形態として、第８実施形態に係る遊技機１について説明した。
【０９００】
＜付記Ｅ＞
従来、湾曲した装飾シートを備えた遊技機が知られている（特開２００５−１９８７７７号公報参照）。このような遊技機によれば、装飾シートに施された装飾を遊技者に視認させることが可能であり、遊技機の装飾性を高めることができる。
【０９０１】
しかしながら、印刷の施された平面のシートを湾曲させて配置した場合には、湾曲させた部分が歪んで見えるため、見栄えが悪く、デザイン性が低下してしまうという問題があった。一方、見栄えを良くするために、湾曲させた状態を想定した上でデザインの作成を行うことも考えられるが、そのようなデザイン作成を行うことは困難であり、また、仮に、デザイン作成が可能であったとしても、そのために要する開発工数が増加してしまうという問題があった。
【０９０２】
本発明は、上記のような問題点に鑑みてなされたものであり、見栄えの良い視認性を容易に実現することが可能な遊技機を提供することを目的とする。
【０９０３】
この点、第８実施形態に係る遊技機１は、以下の特徴を備えている。
【０９０４】
（Ｅ−１−１）  遊技者によって視認される対象となる視認対象部（下パネルフィルム７１００）を備える遊技機であって、
前記視認対象部は、第１領域（中央部７１０１）及び第２領域（右湾曲部７１０２及び左湾曲部７１０３）を備え、前記第１領域及び前記第２領域に跨って形成された視認対象面を有しており、
前記視認対象面のうち前記第１領域に形成されている部分は、該視認対象面が第１の方向（図１９４（ｂ）に示すＬ１（Ｘ）の方向）に形成されており、
前記視認対象面のうち前記第２領域に形成されている部分は、該視認対象面が前記第１の方向とは異なる第２の方向（図１９４（ｂ）に示すＬ１（Ｙ）の方向）に形成されており、
前記視認対象部よりも前記遊技機の外方側に、前記第２領域の少なくとも一部を視認困難とする遮蔽部材（右下パネルフレーム７３００Ｒ及び左下パネルフレーム７３００Ｌ）が配置される、
ことを特徴とする遊技機。
【０９０５】
第８実施形態に係る遊技機１によれば、遊技者によって視認される対象となる視認対象部（下パネルフィルム７１００）は、第１領域（中央部７１０１）及び第２領域（右湾曲部７１０２及び左湾曲部７１０３）を備え、第１領域（中央部７１０１）及び第２領域（右湾曲部７１０２及び左湾曲部７１０３）に跨って形成された視認対象面を有している。視認対象面のうち第２領域（右湾曲部７１０２及び左湾曲部７１０３）に形成されている部分は、第１領域（中央部７１０１）に形成されている部分と比較して、面形成の方向が異なっている。そして、視認対象部（下パネルフィルム７１００）よりも遊技機の外方側には、第２領域（右湾曲部７１０２及び左湾曲部７１０３）の少なくとも一部を視認困難とする遮蔽部材（右下パネルフレーム７３００Ｒ及び左下パネルフレーム７３００Ｌ）が配置されている。これにより、視認対象面のうち第２領域（右湾曲部７１０２及び左湾曲部７１０３）に形成されている部分における見栄えが悪くなるような場合であっても、当該部分を遮蔽部材（右下パネルフレーム７３００Ｒ及び左下パネルフレーム７３００Ｌ）によって隠すことが可能であり、見栄えの良い視認性を容易に実現することができる。
【０９０６】
（Ｅ−１−１′）  前記（Ｅ−１−１）の遊技機であって、
前記視認対象面は、湾曲した形状を有しており、
前記視認対象面のうち前記第２領域に形成されている部分における湾曲の程度は、前記視認対象面のうち前記第１領域に形成されている部分における湾曲の程度よりも大きくなっている、
ことを特徴とする。
【０９０７】
第８実施形態に係る遊技機１によれば、視認対象面は、湾曲した形状を有しており、視認対象面のうち第２領域（右湾曲部７１０２及び左湾曲部７１０３）に形成されている部分における湾曲の程度は、視認対象面のうち第１領域（中央部７１０１）に形成されている部分における湾曲の程度よりも大きくなっている。これにより、視認対象面のうち第２領域（右湾曲部７１０２及び左湾曲部７１０３）に形成されている部分が歪んで見えるような場合であっても、当該部分を遮蔽部材（右下パネルフレーム７３００Ｒ及び左下パネルフレーム７３００Ｌ）によって隠すことが可能であり、見栄えの良い視認性を容易に実現することができる。
【０９０８】
また、本発明は、以下の特徴を備えた遊技機にも適用することが可能である。
（Ｅ−１−１′′）  前記（Ｅ−１−１）の遊技機であって、
前記視認対象部は、複数の部材が接合されることにより構成されており、
前記第２領域は、前記複数の部材のうちの一の部材と他の部材との接合部に対応しており、
前記第１領域は、前記接合部以外の部分に対応している、
ことを特徴とする。
【０９０９】
上記遊技機によれば、視認対象部は、複数の部材が接合されることにより構成されており、第２領域は、複数の部材のうちの一の部材と他の部材との接合部に対応している。これにより、視認対象面のうち第２領域に形成されている部分（複数の部材のうちの一の部材と他の部材との繋ぎ目部分）が歪んで見えるような場合であっても、当該部分を遮蔽部材によって隠すことが可能であり、見栄えの良い視認性を容易に実現することができる。
【０９１０】
本発明は、視認対象部のうち他の領域とは面形成の方向が異なる領域を視認困難とするように遮蔽部材を配置する限り、特に限定されない。上記（Ｅ−１−１′′）の遊技機においても、接合部における面形成の方向が接合部以外の部分における面形成の方向と異なっているため、本発明の適用対象となる。また、以上の形態の他、例えば、成型の問題により視認対象部に凹凸が生じた場合に、当該凹凸を視認困難とするように遮蔽部材を配置するような形態にも適用することが可能である。この場合にも、凹凸が生じている領域と他の領域とで面形成の方向が異なっているため、本発明の適用対象となる。また、上記接合部及び凹凸箇所においては、当該領域における接線の方向が他の領域における接線の方向と異なっているところ（図１９４（ｂ）参照）、本発明は、このように、接線の方向が他の領域とは異なる領域を視認困難とするように遮蔽部材を配置するような形態にも適用することが可能である。また、上記接合部及び凹凸箇所においては、当該領域への光の入射角が他の領域への光の入射角と異なっているところ（図１９４（ｂ）参照）、本発明は、このように、光の入射角が他の領域とは異なる領域を視認困難とするように遮蔽部材を配置するような形態にも適用することが可能である。また、上記接合部及び凹凸箇所においては、当該領域に入射した光の進行方向が他の領域に入射した光の進行方向と異なっているところ、本発明は、このように、入射した光の進行方向が他の領域とは異なる領域を視認困難とするように遮蔽部材を配置するような形態にも適用することが可能である。
【０９１１】
（Ｅ−１−２）  遊技者が少なくとも一部を視認可能な視認対象シート（下パネルフィルム７１００）と、
前記視認対象シートよりも遊技機の外方側に位置するカバー部材（下パネルベース７２００）と、
前記カバー部材に固定される遮蔽部材（右下パネルフレーム７３００Ｒ及び左下パネルフレーム７３００Ｌ）と、を備え、
前記視認対象シートは、少なくとも一部に曲がり部（右湾曲部７１０２及び左湾曲部７１０３）を有しており、
前記遮蔽部材により前記視認対象シートの曲がり部の少なくとも一部が視認困難となる、
ことを特徴とする遊技機。
【０９１２】
第８実施形態に係る遊技機１によれば、遊技者が視認可能な視認対象シート（下パネルフィルム７１００）は、少なくとも一部に曲がり部（右湾曲部７１０２及び左湾曲部７１０３）を有している。一方で、視認対象シート（下パネルフィルム７１００）よりも遊技機の外方側には、カバー部材（下パネルベース７２００）が位置しており、カバー部材（下パネルベース７２００）には、遮蔽部材（右下パネルフレーム７３００Ｒ及び左下パネルフレーム７３００Ｌ）が固定されている。そして、視認対象シート（下パネルフィルム７１００）の曲がり部（右湾曲部７１０２及び左湾曲部７１０３）の少なくとも一部が遮蔽部材（右下パネルフレーム７３００Ｒ及び左下パネルフレーム７３００Ｌ）によって視認困難となるように構成されている。これにより、視認対象シート（下パネルフィルム７１００）の曲がり部（右湾曲部７１０２及び左湾曲部７１０３）が歪んで見えるような場合であっても、当該部分を遮蔽部材（右下パネルフレーム７３００Ｒ及び左下パネルフレーム７３００Ｌ）によって隠すことが可能であり、見栄えの良い視認性を容易に実現することができる。
【０９１３】
（Ｅ−２−１）  遊技者によって視認される対象となる視認対象部（下パネルフィルム７１００）と、
前記視認対象部の表面側に配置されるカバー部材（下パネルベース７２００）と、
前記カバー部材の表面側に配置される遮蔽部材（右下パネルフレーム７３００Ｒ及び左下パネルフレーム７３００Ｌ）と、を備え、
前記視認対象部は、第１領域（中央部７１０１）及び第２領域（右湾曲部７１０２及び左湾曲部７１０３）を備え、前記第１領域及び前記第２領域に対して所定方向（前方向）から光が入射したと仮定した場合、前記第１領域に入射した光の進行方向と前記第２領域に入射した光の進行方向とが異なっており、
前記遮蔽部材は、前記カバー部材の裏面側から取り付け可能な固定部材（ネジ７８１０）によって前記カバー部材に固定されており、
前記カバー部材は、前記固定部材が前記視認対象部に干渉しないように前記固定部材を収める開口部（ネジ孔７２３０及びネジ孔７２４０）を備え、
前記遮蔽部材により前記視認対象部における前記第２領域の少なくとも一部が視認困難となる、
ことを特徴とする遊技機。
【０９１４】
第８実施形態に係る遊技機１によれば、遊技者によって視認される対象となる視認対象部（下パネルフィルム７１００）は、第１領域（中央部７１０１）及び第２領域（右湾曲部７１０２及び左湾曲部７１０３）を備え、第１領域（中央部７１０１）及び第２領域（右湾曲部７１０２及び左湾曲部７１０３）に対して所定方向から光が入射したと仮定した場合、第２領域（右湾曲部７１０２及び左湾曲部７１０３）に入射した光の進行方向は、第１領域（中央部７１０１）に入射した光の進行方向と異なっている。そして、視認対象部（下パネルフィルム７１００）における第２領域（右湾曲部７１０２及び左湾曲部７１０３）の少なくとも一部が遮蔽部材（右下パネルフレーム７３００Ｒ及び左下パネルフレーム７３００Ｌ）によって視認困難となるように構成されている。これにより、視認対象部（下パネルフィルム７１００）の第２領域（右湾曲部７１０２及び左湾曲部７１０３）が歪んで見えるような場合であっても、当該部分を遮蔽部材（右下パネルフレーム７３００Ｒ及び左下パネルフレーム７３００Ｌ）によって隠すことが可能であり、見栄えの良い視認性を容易に実現することができる。また、視認対象部（下パネルフィルム７１００）の表面側には、カバー部材（下パネルベース７２００）が配置されており、遮蔽部材（右下パネルフレーム７３００Ｒ及び左下パネルフレーム７３００Ｌ）は、カバー部材（下パネルベース７２００）の表面側に配置されている。具体的に、遮蔽部材（右下パネルフレーム７３００Ｒ及び左下パネルフレーム７３００Ｌ）は、カバー部材（下パネルベース７２００）の裏面側から取り付け可能な固定部材（ネジ７８１０）によってカバー部材（下パネルベース７２００）に固定されており、カバー部材（下パネルベース７２００）は、固定部材（ネジ７８１０）が視認対象部（下パネルフィルム７１００）に干渉しないように固定部材（ネジ７８１０）を収める開口部（ネジ孔７２３０及びネジ孔７２４０）を備えている。これにより、固定部材（ネジ７８１０）が視認対象部（下パネルフィルム７１００）に干渉してしまうことを防止することが可能であり、干渉に起因して生じる歪み等により、視認対象部（下パネルフィルム７１００）の視認性が低下してしまうことを抑制することができる。
【０９１５】
（Ｅ−２−２）  少なくとも一部に所定のカーブ形状を有する曲がり部（右湾曲部７１０２及び左湾曲部７１０３）が形成された視認対象シート（下パネルフィルム７１００）と、
前記視認対象シートの表面側に配置されるカバー部材（下パネルベース７２００）と、
前記カバー部材に固定される遮蔽部材（右下パネルフレーム７３００Ｒ及び左下パネルフレーム７３００Ｌ）と、を備え、
前記遮蔽部材は、前記カバー部材の裏面側から取り付け可能な固定部材（ネジ７８１０）によって前記カバー部材に固定されており、
前記カバー部材は、前記固定部材が前記視認対象シートに干渉しないように前記固定部材を収める開口部（ネジ孔７２３０及びネジ孔７２４０）を備え、
前記遮蔽部材により前記曲がり部の少なくとも一部が視認困難となる、
ことを特徴とする遊技機。
【０９１６】
第８実施形態に係る遊技機１によれば、視認対象シート（下パネルフィルム７１００）には、少なくとも一部に所定のカーブ形状を有する曲がり部（右湾曲部７１０２及び左湾曲部７１０３）が形成されている。一方で、視認対象シート（下パネルフィルム７１００）の表面側には、カバー部材（下パネルベース７２００）が配置されており、カバー部材（下パネルベース７２００）には、遮蔽部材（右下パネルフレーム７３００Ｒ及び左下パネルフレーム７３００Ｌ）が固定されている。そして、視認対象シート（下パネルフィルム７１００）の曲がり部（右湾曲部７１０２及び左湾曲部７１０３）の少なくとも一部が遮蔽部材（右下パネルフレーム７３００Ｒ及び左下パネルフレーム７３００Ｌ）によって視認困難となるように構成されている。これにより、視認対象シート（下パネルフィルム７１００）の曲がり部（右湾曲部７１０２及び左湾曲部７１０３）が歪んで見えるような場合であっても、当該部分を遮蔽部材（右下パネルフレーム７３００Ｒ及び左下パネルフレーム７３００Ｌ）によって隠すことが可能であり、見栄えの良い視認性を容易に実現することができる。また、遮蔽部材（右下パネルフレーム７３００Ｒ及び左下パネルフレーム７３００Ｌ）は、カバー部材（下パネルベース７２００）の裏面側から取り付け可能な固定部材（ネジ７８１０）によってカバー部材（下パネルベース７２００）に固定されており、カバー部材（下パネルベース７２００）は、固定部材（ネジ７８１０）が視認対象シート（下パネルフィルム７１００）に干渉しないように固定部材（ネジ７８１０）を収める開口部（ネジ孔７２３０及びネジ孔７２４０）を備えている。これにより、固定部材（ネジ７８１０）が視認対象シート（下パネルフィルム７１００）に干渉してしまうことを防止することが可能であり、干渉に起因して生じる歪み等により、視認対象シート（下パネルフィルム７１００）の視認性が低下してしまうことを抑制することができる。
【０９１７】
第８実施形態では、カバー部材（下パネルベース７２００）の裏面側から取り付け可能な固定部材（ネジ７８１０）によって、遮蔽部材（右下パネルフレーム７３００Ｒ及び左下パネルフレーム７３００Ｌ）がカバー部材（下パネルベース７２００）に固定されることとして説明した。本発明において、遮蔽部材（右下パネルフレーム７３００Ｒ及び左下パネルフレーム７３００Ｌ）の固定方法は、特に限定されず、任意の部材に対して任意の手段により取り付けることが可能である。例えば、遮蔽部材（右下パネルフレーム７３００Ｒ及び左下パネルフレーム７３００Ｌ）の裏面側に係止用の爪を設けることとし、カバー部材（下パネルベース７２００）の表面側又は他の部材に対して、遮蔽部材（右下パネルフレーム７３００Ｒ及び左下パネルフレーム７３００Ｌ）を係止することとしてもよい。
【０９１８】
（Ｅ−３−１）  遊技者によって視認される対象となる視認対象部（下パネルフィルム７１００）と、
前記視認対象部の表面側に配置される第１部材（下パネルベース７２００）と、
前記第１部材の表面側に配置される遮蔽部材（右下パネルフレーム７３００Ｒ及び左下パネルフレーム７３００Ｌ）と、
前記視認対象部の裏面側に配置される第２部材（下パネル裏７４００）と、を備え、
前記視認対象部は、第１領域（中央部７１０１）及び第２領域（右湾曲部７１０２及び左湾曲部７１０３）を備え、前記第１領域及び前記第２領域に対して所定方向（前方向）から光が入射したと仮定した場合、前記第１領域における入射角（図１９４（ｂ）に示すα）よりも前記第２領域における入射角（図１９４（ｂ）に示すβ）の方が大きく、
前記遮蔽部材により前記視認対象部における前記第２領域の少なくとも一部が視認困難となり、
前記第１部材と前記第２部材とは、係止部（右側係止片７４５２Ｒ及び左側係止片７４５２Ｌ、並びに、右側係止用孔７２５２Ｒ及び左側係止用孔７２５２Ｌ）により係止される、
ことを特徴とする遊技機。
【０９１９】
第８実施形態に係る遊技機１によれば、遊技者によって視認される対象となる視認対象部（下パネルフィルム７１００）は、第１領域（中央部７１０１）及び第２領域（右湾曲部７１０２及び左湾曲部７１０３）を備え、第１領域（中央部７１０１）及び第２領域（右湾曲部７１０２及び左湾曲部７１０３）に対して所定方向から光が入射したと仮定した場合、第１領域（中央部７１０１）における入射角（図１９４（ｂ）に示すα）よりも第２領域（右湾曲部７１０２及び左湾曲部７１０３）における入射角（図１９４（ｂ）に示すβ）の方が大きくなっている。そして、視認対象部（下パネルフィルム７１００）における第２領域（右湾曲部７１０２及び左湾曲部７１０３）の少なくとも一部が遮蔽部材（右下パネルフレーム７３００Ｒ及び左下パネルフレーム７３００Ｌ）によって視認困難となるように構成されている。これにより、視認対象部（下パネルフィルム７１００）の第２領域（右湾曲部７１０２及び左湾曲部７１０３）が歪んで見えるような場合であっても、当該部分を遮蔽部材（右下パネルフレーム７３００Ｒ及び左下パネルフレーム７３００Ｌ）によって隠すことが可能であり、見栄えの良い視認性を容易に実現することができる。また、視認対象部（下パネルフィルム７１００）の表面側には、第１部材（下パネルベース７２００）が配置されており、遮蔽部材（右下パネルフレーム７３００Ｒ及び左下パネルフレーム７３００Ｌ）は、第１部材（下パネルベース７２００）の表面側に配置されている。一方、視認対象部（下パネルフィルム７１００）の裏面側には、第２部材（下パネル裏７４００）が配置されており、第１部材（下パネルベース７２００）と第２部材（下パネル裏７４００）とは、係止部（右側係止片７４５２Ｒ及び左側係止片７４５２Ｌ、並びに、右側係止用孔７２５２Ｒ及び左側係止用孔７２５２Ｌ）により係止されている。これにより、視認対象部（下パネルフィルム７１００）は、第１部材（下パネルベース７２００）と第２部材（下パネル裏７４００）との間に配置されるところ、第２部材（下パネル裏７４００）は第１部材（下パネルベース７２００）に係止されているため、第２部材（下パネル裏７４００）を第１部材（下パネルベース７２００）に対して螺子締結により取り付ける必要がない。ここで、仮に、第１部材（下パネルベース７２００）と第２部材（下パネル裏７４００）とを螺子を用いて締結することとした場合、螺子穴の大きさに個体差が存在することに起因して、螺子を強く締めた際に、視認対象部（下パネルフィルム７１００）が第１部材（下パネルベース７２００）と第２部材（下パネル裏７４００）とによって押し込まれることで、視認対象部（下パネルフィルム７１００）に歪みが生じてしまうことが懸念される。この点、第８実施形態に係る遊技機１によれば、このような事態が発生してしまうことを防止することが可能であり、そのような歪みに起因して視認対象部（下パネルフィルム７１００）の視認性が低下してしまうことを抑制することができる。
【０９２０】
（Ｅ−３−２）  少なくとも一部に所定の曲率を有する曲がり部（右湾曲部７１０２及び左湾曲部７１０３）が形成された視認対象シート（下パネルフィルム７１００）と、
前記視認対象シートの表面側に配置される第１部材（下パネルベース７２００）と、
前記第１部材の表面側に配置される遮蔽部材（右下パネルフレーム７３００Ｒ及び左下パネルフレーム７３００Ｌ）と、
前記視認対象シートの裏面側に配置される第２部材（下パネル裏７４００）と、を備え、
前記遮蔽部材により前記曲がり部の少なくとも一部が視認困難となり、
前記第１部材と前記第２部材とは、係止部（右側係止片７４５２Ｒ及び左側係止片７４５２Ｌ、並びに、右側係止用孔７２５２Ｒ及び左側係止用孔７２５２Ｌ）により係止される、
ことを特徴とする遊技機。
【０９２１】
第８実施形態に係る遊技機１によれば、視認対象シート（下パネルフィルム７１００）には、少なくとも一部に所定の曲率を有する曲がり部（右湾曲部７１０２及び左湾曲部７１０３）が形成されている。一方で、視認対象シート（下パネルフィルム７１００）の表面側には、第１部材（下パネルベース７２００）が配置されており、第１部材（下パネルベース７２００）の表面側には、遮蔽部材（右下パネルフレーム７３００Ｒ及び左下パネルフレーム７３００Ｌ）が配置されている。そして、視認対象シート（下パネルフィルム７１００）の曲がり部（右湾曲部７１０２及び左湾曲部７１０３）の少なくとも一部が遮蔽部材（右下パネルフレーム７３００Ｒ及び左下パネルフレーム７３００Ｌ）によって視認困難となるように構成されている。これにより、視認対象シート（下パネルフィルム７１００）の曲がり部（右湾曲部７１０２及び左湾曲部７１０３）が歪んで見えるような場合であっても、当該部分を遮蔽部材（右下パネルフレーム７３００Ｒ及び左下パネルフレーム７３００Ｌ）によって隠すことが可能であり、見栄えの良い視認性を容易に実現することができる。また、視認対象シート（下パネルフィルム７１００）の裏面側には、第２部材（下パネル裏７４００）が配置されており、第１部材（下パネルベース７２００）と第２部材（下パネル裏７４００）とは、係止部（右側係止片７４５２Ｒ及び左側係止片７４５２Ｌ、並びに、右側係止用孔７２５２Ｒ及び左側係止用孔７２５２Ｌ）により係止されている。これにより、視認対象シート（下パネルフィルム７１００）は、第１部材（下パネルベース７２００）と第２部材（下パネル裏７４００）との間に配置されるところ、第２部材（下パネル裏７４００）は第１部材（下パネルベース７２００）に係止されているため、第２部材（下パネル裏７４００）を第１部材（下パネルベース７２００）に対して螺子締結により取り付ける必要がない。ここで、仮に、第１部材（下パネルベース７２００）と第２部材（下パネル裏７４００）とを螺子を用いて締結することとした場合、螺子穴の大きさに個体差が存在することに起因して、螺子を強く締めた際に、視認対象シート（下パネルフィルム７１００）が第１部材（下パネルベース７２００）と第２部材（下パネル裏７４００）とによって押し込まれることで、視認対象シート（下パネルフィルム７１００）に歪みが生じてしまうことが懸念される。この点、第８実施形態に係る遊技機１によれば、このような事態が発生してしまうことを防止することが可能であり、そのような歪みに起因して視認対象シート（下パネルフィルム７１００）の視認性が低下してしまうことを抑制することができる。
【０９２２】
（Ｅ−４−１）  遊技者によって視認される対象となる視認対象部（下パネルフィルム７１００）と、
前記視認対象部の表面側に配置される第１部材（下パネルベース７２００）と、
前記第１部材の表面側に配置される遮蔽部材（右下パネルフレーム７３００Ｒ及び左下パネルフレーム７３００Ｌ）と、
前記視認対象部の裏面側に配置される第２部材（下パネル裏７４００）と、
前記第２部材の裏面側に配置される第３部材（下パネル下７５００）と、を備え、
前記視認対象部は、第１領域（中央部７１０１）及び第２領域（右湾曲部７１０２及び左湾曲部７１０３）を備え、前記第１領域及び前記第２領域に跨って形成された視認対象面を有しており、
前記視認対象面のうち前記第１領域に形成されている部分及び前記第２領域に形成されている部分において、それぞれ仮想的な接線として第１の接線（図１９４（ｂ）に示すＬ１（Ｘ））及び第２の接線（図１９４（ｂ）に示すＬ１（Ｙ））を引いた場合、前記第１の接線の方向と前記第２の接線の方向とが異なっており、
前記遮蔽部材により前記視認対象部における前記第２領域の少なくとも一部が視認困難となり、
前記第１部材と前記第２部材とが係止部（右側係止片７４５２Ｒ及び左側係止片７４５２Ｌ、並びに、右側係止用孔７２５２Ｒ及び左側係止用孔７２５２Ｌ）により係止され、
前記第１部材と前記第３部材とが固定部材（ネジ７８２０）により固定される、
ことを特徴とする遊技機。
【０９２３】
第８実施形態に係る遊技機１によれば、遊技者によって視認される対象となる視認対象部（下パネルフィルム７１００）は、第１領域（中央部７１０１）及び第２領域（右湾曲部７１０２及び左湾曲部７１０３）を備え、第１領域（中央部７１０１）及び第２領域（右湾曲部７１０２及び左湾曲部７１０３）に跨って形成された視認対象面を有している。視認対象面のうち第１領域（中央部７１０１）に形成されている部分及び第２領域（右湾曲部７１０２及び左湾曲部７１０３）に形成されている部分において、それぞれ仮想的な接線として第１の接線（図１９４（ｂ）に示すＬ１（Ｘ））及び第２の接線（図１９４（ｂ）に示すＬ１（Ｙ））を引いた場合、第１の接線（図１９４（ｂ）に示すＬ１（Ｘ））の方向と第２の接線（図１９４（ｂ）に示すＬ１（Ｙ））の方向とが異なっている。すなわち、視認対象面のうち第２領域（右湾曲部７１０２及び左湾曲部７１０３）に形成されている部分は、第１領域（中央部７１０１）に形成されている部分と比較して、面形成の方向が異なっている。そして、視認対象部（下パネルフィルム７１００）における第２領域（右湾曲部７１０２及び左湾曲部７１０３）の少なくとも一部が遮蔽部材（右下パネルフレーム７３００Ｒ及び左下パネルフレーム７３００Ｌ）によって視認困難となるように構成されている。これにより、視認対象面のうち第２領域（右湾曲部７１０２及び左湾曲部７１０３）に形成されている部分における見栄えが悪くなるような場合であっても、当該部分を遮蔽部材（右下パネルフレーム７３００Ｒ及び左下パネルフレーム７３００Ｌ）によって隠すことが可能であり、見栄えの良い視認性を容易に実現することができる。また、視認対象部（下パネルフィルム７１００）の表面側には、第１部材（下パネルベース７２００）が配置されており、遮蔽部材（右下パネルフレーム７３００Ｒ及び左下パネルフレーム７３００Ｌ）は、第１部材（下パネルベース７２００）の表面側に配置されている。一方、視認対象部（下パネルフィルム７１００）の裏面側には、第２部材（下パネル裏７４００）が配置されており、第１部材（下パネルベース７２００）と第２部材（下パネル裏７４００）とは、係止部（右側係止片７４５２Ｒ及び左側係止片７４５２Ｌ、並びに、右側係止用孔７２５２Ｒ及び左側係止用孔７２５２Ｌ）により係止されている。これにより、視認対象部（下パネルフィルム７１００）は、第１部材（下パネルベース７２００）と第２部材（下パネル裏７４００）との間に配置されるところ、第２部材（下パネル裏７４００）は第１部材（下パネルベース７２００）に係止されているため、第２部材（下パネル裏７４００）を第１部材（下パネルベース７２００）に対して螺子締結により取り付ける必要がない。ここで、仮に、第１部材（下パネルベース７２００）と第２部材（下パネル裏７４００）とを螺子を用いて締結することとした場合、螺子穴の大きさに個体差が存在することに起因して、螺子を強く締めた際に、視認対象部（下パネルフィルム７１００）が第１部材（下パネルベース７２００）と第２部材（下パネル裏７４００）とによって押し込まれることで、視認対象部（下パネルフィルム７１００）に歪みが生じてしまうことが懸念される。この点、第８実施形態に係る遊技機１によれば、このような事態が発生してしまうことを防止することが可能であり、そのような歪みに起因して視認対象部（下パネルフィルム７１００）の視認性が低下してしまうことを抑制することができる。さらに、第２部材（下パネル裏７４００）の裏面側には、第３部材（下パネル下７５００）が配置されており、第１部材（下パネルベース７２００）と第３部材（下パネル下７５００）とが固定部材（ネジ７８２０）により固定されている。これにより、第１部材（下パネルベース７２００）と第３部材（下パネル下７５００）との間において、視認対象部（下パネルフィルム７１００）及び第２部材（下パネル裏７４００）を安定的に配置することが可能であり、視認対象部（下パネルフィルム７１００）の視認性を高い状態に維持することができる。
【０９２４】
（Ｅ−４−２）  少なくとも一部に所定の曲率を有する曲がり部（右湾曲部７１０２及び左湾曲部７１０３）が形成された視認対象シート（下パネルフィルム７１００）と、
前記視認対象シートの表面側に配置される第１部材（下パネルベース７２００）と、
前記第１部材の表面側に配置される遮蔽部材（右下パネルフレーム７３００Ｒ及び左下パネルフレーム７３００Ｌ）と、
前記視認対象シートの裏面側に配置される第２部材（下パネル裏７４００）と、
前記第２部材の裏面側に配置される第３部材（下パネル下７５００）と、を備え、
前記遮蔽部材により前記曲がり部の少なくとも一部が視認困難となり、
前記第１部材と前記第２部材とが係止部（右側係止片７４５２Ｒ及び左側係止片７４５２Ｌ、並びに、右側係止用孔７２５２Ｒ及び左側係止用孔７２５２Ｌ）により係止され、
前記第１部材と前記第３部材とが固定部材（ネジ７８２０）により固定される、
ことを特徴とする遊技機。
【０９２５】
第８実施形態に係る遊技機１によれば、視認対象シート（下パネルフィルム７１００）には、少なくとも一部に所定の曲率を有する曲がり部（右湾曲部７１０２及び左湾曲部７１０３）が形成されている。一方で、視認対象シート（下パネルフィルム７１００）の表面側には、第１部材（下パネルベース７２００）が配置されており、第１部材（下パネルベース７２００）の表面側には、遮蔽部材（右下パネルフレーム７３００Ｒ及び左下パネルフレーム７３００Ｌ）が配置されている。そして、視認対象シート（下パネルフィルム７１００）の曲がり部（右湾曲部７１０２及び左湾曲部７１０３）の少なくとも一部が遮蔽部材（右下パネルフレーム７３００Ｒ及び左下パネルフレーム７３００Ｌ）によって視認困難となるように構成されている。これにより、視認対象シート（下パネルフィルム７１００）の曲がり部（右湾曲部７１０２及び左湾曲部７１０３）が歪んで見えるような場合であっても、当該部分を遮蔽部材（右下パネルフレーム７３００Ｒ及び左下パネルフレーム７３００Ｌ）によって隠すことが可能であり、見栄えの良い視認性を容易に実現することができる。また、視認対象シート（下パネルフィルム７１００）の裏面側には、第２部材（下パネル裏７４００）が配置されており、第１部材（下パネルベース７２００）と第２部材（下パネル裏７４００）とは、係止部（右側係止片７４５２Ｒ及び左側係止片７４５２Ｌ、並びに、右側係止用孔７２５２Ｒ及び左側係止用孔７２５２Ｌ）により係止されている。これにより、視認対象シート（下パネルフィルム７１００）は、第１部材（下パネルベース７２００）と第２部材（下パネル裏７４００）との間に配置されるところ、第２部材（下パネル裏７４００）は第１部材（下パネルベース７２００）に係止されているため、第２部材（下パネル裏７４００）を第１部材（下パネルベース７２００）に対して螺子締結により取り付ける必要がない。ここで、仮に、第１部材（下パネルベース７２００）と第２部材（下パネル裏７４００）とを螺子を用いて締結することとした場合、螺子穴の大きさに個体差が存在することに起因して、螺子を強く締めた際に、視認対象シート（下パネルフィルム７１００）が第１部材（下パネルベース７２００）と第２部材（下パネル裏７４００）とによって押し込まれることで、視認対象シート（下パネルフィルム７１００）に歪みが生じてしまうことが懸念される。この点、第８実施形態に係る遊技機１によれば、このような事態が発生してしまうことを防止することが可能であり、そのような歪みに起因して視認対象シート（下パネルフィルム７１００）の視認性が低下してしまうことを抑制することができる。さらに、第２部材（下パネル裏７４００）の裏面側には、第３部材（下パネル下７５００）が配置されており、第１部材（下パネルベース７２００）と第３部材（下パネル下７５００）とが固定部材（ネジ７８２０）により固定されている。これにより、第１部材（下パネルベース７２００）と第３部材（下パネル下７５００）との間において、視認対象シート（下パネルフィルム７１００）及び第２部材（下パネル裏７４００）を安定的に配置することが可能であり、視認対象シート（下パネルフィルム７１００）の視認性を高い状態に維持することができる。
【０９２６】
第８実施形態では、遮蔽部材（右下パネルフレーム７３００Ｒ及び左下パネルフレーム７３００Ｌ）が視認対象部（視認対象シート：腰部パネル７０００の備える下パネルフィルム７１００）の少なくとも一部を視認困難とするものであることとして説明した。本発明における視認対象部（視認対象シート）は、腰部パネル（前面ドアの下部に設けられた装飾ユニット）の備える装飾シート（下パネルフィルム７１００）に限定されず、トップパネル（前面ドアの上部に設けられた装飾ユニット、図６５参照）の備える装飾シートであってもよい。また、本発明における視認対象部（視認対象シート）は、当該シートに予め装飾（模様や絵柄）の施されたものに限定されず、模様や絵柄に対応する画像を表示可能なシート（スクリーン、例えば、図６７に示すスクリーンシート１０４６）であってもよい。
【０９２７】
また、第８実施形態では、遮蔽部材（右下パネルフレーム７３００Ｒ及び左下パネルフレーム７３００Ｌ）が、右側に配置された遮蔽部材（右下パネルフレーム７３００Ｒ）と左側に配置された遮蔽部材（左下パネルフレーム７３００Ｌ）とによって構成されることとして説明した。本発明においては、右側の遮蔽部材（右下パネルフレーム７３００Ｒ）と左側の遮蔽部材（左下パネルフレーム７３００Ｌ）とのうち、何れか一方のみが設けられることとしてもよい。例えば、左側の曲がり部（左湾曲部７１０３）と右側の曲がり部（右湾曲部７１０２）とのうち、デザイン上、左側の曲がり部（左湾曲部７１０３）の見栄えは問題となるが、右側の曲がり部（右湾曲部７１０２）の見栄えは問題とならないような場合、左側の曲がり部（左湾曲部７１０３）のみが視認困難となるように、左側の遮蔽部材（左下パネルフレーム７３００Ｌ）のみを配置することとしてもよい。
【０９２８】
曲がり部の見栄えが問題とならないような場合としては、例えば、曲がり部には単に色が付されているにすぎないような場合を挙げることができる。例えば、視認対象部（視認対象シート：下パネルフィルム７１００）全体に所定の絵柄が描かれており、当該所定の絵柄は、絵柄を構成する主要部分（輪郭等）と、単一の色が付されているだけの部分（単色部分）と、を含むものとする。このような例において、当該所定の絵柄のうち曲がり部に配されているのが上記単色部分であるような場合、当該曲がり部を視認困難とする遮蔽部材（下パネルフレーム）は、配置しないこととしてもよい。
【０９２９】
遮蔽部材（下パネルフレーム）の配置位置に関しては、遊技者の視点を考慮すると、曲率が最大となる曲がり部を視認困難とするように遮蔽部材（下パネルフレーム）を配置することが一定の合理性を有しているが、本発明において、遮蔽部材（下パネルフレーム）の配置位置は、曲率が最大となる曲がり部の表面側（前方）に限定されない。例えば、視認対象部（視認対象シート）が第１の曲がり部及び第２の曲がり部を有し、第１の曲がり部の曲率が第２の曲がり部の曲率よりも大きい場合に、第１の曲がり部の前方（遊技者側）には遮蔽部材（下パネルフレーム）を配置しない一方で、第２の曲がり部の前方（遊技者側）に遮蔽部材（下パネルフレーム）を配置することとしてもよい。例えば、上記所定の絵柄のうち第２の曲がり部に上記主要部分が配されている一方で、第１の曲がり部に上記単色部分が配されているような場合には、遮蔽部材（下パネルフレーム）をこのように配置してもよい。本発明においては、視認対象部（視認対象シート）及び遮蔽部材（下パネルフレーム）によって総合的に創出される美観を考慮して、遮蔽部材（下パネルフレーム）の配置位置を適宜決定することが可能である。
【０９３０】
また、遮蔽部材（右下パネルフレーム７３００Ｒ及び左下パネルフレーム７３００Ｌ）には、装飾を施すこととしてもよい。遮蔽部材（右下パネルフレーム７３００Ｒ及び左下パネルフレーム７３００Ｌ）に施される装飾としては、視認対象部（視認対象シート：下パネルフィルム７１００）に施される装飾（例えば、機種に応じたロゴ等に対応する模様や絵柄等のデザイン）と関連性を有する装飾を挙げることができる。また、遮蔽部材（右下パネルフレーム７３００Ｒ及び左下パネルフレーム７３００Ｌ）の色は、視認対象部（視認対象シート：下パネルフィルム７１００）の色と同一又は類似の色とすることができる。これにより、遮蔽部材（右下パネルフレーム７３００Ｒ及び左下パネルフレーム７３００Ｌ）を目立たせずに、視認対象部（視認対象シート：下パネルフィルム７１００）のデザインと調和を図ることが可能であり、遊技機の美観を高めることができる。
【０９３１】
一方、遮蔽部材（右下パネルフレーム７３００Ｒ及び左下パネルフレーム７３００Ｌ）には、銀色や金色等のメッキ加工を施すこととしてもよい。これにより、遮蔽部材（右下パネルフレーム７３００Ｒ及び左下パネルフレーム７３００Ｌ）の立体装飾による造形美を強調しつつ、曲がり部（右湾曲部７１０２及び左湾曲部７１０３）を確実に遮蔽することができる。
【０９３２】
また、遮蔽部材（右下パネルフレーム７３００Ｒ及び左下パネルフレーム７３００Ｌ）は、装飾ユニット（腰部パネル）において突出した立体装飾として配置されているところ、遮蔽部材（右下パネルフレーム７３００Ｒ及び左下パネルフレーム７３００Ｌ）を備えた遊技機が遊技場に設置された場合、当該遮蔽部材（右下パネルフレーム７３００Ｒ及び左下パネルフレーム７３００Ｌ）は、遊技場内において何れの遊技機で遊技を行うかを検討している遊技客の目に止まりやすい。そこで、当該遊技機の存在や魅力を遊技客に対してアピールすべく、遮蔽部材（右下パネルフレーム７３００Ｒ及び左下パネルフレーム７３００Ｌ）において機種名やメーカーロゴ、遊技情報（例えば、ボーナスへの当籤確率や配当表の一部）等を表示（記載）してもよい。また、遮蔽部材（右下パネルフレーム７３００Ｒ及び左下パネルフレーム７３００Ｌ）が装飾シートを備えることとし、当該装飾シートに対して、遊技機に採用されたコンテンツに関するキャラクタやアイテム等を印刷してもよい。また、遮蔽部材（右下パネルフレーム７３００Ｒ及び左下パネルフレーム７３００Ｌ）自体を、当該コンテンツと関連性を有する立体的形状（キャラクタやアイテム等に対応する形状）として形成してもよい。これにより、遊技機に対する注目度を高めることができる。
【０９３３】
以上、遮蔽部材（右下パネルフレーム７３００Ｒ及び左下パネルフレーム７３００Ｌ）に施される装飾（デザイン、色彩等）について説明したが、当該装飾に関する工夫は、上記のうちの１つのみを採用することとしてもよいし、複数を組み合わせて採用することとしてもよいし、その他の工夫を組み合わせて採用することとしてもよい。なお、カバー部材（下パネルベース７２００）は、装飾を施すこととしてもよいし、無色透明に構成してもよい。カバー部材（下パネルベース７２００）に装飾が施される場合、カバー部材（下パネルベース７２００）は、視認対象シート（下パネルフィルム７１００）とともに、本発明における視認対象部を構成することになる。
【０９３４】
また、第８実施形態では、複数の曲がり部（右湾曲部７１０２及び左湾曲部７１０３）が互いに離間して設けられる場合に、各曲がり部を個別に視認困難とするように、複数の遮蔽部材（右下パネルフレーム７３００Ｒ及び左下パネルフレーム７３００Ｌ）が互いに離間して配置されることとして説明した。本発明においては、このように、複数の曲がり部（右湾曲部７１０２及び左湾曲部７１０３）が互いに離間して設けられる場合、当該複数の曲がり部（右湾曲部７１０２及び左湾曲部７１０３）を視認困難とする遮蔽部材（下パネルフレーム）として、各曲がり部をそれぞれ視認困難とするための複数の遮蔽用部位（例えば、右下パネルフレーム７３００Ｒ及び左下パネルフレーム７３００Ｌ）と、該複数の遮蔽用部位を接続する部位（例えば、中央部７１０１と略同じ横幅を有して、右下パネルフレーム７３００Ｒと左下パネルフレーム７３００Ｌとを繋ぐ部位）と、によって構成される１個の遮蔽部材（例えば、右下パネルフレーム７３００Ｒと、左下パネルフレーム７３００Ｌと、右下パネルフレーム７３００Ｒ及び左下パネルフレーム７３００Ｌの上部同士を繋ぐように左右に延在する部位と、右下パネルフレーム７３００Ｒ及び左下パネルフレーム７３００Ｌの下部同士を繋ぐように左右に延在する部位と、によって構成される１個のパネルフレーム）を採用してもよい。
【０９３５】
また、本発明においては、視認対象部（下パネルフィルム７１００）における第２領域（右湾曲部７１０２及び左湾曲部７１０３）を視認困難とするための遮蔽部材（右下パネルフレーム７３００Ｒ及び左下パネルフレーム７３００Ｌ）以外にも、遮蔽部材（追加パネルフレーム）を設けることとしてもよい。そのような追加パネルフレームとして、例えば、視認対象部（下パネルフィルム７１００）における第１領域（中央部７１０１）の表面側に所定形状（例えば、Ｖ字状）のパネルフレームを設け、右下パネルフレーム７３００Ｒと左下パネルフレーム７３００Ｌと当該追加パネルフレームとによって、一体的な立体装飾部として機能させる（一体的な立体感を創出する）こととしてもよい。そのためには、視認対象部（下パネルフィルム７１００）の表面側（腰部パネルの前面側）にパネルフレーム（装飾）を追加すればよく、当該追加パネルフレーム自体の設計及び追加パネルフレームのカバー部材（下パネルベース７２００）等への取付構造の設計を行うだけで、当該立体感を作り出すことが可能となる。この点、視認対象部（下パネルフィルム７１００）の裏面側（腰部パネルの背面側）のスペースに立体装飾を追加する場合には、配線やメダルシュート、基板等の配置を変更する必要があるところ、上記のように視認対象部（下パネルフィルム７１００）の表面側（腰部パネルの前面側）にパネルフレーム（装飾）を追加する方法によれば、そのような配置変更が不要であり、比較的低コスト及び短い開発期間で遊技機の外観における印象を刷新することができる。
【０９３６】
また、本発明においては、遮蔽部材（右下パネルフレーム７３００Ｒ及び左下パネルフレーム７３００Ｌ）とカバー部材（下パネルベース７２００）との間に、何らかの遊技機構成部品を配置したり、遮蔽部材（右下パネルフレーム７３００Ｒ及び左下パネルフレーム７３００Ｌ）の中に遊技機構成部品を配置したりしてもよい。その場合には、第８実施形態で説明した遮蔽部材（右下パネルフレーム７３００Ｒ及び左下パネルフレーム７３００Ｌ）と比較して大型化した遮蔽部材（パネルフレーム）を採用するとよい。これにより、そのような遊技機構成部品を増設することが可能となる。そのような遊技機構成部品は、右側の遮蔽部材（パネルフレーム）と左側の遮蔽部材（パネルフレーム）とのうち、何れか一方にのみ設けてもよいし、双方の遮蔽部材（パネルフレーム）に設けてもよい。左右双方の遮蔽部材（パネルフレーム）に遊技機構成部品を設ける場合には、左右に同じ遊技機構成部品を設けてもよいし、左右で異なる遊技機構成部品を設けてもよい。また、３つ以上の遮蔽部材（パネルフレーム）が設けられる場合には、何れか１つの遮蔽部材（パネルフレーム）にのみ遊技機構成部品を設けてもよいし、任意の複数の遮蔽部材（パネルフレーム）に遊技機構成部品を設けてもよいし、全ての遮蔽部材（パネルフレーム）に遊技機構成部品を設けてもよい。また、１つの遮蔽部材（パネルフレーム）には、１つの遊技機構成部品（機構）のみを設けてもよいし、複数の機構を併せて設けてもよい。
【０９３７】
上記遊技機構成部品としては、例えば、発光基板を挙げることができる。発光基板にＬＥＤを設置し、ＬＥＤの発光を制御することにより、遮蔽部材（パネルフレーム）を光らせることが可能であり、演出効果を高めることができる。また、当該発光基板（第１の発光基板）に加えて、視認対象部（下パネルフィルム７１００）のうち遮蔽部材（パネルフレーム）によって遮蔽されない部分の裏面側にも発光基板（第２の発光基板）を設けることとしてもよい。第１の発光基板による発光及び第２の発光基板による発光（発光演出パターン）は、一体的な発光パターン（双方とも発光又は双方とも消灯等）として行われてもよいし、各発光基板による発光が別個に制御されてもよい。例えば、遮蔽部材（パネルフレーム）によって遮蔽されない部分は消灯する一方、遮蔽部材（パネルフレーム）は発光させるといったような演出を行うことで、遮蔽部材（パネルフレーム）の立体装飾を際立たせることができる。なお、このような発光基板を設ける場合には、電源供給用及び演出制御部（サブ制御装置ＳＳ）への接続用のハーネスを通すための開口を腰部パネルの下部（下パネル下７５００等）に設けるとよい。また、発光基板とともに、光拡散シート等の偏光部材を併せて設けることとしてもよいし、遮蔽部材（パネルフレーム）の前面又は側面に偏光用の加工を施すこととしてもよい。視認対象部（下パネルフィルム７１００）の曲がり部（右湾曲部７１０２及び左湾曲部７１０３）は、発光基板自体によって遮蔽してもよいし、発光基板とは別に曲がり部（右湾曲部７１０２及び左湾曲部７１０３）を遮蔽するための部材（シートやプレート等）を設けることとしてもよい。発光基板による発光演出としては、遊技状態を示唆する演出や、所定の情報（遊技者にとって有利な情報、ボーナス当籤等）を報知する演出等を行うことが可能であり、また、当該発光によりエラー報知を行うこととしてもよい。
【０９３８】
また、上記遊技機構成部品としては、例えば、遊技用操作部（スタートレバー、ストップボタン、精算ボタン、ベットボタン等）を挙げることができる。例えば、遮蔽部材（パネルフレーム）の前面に上記遊技用操作部の一部を配置する一方、遮蔽部材（パネルフレーム）の内部に当該遊技用操作部が操作されたことを検出するためのセンサや基板等を配置することが可能である。このような設計を行うことにより、例えば、遮蔽部材（パネルフレーム）が大きく、腰部パネル上のコントロールパネル部（操作手段配置部）が狭くなった場合等に、スペースを有効活用することができる。視認対象部（下パネルフィルム７１００）の曲がり部（右湾曲部７１０２及び左湾曲部７１０３）は、上記遊技機構成部品自体によって遮蔽してもよいし、上記遊技機構成部品とは別に曲がり部（右湾曲部７１０２及び左湾曲部７１０３）を遮蔽するための部材（シートやプレート等）を設けることとしてもよい。
【０９３９】
また、上記遊技機構成部品としては、例えば、演出用操作部（演出用ボタン、演出用レバー、ジョグダイヤル等）を挙げることができる。例えば、遮蔽部材（パネルフレーム）の前面に上記演出用操作部を配置する一方、遮蔽部材（パネルフレーム）の内部に当該演出用操作部が操作されたことを検出するためのセンサや基板等を配置することが可能である。例えば、コントロールパネル部（操作手段配置部）に通常の演出用ボタン（第１の演出ボタン）を設ける一方、遮蔽部材（パネルフレーム）に第２の演出ボタンを設け、操作演出時に操作指示の対象となる操作手段が、第１の演出ボタンと第２の演出ボタンとのうち何れの演出ボタンになるのかによって、当り等の期待度が異なる（例えば、第２の演出ボタンを操作する旨促された場合には、期待度が高い、当りが確定する等）こととしてもよい。視認対象部（下パネルフィルム７１００）の曲がり部（右湾曲部７１０２及び左湾曲部７１０３）は、上記遊技機構成部品自体によって遮蔽してもよいし、上記遊技機構成部品とは別に曲がり部（右湾曲部７１０２及び左湾曲部７１０３）を遮蔽するための部材（シートやプレート等）を設けることとしてもよい。
【０９４０】
また、上記遊技機構成部品としては、例えば、遮蔽部材（パネルフレーム）を振動させるための振動機構（モータやソレノイド等）を挙げることができる。当該振動機構を用いて遮蔽部材（パネルフレーム）を振動させることにより、遊技状態や期待度を示唆乃至報知する演出等を行うこととしてもよい。また、当該振動機構及び上記演出用操作部の双方を遮蔽部材（パネルフレーム）に配置することで、演出用操作部の操作時（ボタン押下時）に遊技者の手に振動が伝わるように構成してもよい。また、このような振動機構を設ける場合には、遮蔽部材（パネルフレーム）とカバー部材（下パネルベース７２００）との間に、衝撃吸収用の緩衝部材（ウレタンゴムやシリコンゴム等の合成ゴムからなるシート等）を配置することとしてもよい。視認対象部（下パネルフィルム７１００）の曲がり部（右湾曲部７１０２及び左湾曲部７１０３）は、上記遊技機構成部品自体によって遮蔽してもよいし、上記遊技機構成部品とは別に曲がり部（右湾曲部７１０２及び左湾曲部７１０３）を遮蔽するための部材（シートやプレート等）を設けることとしてもよい。
【０９４１】
また、上記遊技機構成部品としては、例えば、スピーカを挙げることができる。スピーカを配置する場合には、遮蔽部材（パネルフレーム）の前面及び側面のうちの何れか一方又は双方に出音用の開口（スピーカ表面の網目状部）を設けることとしてもよい。右側の遮蔽部材（パネルフレーム）及び左側の遮蔽部材（パネルフレーム）の双方にスピーカを配置すれば、遊技者に近い位置からステレオ音源で迫力のある音響演出を行うことができる。視認対象部（下パネルフィルム７１００）の曲がり部（右湾曲部７１０２及び左湾曲部７１０３）は、上記遊技機構成部品自体によって遮蔽してもよいし、上記遊技機構成部品とは別に曲がり部（右湾曲部７１０２及び左湾曲部７１０３）を遮蔽するための部材（シートやプレート等）を設けることとしてもよい。
【０９４２】
また、上記遊技機構成部品としては、例えば、送風機構（シロッコファン等のファン）を挙げることができる。送風機構を配置する場合には、遮蔽部材（パネルフレーム）の前面及び側面のうちの何れか一方又は双方に通風用の開口を設けることにより、遊技者側に向けて送風を行う演出を実行可能なように構成してもよい。これにより、遊技状態や期待度の示唆乃至報知等を体感的な演出として行うことが可能となる。
【０９４３】
また、上記遊技機構成部品としては、例えば、駆動機構を挙げることができる。例えば、遮蔽部材（パネルフレーム）の一部に可動装飾部を設けつつ、駆動源（モータやソレノイド等）を設けることにより、可動役物として機能させてもよい。また、上記遊技機構成部品としては、例えば、遊技者が手等を近接させると検知可能なセンサ（赤外線センサ等の近接センサ）や遊技者が手等を接触させると検知可能なタッチセンサ（タッチパネル）等を挙げることができる。このようなセンサを配置することにより、演出用操作に用いることとしてもよい。また、上記遊技機構成部品としては、例えば、画像表示部を挙げることができる。例えば、小型の液晶画面を配置することにより、演出を行うこととしてもよい。
【０９４４】
＜付記（その他）＞
従来、複数の図柄がそれぞれの表面に配された複数のリールと、遊技メダルやコイン等（「メダル等」）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチおよびストップスイッチにより出力された信号に基づいて、ステッピングモータの動作を制御し、各リールの回転およびその停止を行うリール制御部とを備え、スタートレバーが操作されたことを検出すると、乱数値に基づいて抽籤を行い、この抽籤の結果（「内部当籤役」）とストップボタンが操作されたことを検出したタイミングとに基づいてリールの回転の停止を行う、いわゆるパチスロと称される遊技機が知られている。
【０９４５】
しかしながら、従来のパチスロでは、本発明のような遊技機としての構成や機能を有さないことから、興趣の向上を効果的に図ることができなかった。本発明は、このような点に鑑みてなされたものであり、遊技の興趣を向上させることが可能な遊技機を提供することを目的とする。
【０９４６】
［第９実施形態］
以上、第１実施形態〜第８実施形態について説明した。以下、第９実施形態について説明する。第９実施形態に係る遊技機１の基本的な構成は、第１実施形態〜第８実施形態に係る遊技機１と同じである。以下においては、第１実施形態〜第８実施形態に係る遊技機１の構成要素と同一の構成要素には、同一の符号を付して説明することとする。また、第１実施形態〜第８実施形態における説明が第９実施形態においても当てはまる部分については、説明を省略することとする。
【０９４７】
図２１５及び図２１６に示すように、遊技機１の外観は、矩形箱状の筐体２により構成されている。筐体２は、遊技機本体として前面側に矩形状の開口を有する金属製のキャビネットＧと、キャビネットＧの前面上部に配置され、開閉可能な扉部材としての上ドア機構ＵＤ２と、キャビネットＧの前面下部に配置され、開閉可能な下ドア機構ＤＤ２とを有している。
【０９４８】
上ドア機構ＵＤ２及び下ドア機構ＤＤ２は、両方でキャビネットＧの開口の形状及び大きさに対応するように形成されている。上ドア機構ＵＤ２及び下ドア機構ＤＤ２は、キャビネットＧにおける開口の上部及び下部を閉塞可能に設けられている。上ドア機構ＵＤ２には、中央部に開口である表示窓ＵＤ２ａが形成され、表示窓ＵＤ２ａの後側（背面側）に後述するマスク部材９２００が設けられている。すなわち、表示窓ＵＤ２ａは、マスク部材９２００により塞がれている。なお、上ドア機構ＵＤ２及び下ドア機構ＤＤ２は、以下に説明する以外の構成は、上述した上ドア機構ＵＤ及び下ドア機構ＤＤと同様の構成を備えてもよい。
【０９４９】
図２１８に示すように、キャビネットＧの略中央部には、可変表示部としてのリールユニットＲＵ１が装着されている。リールユニットＲＵ１は、複数種類の図柄（識別情報）が各々の外周面に描かれた４個のリール（左から、リールＲＬ１（最左リール），ＲＬ２（中左リール），ＲＲ１（中右リール），ＲＲ２（最右リール））を主体に構成されている。これらのリールＲＬ１，ＲＬ２，ＲＲ１，ＲＲ２は、それぞれが縦方向に一定の速度で回転できるように並列状態（横一列）に配設される。図２１６に示すように、リールＲＬ１，ＲＬ２，ＲＲ１，ＲＲ２は、マスク部材９２００の後述する重畳領域９２０１を介して、各リールＲＬ１，ＲＬ２，ＲＲ１，ＲＲ２の動作や各リールＲＬ１，ＲＬ２，ＲＲ１，ＲＲ２上に描かれている図柄の一部（図２１６では、点線で示している。）が視認可能となる。すなわち、重畳領域９２０１は、リールの図柄の一部を視認可能とするための領域である。表示窓ＵＤ２ａから視認可能なマスク部材９２００の重畳領域９２０１以外の範囲は、光や映像等による演出を行うことが可能な装飾領域９２０２となる。装飾領域９２０２の詳細は、後述する。
【０９５０】
なお、第９実施形態は、図２１７に示すように、４個のリールを備えるものに限らず、３個のリールＲＬ（左リール），ＲＣ（中リール），ＲＲ（右リール）を備えるものにも適用することができる。この場合、重畳領域９２０１は、３個のリールの図柄の一部を視認可能とする大きさで形成され、図２１６に示す４個のリールの図柄の一部を視認可能とする場合に比べ、面積が小さくなり、その分、演出を行うことが可能な領域である装飾領域９２０２の面積は、図２１６に示す例に比べ、大きくなる。
【０９５１】
図２１９に示すように、下ドア機構ＤＤ２は、の上部の略中央部には、上述の下ドア機構ＤＤ（図３参照）と同様に、略水平面の第１，第２，第３台座部ＤＤ２ａ，ＤＤ２ｂ，ＤＤ２ｃが形成されている。前面側から見て右側に位置する第１台座部ＤＤ２ａには、メダルを投入するためのメダル投入口ＤＤ５が設けられている。メダル投入口ＤＤ５は、遊技者によりメダルが投入される開口である。メダル投入口ＤＤ５から投入されたメダルは、クレジットされるか又はゲームに賭けられる。
【０９５２】
前面側から見て左側に位置する第２台座部ＤＤ２ｂには、クレジットされているメダルを賭けるための、有効ライン設定手段としての最大ＢＥＴボタンＤＤ８（ＭＡＸＢＥＴボタンともいう）が設けられている。最大ＢＥＴボタンＤＤ８が押されると、メダルの投入枚数として「３」が選択される。
【０９５３】
前面側から見て略中央に位置する第３台座部ＤＤ２ｃには、演出用ボタンＤＤ２１が設けられている。また、演出用ボタンＤＤ２１の左隣には、上方向ボタン、左方向ボタン、右方向ボタン、下方向ボタンの４つのボタンからなる４方向ボタンユニットＤＤ２２が設けられている。演出用ボタンＤＤ２１は、サブ制御装置ＳＳにより操作が検出され、遊技における演出時において操作可能となる。また、客待ち状態（遊技者が遊技しておらず、遊技終了から所定時間経過後のデモ画面表示状態）において演出用ボタンＤＤ２１を押下すると遊技者向けメニュー画面や配当表、遊技履歴、携帯連動サービス、音量・光量調整等の各種項目が表示可能となる。４方向ボタンユニットＤＤ２２もサブ制御装置ＳＳにより操作が検出され、当該メニュー表示における項目選択操作、音量・光量の選択操作や携帯連動サービス開始時のパスワード入力などを行う揚合の文字の選択操作などに用いられる。
なお、第３台座部ＤＤ２ｃにおいて上述のメカ式ボタン等に代えて、あるいは、併存させる形で、液晶表示装置及び液晶表示パネル（液晶パネル）のパネル面にタッチ式の位置入力装置としてのタッチセンサパネルが配されてなる、いわゆるタッチパネルを設けて、遊技機の演出用操作手段やメニュー表示等における操作手段として用いてもよい。
【０９５４】
また、最大ＢＥＴボタンＤＤ８近傍の前面側には、遊技者の操作によりリールＲＬ１，ＲＬ２，ＲＲ１，ＲＲ２（図２１６参照）を回転駆動させるとともに、マスク部材９２００の重畳領域９２０１内で図柄の変動表示を開始させるスタートレバーＤＤ６が設けられている。スタートレバーＤＤ６は、所定の角度範囲で傾動自在に取り付けられる。
【０９５５】
スタートレバーＤＤ６の右側で、重畳領域９２０１の下方略中央には、遊技者の押下操作（停止操作）により４個のリールＲＬ１，ＲＬ２，ＲＲ１，ＲＲ２の回転をそれぞれ停止させるための４個のストップボタンＤＤ７Ｌ１，ＤＤ７Ｌ２，ＤＤ７Ｒ１，ＤＤ７Ｒ２が設けられている。
【０９５６】
また、最大ＢＥＴボタンＤＤ８近傍には、Ｃ／ＰボタンＤＤ１３が設けられている。Ｃ／ＰボタンＤＤ１３は、遊技者がゲームで獲得したメダルのクレジット／払出しを押しボタン操作で切り換えるものである。このＣ／ＰボタンＤＤ１３の切り換えにより払出しが選択されている状態（非クレジット状態）においては、下ドア機構ＤＤ２の下部側のコインガードプレート部に設けたメダル払出口ＤＤ１４（キャンセルシュート）からメダルが払出され、払出されたメダルは、メダル受け部ＤＤ１５に溜められる。
なお、変形例としてＣ／ＰボタンＤＤ１３でクレジット／払出しの切り替えを行うことなくクレジット機能は常時有効として、Ｃ／ＰボタンＤＤ１３が操作された場合にはクレジットに貯留されたメダル及びベットされたメダルを払出すものとしてもよい。また、前述の電子データによって管理される遊技価値を用いてのみ遊技可能な管理遊技機として当該遊技機が構成される場合には、Ｃ／ＰボタンＤＤｌ３が操作された場合に遊技価値情報（従来の遊技機において遊技者が保持しているメダルの枚数に相当する情報）が記録されたカード等の記箇媒体を、遊技機から、あるいは遊技機と通信可能に接続された遊技機管理装置から排出されるようにしてもよい。
【０９５７】
スタートレバーＤＤ６、及び、ストップボタンＤＤ７Ｌ１，ＤＤ７Ｌ２，ＤＤ７Ｒ１，ＤＤ７Ｒ２の下部側には、腰部パネルＤＤ１８（腰部導光板）が配置されている。腰部パネルＤＤ１８は、アクリル板等を使用した化粧用パネルとして構成される。腰部パネルＤＤ１８には、遊技機１の機種を表す名称や種々の模様等が印刷により描かれている。
【０９５８】
また、メダル払出口ＤＤ１４の左側にはスピーカＤＤ２５Ｌが、右側にはスピーカＤＤ２５Ｒが、それぞれ設けられている。また、上ドア機構ＵＤ２の表示窓ＵＤ２ａの上部左側にはスピーカＵＤ２５Ｌが、右側にはスピーカＵＤ２５Ｒが、それぞれ設けられている。スピーカＤＤ２５Ｌ，ＤＤ２５Ｒ，ＵＤ２５Ｌ，ＵＤ２５Ｒは、遊技者に遊技に関する種々の情報を声や音楽等の音により報知する。
【０９５９】
図２１９及び図２２０に示すように、上ドア機構ＵＤ２の下部（遊技機１の略中央）に、マスク部材９２００が設けられている。詳しくは後述するが、マスク部材９２００は、４個のリールＲＬ１，ＲＬ２，ＲＲ１，ＲＲ２の図柄の一部を視認可能とするための領域である重畳領域９２０１と、前側から遊技者が視認可能な領域におけるその他の部分であり、光や映像等による演出を行うことが可能な装飾領域９２０２と、を有する。
【０９６０】
装飾領域９２０２には、例えば入賞成立時のメダルの払出枚数やクレジットされている残メダル枚数が表示される。通常は、遊技機１にクレジットされるメダルの最大枚数は５０枚であるため、５０以下のクレジット枚数が表示される。なお、最大枚数の５０枚のメダルがクレジットされている状態では、投入されたメダルはそのままメダル払出口ＤＤ１４より払出される。
【０９６１】
また、図２２０に示すように、下ドア機構ＤＤ２には、メダル投入口ＤＤ５に投入されたメダルが、正規なメダルか否かを判定するメダルセレクタＭＳＵが設けられている。また、図２２１に示すように、上ドア機構ＵＤ２の下端には、上ドア機構ＵＤ２と下ドア機構ＤＤ２との隙間から不正な手段が、遊技機１の内部に挿入されることを防止するセーフガードＳＧが設けられている。
【０９６２】
図２１８に戻って、キャビネットＧ内は、略中央において、上ドア機構ＵＤ２の重畳領域９２０１（図２１６参照）に対応する位置に、４個のリールＲＬ１，ＲＬ２，ＲＲ１，ＲＲ２を備えるリールユニットＲＵ１が設けられている。また、キャビネットＧ内には、リールユニットＲＵ１の上に配置され、遊技機１全体の動作を司る主制御基板ＭＳや、キャビネットＧの内側側面に配置され、遊技機１における演出を制御するサブ制御装置ＳＳや、リールユニットＲＵ１の上に配置されコインを貯留し払い出すホッパＨＵや、遊技機１に電気を供給する電源ユニットＰＵ等が収容される。主制御基板ＭＳは、内部当籤役の決定、リールＲＬ１，ＲＬ２，ＲＲ１，ＲＲ２の回転及び停止、入賞の有無の判定といった、遊技機１における遊技の主な流れを制御する回路（主制御回路）を構成する。サブ制御装置ＳＳは、映像の表示等による演出の実行を制御する回路（副制御回路）を構成する。
【０９６３】
〈マスク部材９２００〉
まず、遊技機において、リールの図柄の一部を視認可能とする部分の従来技術について、図２２２から図２２６を参照して説明する。通常、遊技機は、遊技者が視認可能な領域において、遊技結果の帰趨を決定するためのリールが回転したり、遊技球が転動したりする。このような領域には、遊技者が触れることができないように、透過性を有するガラス等で覆われている。
【０９６４】
従来技術において、図２２２及び図２２３に示すように、このようなガラスは、遊技機内部側から中パネルにより支持されている。中パネルは、遊技結果の帰趨を決定するための領域を視認可能とするための開口（図２２２及び図２２３に示す例では「リール用開口」）が形成されている。また、リール用開口の周囲を装飾するための文字や図柄等が印刷されたフィルムが、ガラスと中パネルの間に配置される。リール用開口の視認性を確保するため、このフィルムにも、リール用開口が形成されている。
【０９６５】
ガラス、フィルム及び中パネルは、重ねられて遊技機に設けられているが、実際には、図２２４に示すように、ガラスとフィルムの間や、フィルムと中パネルの間には、液体が侵入可能な程度の隙間が形成されている。なお、図２２４や、後述する図２２５，２２７，２２８では、理解を容易にするために、隙間を大きく示している。
【０９６６】
ところで、ガラスのリール用開口部分は、遊技機外側のみならず、煙草の煙等が、遊技機の隙間から内部に侵入し、遊技機内側も汚れる場合がある。このように、ガラスのリール用開口部分が汚れると、リール用開口の視認性が低下するため、遊技機内側が汚れた場合、図２２５に示すように、遊技機内側から濡れ雑巾等で拭き掃除をする必要がある。
【０９６７】
このように、遊技機内側から濡れ雑巾等で拭き掃除をすると、従来技術の構成では、ガラスとフィルムの間や、フィルムと中パネルの間の隙間に、毛細管現象等により、濡れ雑巾に含まれている水分が侵入してしまう。すると、図２２６に示すように、遊技機外側からリール用開口を見ると、リール用開口の周囲に侵入した液体がシミのように現れ、見栄えが非常に悪くなる。
【０９６８】
そこで、第９実施形態では、中パネル（後述する中パネル９４００）と、フィルム（後述する装飾フィルム９５００）との間に、リール用開口（後述する第２開口部９４１０）を覆い、少なくとも一部が透光性であり、ガラス（後述するガラスパネル９３００）より外形が小さく形成されているカバー（後述するカバー部材９６００）を配置した。
【０９６９】
なお、カバー（後述するカバー部材９６００）は、図２２７に示す例では、中パネル（後述する中パネル９４００）と、フィルム（後述する装飾フィルム９５００）との間に配置しているが、これに限らず、中パネル（後述する中パネル９４００）のリール用開口（後述する第２開口部９４１０）を覆っていれば、図２２８に示すように、中パネルのリール用開口内に配置してもよい。
【０９７０】
このように構成したマスク部材９２００について詳細に説明する。図２２９に示すように、マスク部材９２００は、外側部材の一例であるガラスパネル９３００と、内側部材の一例である中パネル９４００と、装飾部材の一例である装飾フィルム９５００と、カバー部材９６００とを備える。マスク部材９２００は、前側（遊技機外側）から後側（遊技機内部側）に向かって、ガラスパネル９３００、装飾フィルム９５００、カバー部材９６００、中パネル９４００の順に重ねて配置されて、上ドア機構ＵＤ２（図２２０参照）に取り付けられている。
【０９７１】
ガラスパネル９３００は、少なくとも一部（例えば、４個のリールの図柄の一部を視認可能とする領域である重畳領域９２０１）が透光性であり、縁がカバー部材９６００に固定される。
なお、ガラスパネル９３００に代えてアクリル板などガラス以外の透光性の素材で形成されたパネル部材を用いてもよい。当該パネル部材は透光性の素材で、遊技者が叩く程度の衝撃で破損しない程度の強度を備えるように形成されたものであれば、どのような構成としてもよい。
【０９７２】
中パネル９４００は、ガラスパネル９３００の後側（背面側）に配置され、図２３０に示すように、第２開口部９４１０と、カバー部材支持部９４２０と、下支持部９４２５と、演出装置取付部９４３０と、上部発光装置取付部９４４０と、下部発光装置取付部９４５０と、壁部９４６０と、欠き込み９４７０と、爪部９４８０と、を備える。
【０９７３】
第２開口部９４１０は、中パネル９４００の略下半分において、左右方向に長辺を有する略長方形形状に形成され、前後方向に貫通する開口であり、４個のリールＲＬ１，ＲＬ２，ＲＲ１，ＲＲ２の図柄の一部を視認可能とするための領域（図２１６参照）である。
【０９７４】
カバー部材支持部９４２０は、第２開口部９４１０の互いに対向した側縁（図２３０に示す例では左右の側縁）に沿って、それぞれ形成され、カバー部材９６００を支持する。カバー部材支持部９４２０は、それぞれ前側（カバー部材９６００が取り付けられる方向）に突出する突出部９４２１が設けられている。それぞれのカバー部材支持部９４２０の突出部９４２１は、第２開口部９４１０の側縁が延びる方向において、互いに異なる位置（図２３０に示す例では、上下方向において、互いに異なる位置）に設けられている。すなわち、突出部９４２１は、複数設けられ、これらは、中パネル９４００の中心に対して、非対称に設けられている。
【０９７５】
下支持部９４２５は、第２開口部９４１０の下端に沿って延びる辺であり、カバー部材９６００が載置され、カバー部材９６００を下方から支持する。
【０９７６】
演出装置取付部９４３０は、第２開口部９４１０の上方に設けられており、図２３１に示すように、後述するドットマトリックス演出装置９７００が取り付けられる。
【０９７７】
上部発光装置取付部９４４０は、演出装置取付部９４３０の周囲に配置され、図２３１に示すように、発光部としてのＬＥＤが配置されたＬＥＤ基板９８００が取り付けられる。上部発光装置取付部９４４０は、前後方向に直交する方向の少なくとも一方向（図２３０に示す例では上下方向）における内径が、後から前に向かって広がる光拡散部９４４１を備える。光拡散部９４４１を形成する内壁には、光拡散部９４４１を分割するための係合溝９４４２が形成されている。係合溝９４４２には、光拡散部９４４１の所定方向（図２３０に示す例では上下方向）の断面積より大きい面積の面を有する遮光板９４４３（図２３２参照）の側縁が挿入される。係合溝９４４２に遮光板９４４３が挿入されることで、光拡散部９４４１が複数の領域に分割される。また、例えば、光拡散部９４４１において、複数の係合溝９４４２を所定間隔で形成し、複数の係合溝９４４２の全てに遮光板９４４３を挿入することで、光拡散部９４４１において、所定の大きさの領域を複数配列することが可能となるし、所望の係合溝９４４２にのみ遮光板９４４３を挿入することで、光拡散部９４４１の分割する領域の大きさを調整することが可能となる。
【０９７８】
下部発光装置取付部９４５０は、第２開口部９４１０の下に配置され、図２３１に示すように、発光部としての７セグメントＬＥＤが配置された７セグ基板９９００が取り付けられる。
【０９７９】
壁部９４６０は、前側に突起し、中パネル９４００の外縁に沿って形成されている。壁部９４６０の内径は、装飾フィルム９５００の外径のうち、後述する凸部９５２０及び凹部９５３０を除く部分の外径と、略同一寸法で形成されている。すなわち、壁部９４６０は、装飾フィルム９５００を囲うように配置されており、装飾フィルム９５００の装着時のガイドとして機能するとともに、装着後はズレを防止する。
【０９８０】
欠き込み９４７０は、壁部９４６０の一部が途切れる部分であり、壁部９４６０内に配置された装飾フィルム９５００の後述する凸部９５２０に対応する位置に設けられ、凸部９５２０が差し込まれる。欠き込み９４７０は、壁部９４６０の互いに対向する辺（図２３０に示す例では左右の辺）において、少なくとも一部が当該辺が延びる方向における位置（図２３０に示す例では上下方向）が互いに異なっている。これにより、装飾フィルム９５００の装着時に、表裏を間違ってしまうことを防止できるとともに、裏表を厳密に確認しなくとも、装飾フィルム９５００の凸部９５２０の位置を、欠き込み９４７０の位置に合わせるだけで、装飾フィルム９５００を正しく装着できるので、作業効率が向上する。
【０９８１】
爪部９４８０は、壁部９４６０沿いに複数配置され、ガラスパネル９３００の側縁に係合する。爪部９４８０は、壁部９４６０より内側（中パネル９４００の中心側）に突出する。爪部９４８０は、壁部９４６０の互いに対向する辺（図２３０に示す例では左右の辺）において、少なくとも一部が当該辺が延びる方向における位置（図２３０に示す例では上下方向）が互いに異なっている。装飾フィルム９５００の後述する凹部９５３０は、爪部９４８０の根元と係合する。これにより、装飾フィルム９５００の装着時に、表裏を間違ってしまうことを防止できるとともに、裏表を厳密に確認しなくとも、装飾フィルム９５００の凹部９５３０の位置を、爪部９４８０の位置に合わせるだけで、装飾フィルム９５００を正しく装着できるので、作業効率が向上する。
【０９８２】
図２２９に示すように、装飾フィルム９５００は、ガラスパネル９３００と中パネル９４００との間に配置される。装飾フィルム９５００は、前から見て中パネル９４００の壁部９４６０（図２３０参照）により囲まれた領域と略同一形状に形成されている。図２３６に示すように、装飾フィルム９５００は、中央から下方に第１開口部９５１０が形成され、外縁に、複数の凸部９５２０と、複数の凹部９５３０と、が形成されている。また、詳しくは後述するが、装飾フィルム９５００は、互いに異なる図柄（文字や図形やキャラクタ等）が付された複数の装飾部９５４０を備える。
【０９８３】
第１開口部９５１０は、図２２９に示すように、装飾フィルム９５００の略下半分において、左右方向に長辺を有する略長方形形状に形成され、前後方向に貫通する開口であり、装飾フィルム９５００が中パネル９４００に装着された状態で、中パネル９４００の第２開口部９４１０と、少なくとも一部が正面視で（前から見て）重畳した重畳領域９２０１を形成する。図２１６に示すように、重畳領域９２０１は、４個のリールＲＬ１，ＲＬ２，ＲＲ１，ＲＲ２の図柄の一部を視認可能とするための領域である。
【０９８４】
図２３６に示すように、凸部９５２０は、装飾フィルム９５００の外縁が外側に突出した部分であり、中パネル９４００に装着されるときに、中パネル９４００の欠き込み９４７０（図２３０参照）に差し込まれる。すなわち、凸部９５２０は、欠き込み９４７０に対応する位置に設けられている。また、凸部９５２０は、少なくとも一部が装飾フィルム９５００の互いに対向する辺（図２３６に示す例では左右の辺）において、当該辺が延びる方向における位置（図２３６に示す例では上下方向）が互いに異なっている。これにより、装飾フィルム９５００の装着時に、表裏を間違ってしまうことを防止できるとともに、裏表を厳密に確認しなくとも、装飾フィルム９５００の凸部９５２０の位置を、欠き込み９４７０の位置に合わせるだけで、装飾フィルム９５００を正しく装着できるので、作業効率が向上する。
【０９８５】
凹部９５３０は、装飾フィルム９５００の外縁が内側に凹んだ部分であり、中パネル９４００に装着されるときに、中パネル９４００の爪部９４８０（図２３０参照）の根元と係合する。すなわち、凹部９５３０は、爪部９４８０に対応する位置に設けられている。また、凹部９５３０は、少なくとも一部が装飾フィルム９５００の互いに対向する辺（図２３６に示す例では左右の辺）において、当該辺が延びる方向における位置（図２３６に示す例では上下方向）が互いに異なっている。これにより、装飾フィルム９５００の装着時に、表裏を間違ってしまうことを防止できるとともに、裏表を厳密に確認しなくとも、装飾フィルム９５００の凹部９５３０の位置を、爪部９４８０の位置に合わせるだけで、装飾フィルム９５００を正しく装着できるので、作業効率が向上する。
【０９８６】
また、装飾フィルム９５００は、中パネル９４００に取り付けられた状態において、図２３１に示すドットマトリックス演出装置９７００と、中パネル９４００におけるＬＥＤ基板９８００が取り付けられ、光拡散部９４４１（図２３１参照）の分割された複数の領域と、７セグ基板９９００が取り付けられた下部発光装置取付部９４５０と、に対応する位置に、図２３７に示すように、複数の装飾部９５４０（９５４０ａ〜９５４０ｇ）が形成されている。装飾部９５４０ａ,ｂ,ｄ,ｅ,ｇは、それぞれ１つの光拡散部９４４１が、遮光板９４４３（図２３２参照）により複数に分割されていることを示している。例えば、装飾部９５４０ａは、光拡散部９４４１が３つに分割されているので、３つの領域が形成されている。装飾部９５４０ａは、仮に、光拡散部９４４１が２つに分割された場合には、２つの領域で形成することもできるし、光拡散部９４４１が分割されていない場合には、１つの領域で形成することもできる。複数の装飾部９５４０（９５４０ａ〜ｇ）には、それぞれ、図柄（文字や図形やキャラクタ等）が付される。装飾フィルム９５００は透光性を有する素材で形成され、装飾部９５４０は透光性を有する着色フィルムが貼付されたり、透光性を有するインクで印刷されることにより形成されている。また、装飾部９５４０の少なくとも一部を、ＬＥＤから射出された光を拡散可能である拡散部としてもよい。このような拡散部は、例えば、装飾フィルム９５００の後面（ＬＥＤ側の面）に光拡散フィルムを貼付してもよいし、装飾フィルム９５００自体を光拡散粒子を含んだ樹脂で形成してもよい。
【０９８７】
図２３２に示すように、ドットマトリックス演出装置９７００は、中パネル９４００の演出装置取付部９４３０の前側に、中パネルベース（図無し）を介して取り付けられ、前から後に向かって重ねられたドットマトリックスリフレクタ９７１０と、発光部としてのＬＥＤが配置されたドットマトリックスＬＥＤ基板９７２０と、を備える。なお、図２３２は、説明のため、左から２枚目のドットマトリックスリフレクタ９７１０を外した状態を示している。図２３２に示す例では、ドットマトリックスリフレクタ９７１０及びドットマトリックスＬＥＤ基板９７２０は、前側から見て略四角形状に形成され、左右方向（中パネル９４００の第２開口部９４１０の側縁が延びる方向）に配列されているが、任意の形状（例えば、その他の多角形形状や、円形状等）としてもよいし、１つだけ設けてもよいし、任意の方向（例えば、上下方向等）に配列してもよいし、任意の態様（例えば、円形状）に配列してもよい。
【０９８８】
ドットマトリックスリフレクタ９７１０は、前後方向に直交する方向の少なくとも一方向（図２３２に示す例では上下方向及び左右方向）における内径が、後から前に向かって広がる空間を形成し、前後が開放されているセル９７１５が、前後方向に直交する方向の少なくとも一方向（図２３２に示す例では上下方向及び左右方向）に複数配列されている。図２３２に示す例では、ドットマトリックスリフレクタ９７１０は、前側から見て略四角形状に形成され、上下及び左右方向に配列されているが、任意の形状（例えば、その他の多角形形状や、円形状等）としてもよいし、任意の方向（例えば、上下方向等）にのみ配列してもよいし、任意の態様（例えば、円形状や、全体として文字や図柄等の所定形状）に配列してもよい。
【０９８９】
ドットマトリックスリフレクタ９７１０は、側縁近傍にドットマトリックスリフレクタ９７１０を固定するためのリフレクタネジ孔９７１１と、係合孔９７１２と、が交互に形成されている。リフレクタネジ孔９７１１は、前後方向に貫通し、ドットマトリックスリフレクタ９７１０を中パネルベース（図無し）に固定する固定部材（例えば、ネジ等）と螺合する。係合孔９７１２は、前後方向に貫通する孔であり、中パネルベース（図無し）の後から前に突起する係合突起９７３０が挿通される。
【０９９０】
ドットマトリックスＬＥＤ基板９７２０は、主制御基板ＭＳ（図２１８参照）やサブ制御装置ＳＳ（図２１８参照）の制御に基づき、発光するＬＥＤが、前側に複数配列されている。ドットマトリックスＬＥＤ基板９７２０は、前側から見た形状が、ドットマトリックスリフレクタ９７１０と略同一形状に形成され、側縁近傍にドットマトリックスＬＥＤ基板９７２０を固定するための基板ネジ孔９７２１と、係合孔９７２２と、が交互に形成されている。基板ネジ孔９７２１は、前後方向に貫通し、ドットマトリックスＬＥＤ基板９７２０を中パネルベース（図無し）に固定する固定部材（例えば、ネジ等）と螺合する。係合孔９７２２は、前後方向に貫通する孔であり、中パネルベース（図無し）の後から前に突起する係合突起９７３０が挿通される。ドットマトリックスＬＥＤ基板９７２０の基板ネジ孔９７２１及び係合孔９７２２は、ドットマトリックスリフレクタ９７１０及びドットマトリックスＬＥＤ基板９７２０を重ねた状態において、ドットマトリックスリフレクタ９７１０のリフレクタネジ孔９７１１及び係合孔９７１２と重畳する位置に形成されている。
【０９９１】
これにより、遊技機１の組立作業において、ドットマトリックスリフレクタ９７１０及びドットマトリックスＬＥＤ基板９７２０を個々に取り付けなくとも、これらを重ね、共に取り付けることができるので、作業効率が向上する。また、リフレクタネジ孔９７１１と係合孔９７１２や、基板ネジ孔９７２１と係合孔９７２２を、交互に設けることで、遊技機１の組立作業において、まず、係合孔９７１２及び係合孔９７２２に、中パネルベース（図無し）の係合突起９７３０を挿通することで、ドットマトリックスリフレクタ９７１０及びドットマトリックスＬＥＤ基板９７２０の位置決めと仮止めが完了する。そして、この正確な位置に安定した状態で、リフレクタネジ孔９７１１及び基板ネジ孔９７２１に固定部材を螺合させることで、ドットマトリックスリフレクタ９７１０及びドットマトリックスＬＥＤ基板９７２０を固定できる。よって、遊技機１の組立作業における位置決めが容易になり、係合孔９７１２及び係合孔９７２２をネジ孔で構成した場合に比べ、ネジ止めする回数を削減できるので、作業効率が向上する。
【０９９２】
図２２９に示すように、カバー部材９６００は、中パネル９４００と装飾フィルム９５００との間に配置され、中パネル９４００の第２開口部９４１０を前側から覆い、少なくとも一部が透光性であり、ガラスパネル９３００よりも外形が小さく形成されている。図２３３に示すように、カバー部材９６００は、カバー部９６１０と、支持部９６２０と、下端辺９６３０と、を備える。図２３３は、カバー部材９６００を前側右下方から見た図である。
【０９９３】
カバー部９６１０は、前から見て、中パネル９４００の第２開口部９４１０の内形と略同一の外形で形成され、透光性である。すなわち、カバー部９６１０は、重畳領域９２０１（図２１６参照）に配置される。
【０９９４】
支持部９６２０は、カバー部９６１０の互いに対向した側縁（図２３３に示す例では左右の側縁）に沿って、それぞれ形成され、中パネル９４００のカバー部材支持部９４２０（図２３０参照）に前側から重ねて配置される。カバー部材９６００は、支持部９６２０において、中パネル９４００の前面側から固定部材（例えば、ビス等）で、中パネル９４００のカバー部材支持部９４２０に固定される。また、支持部９６２０は、中パネル９４００の突出部９４２１（図２３０参照）に前後方向に貫通する孔部であり、突出部９４２１が挿通する係合部９６２１が設けられている。なお、係合部９６２１は、孔部に限らず、突出部９４２１と係合可能であれば、例えば、後側から前側に向かって凹む凹み部としてもよいし、孔部と凹み部とを併用してもよいし、凹み部又は孔部の少なくともいずれかであってもよい。それぞれの支持部９６２０の係合部９６２１は、カバー部９６１０の側縁が延びる方向において、互いに異なる位置（図２３３に示す例では、上下方向において、互いに異なる位置）に設けられている。すなわち、係合部９６２１は、複数設けられ、これらは、カバー部材９６００の中心に対して、非対称に設けられている。これにより、カバー部材９６００の装着時に、表裏を間違ってしまうことを防止できるとともに、裏表を厳密に確認しなくとも、カバー部材９６００の係合部９６２１の位置を、中パネル９４００の突出部９４２１の位置に合わせるだけで、カバー部材９６００を正しく装着できるので、作業効率が向上する。
【０９９５】
下端辺９６３０は、カバー部９６１０の後端側において、カバー部９６１０の下側縁に沿って延びる辺であり、中パネル９４００の下支持部９４２５（図２３０参照）の後側に差し込まれる。また、下端辺９６３０は、中央部分であるカバー部９６１０より背面側（後側）に突出した位置に形成されており、中央部分より背面側に突出した段差部として機能する。すなわち、カバー部材９６００は、カバー部９６１０の下側縁のうち、前端側が中パネル９４００の下支持部９４２５の上に載置され、後端側に形成された下端辺９６３０が下支持部９４２５の後側に差し込まれる。また、下端辺９６３０の巾（左右方向の長さ）は、中パネル９４００の第２開口部９４１０（図２３０参照）の下側縁の巾（左右方向の長さ）と略同じ寸法で形成されている。これにより、中パネル９４００にカバー部材９６００を取り付ける際に、カバー部材９６００の下端辺９６３０を第２開口部９４１０の内部に挿入し、下支持部９４２５の後側に差し込むだけで、中パネル９４００に対するカバー部材９６００の左右方向の位置が決まるので、作業効率が向上する。
【０９９６】
カバー部材９６００を中パネル９４００に取り付ける手順について、図２３４及び図２３５を参照して説明する。図２３４は右後側から見た図であり、図２３５は右前側から見た図である。まず、図２３４に示すように、カバー部材９６００の下端辺９６３０を第２開口部９４１０の内部に挿入し、下支持部９４２５の後側に差し込む。次に、図２３５に示すように、カバー部材９６００の上側を起こしていき、中パネル９４００の突出部９４２１をカバー部材９６００の係合部９６２１に挿入させ、中パネル９４００の前面側から固定部材（例えば、ビス等）で、中パネル９４００のカバー部材支持部９４２０に固定する。
【０９９７】
以上のようにマスク部材９２００を構成することで、以下の作用効果を奏する。マスク部材９２００は、図２３８に示す断面となる。図２３８は、マスク部材９２００の重畳領域９２０１の下方部分における垂直断面を示している。図２３８に示すように、マスク部材９２００は、ガラスパネル９３００と、中パネル９４００と、装飾フィルム９５００と、カバー部材９６００と、を備える。ガラスパネル９３００は、少なくとも一部が透光性であり、中パネル９４００は、ガラスパネル９３００の背面側（後側）に配置される。装飾フィルム９５００は、ガラスパネル９３００と中パネル９４００とで形成される収容部９２０３に配置される。カバー部材９６００は、装飾フィルム９５００の背面側（後側）に配置される。また、装飾フィルム９５００には、第１開口部９５１０が形成され、中パネル９４００には、第２開口部９４１０が形成され、第１開口部９５１０と第２開口部９４１０とは、少なくとも一部が正面視で重畳し、重畳領域９２０１を形成する。また、カバー部材９６００は、第２開口部９４１０を覆い、少なくとも一部が透光性であり、ガラスパネル９３００よりも外形が小さく形成されている。
【０９９８】
このように構成することで、カバー部材９６００により、中パネル９４００の第２開口部９４１０を覆うことで、ガラスパネル９３００と中パネル９４００とで形成される収容部９２０３に配置された装飾フィルム９５００を、カバー部材９６００で覆うことができるので、濡れぞうきん等で水拭きを行っても、収容部９２０３に水滴等が侵入することを防止することが可能となる。
また、中パネル９４００の第２開口部９４１０を覆うカバー部材９６００だけで、収容部９２０３に水滴等が侵入することを防止可能とするので、中パネル９４００やガラスパネル９３００を必要以上に大きくする必要がなく、製造コストの増加や、設計の自由度を低下させることもない。
したがって、複数の部材で構成される空間に液体が入り込んで見栄えが悪くなることを防ぎつつ、製造コストの抑制を図ることが可能となる。
【０９９９】
また、キャビネットＧと、キャビネットＧの前面側で開閉可能な上ドア機構ＵＤ２と、識別情報の可変表示を行うリールユニットＲＵ１と、を備える。
そして、ガラスパネル９３００、中パネル９４００及び装飾フィルム９５００は、上ドア機構ＵＤ２に設けられており、第１開口部９５１０と第２開口部９４１０が正面視で重畳する領域から、リールユニットＲＵ１が視認可能である。
【１０００】
これにより、リールユニットＲＵ１を視認可能とする第１開口部９５１０と第２開口部９４１０が正面視で重畳する領域において、カバー部材９６００を水拭きしても、収容部９２０３に水滴等が侵入することを防止できる。このため、水滴等の侵入により見栄えが悪くなることをおそれずに、カバー部材を水拭きできるので、可変表示部を視認可能とする領域の視認性が良い状態を維持することが可能となる。
【１００１】
また、カバー部材の側縁に、カバー部９６１０より背面側（後側）に突出した下端辺９６３０を形成したので、水拭きしたカバー部９６１０からの水滴等が、下端辺９６３０によって遮られるので、収容部９２０３に水滴等が侵入することをより確実に防止できる。
【１００２】
また、中パネル９４００には、ＬＥＤを備えるドットマトリックスＬＥＤ基板９７２０、ＬＥＤ基板９８００及び７セグ基板９９００が取り付けられているので、装飾フィルム９５００やガラスパネル９３００を介して、ＬＥＤの発光による演出をすることが可能となり、このような演出を行うためのドットマトリックスＬＥＤ基板９７２０、ＬＥＤ基板９８００及び７セグ基板９９００を中パネル９４００に取り付けることで、このようなドットマトリックスＬＥＤ基板９７２０、ＬＥＤ基板９８００及び７セグ基板９９００を、遊技機のその他の部材に取り付ける場合に比べ、遊技機内部の各種部材の配置が整理されるため設計の自由度が向上し、また、発光基板を遊技機に所定位置に取り付けるための専用の部材を設ける必要がないので、製造コストの抑制を図ることが可能となる。
【１００３】
また、装飾フィルム９５００の少なくとも一部に、ＬＥＤから射出された光を拡散可能である拡散部を設けたので、ガラスパネル９３００を介して、ＬＥＤから射出された光を拡散する演出が可能となり、このような拡散部を装飾フィルム９５００に設けるので、ガラスパネル９３００は汎用性が高い部材を使用しつつ、上記のような演出が可能となる。また、一般的に機種等が異なると、演出態様も異なる。このような場合でも、ガラスパネル９３００は同様の部材を使用しつつ、機種に応じた形態の拡散部を有する装飾フィルム９５００を用いればよいので、製造コストの抑制を図ることが可能となる。
【１００４】
なお、装飾フィルム９５００の形状は図２３６に図示した形状に限定されず、装飾効果をもたらすものであれば別形状としてもよい。例えば、中パネル９５００前方の一部領域のみに対応する大きさとしてもよく、この場合は、リールを視認するための第１開口部９５１０を設けずにドットマトリックス演出装置９７００前方用のフィルム（リールの上領域用のフィルム）、リールの左側領域用のフィルム、リールの右側領域用フィルム、リールの下側領域用フィルムなど複数の装飾フィルムで装飾部材を構成してもよい。このように複数のフィルムで構成する場合、部品点数の増加というデメリットはあるが、各フィルムのデザインや光拡散性の有無等を異ならせることができるため、場所ごとに装飾の質感を異ならせることができ、装飾効果を高めることができる。また、装飾フィルム９５００は、１枚に限定されず、複数枚を前後方向に重畳させて、装飾フィルム後方に配されたＬＥＤの発光態様によりデザインの見え方が変化するように構成してもよい。
【１００５】
また、カバー部材９６００は、中パネル９４００の前面側から固定部材で固定されている。これにより、中パネル９４００、カバー部材９６００、装飾フィルム９５００及びガラスパネル９３００を組み立てる工程は、中パネル９４００の前面側に対し、まず、カバー部材９６００を固定部材で固定し、装飾フィルム９５００を配置し、ガラスパネル９３００を組み付けることで完了する。このため、中パネル９４００に対し、前面側のみで作業が完了するので、背面側にひっくり返して作業する手間が生じない。よって、遊技機の組み立て作業の効率が向上し、製造コストの抑制を図ることが可能となる。
【１００６】
また、中パネル９４００にカバー部材９６００を取り付ける工程において、カバー部材９６００を中パネル９４００の下支持部９４２５に差し込むことで、カバー部材９６００は、中パネル９４００に対する差し込んだ方向の位置が決まり支持される。このため、カバー部材９６００を、固定部材で中パネル９４００に固定することが容易になる。よって、遊技機の組み立て作業の効率がより向上し、製造コストの抑制を図ることが可能となる。
【１００７】
また、中パネル９４００は、突出部９４２１を備えている。カバー部材９６００は、突出部９４２１に対応する位置に凹み部又は孔部の少なくともいずれかを備えている。これにより、中パネル９４００にカバー部材９６００を取り付ける工程において、中パネル９４００の突出部９４２１の位置に、カバー部材９６００の凹み部又は孔部の少なくともいずれかを合わせることで、中パネル９４００に対するカバー部材９６００の位置が決まる。このため、例えば、内側部材にカバー部材を合わせた後に位置を微調整する必要がなくなるので、作業の効率が向上し、製造コストの抑制を図ることが可能となる。
【１００８】
また、非対称に設けられた突出部９４２１に対応する位置に、凹み部又は孔部の少なくともいずれか（以下、「凹み部等」ともいう。）を備えるカバー部材９６００は、前面から見た場合と背面から見た場合とにおいて、中心に対する凹み部等の位置が異なる。これにより、カバー部材９６００を中パネル９４００に取り付ける面が明らかなので、中パネル９４００にカバー部材９６００を取り付ける工程において、誤った面からカバー部材９６００を中パネル９４００に取り付けてしまうことを防止できる。よって、遊技機の組み立て作業の効率がより向上し、製造コストの抑制を図ることが可能となる。
【１００９】
ここまでの説明において、装飾フィルム９５００を備えることを前提としたが、変形例として、装飾フィルム９５００を備えない構成としてもよい。この場合は、ガラスパネル９３００の背面側や中パネル９４００などにリール用開口の周囲を装飾するための文字や図柄等のデザインをを直接印刷してもよい。また、デザインが印刷されたシール部材をガラスパネル９３００の背面側や中パネル９４００の前面又は背面側に貼り付けることとしてもよいし、これらの手法を組合せて用いてもよい。装飾フィルム９５００を省略した場合は、装飾フィルム９５００有りの場合と比べてコストダウンを図ることができる。装飾フィルム９５００を備えない構成だとしてもガラスパネル９３００の背面側や中パネル９４００とで構成される空間をカバー部材９６００で閉塞することで、当該空間に中パネル９４００の開口部から水分が侵入することを抑制することができる。
【１０１０】
もっとも、装飾フィルム９５００を採用した場合は、一度出荷された遊技機をメーカーが下取りして回収しリサイクルする場合に、装飾フィルム９５００のみを変更すれば中パネル部分のデザイン変更を行えるというメリットもあるため、リサイクルを想定した場合は、装飾フィルム９５００有りとした方が長い目で製造コストを削減できることとなる。
【１０１１】
また、装飾性を重視するのであれば、ガラスパネル９３００の背面側や中パネル９４００など空間を構成する部材の少なくとも一部に印刷またはシール等でデザイン部を設けつつ、さらに装飾フィルム９５００を当該空間（収容部）に配置して前後方向に奥行感のある意匠を実現するものとしてもよい。
【１０１２】
また、ガラスパネル９３００と中パネル９４００とで構成される収容部を前後方向である程度の厚みを持たせた場合は、装飾部材として、装飾フィルム９５００に代えて、又は装飾フィルム９５００と併存させる形でキャラクター等所定のモチーフを立体形状とした立体装飾部を設けてもよい。また、立体装飾部を移動させる駆動部（モータ、ソレノイド等）を設けて可動装飾部としてもよい。
【１０１３】
以上、本発明の一実施形態として、第９実施形態に係る遊技機１について説明した。
【１０１４】
＜付記Ｆ＞
従来、複数の図柄がそれぞれの表面に配された複数のリールと、遊技メダルやコイン等（「メダル等」）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチおよびストップスイッチにより出力された信号に基づいて、ステッピングモータの動作を制御し、各リールの回転およびその停止を行うリール制御部とを備え、スタートレバーが操作されたことを検出すると、乱数値に基づいて抽籤を行い、この抽籤の結果（「内部当籤役」）とストップボタンが操作されたことを検出したタイミングとに基づいてリールの回転の停止を行う、いわゆるパチスロと称される遊技機が知られている。
【１０１５】
このような従来の遊技機としては、装飾部材（表示パネル、印刷フィルム等）を保持する構造として、装飾部材を外側及び内側から挟み込む外側透明部材及び内側透明部材を備えるものが知られている。
【１０１６】
一方、上記のように複数の部材で前後から挟み込む構造であると、塵埃が中に入り込んだ場合に分解掃除が必要となるため、分解せずに掃除できるよう印刷フィルムの開口に連通するように内側透明部材に開口を設けた遊技機が提案されている（特開２０１４−３６７１５号公報）。
このような遊技機によれば、遊技機のフロントドアを開けた状態でドアの内側から外側部材の内面を掃除できる構造であれば、印刷フィルムの開口に連通する内側透明部材の開口から、塵埃の拭き掃除等で容易に取り除くことができる。
【１０１７】
しかしながら、上記従来の遊技機では、濡れぞうきん等で水拭きを行うと、開口の周縁における各部材のわずかな隙間から印刷フィルムが収容された空間に垂れた水滴や毛細管現象による吸い込みにより水が入り込み、見栄えが悪くなるとともに、入り込んだ水を容易に除去できないという問題があった。
【１０１８】
また、先行技術文献１の図２のように大きな２つの部材で装飾部材を挟み込むと、水の侵入を目立たなくすることができるものの部材の製造コストがかさむ、設計の自由度が低下するなどの問題があった。
【１０１９】
本発明は、上記の点に鑑みてなされたものであり、複数の部材で構成される空間に液体が入り込んで見栄えが悪くなることを防ぎつつ、製造コストの抑制を図ることを目的とする。
【１０２０】
（Ｆ−１）
（１）  少なくとも一部が透光性である外側部材（例えば、ガラスパネル９３００）と、
前記外側部材の背面側に配置される内側部材（例えば、中パネル９４００）と、
前記外側部材の背面側に配置されるカバー部材（例えば、カバー部材９６００）と、を備え、
前記内側部材には、開口部（例えば、第２開口部９４１０）が形成され、
前記カバー部材は、前記開口部を覆い、少なくとも一部が透光性であり、前記外側部材よりも外形が小さく形成されていることを特徴とする遊技機。
【１０２１】
（１）の発明によれば、外側部材と、内側部材と、カバー部材と、を備える。外側部材は、少なくとも一部が透光性である。内側部材は、外側部材の背面側に配置される。カバー部材は、外側部材の背面側に配置される。
また、内側部材には、開口部が形成されている。
そして、カバー部材は、開口部を覆い、少なくとも一部が透光性であり、外側部材よりも外形が小さく形成されている。
【１０２２】
このような構成によれば、内側部材の開口部を、カバー部材で覆うことができるので、濡れぞうきん等で水拭きを行っても、複数の部材の間に水滴等が侵入することを防止することが可能となる。
また、内側部材の開口部を覆うカバー部材だけで、複数の部材の間に水滴等が侵入することを防止可能とするので、内部部材や外部部材を必要以上に大きくする必要がなく、製造コストの増加や、設計の自由度を低下させることもない。
したがって、複数の部材で構成される空間に液体が入り込んで見栄えが悪くなることを防ぎつつ、製造コストの抑制を図ることが可能となる。
【１０２３】
（２）  遊技機本体（例えば、キャビネットＧ）と、前記遊技機本体の前面側で開閉可能な扉部材（例えば、上ドア機構ＵＤ２）と、識別情報の可変表示を行う可変表示部（例えば、リールユニットＲＵ１）と、を備え、
前記外側部材及び前記内側部材は、前記扉部材に設けられており、
前記開口部から、前記可変表示部が視認可能であることを特徴とする（１）に記載の遊技機。
【１０２４】
（２）の発明によれば、遊技機本体と、遊技機本体の前面側で開閉可能な扉部材と、識別情報の可変表示を行う可変表示部と、を備える。
そして、外側部材及び内側部材は、扉部材に設けられており、内側部材の開口部から、可変表示部が視認可能である。
【１０２５】
このような構成によれば、可変表示部を視認可能とする開口部から、カバー部材を水拭きしても、複数の部材の間に水滴等が侵入することを防止できる。このため、水滴等の侵入により見栄えが悪くなることをおそれずに、カバー部材を水拭きできるので、可変表示部を視認可能とする領域の視認性が良い状態を維持することが可能となる。
【１０２６】
（３）  前記カバー部材は、側縁に、中央部分より背面側に突出した段差部（例えば、下端辺９６３０）が形成されていることを特徴とする（１）又は（２）に記載の遊技機。
【１０２７】
このような構成によれば、カバー部材の側縁に、中央部分より背面側に突出した段差部を形成したので、水拭きした中央部分からの水滴等が、段差部によって遮られるので、複数の部材で構成される空間に水滴等が侵入することをより確実に防止できる。
【１０２８】
（Ｆ−２）
（１）  少なくとも一部が透光性である外側部材（例えば、ガラスパネル９３００）と、
前記外側部材の背面側に配置される内側部材（例えば、中パネル９４００）と、
前記外側部材の背面側に配置されるカバー部材（例えば、カバー部材９６００）と、を備え、
前記内側部材には、開口部（例えば、第２開口部９４１０）が形成され、
前記カバー部材は、前記開口部を覆い、少なくとも一部が透光性であり、前記外側部材よりも外形が小さく形成され、
前記内側部材には、発光部（例えば、ＬＥＤ）を備える発光基板（例えば、ドットマトリックスＬＥＤ基板９７２０、ＬＥＤ基板９８００及び７セグ基板９９００）が取り付けられていることを特徴とする遊技機。
【１０２９】
（１）の発明によれば、外側部材と、内側部材と、カバー部材と、を備える。外側部材は、少なくとも一部が透光性である。内側部材は、外側部材の背面側に配置される。カバー部材は、外側部材の背面側に配置される。
また、内側部材には、開口部が形成されている。
そして、カバー部材は、開口部を覆い、少なくとも一部が透光性であり、外側部材よりも外形が小さく形成されている。
また、内側部材には、発光部を備える発光基板が取り付けられている。
【１０３０】
このような構成によれば、内側部材の開口部を、カバー部材で覆うことができるので、濡れぞうきん等で水拭きを行っても、複数の部材の間に水滴等が侵入することを防止することが可能となる。
また、内側部材の開口部を覆うカバー部材だけで、複数の部材の間に水滴等が侵入することを防止可能とするので、内部部材や外部部材を必要以上に大きくする必要がなく、製造コストの増加や、設計の自由度を低下させることもない。
したがって、複数の部材で構成される空間に液体が入り込んで見栄えが悪くなることを防ぎつつ、製造コストの抑制を図ることが可能となる。
【１０３１】
また、内側部材には、発光部を備える発光基板が取り付けられているので、外側部材を介して、発光部の発光による演出をすることが可能となり、このような演出を行うための発光基板を内部部材に取り付けることで、このような発光基板を、遊技機のその他の部材に取り付ける場合に比べ、遊技機内部の各種部材の配置が整理されるため設計の自由度が向上し、また、発光基板を遊技機に所定位置に取り付けるための専用の部材を設ける必要がないので、製造コストの抑制を図ることが可能となる。
【１０３２】
（２）  識別情報の可変表示を行う可変表示部（例えば、リールユニットＲＵ１）と、
前記外側部材と前記内側部材とで形成される収容部に配置される装飾部材（例えば、装飾フィルム９５００）と、
を備え、
前記開口部から、前記可変表示部が視認可能であり、
前記装飾部材の少なくとも一部（例えば、装飾部９５４０）には、前記発光部から射出された光を拡散可能である拡散部があることを特徴とする（１）に記載の遊技機。
【１０３３】
（２）の発明によれば、識別情報の可変表示を行う可変表示部と、外側部材と内側部材とで形成される収容部に配置される装飾部材と、を備える。
そして、開口部から、可変表示部が視認可能である。
また、装飾部材の少なくとも一部には、発光部から射出された光を拡散可能である拡散部がある。
【１０３４】
このような構成によれば、可変表示部を視認可能とする開口部を水拭きしても、収容部に水滴等が侵入することを防止できる。このため、水滴等の侵入により見栄えが悪くなることをおそれずに、カバー部材を水拭きできるので、可変表示部を視認可能とする領域の視認性が良い状態を維持することが可能となる。
【１０３５】
また、装飾部材の少なくとも一部に、発光部から射出された光を拡散可能である拡散部を設けたので、外側部材を介して、発光部から射出された光を拡散する演出が可能となり、このような拡散部を装飾部材に設けたので、外側部材は汎用性が高い部材を使用しつつ、上記のような演出が可能となる。また、一般的に機種等が異なると、演出態様も異なる。このような場合でも、外側部材は同様の部材を使用しつつ、機種に応じた形態の拡散部を有する装飾部材を用いればよいので、製造コストの抑制を図ることが可能となる。
【１０３６】
（Ｆ−３）
（１）  少なくとも一部が透光性である外側部材（例えば、ガラスパネル９３００）と、
前記外側部材の背面側に配置される内側部材（例えば、中パネル９４００）と、
前記外側部材の背面側に配置されるカバー部材（例えば、カバー部材９６００）と、を備え、
前記内側部材には、開口部（例えば、第２開口部９４１０）が形成され、
前記カバー部材は、前記開口部を覆い、少なくとも一部が透光性であり、前記外側部材よりも外形が小さく形成され、
前記カバー部材は、前記内側部材の前面側から固定部材で固定されていることを特徴とする遊技機。
【１０３７】
（１）の発明によれば、外側部材と、内側部材と、カバー部材と、を備える。外側部材は、少なくとも一部が透光性である。内側部材は、外側部材の背面側に配置される。カバー部材は、外側部材の背面側に配置される。
また、カバー部材は、開口部を覆い、少なくとも一部が透光性であり、外側部材よりも外形が小さく形成されている。
また、カバー部材は、内側部材の前面側から固定部材で固定されている。
【１０３８】
このような構成によれば、内側部材の開口部を、カバー部材で覆うことができるので、濡れぞうきん等で水拭きを行っても、複数の部材の間に水滴等が侵入することを防止することが可能となる。
また、内側部材の開口部を覆うカバー部材だけで、複数の部材の間に水滴等が侵入することを防止可能とするので、内部部材や外部部材を必要以上に大きくする必要がなく、製造コストの増加や、設計の自由度を低下させることもない。
したがって、複数の部材で構成される空間に液体が入り込んで見栄えが悪くなることを防ぎつつ、製造コストの抑制を図ることが可能となる。
【１０３９】
また、カバー部材は、内側部材の前面側から固定部材で固定されている。これにより、内側部材、カバー部材及び外側部材を組み立てる工程は、内側部材の前面側に対し、まず、カバー部材を固定部材で固定し、外側部材を組み付けることで完了する。このため、内側部材に対し、前面側のみで作業が完了するので、背面側にひっくり返して作業する手間が生じない。よって、遊技機の組み立て作業の効率が向上し、製造コストの抑制を図ることが可能となる。
【１０４０】
（２）  前記内側部材は、前記カバー部材を差し込むことが可能であり、差し込まれた前記カバー部材を支持する支持部（例えば、下支持部９４２５）を有することを特徴とする（１）に記載の遊技機。
【１０４１】
（２）の発明によれば、内側部材は、前記カバー部材を差し込むことが可能であり、差し込まれた前記カバー部材を支持する支持部を有する。
【１０４２】
このような構成によれば、内側部材にカバー部材を取り付ける工程において、カバー部材を内側部材の支持部に差し込むことで、カバー部材は、内側部材に対する差し込んだ方向の位置が決まり支持される。このため、カバー部材を、固定部材で内側部材に固定することが容易になる。よって、遊技機の組み立て作業の効率がより向上し、製造コストの抑制を図ることが可能となる。
【１０４３】
（Ｆ−４）
（１）  少なくとも一部が透光性である外側部材（例えば、ガラスパネル９３００）と、
前記外側部材の背面側に配置される内側部材（例えば、中パネル９４００）と、
前記外側部材の背面側に配置されるカバー部材（例えば、カバー部材９６００）と、を備え、
前記内側部材には、開口部（例えば、第２開口部９４１０）が形成され、
前記カバー部材は、前記開口部を覆い、少なくとも一部が透光性であり、前記外側部材よりも外形が小さく形成され、
前記内側部材は、突出部（例えば、突出部９４２１）を備え、
前記カバー部材は、前記突出部に対応する位置に凹み部又は孔部の少なくともいずれかを備えることを特徴とする遊技機。
【１０４４】
（１）の発明によれば、外側部材と、内側部材と、カバー部材と、を備える。外側部材は、少なくとも一部が透光性である。内側部材は、外側部材の背面側に配置される。カバー部材は、外側部材の背面側に配置される。
また、内側部材には、開口部が形成されている。
そして、カバー部材は、開口部を覆い、少なくとも一部が透光性であり、外側部材よりも外形が小さく形成されている。
【１０４５】
このような構成によれば、内側部材の開口部を、カバー部材で覆うことができるので、濡れぞうきん等で水拭きを行っても、複数の部材の間に水滴等が侵入することを防止することが可能となる。
また、内側部材の開口部を覆うカバー部材だけで、複数の部材の間に水滴等が侵入することを防止可能とするので、内部部材や外部部材を必要以上に大きくする必要がなく、製造コストの増加や、設計の自由度を低下させることもない。
したがって、複数の部材で構成される空間に液体が入り込んで見栄えが悪くなることを防ぎつつ、製造コストの抑制を図ることが可能となる。
【１０４６】
また、内側部材は、突出部を備えている。カバー部材は、突出部に対応する位置に凹み部又は孔部の少なくともいずれかを備えている。これにより、内側部材にカバー部材を取り付ける工程において、内側部材の突出部の位置に、カバー部材の凹み部又は孔部の少なくともいずれかを合わせることで、内側部材に対するカバー部材の位置が決まる。このため、例えば、内側部材にカバー部材を合わせた後に位置を微調整する必要がなくなるので、作業の効率が向上し、製造コストの抑制を図ることが可能となる。
【１０４７】
（２）  前記突出部は、複数設けられ、
複数の前記突出部は、前記内側部材の中心に対して、非対称に設けられていることを特徴とする（１）に記載の遊技機。
【１０４８】
（２）の発明によれば、突出部は、複数設けられ、複数の突出部は、内側部材の中心に対して、非対称に設けられている。
【１０４９】
このような構成によれば、非対称に設けられた突出部に対応する位置に、凹み部又は孔部の少なくともいずれか（以下、「凹み部等」ともいう。）を備えるカバー部材は、前面から見た場合と背面から見た場合とにおいて、中心に対する凹み部等の位置が異なる。これにより、カバー部材を内側部材に取り付ける面が明らかなので、内側部材にカバー部材を取り付ける工程において、誤った面からカバー部材を内側部材に取り付けてしまうことを防止できる。よって、遊技機の組み立て作業の効率がより向上し、製造コストの抑制を図ることが可能となる。
【１０５０】
以上、第１実施形態〜第９実施形態について説明した。上述した実施形態では、本発明をパチスロ遊技機に適用した場合について説明したが、本発明は、他の遊技機（例えば、パチンコ遊技機やスロットマシン等）に適用することも可能である。また、第１実施形態〜第９実施形態は、矛盾無い限り、各実施形態の各構成を、他の実施形態の各構成と組み合わせることができる。
【１０５１】
以上、本発明の第１実施形態〜第９実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【１０５２】
また、上述した詳細な説明では、本発明をより容易に理解できるように、特徴的部分を中心に説明した。本発明は、上述した詳細な説明に記載する実施形態に限定されず、その他の実施形態にも適用することができ、その適用範囲は多様である。また、本明細書において用いた用語及び語法は、本発明を的確に説明するために用いたものであり、本発明の解釈を制限するために用いたものではない。また、当業者であれば、本明細書に記載された発明の概念から、本発明の概念に含まれる他の構成、システム、方法等を推考することは容易であると思われる。従って、請求の範囲の記載は、本発明の技術的思想の範囲を逸脱しない範囲で均等な構成を含むものであるとみなされなければならない。また、要約書の目的は、特許庁及び一般的公共機関や、特許、法律用語又は専門用語に精通していない本技術分野に属する技術者等が本出願の技術的な内容及びその本質を簡易な調査で速やかに判定し得るようにするものである。従って、要約書は、請求の範囲の記載により評価されるべき発明の範囲を限定することを意図したものではない。また、本発明の目的及び本発明の特有の効果を十分に理解するために、すでに開示されている文献等を充分に参酌して解釈されることが望まれる。
【１０５３】
上述した詳細な説明は、コンピュータで実行される処理を含むものである。以上での説明及び表現は、当業者が最も効率的に理解することを目的として記載している。本明細書では、１の結果を導き出すために用いられる各処理は、自己矛盾がない処理として理解されるべきである。また、各処理では、電気的又は磁気的な信号の送受信、記録等が行われる。各処理における処理では、このような信号を、ビット、値、シンボル、文字、用語、数字等で表現しているが、これらは単に説明上便利であるために用いたものであることに留意する必要がある。また、各処理における処理は、人間の行動と共通する表現で記載される場合があるが、本明細書で説明する処理は、原則的に各種の装置により実行されるものである。また、各処理を行うために要求されるその他の構成は、以上の説明から自明になるものである。
【符号の説明】
【１０５４】
１  遊技機
Ｇ  キャビネット
ＲＵ１  リールユニット
ＵＤ２  上ドア機構
９３００  ガラスパネル
９４００  中パネル
９４１０  第２開口部
９４２１  突出部
９４２５  下支持部
９５００  装飾フィルム
９５１０  第１開口部
９５４０  装飾部
９６００  カバー部材
９６３０  下端辺
９７２０  ドットマトリックスＬＥＤ基板
９８００  ＬＥＤ基板
９９００  ７セグ基板
【図１】
2020108639.tif 000003
【図２】
2020108639.tif 000004
【図３】
2020108639.tif 000005
【図４】
2020108639.tif 000006
【図５】
2020108639.tif 000007
【図６】
2020108639.tif 000008
【図７】
2020108639.tif 000009
【図８】
2020108639.tif 000010
【図９】
2020108639.tif 000011
【図１０】
2020108639.tif 000012
【図１１】
2020108639.tif 000013
【図１２】
2020108639.tif 000014
【図１３】
2020108639.tif 000015
【図１４】
2020108639.tif 000016
【図１５】
2020108639.tif 000017
【図１６】
2020108639.tif 000018
【図１７】
2020108639.tif 000019
【図１８】
2020108639.tif 000020
【図１９】
2020108639.tif 000021
【図２０】
2020108639.tif 000022
【図２１】
2020108639.tif 000023
【図２２】
2020108639.tif 000024
【図２３】
2020108639.tif 000025
【図２４】
2020108639.tif 000026
【図２５】
2020108639.tif 000027
【図２６】
2020108639.tif 000028
【図２７】
2020108639.tif 000029
【図２８】
2020108639.tif 000030
【図２９】
2020108639.tif 000031
【図３０】
2020108639.tif 000032
【図３１】
2020108639.tif 000033
【図３２】
2020108639.tif 000034
【図３３】
2020108639.tif 000035
【図３４】
2020108639.tif 000036
【図３５】
2020108639.tif 000037
【図３６】
2020108639.tif 000038
【図３７】
2020108639.tif 000039
【図３８】
2020108639.tif 000040
【図３９】
2020108639.tif 000041
【図４０】
2020108639.tif 000042
【図４１】
2020108639.tif 000043
【図４２】
2020108639.tif 000044
【図４３】
2020108639.tif 000045
【図４４】
2020108639.tif 000046
【図４５】
2020108639.tif 000047
【図４６】
2020108639.tif 000048
【図４７】
2020108639.tif 000049
【図４８】
2020108639.tif 000050
【図４９】
2020108639.tif 000051
【図５０】
2020108639.tif 000052
【図５１】
2020108639.tif 000053
【図５２】
2020108639.tif 000054
【図５３】
2020108639.tif 000055
【図５４】
2020108639.tif 000056
【図５５】
2020108639.tif 000057
【図５６】
2020108639.tif 000058
【図５７】
2020108639.tif 000059
【図５８】
2020108639.tif 000060
【図５９】
2020108639.tif 000061
【図６０】
2020108639.tif 000062
【図６１】
2020108639.tif 000063
【図６２】
2020108639.tif 000064
【図６３】
2020108639.tif 000065
【図６４】
2020108639.tif 000066
【図６５】
2020108639.tif 000067
【図６６】
2020108639.tif 000068
【図６７】
2020108639.tif 000069
【図６８】
2020108639.tif 000070
【図６９】
2020108639.tif 000071
【図７０】
2020108639.tif 000072
【図７１】
2020108639.tif 000073
【図７２】
2020108639.tif 000074
【図７３】
2020108639.tif 000075
【図７４】
2020108639.tif 000076
【図７５】
2020108639.tif 000077
【図７６】
2020108639.tif 000078
【図７７】
2020108639.tif 000079
【図７８】
2020108639.tif 000080
【図７９】
2020108639.tif 000081
【図８０】
2020108639.tif 000082
【図８１】
2020108639.tif 000083
【図８２】
2020108639.tif 000084
【図８３】
2020108639.tif 000085
【図８４】
2020108639.tif 000086
【図８５】
2020108639.tif 000087
【図８６】
2020108639.tif 000088
【図８７】
2020108639.tif 000089
【図８８】
2020108639.tif 000090
【図８９】
2020108639.tif 000091
【図９０】
2020108639.tif 000092
【図９１】
2020108639.tif 000093
【図９２】
2020108639.tif 000094
【図９３】
2020108639.tif 000095
【図９４】
2020108639.tif 000096
【図９５】
2020108639.tif 000097
【図９６】
2020108639.tif 000098
【図９７】
2020108639.tif 000099
【図９８】
2020108639.tif 000100
【図９９】
2020108639.tif 000101
【図１００】
2020108639.tif 000102
【図１０１】
2020108639.tif 000103
【図１０２】
2020108639.tif 000104
【図１０３】
2020108639.tif 000105
【図１０４】
2020108639.tif 000106
【図１０５】
2020108639.tif 000107
【図１０６】
2020108639.tif 000108
【図１０７】
2020108639.tif 000109
【図１０８】
2020108639.tif 000110
【図１０９】
2020108639.tif 000111
【図１１０】
2020108639.tif 000112
【図１１１】
2020108639.tif 000113
【図１１２】
2020108639.tif 000114
【図１１３】
2020108639.tif 000115
【図１１４】
2020108639.tif 000116
【図１１５】
2020108639.tif 000117
【図１１６】
2020108639.tif 000118
【図１１７】
2020108639.tif 000119
【図１１８】
2020108639.tif 000120
【図１１９】
2020108639.tif 000121
【図１２０】
2020108639.tif 000122
【図１２１】
2020108639.tif 000123
【図１２２】
2020108639.tif 000124
【図１２３】
2020108639.tif 000125
【図１２４】
2020108639.tif 000126
【図１２５】
2020108639.tif 000127
【図１２６】
2020108639.tif 000128
【図１２７】
2020108639.tif 000129
【図１２８】
2020108639.tif 000130
【図１２９】
2020108639.tif 000131
【図１３０】
2020108639.tif 000132
【図１３１】
2020108639.tif 000133
【図１３２】
2020108639.tif 000134
【図１３３】
2020108639.tif 000135
【図１３４】
2020108639.tif 000136
【図１３５】
2020108639.tif 000137
【図１３６】
2020108639.tif 000138
【図１３７】
2020108639.tif 000139
【図１３８】
2020108639.tif 000140
【図１３９】
2020108639.tif 000141
【図１４０】
2020108639.tif 000142
【図１４１】
2020108639.tif 000143
【図１４２】
2020108639.tif 000144
【図１４３】
2020108639.tif 000145
【図１４４】
2020108639.tif 000146
【図１４５】
2020108639.tif 000147
【図１４６】
2020108639.tif 000148
【図１４７】
2020108639.tif 000149
【図１４８】
2020108639.tif 000150
【図１４９】
2020108639.tif 000151
【図１５０】
2020108639.tif 000152
【図１５１】
2020108639.tif 000153
【図１５２】
2020108639.tif 000154
【図１５３】
2020108639.tif 000155
【図１５４】
2020108639.tif 000156
【図１５５】
2020108639.tif 000157
【図１５６】
2020108639.tif 000158
【図１５７】
2020108639.tif 000159
【図１５８】
2020108639.tif 000160
【図１５９】
2020108639.tif 000161
【図１６０】
2020108639.tif 000162
【図１６１】
2020108639.tif 000163
【図１６２】
2020108639.tif 000164
【図１６３】
2020108639.tif 000165
【図１６４】
2020108639.tif 000166
【図１６５】
2020108639.tif 000167
【図１６６】
2020108639.tif 000168
【図１６７】
2020108639.tif 000169
【図１６８】
2020108639.tif 000170
【図１６９】
2020108639.tif 000171
【図１７０】
2020108639.tif 000172
【図１７１】
2020108639.tif 000173
【図１７２】
2020108639.tif 000174
【図１７３】
2020108639.tif 000175
【図１７４】
2020108639.tif 000176
【図１７５】
2020108639.tif 000177
【図１７６】
2020108639.tif 000178
【図１７７】
2020108639.tif 000179
【図１７８】
2020108639.tif 000180
【図１７９】
2020108639.tif 000181
【図１８０】
2020108639.tif 000182
【図１８１】
2020108639.tif 000183
【図１８２】
2020108639.tif 000184
【図１８３】
2020108639.tif 000185
【図１８４】
2020108639.tif 000186
【図１８５】
2020108639.tif 000187
【図１８６】
2020108639.tif 000188
【図１８７】
2020108639.tif 000189
【図１８８】
2020108639.tif 000190
【図１８９】
2020108639.tif 000191
【図１９０】
2020108639.tif 000192
【図１９１】
2020108639.tif 000193
【図１９２】
2020108639.tif 000194
【図１９３】
2020108639.tif 000195
【図１９４】
2020108639.tif 000196
【図１９５】
2020108639.tif 000197
【図１９６】
2020108639.tif 000198
【図１９７】
2020108639.tif 000199
【図１９８】
2020108639.tif 000200
【図１９９】
2020108639.tif 000201
【図２００】
2020108639.tif 000202
【図２０１】
2020108639.tif 000203
【図２０２】
2020108639.tif 000204
【図２０３】
2020108639.tif 000205
【図２０４】
2020108639.tif 000206
【図２０５】
2020108639.tif 000207
【図２０６】
2020108639.tif 000208
【図２０７】
2020108639.tif 000209
【図２０８】
2020108639.tif 000210
【図２０９】
2020108639.tif 000211
【図２１０】
2020108639.tif 000212
【図２１１】
2020108639.tif 000213
【図２１２】
2020108639.tif 000214
【図２１３】
2020108639.tif 000215
【図２１４】
2020108639.tif 000216
【図２１５】
2020108639.tif 000217
【図２１６】
2020108639.tif 000218
【図２１７】
2020108639.tif 000219
【図２１８】
2020108639.tif 000220
【図２１９】
2020108639.tif 000221
【図２２０】
2020108639.tif 000222
【図２２１】
2020108639.tif 000223
【図２２２】
2020108639.tif 000224
【図２２３】
2020108639.tif 000225
【図２２４】
2020108639.tif 000226
【図２２５】
2020108639.tif 000227
【図２２６】
2020108639.tif 000228
【図２２７】
2020108639.tif 000229
【図２２８】
2020108639.tif 000230
【図２２９】
2020108639.tif 000231
【図２３０】
2020108639.tif 000232
【図２３１】
2020108639.tif 000233
【図２３２】
2020108639.tif 000234
【図２３３】
2020108639.tif 000235
【図２３４】
2020108639.tif 000236
【図２３５】
2020108639.tif 000237
【図２３６】
2020108639.tif 000238
【図２３７】
2020108639.tif 000239
【図２３８】
2020108639.tif 000240